(57)【特許請求の範囲】
【請求項１】
チーグラー・ナッタ触媒系のための前駆体としての触媒組成物であって、
前記触媒組成物は、無水マグネシウム又はマグネシウム系化合物と、チタン系化合物と、構造(Ａ)の少なくとも１種の１，２−フェニレンジオエート化合物を含む内部供与体との組合せを含み、
0005909817.tif 000014
式中、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群から選択され、構造(Ａ)の１，２−フェニレンジオエート化合物は１，２−フェニレンジアセテート及び３−メチル−１，２−フェニレンジオエートではなく、Ｒ１がアルコキシである場合、Ｒ２はアルコキシではなく、Ｒ１がアリールである場合、Ｒ２はアリールではない、触媒組成物。
【請求項２】
マグネシウム系化合物は、ハロゲン含有無水マグネシウム化合物、アルキルマグネシウムハライド化合物、アルコキシマグネシウムハライド化合物、アリールオキシマグネシウムハライド化合物、ジアルコキシマグネシウム化合物、アリールオキシマグネシウム化合物、ジアルキルマグネシウム化合物、マグネシウムジハライドのアルコール錯体及びこれらの混合物を含む群から選択される、請求項１に記載の触媒組成物。
【請求項３】
チタン系化合物は、チタンテトラハライド化合物、アルコキシチタントリハライド化合物、ジアルコキシチタンジハライド化合物、トリアルコキシチタンモノハライド化合物、テトラアルコキシチタン化合物及びこれらの混合物を含む群から選択される、請求項１に記載の触媒組成物。
【請求項４】
構造(Ａ)は、
水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びその組合せを含む群から選択される、Ｒ３−Ｒ６の少なくとも１つと、
水素、ハロゲン、場合によっては環に結合されたＣ１−Ｃ２０直鎖又は分枝アルキル基、Ｃ３−Ｃ１５シクロアルキル基、ヘテロ原子及びこれらの組合せを含む群から選択される、Ｒ１−Ｒ２の少なくとも１つと、
を有し、構造(Ａ)の１，２−フェニレンジオエート化合物は１，２−フェニレンジアセテート及び３−メチル−１，２−フェニレンジオエートではなく、Ｒ１がアルコキシである場合、Ｒ２はアルコキシではなく、Ｒ１がアリールである場合、Ｒ２はアリールではない、請求項１に記載の触媒組成物。
【請求項５】
１，２−フェニレンジオエートは、
１，２−フェニレンジプロパノエート、１，２−フェニレンジブタノエート、１，２−フェニレンジペンタノエート、１，２−フェニレンジヘキサノエート、１，２−フェニレンジヘプタノエート、１，２−フェニレンジオクタノエート、１，２−フェニレンジノナノエート、１，２−フェニレンジデカノエート、１，２−フェニレンジウンデカノエート、１，２−フェニレンジプロピオネート、２−（プロピオニルオキシ）フェニルブチラート、２−（プロピオニロキシ）フェニルペンタノエート、２−（プロピオニロキシ）フェニルヘキサノエート、２−（プロピオニロキシ）フェニルヘプタノアート、２−（プロピオニロキシ）フェニルオクタノエート、２−（プロピオニロキシ）フェニルノナノエート、２−（プロピオニロキシ）フェニルデカノエート、２−（プロピオニロキシ）フェニルウンデカノエート、１，２−フェニレンジブチレート、２−（ブチリロキシ）フェニルペンタノエート、２−（ブチリロキシ）フェニルヘキサノエート、２−（ブチリロキシ）フェニルヘプタノアート、２−（ブチリロキシ）フェニルオクタノエート、２−（ブチリロキシ）フェニルノナノエート、２−（ブチリロキシ）フェニルデカノエート、２−（ブチリロキシ）フェニルウンデカノエート、１，２−フェニレンジペンタノエート、２−（ペンタノイロキシ）フェニルヘキサノエート、２−（ペンタノイロキシ）フェニルヘプタノアート、２−（ペンタノイロキシ）フェニルオクタノエート、２−（ペンタノイロキシ）フェニルノナノエート、２−（ペンタノイロキシ）フェニルデカノエート、２−（ペンタノイロキシ）フェニルウンデカノエート、１，２−フェニレンジヘキサノエート、２−（ヘキサノイロキシ）フェニルヘプタノエート、２−（ヘキサノイロキシ）フェニルオクタノエート、２−（ヘキサノイロキシ）フェニルノナノエート、２−（ヘキサノイロキシ）フェニルデカノエート、２−（ヘキサノイロキシ）フェニルウンデカノエート、１，２−フェニレンジヘプタノエート、２−（ヘプタノイロキシ）フェニルオクタノエート、２−（ヘプタノイロキシ）フェニルノナノエート、２−（ヘプタノイロキシ）フェニルデカノエート、２−（ヘプタノイロキシ）フェニルウンデカノエート、１，２−フェニレンジオクタノエート、２−（オクタノイロキシ）フェニルノナノエート、２−（オクタノイロキシ）フェニルデカノエート、２−（オクタノイロキシ）フェニルウンデカノエート、１，２−フェニレンジノナノエート、２−（ノナノイロキシ）フェニルデカノエート、２−（ノナノイロキシ）フェニルウンデカノエート、１，２−フェニレンジデカノエート、２−（デカノイロキシ）フェニルウンデカノエート、１，２−フェニレンジウンデカノエート、２−アセトキシフェニルイソブチレート、２−（プロピオニロキシ）フェニルイソブチレート、２−（イソブチリロキシ）フェニルブチレート、２−（イソブチリロキシ）フェニルペンタノエート、２−（イソブチリロキシ）フェニルヘキサノエート、２−（イソブチリロキシ）フェニルヘプタノエート、２−（イソブチリロキシ）フェニルオクタノエート、２−（イソブチリロキシ）フェニルノナノエート、２−（イソブチリロキシ）フェニルデカノエート、２−（イソブチリロキシ）フェニルウンデカノエート、１，２−フェニレンジイソブチレート、２−アセトキシフェニル３−メチルブタノエート、２−（プロピオニロキシ）フェニル３−メチルブタノエート、２−（ブチリロキシ）フェニル３−メチルブタノエート、２−（３−メチルブタノイロキシ）フェニルペンタノエート、２−（３−メチルブタノイロキシ）フェニルヘキサノエート、２−（３−メチルブタノイロキシ）フェニルヘプタノエート、２−（３−メチルブタノイロキシ）フェニルオクタノエート、２−（３−メチルブタノイロキシ）フェニルノナノエート、２−（３−メチルブタノイロキシ）フェニルデカノエート、２−（３−メチルブタノイロキシ）フェニルウンデカノエート、１，２−フェニレンビス（３−メチルブタノエート）、２−アセトキシフェニル７−メチルオクタノエート、２−（プロピオニロキシ）フェニル７−メチルオクタノエート、２−（ブチリロキシ）フェニル７−メチルオクタノエート、２−（ペンタノイロキシ）フェニル７−メチルオクタノエート、２−（ヘキサノイロキシ）フェニル７−メチルオクタノエート、２−（ヘプタノイロキシ）フェニル7−メチルオクタノエート、２−（オクタノイロキシ）フェニル７−メチルオクタノエート、２−（７−メチルオクタノイロキシ）フェニルノナノエート、２−（７−メチルオクタノイロキシ）フェニルデカノエート、２−（７−メチルオクタノイロキシ）フェニルウンデカノエート、１，２−フェニレンビス（７−メチルオクタノエート）、２−アセトキシフェニル８−メチルノナノエート、２−（プロピオニロキシ）フェニル８−メチルノナノエート、２−（ブチリロキシ）フェニル８−メチルノナノエート、２−（ペンタノイロキシ）フェニル８−メチルノナノエート、２−（ヘキサノイロキシ）フェニル８−メチルノナノエート、２−（ヘプタノイロキシ）フェニル８−メチルノナノエート、２−（オクタノイロキシ）フェニル８−メチルノナノエート、２−（ノナノイロキシ）フェニル8−メチルノナノエート、２−（８−メチルノナノイロキシ）フェニルデカノエート、２−（８−メチルノナノイロキシ）フェニルウンデカノエート、１，２−フェニレンビス（８−メチルノナノエート）、２−アセトキシフェニル９−メチルデカノエート、２−（プロピオニロキシ）フェニル９−メチルデカノエート、２−（ブチリロキシ）フェニル９−メチルデカノエート、２−（ペンタノイロキシ）フェニル９−メチルデカノエート、２−（ヘキサノイロキシ）フェニル９−メチルデカノエート、２−（ヘプタノイロキシ）フェニル９−メチルデカノエート、２−（オクタノイロキシ）フェニル９−メチルデカノエート、２−（ノナノイロキシ）フェニル９−メチルデカノエート、２−（デカノイロキシ）フェニル９−メチルデカノエート、２−（９−メチルデカノイロキシ）フェニルウンデカノエート、１，２−フェニレンビス（９−メチルデカノエート）、２−アセトキシフェニル１０−メチルウンデカノエート、２−（プロピオニロキシ）フェニル１０−メチルウンデカノエート、２−（ブチリロキシ）フェニル１０−メチルウンデカノエート、２−（ペンタノイロキシ）フェニル１０−メチルウンデカノエート、２−（ヘキ���ノイロキシ）フェニル１０−メチルウンデカノエート、２−（ヘプタノイロキシ）フェニル１０−メチルウンデカノエート、２−（オクタノイロキシ）フェニル１０−メチルウンデカノエート、２−（ノナノイロキシ）フェニル１０−メチルウンデカノエート、２−（デカノイロキシ）フェニル１０−メチルウンデカノエート、２−（ウンデカノイロキシ）フェニル１０−メチルウンデカノエート、１，２−フェニレンビス（１０−メチルウンデカノエート）、２−アセトキシフェニルピバレート、２−（プロピオニロキシ）フェニルピバレート、２−（ピバロイルオキシ）フェニルブチレート、２−（ピバロイルオキシ）フェニルペンタノエート、２−（ピバロイルオキシ）フェニルヘキサノエート、２−（ピバロイルオキシ）フェニルヘプタノエート、２−（ピバロイルオキシ）フェニルオクタノエート、２−（ピバロイルオキシ）フェニルノナノエート、２−（ピバロイルオキシ）フェニルデカノエート、２−（ピバロイルオキシ）フェニルウンデカノエート、１，２−フェニレンジピバレート、２−アセトキシフェニル３，３−ジメチルブタノエート、２−（プロピオニロキシ）フェニル３，３−ジメチルブタノエート、２−（ブチリロキシ）フェニル３，３−ジメチルブタノエート、２−（３，３−ジメチルブタノイロキシ）フェニルペンタノエート、２−（３，３−ジメチルブタノイロキシ）フェニルヘキサノエート、２−（３，３−ジメチルブタノイロキシ）フェニルヘプタノエート、２−（３，３−ジメチルブタノイロキシ）フェニルオクタノエート、２−（３，３−ジメチルブタノイロキシ）フェニルノナノエート、２−（３，３−ジメチルブタノイロキシ）フェニルデカノエート、２−（３，３−ジメチルブタノイロキシ）フェニルウンデカノエート、１，２−フェニレンビス（３，３−ジメチルブタノエート）、２−アセトキシフェニル４，４−ジメチルペンタノエート、２−（プロピオニロキシ）フェニル４，４−ジメチルペンタノエート、２−（ブチリロキシ）フェニル４，４−ジメチルペンタノエート、２−（ペンタノイロキシ）フェニル４，４−ジメチルペンタノエート、２−（４，４−ジメチルペンタノイロキシ）フェニルヘキサノエート、２−（４，４−ジメチルペンタノイロキシ）フェニルヘプタノエート、２−（４，４−ジメチルペンタノイロキシ）フェニルオクタノエート、２−（４，４−ジメチルペンタノイロキシ）フェニルノナノエート、２−（４，４−ジメチルペンタノイロキシ）フェニルデカノエート、２−（４，４−ジメチルペンタノイロキシ）フェニルウンデカノエート、１，２−フェニレンビス（４，４−ジメチルペンタノエート）、２−アセトキシフェニル５，５−ジメチルヘキサノエート、２−（プロピオニロキシ）フェニル５，５−ジメチルヘキサノエート、２−（ブチリロキシ）フェニル５，５−ジメチルヘキサノエート、２−（ペンタノイロキシ）フェニル５，５−ジメチルヘキサノエート、２−（ヘキサノイロキシ）フェニル５，５−ジメチルヘキサノエート、２−（５，５−ジメチルヘキサノイロキシ）フェニルヘプタノエート、２−（５，５−ジメチルヘキサノイロキシ）フェニルオクタノエート、２−（５，５−ジメチルヘキサノイロキシ）フェニルノ���ノエート、２−（５，５−ジメチルヘキサノイロキシ）フェニルデカノエート、２−（５，５−ジメチルヘキサノイロキシ）フェニルウンデカノエート、１，２−フェニレンビス（５，５−ジメチルヘキサノエート）、２−アセトキシフェニル６，６−ジメチルヘプタノエート、２−（プロピオニロキシ）フェニル６，６−ジメチルヘプタノエート、２−（ブチリロキシ）フェニル６，６−ジメチルヘプタノエート、２−（ペンタノイロキシ）フェニル６，６−ジメチルヘプタノエート、２−（ヘキサノイロキシ）フェニル６，６−ジメチルヘプタノエート、２−（ヘプタノイロキシ）フェニル６，６−ジメチルヘプタノエート、２−（６，６−ジメチルヘプタノイロキシ）フェニルオクタノエート、２−（６，６−ジメチルヘプタノイロキシ）フェニルノナノエート、２−（６，６−ジメチルヘプタノイロキシ）フェニルデカノエート、２−（６，６−ジメチルヘプタノイロキシ）フェニルウンデカノエート、１，２−フェニレンビス（６，６−ジメチルヘプタノエート）、２−アセトキシフェニル７，７−ジメチルオクタノエート、２−（プロピオニロキシ）フェニル７，７−ジメチルオクタノエート、２−（ブチリロキシ）フェニル７，７−ジメチルオクタノエート、２−（ペンタノイロキシ）フェニル７，７−ジメチルオクタノエート、２−（ヘキサノイロキシ）フェニル７，７−ジメチルオクタノエート、２−（ヘプタノイロキシ）フェニル７，７−ジメチルオクタノエート、２−（オクタノイロキシ）フェニル７，７−ジメチルオクタノエート、２−（７，７−ジメチルオクタノイロキシ）フェニルノナノエート、２−（７，７−ジメチルオクタノイロキシ）フェニルデカノエート、２−（７，７−ジメチルオクタノイロキシ）フェニルウンデカノエート、１，２−フェニレンビス（７，７−ジメチルオクタノエート）、２−アセトキシフェニル８，８−ジメチルノナノエート、２−（プロピオニロキシ）フェニル８，８−ジメチルノナノエート、２−（ブチリロキシ）フェニル８，８−ジメチルノナノエート、２−（ペンタノイロキシ）フェニル８，８−ジメチルノナノエート、２−（ヘキサノイロキシ）フェニル８，８−ジメチルノナノエート、２−（ヘプタノイロキシ）フェニル８，８−ジメチルノナノエート、２−（オクタノイロキシ）フェニル８，８−ジメチルノナノエート、２−（ノナノイロキシ）フェニル８，８−ジメチルノナノエート、２−（８
，８−ジメチルノナノイロキシ）フェニルデカノエート、２−（８，８−ジメチルノナノイロキシ）フェニルウンデカノエート、１，２−フェニレンビス（８，８−ジメチルノナノエート）、２−アセトキシフェニル９，９−ジメチルデカノエート、２−（プロピオニロキシ）フェニル９，９−ジメチルデカノエート、２−（ブチリロキシ）フェニル９，９−ジメチルデカノエート、２−（ペンタノイロキシ）フェニル９，９−ジメチルデカノエート、２−（ヘキサノイロキシ）フェニル９，９−ジメチルデカノエート、２−（ヘプタノイロキシ）フェニル９，９−ジメチルデカノエート、２−（オクタノイロキシ）フェニル９，９−ジメチルデカノエート、２−（ノナノイロキシ）フェニル９，９−ジメチルデカノエート、２−（デカノイロキシ）フェニル９，９−ジメチルデカノエート、２−（９，９−ジメチルデカノイロキシ）フェニルウンデカノエート、１，２−フェニレンビス（９，９−ジメチルデカノエート）、２−アセトキシフェニル１０，１０−ジメチルウンデカノエート、２−（プロピオニロキシ）フェニル１０，１０−ジメチルウンデカノエート、２−（ブチリロキシ）フェニル１０，１０−ジメチルウンデカノエート、２−（ペンタノイロキシ）フェニル１０，１０−ジメチルウンデカノエート、２−（ヘキサノイロキシ）２−（ヘキサノイロキシ）フェニル１０，１０−ジメチルウンデカノエート、２−（ヘプタノイロキシ）フェニル１０，１０−ジメチルウンデカノエート、２−（オクタノイロキシ）フェニル１０，１０−ジメチルウンデカノエート、２−（ノナノイロキシ）フェニル１０，１０−ジメチルウンデカノエート、２−（デカノイロキシ）フェニル１０，１０−ジメチルウンデカノエート、２−（ウンデカノイロキシ）フェニル１０，１０−ジメチルウンデカノエート、１，２−フェニレンビス（１０，１０−ジメチルウンデカノエート）、２−アセトキシフェニル２−エチルブタノエート、２−（プロピオニロキシ）フェニル２−エチルブタノエート、２−（ブチリロキシ）フェニル２−エチルブタノエート、２−（２−エチルブタノイロキシ）フェニルペンタノエート、２−（２−エチルブタノイロキシ）フェニルヘキサノエート、２−（２−エチルブタノイロキシ）フェニルヘプタノエート、２−（２−エチルブタノイロキシ）フェニルオクタノエート、２−（２−エチルブタノイロキシ）フェニルノナノエート、２−（２−エチルブタノイロキシ）フェニルデカノエート、２−（２−エチルブタノイロキシ）フェニルウンデカノエート、１，２−フェニレンビス（２−エチルブタノエート）、２−アセトキシフェニル３−エチルペンタノエート、２−（プロピオニロキシ）フェニル３−エチルペンタノエート、２−（ブチリロキシ）フェニル３−エチルペンタノエート、２−（ペンタノイロキシ）フェニル３−エチルペンタノエート、２−（３−エチルペンタノイロキシ）フェニルヘキサノエート、２−（３−エチルペンタノイロキシ）フェニルヘプタノエート、２−（３−エチルペンタノイロキシ）フェニルオクタノエート、２−（３−エチルペンタノイロキシ）フェニルノナノエート、２−（３−エチルペンタノイロキシ）フェニルデカノエート、２−（３−エチルペンタノイロキシ）フェニルウンデカノエート、１，２−フェニレンビス（３−エチルペンタノエート）、２−アセトキシフェニル４−エチルヘキサノエート、２−（プロピオニロキシ）フェニル４−エチルヘキサノエート、２−（ブチリロキシ）フェニル４−エチルヘキサノエート、２−（ペンタノイロキシ）フェニル４−エチルヘキサノエート、２−（ヘキサノイロキシ）フェニル４−エチルヘキサノエート、２−（４−エチルヘキサノイロキシ）フェニルヘプタノエート、２−（４−エチルヘキサノイロキシ）フェニルオクタノエート、２−（４−エチルヘキサノイロキシ）フェニルノナノエート、２−（４−エチルヘキサノイロキシ）フェニルデカノエート、２−（４−エチルヘキサノイロキシ）フェニルウンデカノエート、１，２−フェニレンビス（４−エチルヘキサノエート）、２−アセトキシフェニル６−エチルオクタノエート、２−（プロピオニロキシ）フェニル６−エチルオクタノエート、２−（ブチリロキシ）フェニル６−エチルオクタノエート、２−（ペンタノイロキシ）フェニル６−エチルオクタノエート、２−（ヘキサノイロキシ）フェニル６−エチルオクタノエート、２−（ヘプタノイロキシ）フェニル６−エチルオクタノエート、２−（オクタノイロキシ）フェニル６−エチルオクタノエート、２−（６−エチルオクタノイロキシ）フェニルノナノエート、２−（６−エチルオクタノイロキシ）フェニルデカノエート、２−（６−エチルオクタノイロキシ）フェニルウンデカノエート、１，２−フェニレンビス（６−エチルオクタノエート）、２−アセトキシフェニル７−エチルノナノエート、２−（プロピオニロキシ）フェニル７−エチルノナノエート、２−（ブチリロキシ）フェニル７−エチルノナノエート、２−（ペンタノイロキシ）フェニル７−エチルノナノエート、２−（ヘキサノイロキシ）フェニル７−エチルノナノエート、２−（ヘプタノイロキシ）フェニル７−エチルノナノエート、２−（オクタノイロキシ）フェニル７−エチルノナノエート、２−（ノナノイロキシ）フェニル７−エチルノナノエート、２−（７−エチルノナノイロキシ）フェニルデカノエート、２−（７−エチルノナノイロキシ）フェニルウンデカノエート、１，２−フェニレンビス（７−エチルノナノエート）、２−アセトキシフェニル８−エチルデカノエート、２−（プロピオニロキシ）フェニル８−エチルデカノエート、２−（ブチリロキシ）フェニル８−エチルデカノエート、２−（ペンタノイロキシ）フェニル８−エチルデカノエート、２−（ヘキサノイロキシ）フェニル８−エチルデカノエート、２−（ヘプタノイロキシ）フェニル８−エチルデカノエート、２−（オクタノイロキシ）フェニル８−エチルデカノエート、２−（ノナノイロキシ）フェニル８−エチルデカノエート、２−（デカノイロキシ）フェニル８−エチルデカノエート、２−（８−エチルデカノイロキシ）フェニルウンデカノエート、１，２−フェニレンビス（８−エチルデカノエート）、２−アセトキシフェニル９−エチルウンデカノエート、２−（プロピオニロキシ）フェニル９−エチルウンデカノエート、２−（ブチリロキシ）フェニル９−エチルウンデカノエート、２−（ペンタノイロキシ）フェニル９−エチルウンデカノエート、２−（ヘキサノイロキシ）フェニル９−エチルウンデカノエート、２−（ヘプタノイロキシ）フェニル９−エチルウンデカノエート、２−（オクタノイロキシ）フェニル９−エチルウンデカノエート、２−（ノナノイロキシ）フェニル９−エチルウンデカノエート、２−（デカノイロキシ）フェニル９−エチルウンデカノエート、１，２−フェニレンビス（９−エチルウンデカノエート）、２−アセトキシフェニル２−メチルブタノエート、２−（プロピオニロキシ）フェニル２−メチルブタノエート、２−（ブチリロキシ）フェニル２−メチルブタノエート、２−（２−メチルブタノイロキシ）フェニルペンタノエート、２−（２−メチルブタノイロキシ）フェニルヘキサノエート、２−（２−メチルブタノイロキシ）フェニルヘプタノエート、２−（２−メチルブタノイロキシ）フェニルオクタノエート、２−（２−メチルブタノイロキシ）フェニルノナノエート、２−（２−メチルブタノイロキシ）フェニルデカノエート、２−（２−メチルブタノイロキシ）フェニルウンデカノエート、１，２−フェニレンビス（２−メチルブタノエート）、２−アセトキシフェニル２−メチルペンタノエート、２−（プロピオニロキシ）フェニル２−メチルペンタノエート、２−（ブチリロキシ）フェニル２−メチルペンタノエート、２−（ペンタノイロキシ）フェニル２−メチルペンタノエート、２−（２−メチルペンタノイロキシ）フェニルヘキサノエート、２−（２−メチルペンタノイロキシ）フェニルヘプタノエート、２−（２−メチルペンタノイロキシ）フェニルオクタノエート、２−（２−メチルペンタノイロキシ）フェニルノナノエート、２−（２−メチルペンタノイロキシ）フェニルデカノエート、１，２−フェニレンビス（２−メチルペンタノエート）、２−アセトキシフェニル２−メチルヘキサノエート、２−（プロピオニロキシ）フェニル２−メチルヘキサノエート、２−（ブチリロキシ）フェニル２−メチルヘキサノエート、２−（ペンタノイロキシ）フェニル２−メチルヘキサノエート、２−（ヘキサノイロキシ）フェニル２−メチルヘキサノエート、２−（２−メチルヘキサノイロキシ）フェニルヘプタノエート、２−（２−メチルヘキサノイロキシ）フェニルオクタノエート、２−（２−メチルヘキサノイロキシ）フェニルノナノエート、２−（２−メチルヘキサノイロキシ）フェニルデカノエート、２−（２−メチルヘキサノイロキシ）フェニルウンデカノエート、１，２−フェニレンビス（２−メチルヘキサノエート）、２−アセトキシフェニル２−メチルヘプタノエート、２−（プロピオニロキシ）フェニル２−メチルヘプタノエート、２−（ブチリロキシ）フェニル２−メチルヘプタノエート、２−（ペンタノイロキシ）フェニル２−メチルヘプタノエート、２−（ヘキサノイロキシ）フェニル２−メチルヘプタノエート、２−（ヘプタノイロキシ）フェニル２−メチルヘプタノエート、２−（２−メチルヘプタノイロキシ）フェニルオクタノエート、２−（２−メチルヘプタノイロキシ）フェニルノナノエート、２−（２−メチルヘプタノイロキシ）フェニルデカノエート、２−（２−メチルヘプタノイロキシ）フェニルウンデカノエート、１，２−フェニレンビス（２−メチルヘプタノエート）、２−アセトキシフェニル２−メチルオクタノエート、２−（プロピオニロキシ）フェニル２−メチルオクタノエート、２−（ブチリロキシ）フェニル２−メチルオクタノエート、２−（ペンタノイロキシ）フェニル２−メチルオクタノエート、２−（ヘキサノイロキシ）フェニル２−メチルオクタノエート、２−（ヘプタノイロキシ）フェニル２−メチルオクタノエート、２−（オクタノイロキシ）フェニル２−メチルオクタノエート、２−（２−メチルオクタノイロキシ）フェニルノナノエート、２−（２−メチルオクタノイロキシ）フェニルデカノエート、２−（２−メチルオクタノイロキシ）フェニルウンデカノエート、１，２−フェニレンビス（２−メチルオクタノエート）、２−アセトキシフェニル２−メチルノナノエート、２−（プロピオニロキシ）フェニル２−メチルノナノエート、２−（ブチリロキシ）フェニル２−メチルノナノエート、２−（ペンタノイロキシ）フェニル２−メチルノナノエート、２−（ヘキサノイロキシ）フェニル２−メチルノナノエート、２−（ヘプタノイロキシ）フェニル２−メチルノナノエート、２−（オクタノイロキシ）フェニル２−メチルノナノエート、２−（ノナノイロキシ）フェニル２−メチルノナノエート、２−（２−メチルノナノイロキシ）フェニルデカノエート、２−（２−メチルノナノイロキシ）フェニルウンデカノエート、１，２−フェニレンビス（２−メチルノナノエート）、２−アセトキシフェニル２−メチルデカノエート、２−（プロピオニロキシ）フェニル２−メチルデカノエート、２−（ブチリロキシ）フェニル２−メチルデカノエート、２−（ペンタノイロキシ）フェニル２−メチルデカノエート、２−（ヘキサノイロキシ）フェニル２−メチルデカノエート、２−（ヘプタノイロキシ）フェニル２−メチルデカノエート、２−（オクタノイロキシ）フェニル２−メチルデカノエート、２−（ノナノイロキシ）フェニル２−メチルデカノエート、２−（デカノイロキシ）フェニル２−メチルデカノエート、２−（２−メチルデカノイロキシ）フェニルウンデカノエート、１，２−フェニレンビス（２−メチルデカノエート）、２−アセトキシフェニル２−プロピルペンタノエート、２−（プロピオニロキシ）フェニル２−プロピルペンタノエート、２−（ブチリロキシ）フェニル２−プロピルペンタノエート、２−（ペンタノイロキシ）フェニル２−プロピルペンタノエート、２−（２−プロピルペ
ンタノエート）フェニルヘキサノエート、２−（２−プロピルペンタノエート）フェニルヘプタノエート、２−（２−プロピルペンタノエート）フェニルオクタノエート、２−（２−プロピルペンタノエート）フェニルノナノエート、２−（２−プロピルペンタノエート）フェニルデカノエート、２−（２−プロピルペンタノエート）フェニルウンデカノエート、１，２−フェニレンビス（２−プロピルペンタノエート）、２−アセトキシフェニル２−プロピルヘキサノエート、２−（プロピオニロキシ）フェニル２−プロピルヘキサノエート、２−（ブチリロキシ）フェニル２−プロピルヘキサノエート、２−（ペンタノイロキシ）フェニル２−プロピルヘキサノエート、２−（ヘキサノイロキシ）フェニル２−プロピルヘキサノエート、２−（２−プロピルヘキサノイロキシ）フェニルヘプタノエート、２−（２−プロピルヘキサノイロキシ）フェニルオクタノエート、２−（２−プロピルヘキサノイロキシ）フェニルノナノエート、２−（２−プロピルヘキサノイロキシ）フェニルデカノエート、２−（２−プロピルヘキサノイロキシ）フェニルウンデカノエート、１，２−フェニレンビス（２−プロピルヘキサノエート）、２−アセトキシフェニル２−プロピルヘプタノエート、２−（プロピオニロキシ）フェニル２−プロピルヘプタノエート、２−（ブチリロキシ）フェニル２−プロピルヘプタノエート、２−（ペンタノイロキシ）フェニル２−プロピルヘプタノエート、２−（ヘキサノイロキシ）フェニル２−プロピルヘプタノエート、２−（ヘプタノイロキシ）フェニル２−プロピルヘプタノエート、２−（２−プロピルヘプタノイロキシ）フェニルオクタノエート、２−（２−プロピルヘプタノイロキシ）フェニルノナノエート、２−（２−プロピルヘプタノイロキシ）フェニルデカノエート、２−（２−プロピルヘプタノイロキシ）フェニルウンデカノエート、１，２−フェニレンビス（２−プロピルヘプタノエート）、２−アセトキシフェニル２−プロピルオクタノエート、２−（プロピオニロキシ）フェニル２−プロピルオクタノエート、２−（ブチリロキシ）フェニル２−プロピルオクタノエート、２−（ペンタノイロキシ）フェニル２−プロピルオクタノエート、２−（ヘキサノイロキシ）フェニル２−プロピルオクタノエート、２−（ヘプタノイロキシ）フェニル２−プロピルオクタノエート、２−（オクタノイロキシ）フェニル２−プロピルオクタノエート、２−（２−プロピルオクタノイロキシ）フェニルノナノエート、２−（２−プロピルオクタノイロキシ）フェニルデカノエート、２−（２−プロピルオクタノイロキシ）フェニルウンデカノエート、１，２−フェニレンビス（２−プロピルオクタノエート）、２−アセトキシフェニル２−プロピルノナノエート、２−（プロピオニロキシ）フェニル２−プロピルノナノエート、２−（ブチリロキシ）フェニル２−プロピルノナノエート、２−（ペンタノイロキシ）フェニル２−プロピルノナノエート、２−（ヘキサノイロキシ）フェニル２−プロピルノナノエート、２−（ヘプタノイロキシ）フェニル２−プロピルノナノエート、２−（オクタノイロキシ）フェニル２−プロピルノナノエート、２−（ノナノイロキシ）フェニル２−プロピルノナノエート、２−（（２−プロピルノナロイル）オキシ）フェニルデカノエート、２−（（２−プロピルノナロイル）オキシ）フェニルウンデカノエート、１，２−フェニレンビス（２−プロピルノナノエート）、２−アセトキシフェニル２−プロピルデカノエート、２−（プロピオニロキシ）フェニル２−プロピルデカノエート、２−（ブチリロキシ）フェニル２−プロピルデカノエート、２−（ペンタノイロキシ）フェニル２−プロピルデカノエート、２−（ヘキサノイロキシ）フェニル２−プロピルデカノエート、２−（ヘプタノイロキシ）フェニル２−プロピルデカノエート、２−（オクタノイロキシ）フェニル２−プロピルデカノエート、２−（ノナノイロキシ）フェニル２−プロピルデカノエート、２−（デカノイロキシ）フェニル２−プロピルデカノエート、１，２−フェニレンビス（２−プロピルデカノエート）、２−アセトキシフェニル２，３−ジメチルブタノエート、２−（プロピオニロキシ）フェニル２，３−ジメチルブタノエート、２−（ブチリロキシ）フェニル２，３−ジメチルブタノエート、２−（２，３−ジメチルブタノイロキシ）フェニルペンタノエート、２−（２，３−ジメチルブタノイロキシ）フェニルヘキサノエート、２−（２，３−ジメチルブタノイロキシ）フェニルヘプタノエート、２−（２，３−ジメチルブタノイロキシ）フェニルオクタノエート、２−（２，３−ジメチルブタノイロキシ）フェニルノナノエート、２−（２，３−ジメチルブタノイロキシ）フェニルデカノエート、２−（２，３−ジメチルブタノイロキシ）フェニルウンデカノエート、１，２−フェニレンビス（２，３−ジメチルブタノエート）、１，２−フェニレンジイソプロパノエート、１，２−フェニレンジイソブタノエート、１，２−フェニレンジｔ−ブタノエート、１，２−フェニレンジイソペンタノエート、１，２−フェニレンジシクロプロピロエート、１，２−フェニレンジシクロブチロエート、１，２−フェニレンジシクロペンチロエート、１，２−フェニレンジシクロヘキシロエート、１，２−フェニレンジシクロヘプチロエート、１，２−フェニレンジシクロオクチロエート、１，２−フェニレンビス（４−メチルペンタノエート）、１，２−フェニレンビス（５−メチルヘキサノエート）、１，２−フェニレンビス（６−メチルヘプタノエート）、１，２−フェニレンビス（７−メチルオクタノエート）、１，２−フェニレンビス（８−メチルノナノエート）、１，２−フェニレンビス（９−メチルデカノエート）、１，２−フェニレンビス（１０−メチルウンデカノエート）、１，２−フェニレンビス（６，６−ジメチルヘプタノエート）、２−アセトキシフェニルプロパノエート、２−アセトキシフェニルブチレート、２−アセトキシフェニルペンタノエート、２−アセトキシフェニルヘプタノエート、２−アセトキシフェニルオクタノエート、２−アセトキシフェニルノナノエート、２−アセトキシフェニルデカノエート、２−アセトキシフェニルウンデカノエート、２−（イソブチリロキシ）フェニルアセテート、２−（イソブチリロキシ）フェニルプロピオネート、２−（イソブチリロキシ）フェニルベンゾエート、２−（イソブチリロキシ）フェニルイソプロピオネート、２−（イソブチリロキシ）フェニルイソブチレート、２−（イソブチリロキシ）フェニルイソペンタノエート、２−（イソブチリロキシ）フェニルイソヘキサノエート、２−（イソブチリロキシ）フェニルイソヘプタノエート、２−（イソブチリロキシ）フェニルイソオクタノエート、２−（イソブチリロキシ）フェニルイソノナノエート、２−（イソブチリロキシ）フェニルイソデカノエート、２−（イソブチリロキシ）フェニルイソウンデカノエート、２−アセトキシフェニル４−メチルペンタノエート、２−（プロピオニロキシ）フェニル４−メチルペンタノエート、２−（ブチリロキシ）フェニル４−メチルペンタノエート、２−（ペンタノイロキシ）フェニル４−メチルペンタノエート、２−（４−メチルペンタノイロキシ）フェニルヘキサノエート、２−（４−メチルペンタノイロキシ）フェニルヘプタノエート、２−（４−メチルペンタノイロキシ）フェニルオクタノエート、２−（４−メチルペンタノイロキシ）フェニルノナノエート、２−（４−メチルペンタノイロキシ）フェニルデカノエート、２−（４−メチルペンタノイロキシ）フェニルウンデカノエート、２−アセトキシフェニル５−メチルヘキサノエート、２−（プロピオニロキシ）フェニル５−メチルヘキサノエート、２−（ブチリロキシ）フェニル５−メチルヘキサノエート、２−（ペンタノイロキシ）フェニル５−メチルヘキサノエート、２−（ヘキサノイロキシ）フェニル５−メチルヘキサノエート、２−（５−メチルヘキサノイロキシ）フェニルヘプタノエート、２−（５−メチルヘキサノイロキシ）フェニルオクタノエート、２−（５−メチルヘキサノイロキシ）フェニルノナノエート、２−（５−メチルヘキサノイロキシ）フェニルデカノエート、２−（５−メチルヘキサノイロキシ）フェニルウンデカノエート、２−アセトキシフェニル６−メチルヘプタノエート、２−（プロピオニロキシ）フェニル６−メチルヘプタノエート、２−（ブチリロキシ）フェニル６−メチルヘプタノエート、２−（ペンタノイロキシ）フェニル６−メチルヘプタノエート、２−（ヘキサノイロキシ）フェニル６−メチルヘプタノエート、２−（ヘプタノイロキシ）フェニル６−メチルヘプタノエート、２−（６−メチルヘプタノイロキシ）フェニルオクタノエート、２−（６−メチルヘプタノイロキシ）フェニルノナノエート、２−（６−メチルヘプタノイロキシ）フェニルデカノエート、２−（６−メチルヘプタノイロキシ）フェニルウンデカノエート、２−アセトキシフェニル９−エチルウンデカノエート、２−（プロピオニロキシ）フェニル９−エチルウンデカノエート、２−（ブチリロキシ）フェニル９−エチルウンデカノエート、２−（ペンタノイロキシ）フェニル９−エチルウンデカノエート、２−（ヘキサノイロキシ）フェニル９−エチルウンデカノエート、２−（ヘプタノイロキシ）フェニル９−エチルウンデカノエート、２−（オクタノイロキシ）フェニル９−エチルウンデカノエート、２−（ノナノイロキシ）フェニル９−エチルウンデカノエート、２−（デカノイロキシ）フェニル９−エチルウンデカノエート、４−クロロ−１，２−フェニレンジアセテート、４−ブロモ−１，２−フェニレンジアセテート、４−フルオロ−１，２−フェニレンジアセテート、４−ヨード−１，２−フェニレンジアセテート、４−メチル−１，２−フェニレンジアセテート、４−エチル−１，２−フェニレンジアセテート、４−ブチル−１，２−フェニレンジアセテート、４−イソブチル−１，２−フェニレンジアセテート、４−ｔｅｒｔ−ブチル−１，２−フェニレンジアセテート、４−イソプロピル−１，２−フェニレンジアセテート、４−ペンチル−１，２−フェニレンジアセテート、４−イソペンチル−１，２−フェニレンジアセテート、４−ヘキシル−１，２−フェニレンジアセテート、４−ヘプチル−１，２−フェニレンジアセテート、４−オクチル−１，２−フェニレンジアセテート、４−ノニル−１，２−フェニレンジアセテート、４−デシル−１，２−フェニレンジアセテート、４−ドデシル−１，２−フェニレンジアセテート、４−メトキシ−１，２−フェニレンジアセテート、４−エトキシ−１，２−フェニレンジアセテート、４−プロポキシ−１，２−フェニレンジアセテート、４−イソプロポキシ−１，２−フェニレンジアセテート、４−ブトキシ−１，２−フェニレンジアセテート、４−イソブトキシ−１，２−フェニレンジアセテート、４−ｔｅｒｔ−ブトキシ−１，２−フェニレンジアセテート、４−ペントキシ−１，２−フェニレンジアセテート、４−ヘキソキシ−１，２−フェニレンジアセテート、４−ヘプトキシ−１，２−フェニレンジアセテート、４−オクトキシ−１，２−フェニレンジアセテート、４−ノノキシ−１，２−フェニレンジアセテート、４−デコキシ−１，２−フェニレンジアセテート、４−フェノキシ−１，２−フェニレンジアセテート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４メチル１、２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート、４−ヘキ
シル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート４−エトキシ−１，２−フェニレンジイソプロパノエート、４−プロポキシ−１，２−フェニレンジイソプロパノエート、４−イソプロポキシ−１，２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１，２−フェニレンジイソプロパノエート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート、４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート、４−エトキシ−１，２−フェニレンジイソプロパノエート、４−プロポキシ−１，２−フェニレンジイソプロパノエート、４−イソプロポキシ−１，２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジイソプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１，２−フェニレンジイソプロパノエート、４−クロロ−１，２−フェニレンジブタノエート、４−ブロモ−１，２−フェニレンジブタノエート、４−フルオロ−１，２−フェニレンジブタノエート、４−ヨード−１，２−フェニレンジブタノエート、４−メチル−１，２−フェニレンジブタノエート、４−エチル−１，２−フェニレンジブタノエート、４−ブチル−１，２−フェニレンジブタノエート、４−イソブチル−１，２−フェニレンジブタノエート、４−ｔｅｒｔ−ブチル−１，２−フェニレンジブタノエート、４−イソプロピル−１，２−フェニレンジブタノエート、４−ペンチル−１，２−フェニレンジブタノエート、４−イソペンチル−１，２−フェニレンジブタノエート、４−ヘキシル−１，２−フェニレンジブタノエート、４−ヘプチル−１，２−フェニレンジブタノエート、４−オクチル−１，２−フェニレンジブタノエート、４−ノニル−１，２−フェニレンジブタノエート、４−デシル−１，２−フェニレンジブタノエート、４−ドデシル−１，２−フェニレンジブタノエート、４−メトキシ−１，２−フェニレンジブタノエート、４−エトキシ−１，２−フェニレンジブタノエート、４−プロポキシ−１，２−フェニレンジブタノエート、４−イソプロポキシ−１，２−フェニレンジブタノエート、４−ブトキシ−１，２−フェニレンジブタノエート、４−イソブトキシ−１，２−フェニレンジブタノエート、４−ｔｅｒｔ−ブトキシ−１，２−フェニレンジブタノエート、４−ペントキシ−１，２−フェニレンジブタノエート、４−ヘキソキシ−１，２−フェニレンジブタノエート、４−ヘプトキシ−１，２−フェニレンジブタノエート、４−オクトキシ−１，２−フェニレンジブタノエート、４−ノノキシ−１，２−フェニレンジブタノエート、４−デコキシ−１，２−フェニレンジブタノエート、４−フェノキシ−１，２−フェニレンジブタノエート、４−クロロ−１，２−フェニレンジイソブタノエート、４−ブロモ−１，２−フェニレンジイソブタノエート、４−フルオロ−１，２−フェニレンジイソブタノエート、４−ヨード−１，２−フェニレンジイソブタノエート、４−メチル−１，２−フェニレンジイソブタノエート、４−エチル−１，２−フェニレンジイソブタノエート、４−ブチル−１，２−フェニレンジイソブタノエート、４−イソブチル−１，２−フェニレンジイソブタノエート、４−ｔｅｒｔ−ブチル−１，２−フェニレンジイソブタノエート、４−イソプロピル−１，２−フェニレンジイソブタノエート、４−ペンチル−１，２−フェニレンジイソブタノエート、４−イソペンチル−１，２−フェニレンジイソブタノエート、４−ヘキシル−１，２−フェニレンジイソブタノエート、４−ヘプチル−１，２−フェニレンジイソブタノエート、４−オクチル−１，２−フェニレンジイソブタノエート、４−ノニル−１，２−フェニレンジイソブタノエート、４−デシル−１，２−フェニレンジイソブタノエート、４−ドデシル−１，２−フェニレンジイソブタノエート、４−メトキシ−１，２−フェニレンジイソブタノエート、４−エトキシ−１，２−フェニレンジイソブタノエート、４−プロポキシ−１，２−フェニレンジイソブタノエート、４−イソプロポキシ−１，２−フェニレンジイソブタノエート、４−ブトキシ−１，２−フェニレンジイソブタノエート、４−イソブトキシ−１，２−フェニレンジイソブタノエート、４−ｔｅｒｔ−ブトキシ−１，２−フェニレンジイソブタノエート、４−ペントキシ−１，２−フェニレンジイソブタノエート、４−ヘキソキシ−１，２−フェニレンジイソブタノエート、４−ヘプトキシ−１，２−フェニレンジイソブタノエート、４−オクトキシ−１，２−フェニレンジイソブタノエート、４−ノノキシ−１，２−フェニレンジイソブタノエート、４−デコキシ−１，２−フェニレンジイソブタノエート、４−フェノキシ−１，２−フェニレンジイソブタノエート、４−クロロ−１，２−フェニレンジ−ｔｅｒｔ−ブタノエート、４−ブロモ−１，２−フェニレンジ−ｔｅｒｔ−ブタノエート、４−フルオロ−１，２−フェニレンジ−ｔｅｒｔ−ブタノエート、４−ヨード−１，２−フェニレンジ−ｔｅｒｔ−ブタノエート、４−メチル−１，２−フェニレンジ−ｔｅｒｔ−ブタノエート、４−エチル−１，２−フェニレンジ−ｔｅｒｔ−ブタノエート、４−ブチル−１，２−フェニレンジ−ｔｅｒｔ−ブタノエート、４−イソブチル−１，２−フェニレンジ−ｔｅｒｔ−ブタノエート、４−ｔｅｒｔ−ブチル−１，２−フェニレンジ−ｔｅｒｔ−ブタノエート、４−イソプロピル−１，２−フェニレンジ−ｔｅｒｔ−ブタノエート、４−ペンチル−１，２−フェニレンジ−ｔｅｒｔ−ブタノエート、４−イソペンチル−１，２−フェニレンジ−ｔｅｒｔ−ブタノエート、４−ヘキシル−１，２−フェニレンジ−ｔｅｒｔ−ブタノエート、４−ヘプチル−１，２−フェニレンジ−ｔｅｒｔ−ブタノエート、４−オクチル−１，２−フェニレンジ−ｔｅｒｔ−ブタノエート、４−ノニル−１，２−フェニレンジ−ｔｅｒｔ−ブタノエート、４−デシル−１，２−フェニレンジ−ｔｅｒｔ−ブタノエート、４−ドデシル−１，２−フェニレンジ−ｔｅｒｔ−ブタノエート、４−メトキシ−１，２−フェニレンジ−ｔｅｒｔ−ブタノエート、４−エトキシ−１，２−フェニレンジ−ｔｅｒｔ−ブタノエート、４−プロポキシ−１，２−フェニレンジ−ｔｅｒｔ−ブタノエート、４−イソプロポキシ−１，２−フェニレンジ−ｔｅｒｔ−ブタノエート、４−ブトキシ−１，２−フェニレンジ−ｔｅｒｔ−ブタノエート、４−イソブトキシ−１，２−フェニレンジ−ｔｅｒｔ−ブタノエート、４−ｔｅｒｔ−ブトキシ−１，２−フェニレンジ−ｔｅｒｔ−ブタノエート、４−ペントキシ−１，２−フェニレンジ−ｔｅｒｔ−ブタノエート、４−ヘキソキシ−１，２−フェニレンジ−ｔｅｒｔ−ブタノエート、４−ヘプトキシ−１，２−フェニレンジ−ｔｅｒｔ−ブタノエート、４−オクトキシ−１，２−フェニレンジ−ｔｅｒｔ−ブタノエート、４−ノノキシ−１，２−フェニレンジ−ｔｅｒｔ−ブタノエート、４−デコキシ−１，２−フェニレンジ−ｔｅｒｔ−ブタノエート、４−フェノキシ−１，２−フェニレンジ−ｔｅｒｔ−ブタノエート、４−クロロ−１，２−フェニレンジペンタノエート、４−ブロモ−１，２−フェニレンジペンタノエート、４−フルオロ−１，２−フェニレンジペンタノエート、４−ヨード−１，２−フェニレンジペンタノエート、４−メチル−１，２−フェニレンジペンタノエート、４−エチル−１，２−フェニレンジペンタノエート、４−ブチル−１，２−フェニレンジペンタノエート、４−イソブチル−１，２−フェニレンジペンタノエート、４−ｔｅｒｔ−ブチル−１，２−フェニレンジペンタノエート、４−イソプロピル−１，２−フェニレンジペンタノエート、４−ペンチル−１，２−フェニレンジペンタノエート、４−イソペンチル−１，２−フェニレンジペンタノエート、４−ヘキシル−１，２−フェニレンジペンタノエート、４−ヘプチル−１，２−フェニレンジペンタノエート、４−オクチル−１，２−フェニレンジペンタノエート、４−ノニル−１，２−フェニレンジペンタノエート、４−デシル−１，２−フェニレンジペンタノエート、４−ドデシル−１，２−フェニレンジペンタノエート、４−メトキシ−１，２−フェニレンジペンタノエート、４−エトキシ−１，２−フェニレンジペンタノエート、４−プロポキシ−１，２−フェニレンジペンタノエート、４−イソプロポキシ−１，２−フェニレンジペンタノエート、４−ブトキシ−１，２−フェニレンジペンタノエート、４−イソブトキシ−１，２−フェニレンジペンタノエート、４−ｔｅｒｔ−ブトキシ−１，２−フェニレンジペンタノエート、４−ペントキシ−１，２−フェニレンジペンタノエート、４−ヘキソキシ−１，２−フェニレンジペンタノエート、４−ヘプトキシ−１，２−フェニレンジペンタノエート、４−オクトキシ−１，２−フェニレンジペンタノエート、４−ノノキシ−１，２−フェニレンジペンタノエート、４−デコキシ−１，２−フェニレンジペンタノエート、４−フェノキシ−１，２−フェニレンジペンタノエート、４−クロロ−１，２−フェニレンジイソペンタノエート、４−ブロモ−１，２−フェニレンジイソペンタノエート、４−フルオロ−１，２−フェニレンジイソペンタノエート、４−ヨード−１，２−フェニレンジイソペンタノエート、４−メチル−１，２−フェニレンジイソペンタノエート、４−エチル−１，２−フェニレンジイソペンタノエート、４−ブチル−１，２−フェニレンジイソペンタノエート、４−イソブチル−１，２−フェニレンジイソペンタノエート、４−ｔｅｒｔ−ブチル−１，２−フェニレンジイソペンタノエート、４−イソプロピル−１，２−フェニレンジイソペン
タノエート、４−ペンチル−１，２−フェニレンジイソペンタノエート、４−イソペンチル−１，２−フェニレンジイソペンタノエート、４−ヘキシル−１，２−フェニレンジイソペンタノエート、４−ヘプチル−１，２−フェニレンジイソペンタノエート、４−オクチル−１，２−フェニレンジイソペンタノエート、４−ノニル−１，２−フェニレンジイソペンタノエート、４−デシル−１，２−フェニレンジイソペンタノエート、４−ドデシル−１，２−フェニレンジイソペンタノエート、４−メトキシ−１，２−フェニレンジイソペンタノエート、４−エトキシ−１，２−フェニレンジイソペンタノエート、４−プロポキシ−１，２−フェニレンジイソペンタノエート、４−イソプロポキシ−１，２−フェニレンジイソペンタノエート、４−ブトキシ−１，２−フェニレンジイソペンタノエート、４−イソブトキシ−１，２−フェニレンジイソペンタノエート、４−ｔｅｒｔ−ブトキシ−１，２−フェニレンジイソペンタノエート、４−ペントキシ−１，２−フェニレンジイソペンタノエート、４−ヘキソキシ−１，２−フェニレンジイソペンタノエート、４−ヘプトキシ−１，２−フェニレンジイソペンタノエート、４−オクトキシ−１，２−フェニレンジイソペンタノエート、４−ノノキシ−１，２−フェニレンジイソペンタノエート、４−デコキシ−１，２−フェニレンジイソペンタノエート、４−フェノキシ−１，２−フェニレンジイソペンタノエート、４−クロロ−１，２−フェニレンジヘキサノエート、４−ブロモ−１，２−フェニレンジヘキサノエート、４−フルオロ−１，２−フェニレンジヘキサノエート、４−ヨード−１，２−フェニレンジヘキサノエート、４−メチル−１，２−フェニレンジヘキサノエート、４−エチル−１，２−フェニレンジヘキサノエート、４−ブチル−１，２−フェニレンジヘキサノエート、４−イソブチル−１，２−フェニレンジヘキサノエート、４−ｔｅｒｔ−ブチル−１，２−フェニレンジヘキサノエート、４−イソプロピル−１，２−フェニレンジヘキサノエート、４−ペンチル−１，２−フェニレンジヘキサノエート、４−イソペンチル−１，２−フェニレンジヘキサノエート、４−ヘキシル−１，２−フェニレンジヘキサノエート、４−ヘプチル−１，２−フェニレンジヘキサノエート、４−オクチル−１，２−フェニレンジヘキサノエート、４−ノニル−１，２−フェニレンジヘキサノエート、４−デシル−１，２−フェニレンジヘキサノエート、４−ドデシル−１，２−フェニレンジヘキサノエート、４−メトキシ−１，２−フェニレンジヘキサノエート、４−エトキシ−１，２−フェニレンジヘキサノエート、４−プロポキシ−１，２−フェニレンジヘキサノエート、４−イソプロポキシ−１，２−フェニレンジヘキサノエート、４−ブトキシ−１，２−フェニレンジヘキサノエート、４−イソブトキシ−１，２−フェニレンジヘキサノエート、４−ｔｅｒｔ−ブトキシ−１，２−フェニレンジヘキサノエート、４−ペントキシ−１，２−フェニレンジヘキサノエート、４−ヘキソキシ−１，２−フェニレンジヘキサノエート、４−ヘプトキシ−１，２−フェニレンジヘキサノエート、４−オクトキシ−１，２−フェニレンジヘキサノエート、４−ノノキシ−１，２−フェニレンジヘキサノエート、４−デコキシ−１，２−フェニレンジヘキサノエート、４−フェノキシ−１，２−フェニレンジヘキサノエート、４−クロロ−１，２−フェニレンジイソヘキサノエート、４−ブロモ−１，２−フェニレンジイソヘキサノエート、４−フルオロ−１，２−フェニレンジイソヘキサノエート、４−ヨード−１，２−フェニレンジイソヘキサノエート、４−メチル−１，２−フェニレンジイソヘキサノエート、４−エチル−１，２−フェニレンジイソヘキサノエート、４−ブチル−１，２−フェニレンジイソヘキサノエート、４−イソブチル−１，２−フェニレンジイソヘキサノエート、４−ｔｅｒｔ−ブチル−１，２−フェニレンジイソヘキサノエート、４−イソプロピル−１，２−フェニレンジイソヘキサノエート、４−ペンチル−１，２−フェニレンジイソヘキサノエート、４−イソペンチル−１，２−フェニレンジイソヘキサノエート、４−ヘキシル−１，２−フェニレンジイソヘキサノエート、４−ヘプチル−１，２−フェニレンジイソヘキサノエート、４−オクチル−１，２−フェニレンジイソヘキサノエート、４−ノニル−１，２−フェニレンジイソヘキサノエート、４−デシル−１，２−フェニレンジイソヘキサノエート、４−ドデシル−１，２−フェニレンジイソヘキサノエート、４−メトキシ−１，２−フェニレンジイソヘキサノエート、４−エトキシ−１，２−フェニレンジイソヘキサノエート、４−プロポキシ−１，２−フェニレンジイソヘキサノエート、４−イソプロポキシ−１，２−フェニレンジイソヘキサノエート、４−ブトキシ−１，２−フェニレンジイソヘキサノエート、４−イソブトキシ−１，２−フェニレンジイソヘキサノエート、４−ｔｅｒｔ−ブトキシ−１，２−フェニレンジイソヘキサノエート、４−ペントキシ−１，２−フェニレンジイソヘキサノエート、４−ヘキソキシ−１，２−フェニレンジイソヘキサノエート、４−ヘプトキシ−１，２−フェニレンジイソヘキサノエート、４−オクトキシ−１，２−フェニレンジイソヘキサノエート、４−ノノキシ−１，２−フェニレンジイソヘキサノエート、４−デコキシ−１，２−フェニレンジイソヘキサノエート、４−フェノキシ−１，２−フェニレンジイソヘキサノエート、４−クロロ−１，２−フェニレンジヘプタノエート、４−ブロモ−１，２−フェニレンジヘプタノエート、４−フルオロ−１，２−フェニレンジヘプタノエート、４−ヨード−１，２−フェニレンジヘプタノエート、４−メチル−１，２−フェニレンジヘプタノエート、４−エチル−１，２−フェニレンジヘプタノエート、４−ブチル−１，２−フェニレンジヘプタノエート、４−イソブチル−１，２−フェニレンジヘプタノエート、４−ｔｅｒｔ−ブチル−１，２−フェニレンジヘプタノエート、４−イソプロピル−１，２−フェニレンジヘプタノエート、４−ペンチル−１，２−フェニレンジヘプタノエート、４−イソペンチル−１，２−フェニレンジヘプタノエート、４−ヘキシル−１，２−フェニレンジヘプタノエート、４−ヘプチル−１，２−フェニレンジヘプタノエート、４−オクチル−１，２−フェニレンジヘプタノエート、４−ノニル−１，２−フェニレンジヘプタノエート、４−デシル−１，２−フェニレンジヘプタノエート、４−ドデシル−１，２−フェニレンジヘプタノエート、４−メトキシ−１，２−フェニレンジヘプタノエート、４−エトキシ−１，２−フェニレンジヘプタノエート、４−プロポキシ−１，２−フェニレンジヘプタノエート、４−イソプロポキシ−１，２−フェニレンジヘプタノエート、４−ブトキシ−１，２−フェニレンジヘプタノエート、４−イソブトキシ−１，２−フェニレンジヘプタノエート、４−ｔｅｒｔ−ブトキシ−１，２−フェニレンジヘプタノエート、４−ペントキシ−１，２−フェニレンジヘプタノエート、４−ヘキソキシ−１，２−フェニレンジヘプタノエート、４−ヘプトキシ−１，２−フェニレンジヘプタノエート、４−オクトキシ−１，２−フェニレンジヘプタノエート、４−ノノキシ−１，２−フェニレンジヘプタノエート、４−デコキシ−１，２−フェニレンジヘプタノエート、４−フェノキシ−１，２−フェニレンジヘプタノエート、４−クロロ−１，２−フェニレンジイソヘプタノエート、４−ブロモ−１，２−フェニレンジイソヘプタノエート、４−フルオロ−１，２−フェニレンジイソヘプタノエート、４−ヨード−１，２−フェニレンジイソヘプタノエート、４−メチル−１，２−フェニレンジイソヘプタノエート、４−エチル−１，２−フェニレンジイソヘプタノエート、４−ブチル−１，２−フェニレンジイソヘプタノエート、４−イソブチル−１，２−フェニレンジイソヘプタノエート、４−ｔｅｒｔ−ブチル−１，２−フェニレンジイソヘプタノエート、４−イソプロピル−１，２−フェニレンジイソヘプタノエート、４−ペンチル−１，２−フェニレンジイソヘプタノエート、４−イソペンチル−１，２−フェニレンジイソヘプタノエート、４−ヘキシル−１，２−フェニレンジイソヘプタノエート、４−ヘプチル−１，２−フェニレンジイソヘプタノエート、４−オクチル−１，２−フェニレンジイソヘプタノエート、４−ノニル−ｌ、２−フェニレンジイソヘプタノエート、４−デシル−１，２−フェニレンジイソヘプタノエート、４−ドデシル−１，２−フェニレンジイソヘプタノエート、４−メトキシ−１，２−フェニレンジイソヘプタノエート、４−エトキシ−１，２−フェニレンジイソヘプタノエート、４−プロポキシ−１，２−フェニレンジイソヘプタノエート、４−イソプロポキシ−１，２−フェニレンジイソヘプタノエート、４−ブトキシ−１，２−フェニレンジイソヘプタノエート、４−イソブトキシ−１，２−フェニレンジイソヘプタノエート、４−ｔｅｒｔ−ブトキシ−１，２−フェニレンジイソヘプタノエート、４−ペントキシ−１，２−フェニレンジイソヘプタノエート、４−ヘキソキシ−１，２−フェニレンジイソヘプタノエート、４−ヘプトキシ−１，２−フェニレンジイソヘプタノエート、４−オクトキシ−１，２−フェニレンジイソヘプタノエート、４−ノノキシ−１，２−フェニレンジイソヘプタノエート、４−デコキシ−１，２−フェニレンジイソヘプタノエート、４−フェノキシ−１，２−フェニレンジイソヘプタノエート、４−クロロ−１，２−フェニレンジオクタノエート、４−ブロモ−１，２−フェニレンジオクタノエート、４−フルオロ−１，２−フェニレンジオクタノエート、４−ヨード−１，２−フェニレンジオクタノエート、４−メチル−１，２−フェニレンジオクタノエート、４−エチル−１，２−フェニレンジオクタノエート、４−ブチル−１，２−フェニレンジオクタノエート、４−イソブチル−１，２−フェニレンジオクタノエート、４−ｔｅｒｔ−ブチル−１，２−フェニレンジオクタノエート、４−イソプロピル−１，２−フェニレンジオクタノエート、４−ペンチル−１，２−フェニレンジオクタノエート、４−イソペンチル−１，２−フェニレンジオクタノエート、４−ヘキシル−１，２−フェニレンジオクタノエート、４−ヘプチル−１，２−フェニレンジオクタノエート、４−オクチル−１，２−フェニレンジオクタノエート、４−ノニル−１，２−フェニレンジオクタノエート、４−デシル−１，２−フェニレンジオクタノエート、４−ドデシル−１，２−フェニレンジオクタノエート、４−メトキシ−１，２−フェニレンジオクタノエート、４−エトキシ−１，２−フェニレンジオクタノエート、４−プロポキシ−１，２−フェニレンジオクタノエート、４−イソプロポキシ−１，２−フェニレンジオクタノエート、４−ブトキシ−１，２−フェニレンジオクタノエート、４−イソブトキシ−１，２−フェニレンジオクタノエート、４−ｔｅｒｔ−ブトキシ−１，２−フェニレンジオクタノエート、４−ペントキシ−１，２−フェニレンジオクタノエート、４−ヘキソキシ−１，２−フェニレンジオクタノエート、４−ヘプトキシ−１，２−フェニレンジオクタノエート、４−オクトキシ−１，２−フェニレンジオクタノエート、４−ノノキシ−１，２−フェニレンジオクタノエート、４−デコキシ−１，２−フェニレンジオクタノエート、４−フェノキシ−１，２−フェニレンジオクタノエート、４−クロロ−１，２−フェニレンジイソオクタノエート、４−ブロモ−１，２−フェニレンジイソオクタノエート、４−フルオロ−１，２−フェニレンジイソオクタノエート、４−ヨード−１，２−フェニレンジイソオクタノエート、４−メチル−１，２−フェニレンジイソオクタノエート、４−エチル−１，２−フェニレンジイソオクタノエート、４−ブチル−１，２−フェニレンジイソオクタノエート、４−イソブチル−１，２−フェニレンジイソオクタノエート、４−ｔｅｒｔ−ブチル−１，２−フェニレンジイソオクタノエート、４−イソプロピル−１，２−フェニレンジイソオクタノエート、４−ペンチル−１，２−フェニレンジイソオク
タノエート、４−イソペンチル−１，２−フェニレンジイソオクタノエート、４−ヘキシル−１，２−フェニレンジイソオクタノエート、４−ヘプチル−１，２−フェニレンジイソオクタノエート、４−オクチル−１，２−フェニレンジイソオクタノエート、４−ノニル−１，２−フェニレンジイソオクタノエート、４−デシル−１，２−フェニレンジイソオクタノエート、４−ドデシル−１，２−フェニレンジイソオクタノエート、４−メトキシ−１，２−フェニレンジイソオクタノエート、４−エトキシ−１，２−フェニレンジイソオクタノエート、４−プロポキシ−１，２−フェニレンジイソオクタノエート、４−イソプロポキシ−１，２−フェニレンジイソオクタノエート、４−ブトキシ−１，２−フェニレンジイソオクタノエート、４−イソブトキシ−１，２−フェニレンジイソオクタノエート、４−ｔｅｒｔ−ブトキシ−１，２−フェニレンジイソオクタノエート、４−ペントキシ−１，２−フェニレンジイソオクタノエート、４−ヘキソキシ−１，２−フェニレンジイソオクタノエート、４−ヘプトキシ−１，２−フェニレンジイソオクタノエート、４−オクトキシ−１，２−フェニレンジイソオクタノエート、４−ノノキシ−１，２−フェニレンジイソオクタノエート、４−デコキシ−１，２−フェニレンジイソオクタノエート、４−フェノキシ−１，２−フェニレンジイソオクタノエート、４−クロロ−１，２−フェニレンジノナノエート、４−ブロモ−１，２−フェニレンジノナノエート、４−フルオロ−１，２−フェニレンジノナノエート、４−ヨード−１，２−フェニレンジノナノエート、４−メチル−１，２−フェニレンジノナノエート、４−エチル−１，２−フェニレンジノナノエート、４−ブチル−１，２−フェニレンジノナノエート、４−イソブチル−１，２−フェニレンジノナノエート、４−ｔｅｒｔ−ブチル−１，２−フェニレンジノナノエート、４−イソプロピル−１，２−フェニレンジノナノエート、４−ペンチル−１，２−フェニレンジノナノエート、４−イソペンチル−１，２−フェニレンジノナノエート、４−ヘキシル−１，２−フェニレンジノナノエート、４−ヘプチル−１，２−フェニレンジノナノエート、４−オクチル−１，２−フェニレンジノナノエート、４−ノニル−１，２−フェニレンジノナノエート、４−デシル−１，２−フェニレンジノナノエート、４−ドデシル−１，２−フェニレンジノナノエート、４−メトキシ−１，２−フェニレンジノナノエート、４−エトキシ−１，２−フェニレンジノナノエート、４−プロポキシ−１，２−フェニレンジノナノエート、４−イソプロポキシ−１，２−フェニレンジノナノエート、４−ブトキシ−１，２−フェニレンジノナノエート、４−イソブトキシ−１，２−フェニレンジノナノエート、４−ｔｅｒｔ−ブトキシ−１，２−フェニレンジノナノエート、４−ペントキシ−１，２−フェニレンジノナノエート、４−ヘキソキシ−１，２−フェニレンジノナノエート、４−ヘプトキシ−１，２−フェニレンジノナノエート、４−オクトキシ−１，２−フェニレンジノナノエート、４−ノノキシ−１，２−フェニレンジノナノエート、４−デコキシ−１，２−フェニレンジノナノエート、４−フェノキシ−１，２−フェニレンジノナノエート、４−クロロ−１，２−フェニレンジデカノエート、４−ブロモ−１，２−フェニレンジデカノエート、４−フルオロ−１，２−フェニレンジデカノエート、４−ヨード−１，２−フェニレンジデカノエート、４−メチル−１，２−フェニレンジデカノエート、４−エチル−１，２−フェニレンジデカノエート、４−ブチル−１，２−フェニレンジデカノエート、４−イソブチル−１，２−フェニレンジデカノエート、４−ｔｅｒｔ−ブチル−１，２−フェニレンジデカノエート、４−イソプロピル−１，２−フェニレンジデカノエート、４−ペンチル−１，２−フェニレンジデカノエート、４−イソペンチル−１，２−フェニレンジデカノエート、４−ヘキシル−１，２−フェニレンジデカノエート、４−ヘプチル−１，２−フェニレンジデカノエート、４−オクチル−１，２−フェニレンジデカノエート、４−ノニル−１，２−フェニレンジデカノエート、４−デシル−１，２−フェニレンジデカノエート、４−ドデシル−１，２−フェニレンジデカノエート、４−メトキシ−１，２−フェニレンジデカノエート、４−エトキシ−１，２−フェニレンジデカノエート、４−プロポキシ−１，２−フェニレンジデカノエート、４−イソプロポキシ−１，２−フェニレンジデカノエート、４−ブトキシ−１，２−フェニレンジデカノエート、４−イソブトキシ−１，２−フェニレンジデカノエート、４−ｔｅｒｔ−ブトキシ−１，２−フェニレンジデカノエート、４−ペントキシ−１，２−フェニレンジデカノエート、４−ヘキソキシ−１，２−フェニレンジデカノエート、４−ヘプトキシ−１，２−フェニレンジデカノエート、４−オクトキシ−１，２−フェニレンジデカノエート、４−ノノキシ−１，２−フェニレンジデカノエート、４−デコキシ−１，２−フェニレンジデカノエート、４−フェノキシ−１，２−フェニレンジデカノエート、３−クロロ−１，２−フェニレンジアセテート、３−ブロモ−１，２−フェニレンジアセテート、３−フルオロ−１，２−フェニレンジアセテート、３−ヨード−１，２−フェニレンジアセテート、３−メチル−１，２−フェニレンジアセテート、３−エチル−１，２−フェニレンジアセテート、３−ブチル−１，２−フェニレンジアセテート、３−イソブチル−１，２−フェニレンジアセテート、３−ｔｅｒｔ−ブチル−１，２−フェニレンジアセテート、３−イソプロピル−１，２−フェニレンジアセテート、３−ペンチル−１，２−フェニレンジアセテート、３−イソペンチル−１，２−フェニレンジアセテート、３−ヘキシル−１，２−フェニレンジアセテート、３−ヘプチル−１，２−フェニレンジアセテート、３−オクチル−１，２−フェニレンジアセテート、３−ノニル−１，２−フェニレンジアセテート、３−デシル−１，２−フェニレンジアセテート、３−ドデシル−１，２−フェニレンジアセテート、３−メトキシ−１，２−フェニレンジアセテート、３−エトキシ−１，２−フェニレンジアセテート、３−プロポキシ−１，２−フェニレンジアセテート、３−イソプロポキシ−１，２−フェニレンジアセテート、３−ブトキシ−１，２−フェニレンジアセテート、３−イソブトキシ−１，２−フェニレンジアセテート、３−ｔｅｒｔ−ブトキシ−１，２−フェニレンジアセテート、３−ペントキシ−１，２−フェニレンジアセテート、３−ヘキソキシ−１，２−フェニレンジアセテート、３−ヘプトキシ−１，２−フェニレンジアセテート、３−オクトキシ−１，２−フェニレンジアセテート、３−ノノキシ−１，２−フェニレンジアセテート、３−デコキシ−１，２−フェニレンジアセテート、３−フェノキシ−１，２−フェニレンジアセテート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート、３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート、３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジイソプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジブタノエート、３−ブロモ−１，２−フェニレンジブタノエート、３−フルオロ−１，２−フェニレンジブタノエート、３−ヨード−１，２−フェニレンジブタノエート、３−メチル−１，２−フェニレンジブタノエート、３−エチル−１，２−フェニレンジブタノエート、３−ブチル−１，２−フェニレンジブタノエート、３−イソブチル−１，２−フェニレンジブタノエート、３−ｔｅｒｔ−ブチル−１，２−フェニレンジブタノエート、３−イソプロピル−１，２−フェニレンジブタノエート、３−ペンチル−１，２−フェニレンジブタノエート、３−イソペンチル−１，２−フェニレンジブタノエート、３−ヘキシル−１，２−フェニレンジブタノエート、３−ヘプチル−１，２−フェニレンジブタノエート、３−オクチル−１，２−フェニレンジブタノエート、３−ノニル−１，２−フェニレンジブタノエート、３−デシル−１，２−フェニレンジブタノエート、３−ドデシル−１，２−フェニレンジブタノエート、３−メトキシ−１，２−フェニレンジブ
タノエート、３−エトキシ−１，２−フェニレンジブタノエート、３−プロポキシ−１，２−フェニレンジブタノエート、３−イソプロポキシ−１，２−フェニレンジブタノエート、３−ブトキシ−１，２−フェニレンジブタノエート、３−イソブトキシ−１，２−フェニレンジブタノエート、３−ｔｅｒｔ−ブトキシ−１，２−フェニレンジブタノエート、３−ペントキシ−１，２−フェニレンジブタノエート、３−ヘキソキシ−１，２−フェニレンジブタノエート、３−ヘプトキシ−１，２−フェニレンジブタノエート、３−オクトキシ−１，２−フェニレンジブタノエート、３−ノノキシ−１，２−フェニレンジブタノエート、３−デコキシ−１，２−フェニレンジブタノエート、３−フェノキシ−１，２−フェニレンジブタノエート、３−クロロ−１，２−フェニレンジイソブタノエート、３−ブロモ−１，２−フェニレンジイソブタノエート、３−フルオロ−１，２−フェニレンジイソブタノエート、３−ヨード−１，２−フェニレンジイソブタノエート、３−メチル−１，２−フェニレンジイソブタノエート、３−エチル−１，２−フェニレンジイソブタノエート、３−ブチル−１，２−フェニレンジイソブタノエート、３−イソブチル−１，２−フェニレンジイソブタノエート、３−ｔｅｒｔ−ブチル−１，２−フェニレンジイソブタノエート、３−イソプロピル−１，２−フェニレンジイソブタノエート、３−ペンチル−１，２−フェニレンジイソブタノエート、３−イソペンチル−１，２−フェニレンジイソブタノエート、３−ヘキシル−１，２−フェニレンジイソブタノエート、３−ヘプチル−１，２−フェニレンジイソブタノエート、３−オクチル−１，２−フェニレンジイソブタノエート、３−ノニル−１，２−フェニレンジイソブタノエート、３−デシル−１，２−フェニレンジイソブタノエート、３−ドデシル−１，２−フェニレンジイソブタノエート、３−メトキシ−１，２−フェニレンジイソブタノエート、３−エトキシ−１，２−フェニレンジイソブタノエート、３−プロポキシ−１，２−フェニレンジイソブタノエート、３−イソプロポキシ−１，２−フェニレンジイソブタノエート、３−ブトキシ−１，２−フェニレンジイソブタノエート、３−イソブトキシ−１，２−フェニレンジイソブタノエート、３−ｔｅｒｔ−ブトキシ−１，２−フェニレンジイソブタノエート、３−ペントキシ−１，２−フェニレンジイソブタノエート、３−ヘキソキシ−１，２−フェニレンジイソブタノエート、３−ヘプトキシ−１，２−フェニレンジイソブタノエート、３−オクトキシ−１，２−フェニレンジイソブタノエート、３−ノノキシ−１，２−フェニレンジイソブタノエート、３−デコキシ−１，２−フェニレンジイソブタノエート、３−フェノキシ−１，２−フェニレンジイソブタノエート、３−クロロ−１，２−フェニレンジ−ｔｅｒｔ−ブタノエート、３−ブロモ−１，２−フェニレンジ−ｔｅｒｔ−ブタノエート、３−フルオロ−１，２−フェニレンジ−ｔｅｒｔ−ブタノエート、３−ヨード−１，２−フェニレンジ−ｔｅｒｔ−ブタノエート、３−メチル−１，２−フェニレンジ−ｔｅｒｔ−ブタノエート、３−エチル−１，２−フェニレンジ−ｔｅｒｔ−ブタノエート、３−ブチル−１，２−フェニレンジ−ｔｅｒｔ−ブタノエート、３−イソブチル−１，２−フェニレンジ−ｔｅｒｔ−ブタノエート、３−ｔｅｒｔ−ブチル−１，２−フェニレンジ−ｔｅｒｔ−ブタノエート、３−イソプロピル−１，２−フェニレンジ−ｔｅｒｔ−ブタノエート、３−ペンチル−１，２−フェニレンジ−ｔｅｒｔ−ブタノエート、３−イソペンチル−１，２−フェニレンジ−ｔｅｒｔ−ブタノエート、３−ヘキシル−１，２−フェニレンジ−ｔｅｒｔ−ブタノエート、３−ヘプチル−１，２−フェニレンジ−ｔｅｒｔ−ブタノエート、３−オクチル−１，２−フェニレンジ−ｔｅｒｔ−ブタノエート、３−ノニル−１，２−フェニレンジ−ｔｅｒｔ−ブタノエート、３−デシル−１，２−フェニレンジ−ｔｅｒｔ−ブタノエート、３−ドデシル−１，２−フェニレンジ−ｔｅｒｔ−ブタノエート、３−メトキシ−１，２−フェニレンジ−ｔｅｒｔ−ブタノエート、３−エトキシ−１，２−フェニレンジ−ｔｅｒｔ−ブタノエート、３−プロポキシ−１，２−フェニレンジ−ｔｅｒｔ−ブタノエート、３−イソプロポキシ−１，２−フェニレンジ−ｔｅｒｔ−ブタノエート、３−ブトキシ−１，２−フェニレンジ−ｔｅｒｔ−ブタノエート、３−イソブトキシ−１，２−フェニレンジ−ｔｅｒｔ−ブタノエート、３−ｔｅｒｔ−ブトキシ−１，２−フェニレンジ−ｔｅｒｔ−ブタノエート、３−ペントキシ−１，２−フェニレンジ−ｔｅｒｔ−ブタノエート、３−ヘキソキシ−１，２−フェニレンジ−ｔｅｒｔ−ブタノエート、３−ヘプトキシ−１，２−フェニレンジ−ｔｅｒｔ−ブタノエート、３−オクトキシ−１，２−フェニレンジ−ｔｅｒｔ−ブタノエート、３−ノノキシ−１，２−フェニレンジ−ｔｅｒｔ−ブタノエート、３−デコキシ−１，２−フェニレンジ−ｔｅｒｔ−ブタノエート、３−フェノキシ−１，２−フェニレンジ−ｔｅｒｔ−ブタノエート、３−クロロ−１，２−フェニレンジペンタノエート、３−ブロモ−１，２−フェニレンジペンタノエート、３−フルオロ−１，２−フェニレンジペンタノエート、３−ヨード−１，２−フェニレンジペンタノエート、３−メチル−１，２−フェニレンジペンタノエート、３−エチル−１，２−フェニレンジペンタノエート、３−ブチル−１，２−フェニレンジペンタノエート、３−イソブチル−１，２−フェニレンジペンタノエート、３−ｔｅｒｔ−ブチル−１，２−フェニレンジペンタノエート、３−イソプロピル−１，２−フェニレンジペンタノエート、３−ペンチル−１，２−フェニレンジペンタノエート、３−イソペンチル−１，２−フェニレンジペンタノエート、３−ヘキシル−１，２−フェニレンジペンタノエート、３−ヘプチル−１，２−フェニレンジペンタノエート、３−オクチル−１，２−フェニレンジペンタノエート、３−ノニル−１，２−フェニレンジペンタノエート、３−デシル−１，２−フェニレンジペンタノエート、３−ドデシル−１，２−フェニレンジペンタノエート、３−メトキシ−１，２−フェニレンジペンタノエート、３−エトキシ−１，２−フェニレンジペンタノエート、３−プロポキシ−１，２−フェニレンジペンタノエート、３−イソプロポキシ−１，２−フェニレンジペンタノエート、３−ブトキシ−１，２−フェニレンジペンタノエート、３−イソブトキシ−１，２−フェニレンジペンタノエート、３−ｔｅｒｔ−ブトキシ、２−フェニレンジペンタノエート、３−ペントキシ−１，２−フェニレンジペンタノエート、３−ヘキソキシ−１，２−フェニレンジペンタノエート、３−ヘプトキシ−１，２−フェニレンジペンタノエート、３−オクトキシ−１，２−フェニレンジペンタノエート、３−ノノキシ−１，２−フェニレンジペンタノエート、３−デコキシ−１，２−フェニレンジペンタノエート、３−フェノキシ−１，２−フェニレンジペンタノエート、３−クロロ−１，２−フェニレンジイソペンタノエート、３−ブロモ−１，２−フェニレンジイソペンタノエート、３−フルオロ−１，２−フェニレンジイソペンタノエート、３−ヨード−１，２−フェニレンジイソペンタノエート、３−メチル−１，２−フェニレンジイソペンタノエート、３−エチル−１，２−フェニレンジイソペンタノエート、３−ブチル−１，２−フェニレンジイソペンタノエート、３−イソブチル−１，２−フェニレンジイソペンタノエート、３−ｔｅｒｔ−ブチル−１，２−フェニレンジイソペンタノエート、３−イソプロピル−１，２−フェニレンジイソペンタノエート、３−ペンチル−１，２−フェニレンジイソペンタノエート、３−イソペンチル−１，２−フェニレンジイソペンタノエート、３−ヘキシル−１，２−フェニレンジイソペンタノエート、３−ヘプチル−１，２−フェニレンジイソペンタノエート、３−オクチル−１，２−フェニレンジイソペンタノエート、３−ノニル−１，２−フェニレンジイソペンタノエート、３−デシル−１，２−フェニレンジイソペンタノエート、３−ドデシル−１，２−フェニレンジイソペンタノエート、３−メトキシ−１，２−フェニレンジイソペンタノエート、３−エトキシ−１，２−フェニレンジイソペンタノエート、３−プロポキシ−１，２−フェニレンジイソペンタノエート、３−イソプロポキシ−１，２−フェニレンジイソペンタノエート、３−ブトキシ−１，２−フェニレンジイソペンタノエート、３−イソブトキシ−１，２−フェニレンジイソペンタノエート、３−ｔｅｒｔ−ブトキシ−１，２−フェニレンジイソペンタノエート、３−ペントキシ−１，２−フェニレンジイソペンタノエート、３−ヘキソキシ−１，２−フェニレンジイソペンタノエート、３−ヘプトキシ−１，２−フェニレンジイソペンタノエート、３−オクトキシ−１，２−フェニレンジイソペンタノエート、３−ノノキシ−１，２−フェニレンジイソペンタノエート、３−デコキシ−１，２−フェニレンジイソペンタノエート、３−フェノキシ−１，２−フェニレンジイソペンタノエート、３−クロロ−１，２−フェニレンジヘキサノエート、３−ブロモ−１，２−フェニレンジヘキサノエート、３−フルオロ−１，２−フェニレンジヘキサノエート、３−ヨード−１，２−フェニレンジヘキサノエート、３−メチル−１，２−フェニレンジヘキサノエート、３−エチル−１，２−フェニレンジヘキサノエート、３−ブチル−１，２−フェニレンジヘキサノエート、３−イソブチル−１，２−フェニレンジヘキサノエート、３−ｔｅｒｔ−ブチル−１，２−フェニレンジヘキサノエート、３−イソプロピル−１，２−フェニレンジヘキサノエート、３−ペンチル−１，２−フェニレンジヘキサノエート、３−イソペンチル−１，２−フェニレンジヘキサノエート、３−ヘキシル−１，２−フェニレンジヘキサノエート、３−ヘプチル−１，２−フェニレンジヘキサノエート、３−オクチル−１，２−フェニレンジヘキサノエート、３−ノニル−１，２−フェニレンジヘキサノエート、３−デシル−１，２−フェニレンジヘキサノエート、３−ドデシル−１，２−フェニレンジヘキサノエート、３−メトキシ−１，２−フェニレンジヘキサノエート、３−エトキシ−１，２−フェニレンジヘキサノエート、３−プロポキシ−１，２−フェニレンジヘキサノエート、３−イソプロポキシ−１，２−フェニレンジヘキサノエート、３−ブトキシ−１，２−フェニレンジヘキサノエート、３−イソブトキシ−１，２−フェニレンジヘキサノエート、３−ｔｅｒｔ−ブトキシ−１，２−フェニレンジヘキサノエート、３−ペントキシ−１，２−フェニレンジヘキサノエート、３−ヘキソキシ−１，２−フェニレンジヘキサノエート、３−ヘプトキシ−１，２−フェニレンジヘキサノエート、３−オクトキシ−１，２−フェニレンジヘキサノエート、３−ノノキシ−１，２−フェニレンジヘキサノエート、３−デコキシ−１，２−フェニレンジヘキサノエート、３−フェノキシ−１，２−フェニレンジヘキサノエート、３−クロロ−１，２−フェニレンジイソヘキサノエート、３−ブロモ−１，２−フェニレンジイソヘキサノエート、３−フルオロ−１，２−フェニレンジイソヘキサノエート、３−ヨード−１，２−フェニレンジイソヘキサノエート、３−メチル−１，２−フェニレンジイソヘキサノエート、３−エチル−１，２−フェニレンジイソヘキサノエート、３−ブチル−１，２−フェニレンジイソヘキサノエート、３−イソブチル−１，２−フェニレンジイソヘキサノエート、３−ｔｅｒｔ−ブチル−１，２−フェニレンジイソヘキサノエート、３−イソプロピル−１，２−フェニレンジイソヘキサノエート、３−ペンチル−１，２−フェニレンジイソヘキサノエート、３−イソペンチル−１，２−フェニレンジイソヘキサノエート、３−ヘキシル−１，２−フェニレンジイソヘキサノエート、３−ヘプチル−１，２−フェニレンジイソヘキサノエート、３−オクチル−１，２−フェニレンジイソヘキサノエート、３−ノニル−１，２−フェニレンジイソヘキサノエート、３−デシル−１，２−フェニレ
ンジイソヘキサノエート、３−ドデシル−１，２−フェニレンジイソヘキサノエート、３−メトキシ−１，２−フェニレンジイソヘキサノエート、３−エトキシ−１，２−フェニレンジイソヘキサノエート、３−プロポキシ−１，２−フェニレンジイソヘキサノエート、３−イソプロポキシ−１，２−フェニレンジイソヘキサノエート、３−ブトキシ−１，２−フェニレンジイソヘキサノエート、３−イソブトキシ−１，２−フェニレンジイソヘキサノエート、３−ｔｅｒｔ−ブトキシ−１，２−フェニレンジイソヘキサノエート、３−ペントキシ−１，２−フェニレンジイソヘキサノエート、３−ヘキソキシ−１，２−フェニレンジイソヘキサノエート、３−ヘプトキシ−１，２−フェニレンジイソヘキサノエート、３−オクトキシ−１，２−フェニレンジイソヘキサノエート、３−ノノキシ−１，２−フェニレンジイソヘキサノエート、３−デコキシ−１，２−フェニレンジイソヘキサノエート、３−フェノキシ−１，２−フェニレンジイソヘキサノエート、３−クロロ−１，２−フェニレンジヘプタノエート、３−ブロモ−１，２−フェニレンジヘプタノエート、３−フルオロ−１，２−フェニレンジヘプタノエート、３−ヨード−１，２−フェニレンジヘプタノエート、３−メチル−１，２−フェニレンジヘプタノエート、３−エチル−１，２−フェニレンジヘプタノエート、３−ブチル−１，２−フェニレンジヘプタノエート、３−イソブチル−１，２−フェニレンジヘプタノエート、３−ｔｅｒｔ−ブチル−１，２−フェニレンジヘプタノエート、３−イソプロピル−１，２−フェニレンジヘプタノエート、３−ペンチル−１，２−フェニレンジヘプタノエート、３−イソペンチル−１，２−フェニレンジヘプタノエート、３−ヘキシル−１，２−フェニレンジヘプタノエート、３−ヘプチル−１，２−フェニレンジヘプタノエート、３−オクチル−１，２−フェニレンジヘプタノエート、３−ノニル−１，２−フェニレンジヘプタノエート、３−デシル−１，２−フェニレンジヘプタノエート、３−ドデシル−１，２−フェニレンジヘプタノエート、３−メトキシ−１，２−フェニレンジヘプタノエート、３−エトキシ−１，２−フェニレンジヘプタノエート、３−プロポキシ−１，２−フェニレンジヘプタノエート、３−イソプロポキシ−１，２−フェニレンジヘプタノエート、３−ブトキシ−１，２−フェニレンジヘプタノエート、３−イソブトキシ−１，２−フェニレンジヘプタノエート、３−ｔｅｒｔ−ブトキシ−１，２−フェニレンジヘプタノエート、３−ペントキシ−１，２−フェニレンジヘプタノエート、３−ヘキソキシ−１，２−フェニレンジヘプタノエート、３−ヘプトキシ−１，２−フェニレンジヘプタノエート、３−オクトキシ−１，２−フェニレンジヘプタノエート、３−ノノキシ−１，２−フェニレンジヘプタノエート、３−デコキシ−１，２−フェニレンジヘプタノエート、３−フェノキシ−１，２−フェニレンジヘプタノエート、３−クロロ−１，２−フェニレンジイソヘプタノエート、３−ブロモ−１，２−フェニレンジイソヘプタノエート、３−フルオロ−１，２−フェニレンジイソヘプタノエート、３−ヨード−１，２−フェニレンジイソヘプタノエート、３−メチル−１，２−フェニレンジイソヘプタノエート、３−エチル−１，２−フェニレンジイソヘプタノエート、３−ブチル−１，２−フェニレンジイソヘプタノエート、３−イソブチル−１，２−フェニレンジイソヘプタノエート、３−ｔｅｒｔ−ブチル−１，２−フェニレンジイソヘプタノエート、３−イソプロピル−１，２−フェニレンジイソヘプタノエート、３−ペンチル−１，２−フェニレンジイソヘプタノエート、３−イソペンチル−１，２−フェニレンジイソヘプタノエート、３−ヘキシル−１，２−フェニレンジイソヘプタノエート、３−ヘプチル−１，２−フェニレンジイソヘプタノエート、３−オクチル−１，２−フェニレンジイソヘプタノエート、３−ノニル−１，２−フェニレンジイソヘプタノエート、３−デシル−１，２−フェニレンジイソヘプタノエート、３−ドデシル−１，２−フェニレンジイソヘプタノエート、３−メトキシ−１，２−フェニレンジイソヘプタノエート、３−エトキシ−１，２−フェニレンジイソヘプタノエート、３−プロポキシ−１，２−フェニレンジイソヘプタノエート、３−イソプロポキシ−１，２−フェニレンジイソヘプタノエート、３−ブトキシ−１，２−フェニレンジイソヘプタノエート、３−イソブトキシ−１，２−フェニレンジイソヘプタノエート、３−ｔｅｒｔ−ブトキシ−１，２−フェニレンジイソヘプタノエート、３−ペントキシ−１，２−フェニレンジイソヘプタノエート、３−ヘキソキシ−１，２−フェニレンジイソヘプタノエート、３−ヘプトキシ−１，２−フェニレンジイソヘプタノエート、３−オクトキシ−１，２−フェニレンジイソヘプタノエート、３−ノノキシ−１，２−フェニレンジイソヘプタノエート、３−デコキシ−１，２−フェニレンジイソヘプタノエート、３−フェノキシ−１，２−フェニレンジイソヘプタノエート、３−クロロ−１，２−フェニレンジオクタノエート、３−ブロモ−１，２−フェニレンジオクタノエート、３−フルオロ−１，２−フェニレンジオクタノエート、３−ヨード−１，２−フェニレンジオクタノエート、３−メチル−１，２−フェニレンジオクタノエート、３−エチル−１，２−フェニレンジオクタノエート、３−ブチル−１，２−フェニレンジオクタノエート、３−イソブチル−１，２−フェニレンジオクタノエート、３−ｔｅｒｔ−ブチル−１，２−フェニレンジオクタノエート、３−イソプロピル−１，２−フェニレンジオクタノエート、３−ペンチル−１，２−フェニレンジオクタノエート、３−イソペンチル−１，２−フェニレンジオクタノエート、３−ヘキシル−１，２−フェニレンジオクタノエート、３−ヘプチル−１，２−フェニレンジオクタノエート、３−オクチル−１，２−フェニレンジオクタノエート、３−ノニル−１，２−フェニレンジオクタノエート、３−デシル−１，２−フェニレンジオクタノエート、３−ドデシル−１，２−フェニレンジオクタノエート、３−メトキシ−１，２−フェニレンジオクタノエート、３−エトキシ−１，２−フェニレンジオクタノエート、３−プロポキシ−１，２−フェニレンジオクタノエート、３−イソプロポキシ−１，２−フェニレンジオクタノエート、３−ブトキシ−１，２−フェニレンジオクタノエート、３−イソブトキシ−１，２−フェニレンジオクタノエート、３−ｔｅｒｔ−ブトキシ−１，２−フェニレンジオクタノエート、３−ペントキシ−１，２−フェニレンジオクタノエート、３−ヘキソキシ−１，２−フェニレンジオクタノエート、３−ヘプトキシ−１，２−フェニレンジオクタノエート、３−オクトキシ−１，２−フェニレンジオクタノエート、３−ノノキシ−１，２−フェニレンジオクタノエート、３−デコキシ−１，２−フェニレンジオクタノエート、３−フェノキシ−１，２−フェニレンジオクタノエート、３−クロロ−１，２−フェニレンジイソオクタノエート、３−ブロモ−１，２−フェニレンジイソオクタノエート、３−フルオロ−１，２−フェニレンジイソオクタノエート、３−ヨード−１，２−フェニレンジイソオクタノエート、３−メチル−１，２−フェニレンジイソオクタノエート、３−エチル−１，２−フェニレンジイソオクタノエート、３−ブチル−１，２−フェニレンジイソオクタノエート、３−イソブチル−１，２−フェニレンジイソオクタノエート、３−ｔｅｒｔ−ブチル−１，２−フェニレンジイソオクタノエート、３−イソプロピル−１，２−フェニレンジイソオクタノエート、３−ペンチル−１，２−フェニレンジイソオクタノエート、３−イソペンチル−１，２−フェニレンジイソオクタノエート、３−ヘキシル−１，２−フェニレンジイソオクタノエート、３−ヘプチル−１，２−フェニレンジイソオクタノエート、３−オクチル−１，２−フェニレンジイソオクタノエート、３−ノニル−１，２−フェニレンジイソオクタノエート、３−デシル−１，２−フェニレンジイソオクタノエート、３−ドデシル−１，２−フェニレンジイソオクタノエート、３−メトキシ−１，２−フェニレンジイソオクタノエート、３−エトキシ−１，２−フェニレンジイソオクタノエート、３−プロポキシ−１，２−フェニレンジイソオクタノエート、３−イソプロポキシ−１，２−フェニレンジイソオクタノエート、３−ブトキシ−１，２−フェニレンジイソオクタノエート、３−イソブトキシ−１，２−フェニレンジイソオクタノエート、３−ｔｅｒｔ−ブトキシ−１，２−フェニレンジイソオクタノエート、３−ペントキシ−１，２−フェニレンジイソオクタノエート、３−ヘキソキシ−１，２−フェニレンジイソオクタノエート、３−ヘプトキシ−１，２−フェニレンジイソオクタノエート、３−オクトキシ−１，２−フェニレンジイソオクタノエート、３−ノノキシ−１，２−フェニレンジイソオクタノエート、３−デコキシ−１，２−フェニレンジイソオクタノエート、３−フェノキシ−１，２−フェニレンジイソオクタノエート、３−クロロ−１，２−フェニレンジノナノエート、３−ブロモ−１，２−フェニレンジノナノエート、３−フルオロ−１，２−フェニレンジノナノエート、３−ヨード−１，２−フェニレンジノナノエート、３−メチル−１，２−フェニレンジノナノエート、３−エチル−１，２−フェニレンジノナノエート、３−ブチル−１，２−フェニレンジノナノエート、３−イソブチル−１，２−フェニレンジノナノエート、３−ｔｅｒｔ−ブチル−１，２−フェニレンジノナノエート、３−イソプロピル−１，２−フェニレンジノナノエート、３−ペンチル−１，２−フェニレンジノナノエート、３−イソペンチル−１，２−フェニレンジノナノエート、３−ヘキシル−１，２−フェニレンジノナノエート、３−ヘプチル−１，２−フェニレンジノナノエート、３−オクチル−１，２−フェニレンジノナノエート、３−ノニル−１，２−フェニレンジノナノエート、３−デシル−１，２−フェニレンジノナノエート、３−ドデシル−１，２−フェニレンジノナノエート、３−メトキシ−１，２−フェニレンジノナノエート、３−エトキシ−１，２−フェニレンジノナノエート、３−プロポキシ−１，２−フェニレンジノナノエート、３−イソプロポキシ−１，２−フェニレンジノナノエート、３−ブトキシ−１，２−フェニレンジノナノエート、３−イソブトキシ−１，２−フェニレンジノナノエート、３−ｔｅｒｔ−ブトキシ−１，２−フェニレンジノナノエート、３−ペントキシ−１，２−フェニレンジノナノエート、３−ヘキソキシ−１，２−フェニレンジノナノエート、３−ヘプトキシ−１，２−フェニレンジノナノエート、３−オクトキシ−１，２−フェニレンジノナノエート、３−ノノキシ−１，２−フェニレンジノナノエート、３−デコキシ−１，２−フェニレンジノナノエート、３−フェノキシ−１，２−フェニレンジノナノエート、３−クロロ−１，２−フェニレンジデカノエート、３−ブロモ−１，２−フェニレンジデカノエート、３−フルオロ−１，２−フェニレンジデカノエート、３−ヨード−１，２−フェニレンジデカノエート、３−メチル−１，２−フェニレンジデカノエート、３−エチル−１，２−フェニレンジデカノエート、３−ブチル−１，２−フェニレンジデカノエート、３−イソブチル−１，２−フェニレンジデカノエート、３−ｔｅｒｔ−ブチル−１，２−フェニレンジデカノエート、３−イソプロピル−１，２−フェニレンジデカノエート、３−ペンチル−１，２−フェニレンジデカノエート、３−イソペンチル−１，２−フェニレンジデカノエート、３−ヘキシル−１，２−フェニレンジデカノエート、３−ヘプチル−１，２−フェニレンジデカノエート、３−オクチル−１，２−フェニレンジデカノエート、３−ノニル−１，２−フェニレンジデカノエート、３−デシル−１，２−フェニレンジデカノエート、３−ドデシル−１，２−フェニレンジデカノエート、３−メトキシ−１，２−フェニレンジデカノエート、３−エトキシ−１，２−フェニレンジデカノエート、３−プロポキシ−１，２−フェニレンジデカノエート、３
−イソプロポキシ−１，２−フェニレンジデカノエート、３−ブトキシ−１，２−フェニレンジデカノエート、３−イソブトキシ−１，２−フェニレンジデカノエート、３−ｔｅｒｔ−ブトキシ−１，２−フェニレンジデカノエート、３−ペントキシ−１，２−フェニレンジデカノエート、３−ヘキソキシ−１，２−フェニレンジデカノエート、３−ヘプトキシ−１，２−フェニレンジデカノエート、３−オクトキシ−１，２−フェニレンジデカノエート、３−ノノキシ−１，２−フェニレンジデカノエート、３−デコキシ−１，２−フェニレンジデカノエート及び３−フェノキシ−１，２−フェニレンジデカノエート、
を含む群から選択される、請求項１に記載の触媒組成物。
【請求項６】
構造(Ａ)中において、Ｒ１−Ｒ６基は、同一であるか又は異なり、かつ、水素、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群から選択され、構造(Ａ)の１，２−フェニレンジオエート化合物は１，２−フェニレンジアセテート及び３−メチル−１，２−フェニレンジオエートではなく、Ｒ１がアルコキシである場合、Ｒ２はアルコキシではなく、Ｒ１がアリールである場合、Ｒ２はアリールではない、請求項１に記載の触媒組成物。
【請求項７】
構造(Ａ)において、Ｒ３−Ｒ６は水素であり、Ｒ１及びＲ２は同じであり、かつ、場合によっては環に結合されたＣ１−Ｃ２０直鎖又は分枝アルキル基、Ｃ３−Ｃ１５シクロアルキル基及びヘテロ原子を含む群から選択され、構造(Ａ)の１，２−フェニレンジオエート化合物は１，２−フェニレンジアセテート及び３−メチル−１，２−フェニレンジオエートではなく、Ｒ１がアルコキシである場合、Ｒ２はアルコキシではなく、Ｒ１がアリールである場合、Ｒ２はアリールではない、請求項６に記載の触媒組成物。
【請求項８】
１，２−フェニレンジオエートは、
１，２−フェニレンジプロパノエート、１，２−フェニレンジイソプロパノエート、１，２−フェニレンジブタノエート、１，２−フェニレンジイソブタノエート、１，２−フェニレンジ−ｔｅｒｔ−ブタノエート、１，２−フェニレンジペンタノエート、１，２−フェニレンジイソペンタノエート、１，２−フェニレンジヘキサノエート、１，２−フェニレンジヘプタノエート、１，２−フェニレンジオクタノエート、１，２−フェニレンジノナノエート、１，２−フェニレンジデカノエート、１，２−フェニレンジウンデカノエート、１，２−フェニレンジシクロプロピロエート、１，２−フェニレンジシクロブチロエート、１，２−フェニレンジシクロペンチロエート、１，２−フェニレンジシクロヘキシロエート、１，２−フェニレンジシクロヘプチロエート、１，２−フェニレンジシクロオクチロエート、１，２−フェニレンビス（３−メチルブタノエート）、１，２−フェニレンビス（４−メチルペンタノエート）、１，２−フェニレンビス（５−メチルヘキサノエート）、１，２−フェニレンビス（６−メチルヘプタノエート）、１，２−フェニレンビス（７−メチルオクタノエート）、１，２−フェニレンビス（８−メチルノナノエート）、１，２−フェニレンビス（９−メチルデカノエート）、１，２−フェニレンビス（１０−メチルウンデカノエート）、１，２−フェニレンジピバレート、１，２−フェニレンビス（３，３−ジメチルブタノエート）、１，２−フェニレンビス（４，４−ジメチルペンタノエート）、１，２−フェニレンビス（５，５−ジメチルヘキサノエート）、１，２−フェニレンビス（６，６−ジメチルヘプタノエート）、１、２−フェニレンビス（２−メチルブタノエート）、１，２−フェニレンビス（２−メチルペンタノエート）、１、２−フェニレンビス（２−メチルヘキサノエート）、１，２−フェニレンビス（２−メチルヘプタノエート）、１、２−フェニレンビス（２−メチルオクタノエート）、１，２−フェニレンビス（２−メチルノナノエート）、１、２−フェニレンビス（２−メチルデカノエート）、１，２−フェニレンビス（２−プロピルペンタノエート）、１、２−フェニレンビス（２−プロピルヘキサノエート）、１，２−フェニレンビス（２−プロピルヘプタノエート）、１、２−フェニレンビス（２−プロピルオクタノエート）、１，２−フェニレンビス（２−プロピルノナノエート）、１、２−フェニレンビス（２−プロピルデカノエート）、を含む群から選択される、請求項６に記載の触媒組成物。
【請求項９】
１，２−フェニレンジオエートは、１，２−フェニレンジイソプロパノエート、１，２−フェニレンジイソブタノエート及び−１，２−フェニレンジ−ｔｅｒｔ−ブタノエート含む群から選択される、請求項８に記載の触媒組成物。
【請求項１０】
構造(Ａ)において、Ｒ３−Ｒ６の少なくとも１つは、水素として選択され、Ｒ１−Ｒ２は異なっており、Ｒ１−Ｒ２の少なくとも１つは、場合によっては環に結合されたＣ１−Ｃ２０直鎖又は分枝アルキル基、Ｃ３−Ｃ１５シクロアルキル基、ヘテロ原子及びこれらの組合せを含む群から選択され、構造(Ａ)の１，２−フェニレンジオエート化合物は１，２−フェニレンジアセテート及び３−メチル−１，２−フェニレンジオエートではなく、Ｒ１がアルコキシである場合、Ｒ２はアルコキシではなく、Ｒ１がアリールである場合、Ｒ２はアリールではない、請求項１に記載の触媒組成物。
【請求項１１】
１，２−フェニレンジオエートは、
２−アセトキシフェニルプロパノエート、２−アセトキシフェニルブチレート、２−アセトキシフェニルペンタノエート、２−アセトキシフェニルヘプタノエート、２−アセトキシフェニルオクタノエート、２−アセトキシフェニルノナノエート、２−アセトキシフェニルデカノエート、２−アセトキシフェニルウンデカノエート、２−（プロピオニロキシ）フェニルブチレート、２−（プロピオニロキシ）フェニルペンタノエート、２−（プロピオニロキシ）フェニルヘキサノエート、２−（プロピオニロキシ）フェニルヘプタノエート、２−（プロピオニロキシ）フェニルオクタノエート、２−（プロピオニロキシ）フェニルノナノエート、２−（プロピオニロキシ）フェニルデカノエート、２−（プロピオニロキシ）フェニルウンデカノエート、２−（ブチリロキシ）フェニルペンタノエート、２−（ブチリロキシ）フェニルヘキサノエート、２−（ブチリロキシ）フェニルヘプタノエート、２−（ブチリロキシ）フェニルオクタノエート、２−（ブチリロキシ）フェニルノナノエート、２−（ブチリロキシ）フェニルデカノエート、２−（ブチリロキシ）フェニルウンデカノエート、２−（ペンタノイロキシ）フェニルヘキサノエート、２−（ペンタノイロキシ）フェニルヘプタノエート、２−（ペンタノイロキシ）フェニルオクタノエート、２−（ペンタノイロキシ）フェニルノナノエート、２−（ペンタノイロキシ）フェニルデカノエート、２−（ペンタノイロキシ）フェニルウンデカノエート２−（ヘキサノイロキシ）フェニルヘプタノエート、２−（ヘキサノイロキシ）フェニルオクタノエート、２−（ヘキサノイロキシ）フェニルノナノエート、２−（ヘキサノイロキシ）フェニルデカノエート、２−（ヘキサノイロキシ）フェニルウンデカノエート、２−（ヘプタノイロキシ）フェニルオクタノエート、２−（ヘプタノイロキシ）フェニルノナノエート、２−（ヘプタノイロキシ）フェニルデカノエート、２−（ヘプタノイロキシ）フェニルウンデカノエート、２−（オクタノイロキシ）フェニルノナノエート、２−（オクタノイロキシ）フェニルデカノエート、２−（オクタノイロキシ）フェニルウンデカノエート、２−（ノナノイロキシ）フェニルデカノエート、２−（ノナノイロキシ）フェニルウンデカノエート、２−（デカノイロキシ）フェニルウンデカノエート、２−（イソブチリロキシ）フェニルアセテート、２−（イソブチリロキシ）フェニルプロピオネート、２−（イソブチリロキシ）フェニルブチレート、２−（イソブチリロキシ）フェニルペンタノエート、２−（イソブチリロキシ）フェニルヘキサノエート、２−（イソブチリロキシ）フェニルヘプタノエート、２−（イソブチリロキシ）フェニルオクタノエート、２−（イソブチリロキシ）フェニルノナノエート、２−（イソブチリロキシ）フェニルデカノエート、２−（イソブチリロキシ）フェニルウンデカノエート、２−（イソブチリロキシ）フェニルベンゾエート、２−（イソブチリロキシ）フェニルイソプロピオネート、２−（イソブチリロキシ）フェニルイソブチレート、２−（イソブチリロキシ）フェニルイソペンタノエート、２−（イソブチリロキシ）フェニルイソヘキサノエート、２−（イソブチリロキシ）フェニルイソヘプタノエート、２−（イソブチリロキシ）フェニルイソオクタノエート、２−（イソブチリロキシ）フェニルイソノナノエート、２−（イソブチリロキシ）フェニルイソデカノエート、２−（イソブチリロキシ）フェニルイソウンデカノエート、２−アセトキシフェニル３−メチルブタノエート、２−（プロピオニロキシ）フェニル３−メチルブタノエート、２−（ブチリロキシ）フェニル３−メチルブタノエート、２−（３−メチルブタノイロキシ）フェニルペンタノエート、２−（３−メチルブタノイロキシ）フェニルヘキサノエート、２−（３−メチルブタノイロキシ）フェニルヘプタノエート、２−（３−メチルブタノイロキシ）フェニルオクタノエート、２−（３−メチルブタノイロキシ）フェニルノナノエート、２−（３−メチルブタノイロキシ）フェニルデカノエート、２−（３−メチルブタノイロキシ）フェニルウンデカノエート、２−アセトキシフェニル４−メチルペンタノエート、２−（プロピオニロキシ）フェニル４−メチルペンタノエート、２−（ブチリロキシ）フェニル４−メチルペンタノエート、２−（ペンタノイロキシ）フェニル４−メチルペンタノエート、２−（４−メチルペンタノイロキシ）フェニルヘキサノエート、２−（４−メチルペンタノイロキシ）フェニルヘプタノエート、２−（４−メチルペンタノイロキシ）フェニルオクタノエート、２−（４−メチルペンタノイロキシ）フェニルノナノエート、２−（４−メチルペンタノイロキシ）フェニルデカノエート、２−（４−メチルペンタノイロキシ）フェニルウンデカノエート、２−アセトキシフェニル５−メチルヘキサノエート、２−（プロピオニロキシ）フェニル５−メチルヘキサノエート、２−（ブチリロキシ）フェニル５−メチルヘキサノエート、２−（ペンタノイロキシ）フェニル５−メチルヘキサノエート、２−（ヘキサノイロキシ）フェニル５−メチルヘキサノエート、２−（５−メチルヘキサノイロキシ）フェニルヘプタノエート、２−（５−メチルヘキサノイロキシ）フェニルオクタノエート、２−（５−メチルヘキサノイロキシ）フェニルノナノエート、２−（５−メチルヘキサノイロキシ）フェニルデカノエート、２−（５−メチルヘキサノイロキシ）フェニルウンデカノエート、２−アセトキシフェニル６−メチルヘプタノエート、２−（プロピオニロキシ）フェニル６−メチルヘプタノエート、２−（ブチリロキシ）フェニル６−メチルヘプタノエート、２−（ペンタノイロキシ）フェニル６−メチルヘプタノエート、２−（ヘキサノイロキシ）フェニル６−メチルヘプタノエート、２−（ヘプタノイロキシ）フェニル６−メチルヘプタノエート、２−（６−メチルヘプタノイロキシ）フェニルオクタノエート、２−（６−メチルヘプタノイロキシ）フェニルノナノエート、２−（６−メチルヘプタノイロキシ）フェニルデカノエート、２−（６−メチルヘプタノイロキシ）フェニルウンデカノエート、２−アセトキシフェニル７−メチルオクタノエート、２−（プロピオニロキシ）フェニル７−メチルオクタノエート、２−（ブチリロキシ）フェニル７−メチルオクタノエート、２−（ペンタノイロキシ）フェニル７−メチルオクタノエート、２−（ヘキサノイロキシ）フェニル７−メチルオクタノエート、２−（ヘプタノイロキシ）フェニル７−メチルオクタノエート、２−（オクタノイロキシ）フェニル７−メチルオクタノエート、２−（７−メチルオクタノイロキシ）フェニルノナノエート、２−（７−メチルオクタノイロキシ）フェニルデカノエート、２−（７−メチルオクタノイロキシ）フェニルウンデカノエート、２−アセトキシフェニル８−メチルノナノエート、２−（プロピオニロキシ）フェニル８−メチルノナノエート、２−（ブチリロキシ）フェニル８−メチルノナノエート、２−（ペンタノイロキシ）フェニル８−メチルノナノエート、２−（ヘキサノイロキシ）フェニル８−メチルノナノエート、２−（ヘプタノイロキシ）フェニル８−メチルノナノエート、２−（オクタノイロキシ）フェニル８−メチルノナノエート、２−（ノナノイロキシ）フェニル８−メチルノナノエート、２−（８−メチルノナノイロキシ）フェニルデカノエート、２−（８−メチルノナノイロキシ）フェニルウンデカノエート、２−アセトキシフェニル９−メチルデカノエート、２−（プロピオニロキシ）フェニル９−メチルデカノエート、２−（ブチリロキシ）フェニル９−メチルデカノエート、２−（ペンタノイロキシ）フェニル９−メチルデカノエート、２−（ヘキサノイロキシ）フェニル９−メチルデカノエート、２−（ヘプタノイロキシ）フェニル９−メチルデカノエート、２−（オクタノイロキシ）フェニル９−メチルデカノエート、２−（ノナノイロキシ）フェニル９−メチルデカノエート、２−（デカノイロキシ）フェニル９−メチルデカノエート、２−（９−メチルデカノイロキシ）フェニルウンデカノエート、２−アセトキシフェニル１０−メチルウンデカノエート、２−（プロピオニロキシ）フェニル１０−メチルウンデカノエート、２−（ブチリロキシ）フェニル１０−メチルウンデカノエート、２−（ペンタノイロキシ）フェニル１０−メチルウンデカノエート、２−（ヘキサノイロキシ）フェニル１０−メチルウンデカノエート、２−（ヘプタノイロキシ）フェニル１０−メチルウンデカノエート、２−（オクタノイロキシ）フェニル１０−メチルウンデカノエート、２−（ノナノイロキシ）フェニル１０−メチルウンデカノエート、２−（デカノイロキシ）フェニル１０−メチルウンデカノエート、２−（ウンデカノイロキシ）フェニル１０−メチルウンデカノエート、２−アセトキシフェニルピバレート、２−（プロピオニロキシ）フェニルピバレート、２−（ピバロイルオキシ）フェニルブチレート、２−（ピバロイルオキシ）フェニルペンタノエート、２−（ピバロイルオキシ）フェニルヘキサノエート、２−（ピバロイルオキシ）フェニルヘプタノエート、２−（ピバロイルオキシ）フェニルオクタノエート、２−（ピバロイルオキシ）フェニルノナノエート、２−（ピバロイルオキシ）フェニルデカノエート、２−（ピバロイルオキシ）フェニルウンデカノエート、２−アセトキシフェニル３，３−ジメチルブタノエート、２−（プロピオニロキシ）フェニル３，３−ジメチルブタノエート、２−（ブチリロキシ）フェニル３，３−ジメチルブタノエート、２−（３，３−ジメチルブタノイロキシ）フェニルペンタノエート、２−（３，３−ジメチルブタノイロキシ）フェニルヘキサノエート、２−（３，３−ジメチルブタノイロキシ）フェニルヘプタノエート、２−（３，３−ジメチルブタノイロキシ）フェニルオクタノエート、２−（３，３−ジメチルブタノイロキシ）フェニルノナノエート、２−（３，３−ジメチルブタノイロキシ）フェニルデカノエート、２−（３，３−ジメチルブタノイロキシ）フェニルウンデカノエート、２−アセトキシフェニル５，５−ジメチルヘキサノエート、２−（プロピオニロキシ）フェニル５，５−ジメチルヘキサノエート、２−（ブチリロキシ）フェニル５，５−ジメチルヘキサノエート、２−（ペンタノイロキシ）フェニル５，５−ジメチルヘキサノエート、２−（ヘキサノイロキシ）フェニル５，５−ジメチルヘキサノエート、２−（５，５−ジメチルヘキサノイロキシ）フェニルヘプタノエート、２−（５，５−ジメチルヘキサノイロキシ）フェニルオクタノエート、２−（５，５−ジメチルヘキサノイロキシ）フェニルノナノエート、２−（５，５−ジメチルヘキサノイロキシ）フェニルデカノエート、２−（５，５−ジメチルヘキサノイロキシ）フェニルウンデカノエート、２−アセトキシフェニル４，４−ジメチルペンタノエート、２−（プロピオニロキシ）フェニル４，４−ジメチルペンタノエート、２−（ブチリロキシ）フェニル４，４−ジメチルペンタノエート、２−（ペンタノイロキシ）フェニル４，４−ジメチルペンタノエート、２−（４，４−ジメチルペンタノイロキシ）フェニルヘキサノエート、２−（４，４−ジメチルペンタノイロキシ）フェニルヘプタノエート、２−（４，４−ジメチルペンタノイロキシ）フェニルオクタノエート、２−（４，４−ジメチルペンタノイロキシ）フェニルノナノエート、２−（４，４−ジメチルペンタノイロキシ）フェニルデカノエート、２−（４，４−ジメチルペンタノイロキシ）フェニルウンデカノエート、２−アセトキシフェニル８−エチルデカノエート、２−（プロピオニロキシ）フェニル８−エチルデカノエート、２−（ブチリロキシ）フェニル８−エチルデカノエート、２−（ペンタノイロキシ）フェニル８−エチルデカノエート、２−（ヘキサノイロキシ）フェニル８−エチルデカノエート、２−（ヘプタノイロキシ）フェニル８−エチルデカノエート、２−（オクタノイロキシ）フェニル８−エチルデカノエート、２−（ノナノイロキシ）フェニル８−エチルデカノエート、２−（デカノイロキシ）フェニル８−エチルデカノエート、
２−（８−エチルデカノイロキシ）フェニルウンデカノエート、２−アセトキシフェニル９−エチルウンデカノエート、２−（プロピオニロキシ）フェニル９−エチルウンデカノエート、２−（ブチリロキシ）フェニル９−エチルウンデカノエート、２−（ペンタノイロキシ）フェニル９−エチルウンデカノエート、２−（ヘキサノイロキシ）フェニル９−エチルウンデカノエート、２−（ヘプタノイロキシ）フェニル９−エチルウンデカノエート、２−（オクタノイロキシ）フェニル９−エチルウンデカノエート、２−（ノナノイロキシ）フェニル９−エチルウンデカノエート、２−（デカノイロキシ）フェニル９−エチルウンデカノエート、２−アセトキシフェニル２−メチルブタノエート、２−（プロピオニロキシ）フェニル２−メチルブタノエート、２−（ブチリロキシ）フェニル２−メチルブタノエート、２−（２−メチルブタノイロキシ）フェニルペンタノエート、２−（２−メチルブタノイロキシ）フェニルヘキサノエート、２−（２−メチルブタノイロキシ）フェニルヘプタノエート、２−（２−メチルブタノイロキシ）フェニルオクタノエート、２−（２−メチルブタノイロキシ）フェニルノナノエート、２−（２−メチルブタノイロキシ）フェニルデカノエート、２−（２−メチルブタノイロキシ）フェニルウンデカノエート、２−アセトキシフェニル２−メチルペンタノエート、２−（プロピオニロキシ）フェニル２−メチルペンタノエート、２−（ブチリロキシ）フェニル２−メチルペンタノエート、２−（ペンタノイロキシ）フェニル２−メチルペンタノエート、２−（２−メチルペンタノイロキシ）フェニルヘキサノエート、２−（２−メチルペンタノイロキシ）フェニルヘプタノエート、２−（２−メチルペンタノイロキシ）フェニルオクタノエート、２−（２−メチルペンタノイロキシ）フェニルノナノエート、２−（２−メチルペンタノイロキシ）フェニルデカノエート、２−アセトキシフェニル２−メチルヘキサノエート、２−（プロピオニロキシ）フェニル２−メチルヘキサノエート、２−（ブチリロキシ）フェニル２−メチルヘキサノエート、２−（ペンタノイロキシ）フェニル２−メチルヘキサノエート、２−（ヘキサノイロキシ）フェニル２−メチルヘキサノエート、２−（２−メチルヘキサノイロキシ）フェニルヘプタノエート、２−（２−メチルヘキサノイロキシ）フェニルオクタノエート、２−（２−メチルヘキサノイロキシ）フェニルノナノエート、２−（２−メチルヘキサノイロキシ）フェニルデカノエート、２−（２−メチルヘキサノイロキシ）フェニルウンデカノエート、２−アセトキシフェニル２−メチルヘプタノエート、２−（プロピオニロキシ）フェニル２−メチルヘプタノエート、２−（ブチリロキシ）フェニル２−メチルヘプタノエート、２−（ペンタノイロキシ）フェニル２−メチルヘプタノエート、２−（ヘキサノイロキシ）フェニル２−メチルヘプタノエート、２−（ヘプタノイロキシ）フェニル２−メチルヘプタノエート、２−（２−メチルヘプタノイロキシ）フェニルオクタノエート、２−（２−メチルヘプタノイロキシ）フェニルノナノエート、２−（２−メチルヘプタノイロキシ）フェニルデカノエート、２−（２−メチルヘプタノイロキシ）フェニルウンデカノエート、２−アセトキシフェニル２−メチルオクタノエート、２−（プロピオニロキシ）フェニル２−メチルオクタノエート、２−（ブチリロキシ）フェニル２−メチルオクタノエート、２−（ペンタノイロキシ）フェニル２−メチルオクタノエート、２−（ヘキサノイロキシ）フェニル２−メチルオクタノエート、２−（ヘプタノイロキシ）フェニル２−メチルオクタノエート、２−（オクタノイロキシ）フェニル２−メチルオクタノエート、２−（２−メチルオクタノイロキシ）フェニルノナノエート、２−（２−メチルオクタノイロキシ）フェニルデカノエート、２−（２−メチルオクタノイロキシ）フェニルウンデカノエート、２−アセトキシフェニル２−メチルノナノエート、２−（プロピオニロキシ）フェニル２−メチルノナノエート、２−（ブチリロキシ）フェニル２−メチルノナノエート、２−（ペンタノイロキシ）フェニル２−メチルノナノエート、２−（ヘキサノイロキシ）フェニル２−メチルノナノエート、２−（ヘプタノイロキシ）フェニル２−メチルノナノエート、２−（オクタノイロキシ）フェニル２−メチルノナノエート、２−（ノナノイロキシ）フェニル２−メチルノナノエート、２−（２−メチルノナノイロキシ）フェニルデカノエート、２−（２−メチルノナノイロキシ）フェニルウンデカノエート、２−アセトキシフェニル２−メチルデカノエート、２−（プロピオニロキシ）フェニル２−メチルデカノエート、２−（ブチリロキシ）フェニル２−メチルデカノエート、２−（ペンタノイロキシ）フェニル２−メチルデカノエート、２−（ヘキサノイロキシ）フェニル２−メチルデカノエート、２−（ヘプタノイロキシ）フェニル２−メチルデカノエート、２−（オクタノイロキシ）フェニル２−メチルデカノエート、２−（ノナノイロキシ）フェニル２−メチルデカノエート、２−（デカノイロキシ）フェニル２−メチルデカノエート、２−（２−メチルデカノイロキシ）フェニルウンデカノエート、２−アセトキシフェニル２−プロピルペンタノエート、２−（プロピオニロキシ）フェニル２−プロピルペンタノエート、２−（ブチリロキシ）フェニル２−プロピルペンタノエート、２−（ペンタノイロキシ）フェニル２−プロピルペンタノエート、２−（２−プロピルペンタノエート）フェニルヘキサノエート、２−（２−プロピルペンタノエート）フェニルヘプタノエート、２−（２−プロピルペンタノエート）フェニルオクタノエート、２−（２−プロピルペンタノエート）フェニルノナノエート、２−（２−プロピルペンタノエート）フェニルデカノエート、２−（２−プロピルペンタノエート）フェニルウンデカノエート、２−アセトキシフェニル２−プロピルヘキサノエート、２−（プロピオニロキシ）フェニル２−プロピルヘキサノエート、２−（ブチリロキシ）フェニル２−プロピルヘキサノエート、２−（ペンタノイロキシ）フェニル２−プロピルヘキサノエート、２−（ヘキサノイロキシ）フェニル２−プロピルヘキサノエート、２−（２−プロピルヘキサノイロキシ）フェニルヘプタノエート、２−（２−プロピルヘキサノイロキシ）フェニルオクタノエート、２−（２−プロピルヘキサノイロキシ）フェニルノナノエート、２−（２−プロピルヘキサノイロキシ）フェニルデカノエート、２−（２−プロピルヘキサノイロキシ）フェニルウンデカノエート、２−アセトキシフェニル２−プロピルヘプタノエート、２−（プロピオニロキシ）フェニル２−プロピルヘプタノエート、２−（ブチリロキシ）フェニル２−プロピルヘプタノエート、２−（ペンタノイロキシ）フェニル２−プロピルヘプタノエート、２−（ヘキサノイロキシ）フェニル２−プロピルヘプタノエート、２−（ヘプタノイロキシ）フェニル２−プロピルヘプタノエート、２−（２−プロピルヘプタノイロキシ）フェニルオクタノエート、２−（２−プロピルヘプタノイロキシ）フェニルノナノエート、２−（２−プロピルヘプタノイロキシ）フェニルデカノエート、２−（２−プロピルヘプタノイロキシ）フェニルウンデカノエート、２−アセトキシフェニル２−プロピルオクタノエート、２−（プロピオニロキシ）フェニル２−プロピルオクタノエート、２−（ブチリロキシ）フェニル２−プロピルオクタノエート、２−（ペンタノイロキシ）フェニル２−プロピルオクタノエート、２−（ヘキサノイロキシ）フェニル２−プロピルオクタノエート、２−（ヘプタノイロキシ）フェニル２−プロピルオクタノエート、２−（オクタノイロキシ）フェニル２−プロピルオクタノエート、２−（２−プロピルオクタノイロキシ）フェニルノナノエート、２−（２−プロピルオクタノイロキシ）フェニルデカノエート及び２−（２−プロピルオクタノイロキシ）フェニルウンデカノエートを含む群から選択される、請求項１に記載の触媒組成物。
【請求項１２】
１，２−フェニレンジオエートは、２−（イソブチリロキシ）フェニルアセテート、２−（イソブチリロキシ）フェニルプロパノエート、２−（イソブチリロキシ）フェニルブチレート及び２−（イソブチリロキシ）フェニルベンゾエートを含む群から選択される、請求項１１に記載の触媒組成物。
【請求項１３】
構造(Ａ)において、Ｒ３−Ｒ５の少なくとも１つは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びその組合せ、を含む群より選択され、
Ｒ１−Ｒ２の少なくとも１つは、場合によっては環に結合されたＣ１−Ｃ２０直鎖又は分枝アルキル基、Ｃ３−Ｃ１５シクロアルキル基、ヘテロ原子及びその組合せ、を含む群より選択され、Ｒ１−Ｒ２は同一であり、構造(Ａ)の１，２−フェニレンジオエート化合物は１，２−フェニレンジアセテート及び３−メチル−１，２−フェニレンジオエートではなく、Ｒ１がアルコキシである場合、Ｒ２はアルコキシではなく、Ｒ１がアリールである場合、Ｒ２はアリールではない、請求項１に記載の触媒組成物。
【請求項１４】
１，２−フェニレンジオエートは、
４−クロロ−１，２−フェニレンジアセテート、４−ブロモ−１，２−フェニレンジアセテート、４−フルオロ−１，２−フェニレンジアセテート、４−ヨード−１，２−フェニレンジアセテート、４−メチル−１，２−フェニレンジアセテート、４−エチル−１，２−フェニレンジアセテート、４−ブチル−１，２−フェニレンジアセテート、４−イソブチル−１，２−フェニレンジアセテート、４−ｔｅｒｔ−ブチル−１，２−フェニレンジアセテート、４−イソプロピル−１，２−フェニレンジアセテート、４−ペンチル−１，２−フェニレンジアセテート、４−イソペンチル−１，２−フェニレンジアセテート、４−ヘキシル−１，２−フェニレンジアセテート、４−ヘプチル−１，２−フェニレンジアセテート、４−オクチル−１，２−フェニレンジアセテート、４−ノニル−１，２−フェニレンジアセテート、４−デシル−１，２−フェニレンジアセテート、４−ドデシル−１，２−フェニレンジアセテート、４−メトキシ−１，２−フェニレンジアセテート、４−エトキシ−１，２−フェニレンジアセテート、４−プロポキシ−１，２−フェニレンジアセテート、４−イソプロポキシ−１，２−フェニレンジアセテート、４−ブトキシ−１，２−フェニレンジアセテート、４−イソブトキシ−１，２−フェニレンジアセテート、４−ｔｅｒｔ−ブトキシ−１，２−フェニレンジアセテート、４−ペントキシ−１，２−フェニレンジアセテート、４−ヘキソキシ−１，２−フェニレンジアセテート、４−ヘプトキシ−１，２−フェニレンジアセテート、４−オクトキシ−１，２−フェニレンジアセテート、４−ノノキシ−１，２−フェニレンジアセテート、４−デコキシ−１，２−フェニレンジアセテート、４−フェノキシ−１，２−フェニレンジアセテート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート、４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート、４−エトキシ−１，２−フェニレンジイソプロパノエート、４−プロポキシ−１，２−フェニレンジイソプロパノエート、４−イソプロポキシ−１，２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１、２−フェニレンジイソプロパノエート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート４−エトキシ−１，２−フェニレンジイソプロパノエート、４−プロポキシ−１，２−フェニレンジイソプロパノエート、４−イソプロポキシ−１、２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジイソプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１、２−フェニレンジイソプロパノエート、４−クロロ−１，２−フェニレンジブタノエート、４−ブロモ−１，２−フェニレンジブタノエート、４−フルオロ−１，２−フェニレンジブタノエート、４−ヨード−１，２−フェニレンジブタノエート、４−メチル−１，２−フェニレンジブタノエート、４−エチル−１，２−フェニレンジブタノエート、４−ブチル−１，２−フェニレンジブタノエート、４−イソブチル−１，２−フェニレンジブタノエート、４−ｔｅｒｔ−ブチル−１，２−フェニレンジブタノエート、４−イソプロピル−１，２−フェニレンジブタノエート、４−ペンチル−１，２−フェニレンジブタノエート、４−イソペンチル−１，２−フェニレンジブタノエート、４−ヘキシル−１，２−フェニレンジブタノエート、４−ヘプチル−１，２−フェニレンジブタノエート、４−オクチル−１，２−フェニレンジブタノエート、４−ノニル−１，２−フェニレンジブタノエート、４−デシル−１，２−フェニレンジブタノエート、４−ドデシル−１，２−フェニレンジブタノエート、４−メトキシ−１，２−フェニレンジブタノエート、４−エトキシ−１，２−フェニレンジブタノエート、４−プロポキシ−１，２−フェニレンジブタノエート、４−イソプロポキシ−１，２−フェニレンジブタノエート、４−ブトキシ−１，２−フェニレンジブタノエート、４−イソブトキシ−１，２−フェニレンジブタノエート、４−ｔｅｒｔ−ブトキシ−１，２−フェニレンジブタノエート、４−ペントキシ−１，２−フェニレンジブタノエート、４−ヘキソキシ−１，２−フェニレンジブタノエート、４−ヘプトキシ−１，２−フェニレンジブタノエート、４−オクトキシ−１，２−フェニレンジブタノエート、４−ノノキシ−１，２−フェニレンジブタノエート、４−デコキシ−１，２−フェニレンジブタノエート、４−フェノキシ−１，２−フェニレンジブタノエート、４−クロロ−１，２−フェニレンジイソブタノエート、４−ブロモ−１，２−フェニレンジイソブタノエート、４−フルオロ−１，２−フェニレンジイソブタノエート、４−ヨード−１，２−フェニレンジイソブタノエート、４−メチル−１，２−フェニレンジイソブタノエート、４−エチル−１，２−フェニレンジイソブタノエート、４−ブチル−１，２−フェニレンジイソブタノエート、４−イソブチル−１，２−フェニレンジイソブタノエート、４−ｔｅｒｔ−ブチル−１，２−フェニレンジイソブタノエート、４−イソプロピル−１，２−フェニレンジイソブタノエート、４−ペンチル−１，２−フェニレンジイソブタノエート、４−イソペンチル−１，２−フェニレンジイソブタノエート、４−ヘキシル−１，２−フェニレンジイソブタノエート、４−ヘプチル−１，２−フェニレンジイソブタノエート、４−オクチル−１，２−フェニレンジイソブタノエート、４−ノニル−１，２−フェニレンジイソブタノエート、４−デシル−１，２−フェニレンジイソブタノエート、４−ドデシル−１，２−フェニレンジイソブタノエート、４−メトキシ−１，２−フェニレンジイソブタノエート、４−エトキシ−１，２−フェニレンジイソブタノエート、４−プロポキシ−１，２−フェニレンジイソブタノエート、４−イソプロポキシ−１，２−フェニレンジイソブタノエート、４−ブトキシ−１，２−フェニレンジイソブタノエート、４−イソブトキシ−１，２−フェニレンジイソブタノエート、４−ｔｅｒｔ−ブトキシ−１，２−フェニレンジイソブタノエート、４−ペントキシ−１，２−フェニレンジイソブタノエート、４−ヘキソキシ−１，２−フェニレンジイソブタノエート、４−ヘプトキシ−１，２−フェニレンジイソブタノエート、４−オクトキシ−１，２−フェニレンジイソブタノエート、４−ノノキシ−１，２−フェニレンジイソブタノエート、４−デコキシ−１，２−フェニレンジイソブタノエート、４−フェノキシ−１，２−フェニレンジイソブタノエート、４−クロロ−１，２−フェニレンジ−ｔｅｒｔ−ブタノエート、４−ブロモ−１，２−フェニレンジ−ｔｅｒｔ−ブタノエート、４−フルオロ−１，２−フェニレンジ−ｔｅｒｔ−ブタノエート、４−ヨード−１，２−フェニレンジ−ｔｅｒｔ−ブタノエート、４−メチル−１，２−フェニレンジ−ｔｅｒｔ−ブタノエート、４−エチル−１，２−フェニレンジ−ｔｅｒｔ−ブタノエート、４−ブチル−１，２−フェニレンジ−ｔｅｒｔ−ブタノエート、４−イソブチル−１，２−フェニレンジ−ｔｅｒｔ−ブタノエート、４−ｔｅｒｔ−ブチル−１，２−フェニレンジ−ｔｅｒｔ−ブタノエート、４−イソプロピル−１，２−フェニレンジ−ｔｅｒｔ−ブタノエート、４−ペンチル−１，２−フェニレンジ−ｔｅｒｔ−ブタノエート、４−イソペンチル−１，２−フェニレンジ−ｔｅｒｔ−ブタノエート、４−ヘキシル−１，２−フェニレンジ−ｔｅｒｔ−ブタノエート、４−ヘプチル−１，２−フェニレンジ−ｔｅｒｔ−ブタノエート、４−オクチル−１，２−フェニレンジ−ｔｅｒｔ−ブタノエート、４−ノニル−１，２−フェニレンジ−ｔｅｒｔ−ブタノエート、４−デシル−１，２−フェニレンジ−ｔｅｒｔ−ブタノエート、４−ドデシル−１，２−フェニレンジ−ｔｅｒｔ−ブタノエート、４−メトキシ−１，２−フェニレンジ−ｔｅｒｔ−ブタノエート、４−エトキシ−１，２−フェニレンジ−ｔｅｒｔ−ブタノエート、４−プロポキシ−１，２−フェニレンジ−ｔｅｒｔ−ブタノエート、４−イソプロポキシ−１，２−フェニレンジ−ｔｅｒｔ−ブタノエート、４−ブトキシ−１，２−フェニレンジ−ｔｅｒｔ−ブタノエート、４−イソブトキシ−１，２−フェニレンジ−ｔｅｒｔ−ブタノエート、４−ｔｅｒｔ−ブトキシ−１，２−フェニレンジ−ｔｅｒｔ−ブタノエート、４−ペントキシ−１，２−フェニレンジ−ｔｅｒｔ−ブタノエート、４−ヘキソキシ−１，２−フェニレンジ−ｔｅｒｔ−ブタノエート、４−ヘプトキシ−１，２−フェニレンジ−ｔｅｒｔ−ブタノエート、４−オクトキシ−１，２−フェニレンジ−ｔｅｒｔ−ブタノエート、４−ノノキシ−１，２−フェニレンジ−ｔｅｒｔ−ブタノエート、４−デコキシ−１，２−フェニレンジ−ｔｅｒｔ−ブタノエート、４−フェノキシ−１，２−フェニレンジ−ｔｅｒｔ−ブタノエー
ト、４−クロロ−１，２−フェニレンジペンタノエート、４−ブロモ−１，２−フェニレンジペンタノエート、４−フルオロ−１，２−フェニレンジペンタノエート、４−ヨード−１，２−フェニレンジペンタノエート、４−メチル−１，２−フェニレンジペンタノエート、４−エチル−１，２−フェニレンジペンタノエート、４−ブチル−１，２−フェニレンジペンタノエート、４−イソブチル−１，２−フェニレンジペンタノエート、４−ｔｅｒｔ−ブチル−１，２−フェニレンジペンタノエート、４−イソプロピル−１，２−フェニレンジペンタノエート、４−ペンチル−１，２−フェニレンジペンタノエート、４−イソペンチル−１，２−フェニレンジペンタノエート、４−ヘキシル−１，２−フェニレンジペンタノエート、４−ヘプチル−１，２−フェニレンジペンタノエート、４−オクチル−１，２−フェニレンジペンタノエート、４−ノニル−１，２−フェニレンジペンタノエート、４−デシル−１，２−フェニレンジペンタノエート、４−ドデシル−１，２−フェニレンジペンタノエート、４−メトキシ−１，２−フェニレンジペンタノエート、４−エトキシ−１，２−フェニレンジペンタノエート、４−プロポキシ−１，２−フェニレンジペンタノエート、４−イソプロポキシ−１，２−フェニレンジペンタノエート、４−ブトキシ−１，２−フェニレンジペンタノエート、４−イソブトキシ−１，２−フェニレンジペンタノエート、４−ｔｅｒｔ−ブトキシ−１，２−フェニレンジペンタノエート、４−ペントキシ−１，２−フェニレンジペンタノエート、４−ヘキソキシ−１，２−フェニレンジペンタノエート、４−ヘプトキシ−１，２−フェニレンジペンタノエート、４−オクトキシ−１，２−フェニレンジペンタノエート、４−ノノキシ−１，２−フェニレンジペンタノエート、４−デコキシ−１，２−フェニレンジペンタノエート、４−フェノキシ−１，２−フェニレンジペンタノエート、４−クロロ−１，２−フェニレンジイソペンタノエート、４−ブロモ−１，２−フェニレンジイソペンタノエート、４−フルオロ−１，２−フェニレンジイソペンタノエート、４−ヨード−１，２−フェニレンジイソペンタノエート、４−メチル−１，２−フェニレンジイソペンタノエート、４−エチル−１，２−フェニレンジイソペンタノエート、４−ブチル−１，２−フェニレンジイソペンタノエート、４−イソブチル−１，２−フェニレンジイソペンタノエート、４−ｔｅｒｔ−ブチル−１，２−フェニレンジイソペンタノエート、４−イソプロピル−１，２−フェニレンジイソペンタノエート、４−ペンチル−１，２−フェニレンジイソペンタノエート、４−イソペンチル−１，２−フェニレンジイソペンタノエート、４−ヘキシル−１，２−フェニレンジイソペンタノエート、４−ヘプチル−１，２−フェニレンジイソペンタノエート、４−オクチル−１，２−フェニレンジイソペンタノエート、４−ノニル−１，２−フェニレンジイソペンタノエート、４−デシル−１，２−フェニレンジイソペンタノエート、４−ドデシル−１，２−フェニレンジイソペンタノエート、４−メトキシ−１，２−フェニレンジイソペンタノエート、４−エトキシ−１，２−フェニレンジイソペンタノエート、４−プロポキシ−１，２−フェニレンジイソペンタノエート、４−イソプロポキシ−１，２−フェニレンジイソペンタノエート、４−ブトキシ−１，２−フェニレンジイソペンタノエート、４−イソブトキシ−１，２−フェニレンジイソペンタノエート、４−ｔｅｒｔ−ブトキシ−１，２−フェニレンジイソペンタノエート、４−ペントキシ−１，２−フェニレンジイソペンタノエート、４−ヘキソキシ−１，２−フェニレンジイソペンタノエート、４−ヘプトキシ−１，２−フェニレンジイソペンタノエート、４−オクトキシ−１，２−フェニレンジイソペンタノエート、４−ノノキシ−１，２−フェニレンジイソペンタノエート、４−デコキシ−１，２−フェニレンジイソペンタノエート、４−フェノキシ−１，２−フェニレンジイソペンタノエート、４−クロロ−１，２−フェニレンジヘキサノエート、４−ブロモ−１，２−フェニレンジヘキサノエート、４−フルオロ−１，２−フェニレンジヘキサノエート、４−ヨード−１，２−フェニレンジヘキサノエート、４−メチル−１，２−フェニレンジヘキサノエート、４−エチル−１，２−フェニレンジヘキサノエート、４−ブチル−１，２−フェニレンジヘキサノエート、４−イソブチル−１，２−フェニレンジヘキサノエート、４−ｔｅｒｔ−ブチル−１，２−フェニレンジヘキサノエート、４−イソプロピル−１，２−フェニレンジヘキサノエート、４−ペンチル−１，２−フェニレンジヘキサノエート、４−イソペンチル−１，２−フェニレンジヘキサノエート、４−ヘキシル−１，２−フェニレンジヘキサノエート、４−ヘプチル−１，２−フェニレンジヘキサノエート、４−オクチル−１，２−フェニレンジヘキサノエート、４−ノニル−１，２−フェニレンジヘキサノエート、４−デシル−１，２−フェニレンジヘキサノエート、４−ドデシル−１，２−フェニレンジヘキサノエート、４−メトキシ−１，２−フェニレンジヘキサノエート、４−エトキシ−１，２−フェニレンジヘキサノエート、４−プロポキシ−１，２−フェニレンジヘキサノエート、４−イソプロポキシ−１，２−フェニレンジヘキサノエート、４−ブトキシ−１，２−フェニレンジヘキサノエート、４−イソブトキシ−１，２−フェニレンジヘキサノエート、４−ｔｅｒｔ−ブトキシ−１，２−フェニレンジヘキサノエート、４−ペントキシ−１，２−フェニレンジヘキサノエート、４−ヘキソキシ−１，２−フェニレンジヘキサノエート、４−ヘプトキシ−１，２−フェニレンジヘキサノエート、４−オクトキシ−１，２−フェニレンジヘキサノエート、４−ノノキシ−１，２−フェニレンジヘキサノエート、４−デコキシ−１，２−フェニレンジヘキサノエート、４−フェノキシ−１，２−フェニレンジヘキサノエート、４−クロロ−１，２−フェニレンジイソヘキサノエート、４−ブロモ−１，２−フェニレンジイソヘキサノエート、４−フルオロ−１，２−フェニレンジイソヘキサノエート、４−ヨード−１，２−フェニレンジイソヘキサノエート、４−メチル−１，２−フェニレンジイソヘキサノエート、４−エチル−１，２−フェニレンジイソヘキサノエート、４−ブチル−１，２−フェニレンジイソヘキサノエート、４−イソブチル−１，２−フェニレンジイソヘキサノエート、４−ｔｅｒｔ−ブチル−１，２−フェニレンジイソヘキサノエート、４−イソプロピル−１，２−フェニレンジイソヘキサノエート、４−ペンチル−１，２−フェニレンジイソヘキサノエート、４−イソペンチル−１，２−フェニレンジイソヘキサノエート、４−ヘキシル−１，２−フェニレンジイソヘキサノエート、４−ヘプチル−１，２−フェニレンジイソヘキサノエート、４−オクチル−１，２−フェニレンジイソヘキサノエート、４−ノニル−１，２−フェニレンジイソヘキサノエート、４−デシル−１，２−フェニレンジイソヘキサノエート、４−ドデシル−１，２−フェニレンジイソヘキサノエート、４−メトキシ−１，２−フェニレンジイソヘキサノエート、４−エトキシ−１，２−フェニレンジイソヘキサノエート、４−プロポキシ−１，２−フェニレンジイソヘキサノエート、４−イソプロポキシ−１，２−フェニレンジイソヘキサノエート、４−ブトキシ−１，２−フェニレンジイソヘキサノエート、４−イソブトキシ−１，２−フェニレンジイソヘキサノエート、４−ｔｅｒｔ−ブトキシ−１，２−フェニレンジイソヘキサノエート、４−ペントキシ−１，２−フェニレンジイソヘキサノエート、４−ヘキソキシ−１，２−フェニレンジイソヘキサノエート、４−ヘプトキシ−１，２−フェニレンジイソヘキサノエート、４−オクトキシ−１，２−フェニレンジイソヘキサノエート、４−ノノキシ−１，２−フェニレンジイソヘキサノエート、４−デコキシ−１，２−フェニレンジイソヘキサノエート、４−フェノキシ−１，２−フェニレンジイソヘキサノエート、４−クロロ−１，２−フェニレンジヘプタノエート、４−ブロモ−１，２−フェニレンジヘプタノエート、４−フルオロ−１，２−フェニレンジヘプタノエート、４−ヨード−１，２−フェニレンジヘプタノエート、４−メチル−１，２−フェニレンジヘプタノエート、４−エチル−１，２−フェニレンジヘプタノエート、４−ブチル−１，２−フェニレンジヘプタノエート、４−イソブチル−１，２−フェニレンジヘプタノエート、４−ｔｅｒｔ−ブチル−１，２−フェニレンジヘプタノエート、４−イソプロピル−１，２−フェニレンジヘプタノエート、４−ペンチル−１，２−フェニレンジヘプタノエート、４−イソペンチル−１，２−フェニレンジヘプタノエート、４−ヘキシル−１，２−フェニレンジヘプタノエート、４−ヘプチル−１，２−フェニレンジヘプタノエート、４−オクチル−１，２−フェニレンジヘプタノエート、４−ノニル−１，２−フェニレンジヘプタノエート、４−デシル−１，２−フェニレンジヘプタノエート、４−ドデシル−１，２−フェニレンジヘプタノエート、４−メトキシ−１，２−フェニレンジヘプタノエート、４−エトキシ−１，２−フェニレンジヘプタノエート、４−プロポキシ−１，２−フェニレンジヘプタノエート、４−イソプロポキシ−１，２−フェニレンジヘプタノエート、４−ブトキシ−１，２−フェニレンジヘプタノエート、４−イソブトキシ−１，２−フェニレンジヘプタノエート、４−ｔｅｒｔ−ブトキシ−１，２−フェニレンジヘプタノエート、４−ペントキシ−１，２−フェニレンジヘプタノエート、４−ヘキソキシ−１，２−フェニレンジヘプタノエート、４−ヘプトキシ−１，２−フェニレンジヘプタノエート、４−オクトキシ−１，２−フェニレンジヘプタノエート、４−ノノキシ−１，２−フェニレンジヘプタノエート、４−デコキシ−１，２−フェニレンジヘプタノエート、４−フェノキシ−１，２−フェニレンジヘプタノエート、４−クロロ−１，２−フェニレンジイソヘプタノエート、４−ブロモ−１，２−フェニレンジイソヘプタノエート、４−フルオロ−１，２−フェニレンジイソヘプタノエート、４−ヨード−１，２−フェニレンジイソヘプタノエート、４−メチル−１，２−フェニレンジイソヘプタノエート、４−エチル−１，２−フェニレンジイソヘプタノエート、４−ブチル−１，２−フェニレンジイソヘプタノエート、４−イソブチル−１，２−フェニレンジイソヘプタノエート、４−ｔｅｒｔ−ブチル−１，２−フェニレンジイソヘプタノエート、４−イソプロピル−１，２−フェニレンジイソヘプタノエート、４−ペンチル−１，２−フェニレンジイソヘプタノエート、４−イソペンチル−１，２−フェニレンジイソヘプタノエート、４−ヘキシル−１，２−フェニレンジイソヘプタノエート、４−ヘプチル−１，２−フェニレンジイソヘプタノエート、４−オクチル−１，２−フェニレンジイソヘプタノエート、４−ノニル−１，２−フェニレンジイソヘプタノエート、４−デシル−１，２−フェニレンジイソヘプタノエート、４−ドデシル−１，２−フェニレンジイソヘプタノエート、４−メトキシ−１，２−フェニレンジイソヘプタノエート、４−エトキシ−１，２−フェニレンジイソヘプタノエート、４−プロポキシ−１，２−フェニレンジイソヘプタノエート、４−イソプロポキシ−１，２−フェニレンジイソヘプタノエート、４−ブトキシ−１，２−フェニレンジイソヘプタノエート、４−イソブトキシ−１，２−フェニレンジイソヘプタノエート、４−ｔｅｒｔ−ブトキシ−１，２−フェニレンジイソヘプタノエート、４−ペントキシ−１，２−フェニレンジイソヘプタノエート、４−ヘキソキシ−１，２−フェニレンジイソヘプタノエート、４−ヘプトキシ−１，２−フェニレンジイソヘプタノエート、４−オクトキシ−１，２−フェニレンジイソヘプタノエート、４−ノノキシ−１，２−フェニレンジイソヘプタノエート、４−デコキシ−１，２−フェニレンジイソヘプタノエート、４−フェノキシ−１，２−フェニレンジイソヘプタノエート、４−クロロ−１，２−フェニレンジオクタノエート、４
−ブロモ−１，２−フェニレンジオクタノエート、４−フルオロ−１，２−フェニレンジオクタノエート、４−ヨード−１，２−フェニレンジオクタノエート、４−メチル−１，２−フェニレンジオクタノエート、４−エチル−１，２−フェニレンジオクタノエート、４−ブチル−１，２−フェニレンジオクタノエート、４−イソブチル−１，２−フェニレンジオクタノエート、４−ｔｅｒｔ−ブチル−１，２−フェニレンジオクタノエート、４−イソプロピル−１，２−フェニレンジオクタノエート、４−ペンチル−１，２−フェニレンジオクタノエート、４−イソペンチル−１，２−フェニレンジオクタノエート、４−ヘキシル−１，２−フェニレンジオクタノエート、４−ヘプチル−１，２−フェニレンジオクタノエート、４−オクチル−１，２−フェニレンジオクタノエート、４−ノニル−１，２−フェニレンジオクタノエート、４−デシル−１，２−フェニレンジオクタノエート、４−ドデシル−１，２−フェニレンジオクタノエート、４−メトキシ−１，２−フェニレンジオクタノエート、４−エトキシ−１，２−フェニレンジオクタノエート、４−プロポキシ−１，２−フェニレンジオクタノエート、４−イソプロポキシ−１，２−フェニレンジオクタノエート、４−ブトキシ−１，２−フェニレンジオクタノエート、４−イソブトキシ−１，２−フェニレンジオクタノエート、４−ｔｅｒｔ−ブトキシ−１，２−フェニレンジオクタノエート、４−ペントキシ−１，２−フェニレンジオクタノエート、４−ヘキソキシ−１，２−フェニレンジオクタノエート、４−ヘプトキシ−１，２−フェニレンジオクタノエート、４−オクトキシ−１，２−フェニレンジオクタノエート、４−ノノキシ−１，２−フェニレンジオクタノエート、４−デコキシ−１，２−フェニレンジオクタノエート、４−フェノキシ−１，２−フェニレンジオクタノエート、４−クロロ−１，２−フェニレンジイソオクタノエート、４−ブロモ−１，２−フェニレンジイソオクタノエート、４−フルオロ−１，２−フェニレンジイソオクタノエート、４−ヨード−１，２−フェニレンジイソオクタノエート、４−メチル−１，２−フェニレンジイソオクタノエート、４−エチル−１，２−フェニレンジイソオクタノエート、４−ブチル−１，２−フェニレンジイソオクタノエート、４−イソブチル−１，２−フェニレンジイソオクタノエート、４−ｔｅｒｔ−ブチル−１，２−フェニレンジイソオクタノエート、４−イソプロピル−１，２−フェニレンジイソオクタノエート、４−ペンチル−１，２−フェニレンジイソオクタノエート、４−イソペンチル−１，２−フェニレンジイソオクタノエート、４−ヘキシル−１，２−フェニレンジイソオクタノエート、４−ヘプチル−１，２−フェニレンジイソオクタノエート、４−オクチル−１，２−フェニレンジイソオクタノエート、４−ノニル−１，２−フェニレンジイソオクタノエート、４−デシル−１，２−フェニレンジイソオクタノエート、４−ドデシル−１，２−フェニレンジイソオクタノエート、４−メトキシ−１，２−フェニレンジイソオクタノエート、４−エトキシ−１，２−フェニレンジイソオクタノエート、４−プロポキシ−１，２−フェニレンジイソオクタノエート、４−イソプロポキシ−１，２−フェニレンジイソオクタノエート、４−ブトキシ−１，２−フェニレンジイソオクタノエート、４−イソブトキシ−１，２−フェニレンジイソオクタノエート、４−ｔｅｒｔ−ブトキシ−１，２−フェニレンジイソオクタノエート、４−ペントキシ−１，２−フェニレンジイソオクタノエート、４−ヘキソキシ−１，２−フェニレンジイソオクタノエート、４−ヘプトキシ−１，２−フェニレンジイソオクタノエート、４−オクトキシ−１，２−フェニレンジイソオクタノエート、４−ノノキシ−１，２−フェニレンジイソオクタノエート、４−デコキシ−１，２−フェニレンジイソオクタノエート、４−フェノキシ−１，２−フェニレンジイソオクタノエート、４−クロロ−１，２−フェニレンジノナノエート、４−ブロモ−１，２−フェニレンジノナノエート、４−フルオロ−１，２−フェニレンジノナノエート、４−ヨード−１，２−フェニレンジノナノエート、４−メチル−１，２−フェニレンジノナノエート、４−エチル−１，２−フェニレンジノナノエート、４−ブチル−１，２−フェニレンジノナノエート、４−イソブチル−１，２−フェニレンジノナノエート、４−ｔｅｒｔ−ブチル−１，２−フェニレンジノナノエート、４−イソプロピル−１，２−フェニレンジノナノエート、４−ペンチル−１，２−フェニレンジノナノエート、４−イソペンチル−１，２−フェニレンジノナノエート、４−ヘキシル−１，２−フェニレンジノナノエート、４−ヘプチル−１，２−フェニレンジノナノエート、４−オクチル−１，２−フェニレンジノナノエート、４−ノニル−１，２−フェニレンジノナノエート、４−デシル−１，２−フェニレンジノナノエート、４−ドデシル−１，２−フェニレンジノナノエート、４−メトキシ−１，２−フェニレンジノナノエート、４−エトキシ−１，２−フェニレンジノナノエート、４−プロポキシ−１，２−フェニレンジノナノエート、４−イソプロポキシ−１，２−フェニレンジノナノエート、４−ブトキシ−１，２−フェニレンジノナノエート、４−イソブトキシ−１，２−フェニレンジノナノエート、４−ｔｅｒｔ−ブトキシ−１，２−フェニレンジノナノエート、４−ペントキシ−１，２−フェニレンジノナノエート、４−ヘキソキシ−１，２−フェニレンジノナノエート、４−ヘプトキシ−１，２−フェニレンジノナノエート、４−オクトキシ−１，２−フェニレンジノナノエート、４−ノノキシ−１，２−フェニレンジノナノエート、４−デコキシ−１，２−フェニレンジノナノエート、４−フェノキシ−１，２−フェニレンジノナノエート、４−クロロ−１，２−フェニレンジデカノエート、４−ブロモ−１，２−フェニレンジデカノエート、４−フルオロ−１，２−フェニレンジデカノエート、４−ヨード−１，２−フェニレンジデカノエート、４−メチル−１，２−フェニレンジデカノエート、４−エチル−１，２−フェニレンジデカノエート、４−ブチル−１，２−フェニレンジデカノエート、４−イソブチル−１，２−フェニレンジデカノエート、４−ｔｅｒｔ−ブチル−１，２−フェニレンジデカノエート、４−イソプロピル−１，２−フェニレンジデカノエート、４−ペンチル−１，２−フェニレンジデカノエート、４−イソペンチル−１，２−フェニレンジデカノエート、４−ヘキシル−１，２−フェニレンジデカノエート、４−ヘプチル−１，２−フェニレンジデカノエート、４−オクチル−１，２−フェニレンジデカノエート、４−ノニル−１，２−フェニレンジデカノエート、４−デシル−１，２−フェニレンジデカノエート、４−ドデシル−１，２−フェニレンジデカノエート、４−メトキシ−１，２−フェニレンジデカノエート、４−エトキシ−１，２−フェニレンジデカノエート、４−プロポキシ−１，２−フェニレンジデカノエート、４−イソプロポキシ−１，２−フェニレンジデカノエート、４−ブトキシ−１，２−フェニレンジデカノエート、４−イソブトキシ−１，２−フェニレンジデカノエート、４−ｔｅｒｔ−ブトキシ−１，２−フェニレンジデカノエート、４−ペントキシ−１，２−フェニレンジデカノエート、４−ヘキソキシ−１，２−フェニレンジデカノエート、４−ヘプトキシ−１，２−フェニレンジデカノエート、４−オクトキシ−１，２−フェニレンジデカノエート、４−ノノキシ−１，２−フェニレンジデカノエート、４−デコキシ−１，２−フェニレンジデカノエート、４−フェノキシ−１，２−フェニレンジデカノエート、を含む群から選択される、請求項１３に記載の触媒組成物。
【請求項１５】
１，２−フェニレンジオエートは、４−クロロ−１，２−フェニレンのジアセテート、４−ｔｅｒｔ−ブチル−１，２−フェニレンジアセテート及び４−メチル−１，２−フェニレンジアセテートを含む群から選択される、請求項１４に記載の触媒組成物。
【請求項１６】
１，２−フェニレンジオエートは、
３−クロロ−１，２−フェニレンジアセテート、３−ブロモ−１，２−フェニレンジアセテート、３−フルオロ−１，２−フェニレンジアセテート、３−ヨード−１，２−フェニレンジアセテート、３−メチル−１，２−フェニレンジアセテート、３−エチル−１，２−フェニレンジアセテート、３−ブチル−１，２−フェニレンジアセテート、３−イソブチル−１，２−フェニレンジアセテート、３−ｔｅｒｔ−ブチル−１，２−フェニレンジアセテート、３−イソプロピル−１，２−フェニレンジアセテート、３−ペンチル−１，２−フェニレンジアセテート、３−イソペンチル−１，２−フェニレンジアセテート、３−ヘキシル−１，２−フェニレンジアセテート、３−ヘプチル−１，２−フェニレンジアセテート、３−オクチル−１，２−フェニレンジアセテート、３−ノニル−１，２−フェニレンジアセテート、３−デシル−１，２−フェニレンジアセテート、３−ドデシル−１，２−フェニレンジアセテート、３−メトキシ−１，２−フェニレンジアセテート、３−エトキシ−１，２−フェニレンジアセテート、３−プロポキシ−１，２−フェニレンジアセテート、３−イソプロポキシ−１，２−フェニレンジアセテート、３−ブトキシ−１，２−フェニレンジアセテート、３−イソブトキシ−１，２−フェニレンジアセテート、３−ｔｅｒｔ−ブトキシ−１，２−フェニレンジアセテート、３−ペントキシ−１，２−フェニレンジアセテート、３−ヘキソキシ−１，２−フェニレンジアセテート、３−ヘプトキシ−１，２−フェニレンジアセテート、３−オクトキシ−１，２−フェニレンジアセテート、３−ノノキシ−１，２−フェニレンジアセテート、３−デコキシ−１，２−フェニレンジアセテート、３−フェノキシ−１，２−フェニレンジアセテート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート、３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート、３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジイソプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジブタノエート、３−ブロモ−１，２−フェニレンジブタノエート、３−フルオロ−１，２−フェニレンジブタノエート、３−ヨード−１，２−フェニレンジブタノエート、３−メチル−１，２−フェニレンジブタノエート、３−エチル−１，２−フェニレンジブタノエート、３−ブチル−１，２−フェニレンジブタノエート、３−イソブチル−１，２−フェニレンジブタノエート、３−ｔｅｒｔ−ブチル−１，２−フェニレンジブタノエート、３−イソプロピル−１，２−フェニレンジブタノエート、３−ペンチル−１，２−フェニレンジブタノエート、３−イソペンチル−１，２−フェニレンジブタノエート、３−ヘキシル−１，２−フェニレンジブタノエート、３−ヘプチル−１，２−フェニレンジブタノエート、３−オクチル−１，２−フェニレンジブタノエート、３−ノニル−１，２−フェニレンジブタノエート、３−デシル−１，２−フェニレンジブタノエート、３−ドデシル−１，２−フェニレンジブタノエート、３−メトキシ−１，２−フェニレンジブタノエート、３−エトキシ−１，２−フェニレンジブタノエート、３−プロポキシ−１，２−フェニレンジブタノエート、３−イソプロポキシ−１，２−フェニレンジブタノエート、３−ブトキシ−１，２−フェニレンジブタノエート、３−イソブトキシ−１，２−フェニレンジブタノエート、３−ｔｅｒｔ−ブトキシ−１，２−フェニレンジブタノエート、３−ペントキシ−１，２−フェニレンジブタノエート、３−ヘキソキシ−１，２−フェニレンジブタノエート、３−ヘプトキシ−１，２−フェニレンジブタノエート、３−オクトキシ−１，２−フェニレンジブタノエート、３−ノノキシ−１，２−フェニレンジブタノエート、３−デコキシ−１，２−フェニレンジブタノエート、３−フェノキシ−１，２−フェニレンジブタノエート、３−クロロ−１，２−フェニレンジイソブタノエート、３−ブロモ−１，２−フェニレンジイソブタノエート、３−フルオロ−１，２−フェニレンジイソブタノエート、３−ヨード−１，２−フェニレンジイソブタノエート、３−メチル−１，２−フェニレンジイソブタノエート、３−エチル−１，２−フェニレンジイソブタノエート、３−ブチル−１，２−フェニレンジイソブタノエート、３−イソブチル−１，２−フェニレンジイソブタノエート、３−ｔｅｒｔ−ブチル−１，２−フェニレンジイソブタノエート、３−イソプロピル−１，２−フェニレンジイソブタノエート、３−ペンチル−１，２−フェニレンジイソブタノエート、３−イソペンチル−１，２−フェニレンジイソブタノエート、３−ヘキシル−１，２−フェニレンジイソブタノエート、３−ヘプチル−１，２−フェニレンジイソブタノエート、３−オクチル−１，２−フェニレンジイソブタノエート、３−ノニル−１，２−フェニレンジイソブタノエート、３−デシル−１，２−フェニレンジイソブタノエート、３−ドデシル−１，２−フェニレンジイソブタノエート、３−メトキシ−１，２−フェニレンジイソブタノエート、３−エトキシ−１，２−フェニレンジイソブタノエート、３−プロポキシ−１，２−フェニレンジイソブタノエート、３−イソプロポキシ−１，２−フェニレンジイソブタノエート、３−ブトキシ−１，２−フェニレンジイソブタノエート、３−イソブトキシ−１，２−フェニレンジイソブタノエート、３−ｔｅｒｔ−ブトキシ−１，２−フェニレンジイソブタノエート、３−ペントキシ−１，２−フェニレンジイソブタノエート、３−ヘキソキシ−１，２−フェニレンジイソブタノエート、３−ヘプトキシ−１，２−フェニレンジイソブタノエート、３−オクトキシ−１，２−フェニレンジイソブタノエート、３−ノノキシ−１，２−フェニレンジイソブタノエート、３−デコキシ−１，２−フェニレンジイソブタノエート、３−フェノキシ−１，２−フェニレンジイソブタノエート、３−クロロ−１，２−フェニレンジ−ｔｅｒｔ−ブタノエート、３−ブロモ−１，２−フェニレンジ−ｔｅｒｔ−ブタノエート、３−フルオロ−１，２−フェニレンジ−ｔｅｒｔ−ブタノエート、３−ヨード−１，２−フェニレンジ−ｔｅｒｔ−ブタノエート、３−メチル−１，２−フェニレンジ−ｔｅｒｔ−ブタノエート、３−エチル−１，２−フェニレンジ−ｔｅｒｔ−ブタノエート、３−ブチル−１，２−フェニレンジ−ｔｅｒｔ−ブタノエート、３−イソブチル−１，２−フェニレンジ−ｔｅｒｔ−ブタノエート、３−ｔｅｒｔ−ブチル−１，２−フェニレンジ−ｔｅｒｔ−ブタノエート、３−イソプロピル−１，２−フェニレンジ−ｔｅｒｔ−ブタノエート、３−ペンチル−１，２−フェニレンジ−ｔｅｒｔ−ブタノエート、３−イソペンチル−１，２−フェニレンジ−ｔｅｒｔ−ブタノエート、３−ヘキシル−１，２−フェニレンジ−ｔｅｒｔ−ブタノエート、３−ヘプチル−１，２−フェニレンジ−ｔｅｒｔ−ブタノエート、３−オクチル−１，２−フェニレンジ−ｔｅｒｔ−ブタノエート、３−ノニル−１，２−フェニレンジ−ｔｅｒｔ−ブタノエート、３−デシル−１，２−フェニレンジ−ｔｅｒｔ−ブタノエート、３−ドデシル−１，２−フェニレンジ−ｔｅｒｔ−ブタノエート、３−メトキシ−１，２−フェニレンジ−ｔｅｒｔ−ブタノエート、３−エトキシ−１，２−フェニレンジ−ｔｅｒｔ−ブタノエート、３−プロポキシ−１，２−フェニレンジ−ｔｅｒｔ−ブタノエート、３−イソプロポキシ−１，２−フェニレンジ−ｔｅｒｔ−ブタノエート、３−ブトキシ−１，２−フェニレンジ−ｔｅｒｔ−ブタノエート、３−イソブトキシ−１，２−フェニレンジ−ｔｅｒｔ−ブタノエート、３−ｔｅｒｔ−ブトキシ−１，２−フェニレンジ−ｔｅｒｔ−ブタノエート、３−ペントキシ−１，２−フェニレンジ−ｔｅｒｔ−ブタノエート、３−ヘキソキシ−１，２−フェニレンジ−ｔｅｒｔ−ブタノエート、３−ヘプトキシ−１，２−フェニレンジ−ｔｅｒｔ−ブタノエート、３−オクトキシ−１，２−フェニレンジ−ｔｅｒｔ−ブタノエート、３−ノノキシ−１，２−フェニレンジ−ｔｅｒｔ−ブタノエート、３−デコキシ−１，２−フェニレンジ−ｔｅｒｔ−ブタノエート、３−フェノキシ−１，２−フェニレンジ−ｔｅｒｔ−ブタノエー
ト、３−クロロ−１，２−フェニレンジペンタノエート、３−ブロモ−１，２−フェニレンジペンタノエート、３−フルオロ−１，２−フェニレンジペンタノエート、３−ヨード−１，２−フェニレンジペンタノエート、３−メチル−１，２−フェニレンジペンタノエート、３−エチル−１，２−フェニレンジペンタノエート、３−ブチル−１，２−フェニレンジペンタノエート、３−イソブチル−１，２−フェニレンジペンタノエート、３−ｔｅｒｔ−ブチル−１，２−フェニレンジペンタノエート、３−イソプロピル−１，２−フェニレンジペンタノエート、３−ペンチル−１，２−フェニレンジペンタノエート、３−イソペンチル−１，２−フェニレンジペンタノエート、３−ヘキシル−１，２−フェニレンジペンタノエート、３−ヘプチル−１，２−フェニレンジペンタノエート、３−オクチル−１，２−フェニレンジペンタノエート、３−ノニル−１，２−フェニレンジペンタノエート、３−デシル−１，２−フェニレンジペンタノエート、３−ドデシル−１，２−フェニレンジペンタノエート、３−メトキシ−１，２−フェニレンジペンタノエート、３−エトキシ−１，２−フェニレンジペンタノエート、３−プロポキシ−１，２−フェニレンジペンタノエート、３−イソプロポキシ−１，２−フェニレンジペンタノエート、３−ブトキシ−１，２−フェニレンジペンタノエート、３−イソブトキシ−１，２−フェニレンジペンタノエート、３−ｔｅｒｔ−ブトキシ−１，２−フェニレンジペンタノエート、３−ペントキシ−１，２−フェニレンジペンタノエート、３−ヘキソキシ−１，２−フェニレンジペンタノエート、３−ヘプトキシ−１，２−フェニレンジペンタノエート、３−オクトキシ−１，２−フェニレンジペンタノエート、３−ノノキシ−１，２−フェニレンジペンタノエート、３−デコキシ−１，２−フェニレンジペンタノエート、３−フェノキシ−１，２−フェニレンジペンタノエート、３−クロロ−１，２−フェニレンジイソペンタノエート、３−ブロモ−１，２−フェニレンジイソペンタノエート、３−フルオロ−１，２−フェニレンジイソペンタノエート、３−ヨード−１，２−フェニレンジイソペンタノエート、３−メチル−１，２−フェニレンジイソペンタノエート、３−エチル−１，２−フェニレンジイソペンタノエート、３−ブチル−１，２−フェニレンジイソペンタノエート、３−イソブチル−１，２−フェニレンジイソペンタノエート、３−ｔｅｒｔ−ブチル−１，２−フェニレンジイソペンタノエート、３−イソプロピル−１，２−フェニレンジイソペンタノエート、３−ペンチル−１，２−フェニレンジイソペンタノエート、３−イソペンチル−１，２−フェニレンジイソペンタノエート、３−ヘキシル−１，２−フェニレンジイソペンタノエート、３−ヘプチル−１，２−フェニレンジイソペンタノエート、３−オクチル−１，２−フェニレンジイソペンタノエート、３−ノニル−１，２−フェニレンジイソペンタノエート、３−デシル−１，２−フェニレンジイソペンタノエート、３−ドデシル−１，２−フェニレンジイソペンタノエート、３−メトキシ−１，２−フェニレンジイソペンタノエート、３−エトキシ−１，２−フェニレンジイソペンタノエート、３−プロポキシ−１，２−フェニレンジイソペンタノエート、３−イソプロポキシ−１，２−フェニレンジイソペンタノエート、３−ブトキシ−１，２−フェニレンジイソペンタノエート、３−イソブトキシ−１，２−フェニレンジイソペンタノエート、３−ｔｅｒｔ−ブトキシ−１，２−フェニレンジイソペンタノエート、３−ペントキシ−１，２−フェニレンジイソペンタノエート、３−ヘキソキシ−１，２−フェニレンジイソペンタノエート、３−ヘプトキシ−１，２−フェニレンジイソペンタノエート、３−オクトキシ−１，２−フェニレンジイソペンタノエート、３−ノノキシ−１，２−フェニレンジイソペンタノエート、３−デコキシ−１，２−フェニレンジイソペンタノエート、３−フェノキシ−１，２−フェニレンジイソペンタノエート、３−クロロ−１，２−フェニレンジヘキサノエート、３−ブロモ−１，２−フェニレンジヘキサノエート、３−フルオロ−１，２−フェニレンジヘキサノエート、３−ヨード−１，２−フェニレンジヘキサノエート、３−メチル−１，２−フェニレンジヘキサノエート、３−エチル−１，２−フェニレンジヘキサノエート、３−ブチル−１，２−フェニレンジヘキサノエート、３−イソブチル−１，２−フェニレンジヘキサノエート、３−ｔｅｒｔ−ブチル−１，２−フェニレンジヘキサノエート、３−イソプロピル−１，２−フェニレンジヘキサノエート、３−ペンチル−１，２−フェニレンジヘキサノエート、３−イソペンチル−１，２−フェニレンジヘキサノエート、３−ヘキシル−１，２−フェニレンジヘキサノエート、３−ヘプチル−１，２−フェニレンジヘキサノエート、３−オクチル−１，２−フェニレンジヘキサノエート、３−ノニル−１，２−フェニレンジヘキサノエート、３−デシル−１，２−フェニレンジヘキサノエート、３−ドデシル−１，２−フェニレンジヘキサノエート、３−メトキシ−１，２−フェニレンジヘキサノエート、３−エトキシ−１，２−フェニレンジヘキサノエート、３−プロポキシ−１，２−フェニレンジヘキサノエート、３−イソプロポキシ−１，２−フェニレンジヘキサノエート、３−ブトキシ−１，２−フェニレンジヘキサノエート、３−イソブトキシ−１，２−フェニレンジヘキサノエート、３−ｔｅｒｔ−ブトキシ−１，２−フェニレンジヘキサノエート、３−ペントキシ−１，２−フェニレンジヘキサノエート、３−ヘキソキシ−１，２−フェニレンジヘキサノエート、３−ヘプトキシ−１，２−フェニレンジヘキサノエート、３−オクトキシ−１，２−フェニレンジヘキサノエート、３−ノノキシ−１，２−フェニレンジヘキサノエート、３−デコキシ−１，２−フェニレンジヘキサノエート、３−フェノキシ−１，２−フェニレンジヘキサノエート、３−クロロ−１，２−フェニレンジイソヘキサノエート、３−ブロモ−１，２−フェニレンジイソヘキサノエート、３−フルオロ−１，２−フェニレンジイソヘキサノエート、３−ヨード−１，２−フェニレンジイソヘキサノエート、３−メチル−１，２−フェニレンジイソヘキサノエート、３−エチル−１，２−フェニレンジイソヘキサノエート、３−ブチル−１，２−フェニレンジイソヘキサノエート、３−イソブチル−１，２−フェニレンジイソヘキサノエート、３−ｔｅｒｔ−ブチル−１，２−フェニレンジイソヘキサノエート、３−イソプロピル−１，２−フェニレンジイソヘキサノエート、３−ペンチル−１，２−フェニレンジイソヘキサノエート、３−イソペンチル−１，２−フェニレンジイソヘキサノエート、３−ヘキシル−１，２−フェニレンジイソヘキサノエート、３−ヘプチル−１，２−フェニレンジイソヘキサノエート、３−オクチル−１，２−フェニレンジイソヘキサノエート、３−ノニル−１，２−フェニレンジイソヘキサノエート、３−デシル−１，２−フェニレンジイソヘキサノエート、３−ドデシル−１，２−フェニレンジイソヘキサノエート、３−メトキシ−１，２−フェニレンジイソヘキサノエート、３−エトキシ−１，２−フェニレンジイソヘキサノエート、３−プロポキシ−１，２−フェニレンジイソヘキサノエート、３−イソプロポキシ−１，２−フェニレンジイソヘキサノエート、３−ブトキシ−１，２−フェニレンジイソヘキサノエート、３−イソブトキシ−１，２−フェニレンジイソヘキサノエート、３−ｔｅｒｔ−ブトキシ−１，２−フェニレンジイソヘキサノエート、３−ペントキシ−１，２−フェニレンジイソヘキサノエート、３−ヘキソキシ−１，２−フェニレンジイソヘキサノエート、３−ヘプトキシ−１，２−フェニレンジイソヘキサノエート、３−オクトキシ−１，２−フェニレンジイソヘキサノエート、３−ノノキシ−１，２−フェニレンジイソヘキサノエート、３−デコキシ−１，２−フェニレンジイソヘキサノエート、３−フェノキシ−１，２−フェニレンジイソヘキサノエート、３−クロロ−１，２−フェニレンジヘプタノエート、３−ブロモ−１，２−フェニレンジヘプタノエート、３−フルオロ−１，２−フェニレンジヘプタノエート、３−ヨード−１，２−フェニレンジヘプタノエート、３−メチル−１，２−フェニレンジヘプタノエート、３−エチル−１，２−フェニレンジヘプタノエート、３−ブチル−１，２−フェニレンジヘプタノエート、３−イソブチル−１，２−フェニレンジヘプタノエート、３−ｔｅｒｔ−ブチル−１，２−フェニレンジヘプタノエート、３−イソプロピル−１，２−フェニレンジヘプタノエート、３−ペンチル−１，２−フェニレンジヘプタノエート、３−イソペンチル−１，２−フェニレンジヘプタノエート（３−ヘキシル−１，２−フェニレンジヘプタノエート）３−ヘプチル−１，２−フェニレンジヘプタノエート、３−オクチル−１，２−フェニレンジヘプタノエート、３−ノニル−ｌ１,２−フェニレンジヘプタノエート、３−デシル−１，２−フェニレンジヘプタノエート、３−ドデシル−１，２−フェニレンジヘプタノエート、３−メトキシ−１，２−フェニレンジヘプタノエート、３−エトキシ−１，２−フェニレンジヘプタノエート（３−プロポキシ−１，２−フェニレンジヘプタノエート）３−イソプロポキシ−１，２−フェニレンジヘプタノエート、３−ブトキシ−１，２−フェニレンジヘプタノエート、３−イソブトキシ−１，２−フェニレンジヘプタノエート、３−ｔｅｒｔ−ブトキシ−１，２−フェニレンジヘプタノエート、３−ペントキシ−１，２−フェニレンジヘプタノエート、３−ヘキソキシ−１，２−フェニレンジヘプタノエート、３−ヘプトキシ��１，２−フェニレンジヘプタノエート、３−オクトキシ−１，２−フェニレンジヘプタノエート、３−ノノキシ−１，２−フェニレンジヘプタノエート、３−デコキシ−１，２−フェニレンジヘプタノエート、３−フェノキシ−１，２−フェニレンジヘプタノエート、３−クロロ−１，２−フェニレンジイソヘプタノエート、３臭化である−ｌ１,２−フェニレンジイソヘプタノエート、３−フルオロ−１，２−フェニレンジイソヘプタノエート、３−ヨード−１，２−フェニレンジイソヘプタノエート、３−メチル−１，２−フェニレンジイソヘプタノエート、３−エチル−１，２−フェニレンジイソヘプタノエート、３−ブチル−１，２−フェニレンジイソヘプタノエート、３−イソブチル−１，２−フェニレンジイソヘプタノエート、３−ｔｅｒｔ−ブチル−１，２−フェニレンジイソヘプタノエート、３−イソプロピル−１，２−フェニレンジイソヘプタノエート、３−ペンチル−１，２−フェニレンジイソヘプタノエート、３−イソペンチル−１，２−フェニレンジイソヘプタノエート、３−ヘキシル−１，２−フェニレンジイソヘプタノエート、３−ヘプチル−１，２−フェニレンジイソヘプタノエート、３−オクチル−１，２−フェニレンジイソヘプタノエート、３−ノニル−１，２−フェニレンジイソヘプタノエート、３−デシル−１，２−フェニレンジイソヘプタノエート、３−ドデシル−１，２−フェニレンジイソヘプタノエート、３−メトキシ−１，２−フェニレンジイソヘプタノエート、３−エトキシ−１，２−フェニレンジイソヘプタノエート、３−プロポキシ−１，２−フェニレンジイソヘプタノエート、３−イソプロポキシ−１，２−フェニレンジイソヘプタノエート、３−ブトキシ−１，２−フェニレンジイソヘプタノエート、３−イソブトキシ−１，２−フェニレンジイソヘプタノエート、３−ｔｅｒｔ−ブトキシ−１，２−フェニレンジイソヘプタノエート、３−ペントキシ−１，２−フェニレンジイソヘプタノエート、３−ヘキソキシ−１，２−フェニレンジイソヘプタノエート、３−ヘプトキシ−１，２−フェニレンジイソヘプタノエート、３−オクトキシ−１，２−フェニレンジイソヘプタノエート、３−ノノキシ−１，２−フェニレンジイソヘプタノエート、３−デコキシ−１，２−フェニレンジイソヘプタノエート、３−フェノキシ−１，２−フェニレンジイソヘプタノエート、３−クロロ−１，２−フェニレンジオクタノエート
、３−ブロモ−１，２−フェニレンジオクタノエート、３−フルオロ−１，２−フェニレンジオクタノエート、３−ヨード−１，２−フェニレンジオクタノエート、３−メチル−１，２−フェニレンジオクタノエート、３−エチル−１，２−フェニレンジオクタノエート、３−ブチル−１，２−フェニレンジオクタノエート、３−イソブチル−１，２−フェニレンジオクタノエート、３−ｔｅｒｔ−ブチル−１，２−フェニレンジオクタノエート、３−イソプロピル−１，２−フェニレンジオクタノエート、３−ペンチル−１，２−フェニレンジオクタノエート、３−イソペンチル−１，２−フェニレンジオクタノエート、３−ヘキシル−１，２−フェニレンジオクタノエート、３−ヘプチル−１，２−フェニレンジオクタノエート、３−オクチル−１，２−フェニレンジオクタノエート、３−ノニル−１，２−フェニレンジオクタノエート、３−デシル−１，２−フェニレンジオクタノエート、３−ドデシル−１，２−フェニレンジオクタノエート、３−メトキシ−１，２−フェニレンジオクタノエート、３−エトキシ−１，２−フェニレンジオクタノエート、３−プロポキシ−１，２−フェニレンジオクタノエート、３−イソプロポキシ−１，２−フェニレンジオクタノエート、３−ブトキシ−１，２−フェニレンジオクタノエート、３−イソブトキシ−１，２−フェニレンジオクタノエート、３−ｔｅｒｔ−ブトキシ−１，２−フェニレンジオクタノエート、３−ペントキシ−１，２−フェニレンジオクタノエート、３−ヘキソキシ−１，２−フェニレンジオクタノエート、３−ヘプトキシ−１，２−フェニレンジオクタノエート、３−オクトキシ−１，２−フェニレンジオクタノエート、３−ノノキシ−１，２−フェニレンジオクタノエート、３−デコキシ−１，２−フェニレンジオクタノエート、３−フェノキシ−１，２−フェニレンジオクタノエート、３−クロロ−１，２−フェニレンジイソオクタノエート、３−ブロモ−１，２−フェニレンジイソオクタノエート、３−フルオロ−１，２−フェニレンジイソオクタノエート、３−ヨード−１，２−フェニレンジイソオクタノエート、３−メチル−１，２−フェニレンジイソオクタノエート、３−エチル−１，２−フェニレンジイソオクタノエート、３−ブチル−１，２−フェニレンジイソオクタノエート、３−イソブチル−１，２−フェニレンジイソオクタノエート、３−ｔｅｒｔ−ブチル−１，２−フェニレンジイソオクタノエート、３−イソプロピル−１，２−フェニレンジイソオクタノエート、３−ペンチル−１，２−フェニレンジイソオクタノエート、３−イソペンチル−１，２−フェニレンジイソオクタノエート、３−ヘキシル−１，２−フェニレンジイソオクタノエート、３−ヘプチル−１，２−フェニレンジイソオクタノエート、３−オクチル−１，２−フェニレンジイソオクタノエート、３−ノニル−１，２−フェニレンジイソオクタノエート、３−デシル−１，２−フェニレンジイソオクタノエート、３−ドデシル−１，２−フェニレンジイソオクタノエート、３−メトキシ−１，２−フェニレンジイソオクタノエート、３−エトキシ−１，２−フェニレンジイソオクタノエート、３−プロポキシ−１，２−フェニレンジイソオクタノエート、３−イソプロポキシ−１，２−フェニレンジイソオクタノエート、３−ブトキシ−１，２−フェニレンジイソオクタノエート、３−イソブトキシ−１，２−フェニレンジイソオクタノエート、３−ｔｅｒｔ−ブトキシ−１，２−フェニレンジイソオクタノエート、３−ペントキシ−１，２−フェニレンジイソオクタノエート、３−ヘキソキシ−１，２−フェニレンジイソオクタノエート、３−ヘプトキシ−１，２−フェニレンジイソオクタノエート、３−オクトキシ−１，２−フェニレンジイソオクタノエート、３−ノノキシ−１，２−フェニレンジイソオクタノエート、３−デコキシ−１，２−フェニレンジイソオクタノエート、３−フェノキシ−１，２−フェニレンジイソオクタノエート、３−クロロ−１，２−フェニレンジノナノエート、３−ブロモ−１，２−フェニレンジノナノエート、３−フルオロ−１，２−フェニレンジノナノエート、３−ヨード−１，２−フェニレンジノナノエート、３−メチル−１，２−フェニレンジノナノエート、３−エチル−１，２−フェニレンジノナノエート、３−ブチル−１，２−フェニレンジノナノエート、３−イソブチル−１，２−フェニレンジノナノエート、３−ｔｅｒｔ−ブチル−１，２−フェニレンジノナノエート、３−イソプロピル−１，２−フェニレンジノナノエート、３−ペンチル−１，２−フェニレンジノナノエート、３−イソペンチル−１，２−フェニレンジノナノエート、３−ヘキシル−１，２−フェニレンジノナノエート、３−ヘプチル−１，２−フェニレンジノナノエート、３−オクチル−１，２−フェニレンジノナノエート、３−ノニル−１，２−フェニレンジノナノエート、３−デシル−１，２−フェニレンジノナノエート、３−ドデシル−１，２−フェニレンジノナノエート、３−メトキシ−１，２−フェニレンジノナノエート、３−エトキシ−１，２−フェニレンジノナノエート、３−プロポキシ−１，２−フェニレンジノナノエート、３−イソプロポキシ−１，２−フェニレンジノナノエート、３−ブトキシ−１，２−フェニレンジノナノエート、３−イソブトキシ−１，２−フェニレンジノナノエート、３−ｔｅｒｔ−ブトキシ−１，２−フェニレンジノナノエート、３−ペントキシ−１，２−フェニレンジノナノエート、３−ヘキソキシ−１，２−フェニレンジノナノエート、３−ヘプトキシ−１，２−フェニレンジノナノエート、３−オクトキシ−１，２−フェニレンジノナノエート、３−ノノキシ−１，２−フェニレンジノナノエート、３−デコキシ−１，２−フェニレンジノナノエート、３−フェノキシ−１，２−フェニレンジノナノエート、３−クロロ−１，２−フェニレンジデカノエート、３−ブロモ−１，２−フェニレンジデカノエート、３−フルオロ−１，２−フェニレンジデカノエート、３−ヨード−１，２−フェニレンジデカノエート、３−メチル−１，２−フェニレンジデカノエート、３−エチル−１，２−フェニレンジデカノエート、３−ブチル−１，２−フェニレンジデカノエート、３−イソブチル−１，２−フェニレンジデカノエート、３−ｔｅｒｔ−ブチル−１，２−フェニレンジデカノエート、３−イソプロピル−１，２−フェニレンジデカノエート、３−ペンチル−１，２−フェニレンジデカノエート、３−イソペンチル−１，２−フェニレンジデカノエート、３−ヘキシル−１，２−フェニレンジデカノエート、３−ヘプチル−１，２−フェニレンジデカノエート、３−オクチル−１，２−フェニレンジデカノエート、３−ノニル−１，２−フェニレンジデカノエート、３−デシル−１，２−フェニレンジデカノエート、３−ドデシル−１，２−フェニレンジデカノエート、３−メトキシ−１，２−フェニレンジデカノエート、３−エトキシ−１，２−フェニレンジデカノエート、３−プロポキシ−１，２−フェニレンジデカノエート、３−イソプロポキシ−１，２−フェニレンジデカノエート、３−ブトキシ−１，２−フェニレンジデカノエート、３−イソブトキシ−１，２−フェニレンジデカノエート、３−ｔｅｒｔ−ブトキシ−１，２−フェニレンジデカノエート、３−ペントキシ−１，２−フェニレンジデカノエート、３−ヘキソキシ−１，２−フェニレンジデカノエート、３−ヘプトキシ−１，２−フェニレンジデカノエート、３−オクトキシ−１，２−フェニレンジデカノエート、３−ノノキシ−１，２−フェニレンジデカノエート、３−デコキシ−１，２−フェニレンジデカノエート及び３−フェノキシ−１，２−フェニレンジデカノエート、を含む群から選択される、請求項１に記載の触媒組成物。
【請求項１７】
１，２−フェニレンジオエートは、３−クロロ−１，２−フェニレンジアセテート、３−ｔｅｒｔ−ブチル−１，２−フェニレンジアセテート、３−メチル−１，２−フェニレンジアセテート、３−フルオロ−１，２−フェニレンジアセテートを含む群から選択される、請求項１６に記載の触媒組成物。
【請求項１８】
１，２−フェニレンジオエートは、１，２−フェニレンジイソプロパノエート、１，２−フェニレンジイソブタノエート、１，２−フェニレンジ−ｔｅｒｔ−ブタノエート、２−アセトキシフェニルピバレート、２−（ピバロイルオキシ）フェニルベンゾエート、４−クロロ−１，２−フェニレンジアセテート、３−フルオロ−１，２−フェニレンジアセテート、４−ｔｅｒｔ−ブチル−１，２−フェニレンジアセテート、４−メチル−１，２−フェニレンジアセテート、２−（イソブチリロキシ）フェニルアセテート、２−（イソブチリロキシ）フェニルプロパノエート、２−（イソブチリロキシ）フェニルブチレート、２−（イソブチリロキシ）フェニルベンゾエート、３−クロロ−１，２−フェニレンジアセテート、３−ｔｅｒｔ−ブチル−１，２−フェニレンジアセテート及び３−メチル−１，２−フェニレンジアセテートを含む群から選択される、請求項１に記載の触媒組成物。
【請求項１９】
１，２−フェニレンジオエートは、１，２−フェニレンジイソプロパノエート、１，２−フェニレンジイソブタノエート、１，２−フェニレンジ−ｔｅｒｔ−ブタノエート、２−アセトキシフェニルピバレート、２−（ピバロイルオキシ）フェニルベンゾエート、４−クロロ−１，２−フェニレンジアセテート、３−フルオロ−１，２−フェニレンジアセテート、４−ｔｅｒｔ−ブチル−１，２−フェニレンジアセテート、４−メチル−１，２−フェニレンジアセテートを含む群から選択される、請求項１に記載の触媒組成物。
【請求項２０】
少なくとも１種の１，２−フェニレンジオエート化合物を含む内部供与体と異なる、第２の内部電子供与体成分を、場合によっては含む、請求項１に記載の触媒組成物。
【請求項２１】
第２の内部電子供与体成分は、フタレート、ベンゾエート、ジエーテル、スクシネート、マロネート、カーボネート、シリルエステル、アミドエステル及びその組合せを含む、請求項２０に記載の触媒組成物。
【請求項２２】
第２の内部電子供与体成分が、ジ−ｎ−ブチルフタレート、ジ−ｉ−ブチルフタレート、ジ‐２‐エチルヘキシルフタレート、メチルベンゾエート、エチルベンゾエート、プロピルベンゾエート、フェニルベンゾエート、シクロヘキシルベンゾエート、メチルトルエート、エチルトルエート、ｐ−エトキシエチルベンゾエート、ｐ−イソプロポキシエチルベンゾエート、ジエチルスクシネート、ジプロピルスクシネート、ジイソプロピルスクシネート、ジブチルスクシネート、ジイソブチルスクシネート、ジエチルマロネート、ジエチルエチルマロネート、ジエチルプロピルマロネート、ジエチルイソプロピルマロネート、ジエチルブチルマロネート、ジエチル−１，２−シクロヘキサンジカルボキシレート、ジ２−エチルヘキシル−１，２−シクロヘキサンジカルボキシレート、ジ２−イソノニル−１，２−シクロヘキサンジカルボキシレート、メチルアニセート、エチルアニセート、及び、たとえば９，９−ビス（メトキシメチル）フルオリン、２−イソプロピル−２−イソペンチル−１，３−ジメトキシプロパン、２，２−ジイソブチル−１，３−ジメトキシプロパン、２，２−ジイソペンチル−１、３−ジメトキシプロパン及び２−イソプロピル−２−シクロヘキシル−１，３−ジメトキシプロパン等のジエーテル化合物を含む群から選択される、請求項２０に記載の触媒組成物。
【請求項２３】
５．０〜２０重量％の、少なくとも１種の１，２−フェニレンジオエート化合物を含む内部供与体と、１．０〜６．０重量％のチタン系化合物と、１５〜２０重量％の無水マグネシウム又はマグネシウム系化合物とを含む、請求項１に記載の触媒組成物。
【請求項２４】
チーグラー・ナッタ触媒系であって、前記触媒系は、少なくとも１つの有機アルミニウム化合物と、少なくとも１つの外部電子供与体と、無水マグネシウム又はマグネシウム系化合物、チタン系化合物及び構造(Ａ)の少なくとも１種の１，２−フェニレンジオエート化合物を含む内部供与体の組合せを含む触媒組成物と、の組合せを含み、
0005909817.tif 000015
式中、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群から選択され、構造(Ａ)の１，２−フェニレンジオエート化合物は１，２−フェニレンジアセテート及び３−メチル−１，２−フェニレンジオエートではなく、Ｒ１がアルコキシである場合、Ｒ２はアルコキシではなく、Ｒ１がアリールである場合、Ｒ２はアリールではなく、チーグラー・ナッタ触媒系。
【請求項２５】
外部電子供与体及び内部供与体は、同一であるか又は異なる、請求項２４に記載のチーグラー・ナッタ触媒系。
【請求項２６】
チタン（触媒組成物からの）：アルミニウム（有機アルミニウム化合物からの）：外部供与体の間のモル比が、１:５〜１０００：０〜２５０の範囲にあり、好ましくは、１：２５〜５００：２５〜１００の範囲にある、請求項２４に記載のチーグラー・ナッタ触媒系。
【請求項２７】
無水マグネシウム又はマグネシウム系化合物と、チタン系化合物と、構造(Ａ)の１，２−フェニレンジオエート化合物を少なくとも１つ含む内部供与体と、の組合せを含む触媒組成物を、調製するためのプロセスであって、
0005909817.tif 000016
式中、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子及びこれらの組合せを含む群より選択され、構造(Ａ)の１，２−フェニレンジオエート化合物は１，２−フェニレンジアセテート及び３−メチル−１，２−フェニレンジオエートではなく、Ｒ１がアルコキシである場合、Ｒ２はアルコキシではなく、Ｒ１がアリールである場合、Ｒ２はアリールではなく、
前記プロセスは、無水マグネシウム又はマグネシウム系化合物を、少なくとも１種の１，２−フェニレンジオエート化合物を含む内部供与体のソースとともに、チタン系化合物に接触させるステップを含む、プロセス。
【請求項２８】
前記接触させるステップは、マグネシウムベースの触媒担体を、場合によってはチタン化合物と共に、及び、場合によっては構造(Ａ)の少なくとも１種の１，２−フェニレンジオエート化合物を含む内部電子供与体化合物と共に、形成することと、マグネシウムベースの触媒担体を、チタン化合物及び内部電子供与体化合物に接触させることと、を含む、請求項２７に記載のプロセス。
【請求項２９】
得られる触媒組成物が、構造(Ａ)の少なくとも１種の１，２−フェニレンジオエート化合物を含む内部供与体を５．０〜２０重量％、チタン系化合物を１．０〜６．０重量％、及び無水マグネシウム又はマグネシウム系化合物を１５〜２０重量％、それぞれ有するように、無水マグネシウム又はマグネシウム系化合物の量、チタン系化合物の量及び内部供与体のソースの量が与えられる、請求項２７に記載のプロセス。
【請求項３０】
前記接触させるステップが、
無水マグネシウム又はＭｇ（ＯＲ）ｎで表されるマグネシウム系化合物をＴｉＸ４で表されるチタン系化合物と、溶媒の存在下で８０〜１２０℃の範囲の温度で反応させることと、
同じものを、構造(Ａ)の少なくとも１種の１，２−フェニレンジオエート化合物を含む内部供与体を、５０〜９５℃の範囲の温度で更に反応させて、製品を得ることと、
このように得られた製品を過剰なＴｉＣｌ４溶媒で少なくとも１回処理することと、
その後、炭化水素溶媒で洗浄することと、
を含み、Ｒは、２〜１２個の炭素原子を有する炭素部分であり、ｎ＝２であり、Ｘは、ハロゲンであり、溶媒は、塩素化芳香族化合物、非塩素化芳香族化合物、塩素化脂肪族化合物及び非塩素化脂肪族化合物を含む群から選択される、請求項２７に記載のプロセス。
【請求項３１】
炭化水素溶媒は、イソペンタン、イソオクタン、ヘキサン、ペンタン及びイソヘキサンを含む群から選択される脂肪族炭化水素である、請求項３０に記載のプロセス。
【請求項３２】
Ｒは、２個の炭素原子を有する炭素部分であり、エチル基である、請求項３０に記載のプロセス。
【請求項３３】
チタン系化合物は、ＴｉＣｌ４である、請求項３０に記載のプロセス。
【請求項３４】
溶媒は、ベンゼン、クロロベンゼン、ジクロロベンゼン、トルエン、ｏ−クロロトルエン、キシレン、ジクロロメタン及びクロロホルムを含む群から選択される、請求項３０に記載のプロセス。
【請求項３５】
前記接触させるステップは、
ａ．ＴｉＸ４で表されるチタン系化合物を、ＭｇＣｌ２.ｎＲＯＨで表されるマグネシウムクロライドアルコール付加体と反応させて、反応混合物を得ることと、
ｂ．反応混合物を９０〜１３０℃の範囲の温度まで加熱し、少なくとも０．５時間、これを維持した後、構造(Ａ)の少なくとも１種の１，２−フェニレンジオエート化合物を含む内部供与体を添加して、製品を得ることと、
ｃ．このように得た製品を、過剰なＴｉＣｌ４溶媒で少なくとも１回処理した後、炭化水素溶媒で洗浄することと、
を含み、上記式中、Ｘは、ハロゲンであってもよく、ｎ＝３であり、Ｒは、２〜１８個の炭素原子を有するアルキル部分である、請求項２７に記載のプロセス。
【請求項３６】
オレフィンを重合及び／又は共重合する方法であって、前記方法は、Ｃ２−Ｃ２０の炭素原子を有するオレフィンを、重合条件下でチーグラー・ナッタ触媒系に接触させるステップを含み、
前記触媒系は、少なくとも１つの有機アルミニウム化合物と、少なくとも１つの外部電子供与体と、無水マグネシウム又はマグネシウム系化合物、チタン系化合物及び構造(Ａ)の少なくとも１種の１，２−フェニレンジオエート化合物を含む内部供与体の組合せを含む触媒組成物との、組み合わせを含み、
0005909817.tif 000017
式中、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子及びこれらの組合せを含む群から選択され、構造(Ａ)の１，２−フェニレンジオエート化合物は１，２−フェニレンジアセテート及び３−メチル−１，２−フェニレンジオエートではなく、Ｒ１がアルコキシである場合、Ｒ２はアルコキシではなく、Ｒ１がアリールである場合、Ｒ２はアリールではなく、方法。
【発明の詳細な説明】
【技術分野】
【０００１】
本発明は、チーグラー・ナッタ触媒系のための内部供与体に関する。より詳細には、本発明は、内部供与体としての１，２−フェニレンジオエートの使用、及び当該触媒系を調製するためのプロセスに関する。
【背景技術】
【０００２】
ポリオレフィンは、あらゆる分野において、それ自体で世界的地位を得てきた。オレフィンベースのポリマーの需要は、必需品かニッチ製品かを問わず高まっている。チーグラー・ナッタ触媒は、例えば、１−アルケン（α−オレフィン）のポリマーの合成に用いられる。
【０００３】
チーグラー・ナッタ触媒系は、典型的には遷移金属ハライドから成り、一般に、金属化合物上に担持されたチタンハライドであり、この金属化合物は、典型的にはマグネシウムジハライドである。また、遷移金属に加えて、触媒合成及び重合の間に、典型的な役割を担う内部電子供与体として知られている有機物成分が存在する。内部供与体として用いられている有機電子供与体（ルイス塩基）は、酸素、窒素、リン及び／又はシリコン成分を含む有機化合物であり、これは、酸、アルコール、エステル、無水物、ケトンその他の形態でもよい。最新技術における内部供与体は、フタレート、アルキルベンゾエート、スクシネート及び１、３−ジエーテルのエステル等の有機化合物であり、それらの化学的及び電子環境のために特定の特性を与え、それは、高いメルトフローインデックス、良好な嵩密度、狭い/広い分子量分布及び高いアイソタクチシティのような製品特性を改善しつつ、触媒活性を強化する。
【０００４】
チーグラー・ナッタ触媒における内部供与体の役割は、インシチュウで発生するマグネシウムジハライドの主結晶子を安定させることである。これとは別に、より良好なルイス塩基でもある内部供与体の場合、マグネシウムジハライドマトリックス上で高い酸性度配位部位を有する好ましい配位を有し、これは次いでチタンの配位を回避し、それ故、不活発なサイトの形成を防止する。また、これらは、低い活性部位の活性を上げる。
【０００５】
チーグラー・ナッタ触媒系は、オレフィン重合の触媒活性がより良好になるという継続的改善を達成し、同時に、望ましい特性を有するポリマー製品を、簡易かつ清潔な方法で生産することを達成してきた。
【発明の概要】
【発明が解決しようとする課題】
【０００６】
不織布のための狭いＭＷＤ（分子量分布）、又は、パイプ、ブロー成形品及びフィルムのための広いＭＷＤ、高いアイソタクチシティ、より良好なコモノマー組み込み等の、望ましい特性を有するポリオレフィンの生産に対し、常に需要がある。より良好なオレフィン製品への要望があるため、重合プロセスと共にチーグラー・ナッタ触媒系の継続的改善が必要とされている。
【課題を解決するための手段】
【０００７】
本発明は、少なくとも１種の１，２−フェニレンジオエート化合物を含む内部供与体化合物を有する改善された触媒組成物を提供する。本発明に係る触媒組成物は、オレフィンベースのポリマーの重合に改良された性能を提供する。また、本発明は、触媒組成物、有機アルミニウム化合物及びオレフィンの重合のための外部電子供与体を含む改良された触媒系を提供する。
【発明を実施するための形態】
【０００８】
「内部電子供与体」は、触媒組成物の形成中に添加される化合物であり、これは、ルイス塩基として作用し、すなわち触媒組成物中に存在する金属に電子対を供与する。特定の理論に限定されるわけではないが、内部電子供与体はインシチュウで発生するマグネシウムジハライドの主結晶子を安定させることが、文献中に述べられている。これは別に、より良好なルイス塩基でもある内部供与体の場合、マグネシウムジハライドマトリックス上で高い酸性度配位部位を有する好ましい配位を有し、これは、今度はチタンの配位を回避し、それ故、不活発なサイトの形成を防止する。また、これらは、低い活性部位の活性を上げる。これは全てにおいて、触媒の立体選択性を強化する。
【０００９】
再度記載すると、特定の理論に限定されるものではないが、１，２−フェニレンジオエート化合物は、共にオレフィン重合触媒系の触媒成分中に典型的には存在するチタン及びマグネシウムとの結合を可能にするような配位部位を有すると考えられている。１，２−フェニレンジオエート化合物は、オレフィン重合触媒系の固体触媒成分中におけるその化学的及び電子的環境により、内部電子供与体として作用する。更に、本発明は、触媒系及び触媒組成物を作製するプロセスを提供する。加えて、触媒系を用いて、オレフィンを重合及び／又は共重合する方法を提供する。
【００１０】
本発明に係る１，２−フェニレンジオエートを内部供与体として含む触媒組成物が、オレフィンを重合させるために用いられ、高い触媒活性、低〜高い水素応答、低〜高い分子量分布、高選択性及びより良好なコモノマー分布に対して穏健性を有している。
【００１１】
本発明に係る触媒組成物は、マグネシウム部分と、チタン部分と、少なくとも１種の１，２−フェニレンジオエート化合物を含む内部供与体と、の組合せを含む。特に、触媒組成物は、マグネシウム部分を含み、これはマグネシウムジハライドの形態であり、これは好ましくは、マグネシウム二塩化結晶格子であり、これを変形して、チーグラー・ナッタ触媒のための担持体又は前駆体とする。
【００１２】
触媒組成物の作製に用いられるマグネシウム部分は、液体状態でも固体状態でもよい。一実施形態では、マグネシウム部分は、無水マグネシウム、ハロゲンを含む無水マグネシウム化合物、ハロゲン化アルキルマグネシウム化合物、アルコキシマグネシウムハライド化合物、アリールオキシマグネシウムハライド化合物、ジアルコキシマグネシウム化合物、アリールオキシマグネシウム化合物、ジアルキルマグネシウム化合物、マグネシウムジハライドのアルコール錯体及びこれらの混合物であってもよい。
【００１３】
ａ．無水のマグネシウム化合物を含むハロゲンの例としては、限定するものではないが、無水塩化マグネシウム、無水臭化マグネシウム、無水フッ化マグネシウム及び無水ヨウ化マグネシウムが挙げられる。
【００１４】
ｂ．ハロゲン化アルキルマグネシウム化合物の例としては、限定するものではないが、メチルマグネシウムクロライド、エチルマグネシウムクロライド、イソプロピルマグネシウムクロライド、イソブチルマグネシウムクロライド、ｔｅｒｔ−ブチルマグネシウムクロライド、ベンジルマグネシウムクロライド、メチルマグネシウムブロマイド、エチルマグネシウムブロマイド、イソプロピルマグネシウムブロマイド、イソブチルマグネシウムブロマイド、ｔｅｒｔ−ブチルマグネシウムブロマイド、ヘキシルマグネシウムブロマイド、ベンジルマグネシウムブロマイド、メチルマグネシウムヨーダイド、エチルマグネシウムヨーダイド、イソプロピルマグネシウムヨーダイド、イソブチルマグネシウムヨーダイド、ｔｅｒｔ−ブチルマグネシウムヨーダイド及びベンジルマグネシウムヨーダイドが挙げられる。
【００１５】
ｃ．アルコキシマグネシウムハライド化合物の例としては、限定するものではないが、メトキシマグネシウムクロライド、エトキシマグネシウムクロライド、イソプロポキシマグネシウムクロライド、ブトキシマグネシウムクロライド及びオクトキシマグネシウムクロライドが挙げられる。
【００１６】
ｄ．アリールオキシマグネシウムハライド化合物の例としては、限定するものではないが、フェノキシマグネシウムクロライド及びメチルフェノキシマグネシウムクロライドが挙げられる。
【００１７】
ｅ．ジアルコキシマグネシウム化合物の例としては、限定するものではないが、ジメトキシマグネシウム、ジエトキシマグネシウム、ジプロポキシマグネシウム、ジイソプロポキシマグネシウム、ジブトキシマグネシウム及びジオクトキシマグネシウムが挙げられる。
【００１８】
ｆ．アリールオキシマグネシウム化合物の例としては、限定するものではないが、フェノキシマグネシウム及びジメチルフェノキシマグネシウムが挙げられる。
【００１９】
ｇ．ジアルキルマグネシウム化合物の例としては、限定するものではないが、ジメチルマグネシウム、ジエチルマグネシウム、ジイソプロピルマグネシウム、ジブチルマグネシウム、ジヘキシルマグネシウム、ジオクチルマグネシウム、エチルブチルマグネシウム及びブチルオクチルマグネシウムが挙げられる。
【００２０】
ｈ．マグネシウムジハライドのアルコール錯体の例としては、限定するものではないが、マグネシウムクロライドが挙げられる。
【００２１】
一実施形態では、触媒組成物の作製に用いられるチタン部分は、チタンテトラハライド化合物、アルコキシチタン三ハロゲン化物化合物、ジアルコキシチタンジハライド化合物、トリアルコキシチタンモノハライド化合物、テトラアルコキシチタン化合物及びそれらの混合物であってもよい。
【００２２】
（ａ）チタンテトラハライド化合物の例としては、限定するものではないが、四塩化チタン、四臭化チタン及び四ヨウ化チタンが挙げられる。
【００２３】
（ｂ）アルコキシチタン三ハロゲン化物化合物の例としては、限定するものではないが、メトキシチタントリクロライド、エトキシチタントリクロライド、ブトキシチタントリクロライド及びフェノキシチタントリクロライドが挙げられる。
【００２４】
（ｃ）ジアルコキシチタンジハライド化合物の例としては、限定するものではないが、ジエトキシチタンジクロライドが挙げられる。
【００２５】
（ｄ）トリアルコキシチタンモノハライド化合物の例としては、限定するものではないが、トリエトキシチタンクロライドが挙げられる。
【００２６】
（ｅ）テトラアルコキシチタン化合物の例としては、限定するものではないが、テトラブトキシチタン及びテトラエトキシチタンが挙げられる。
【００２７】
特に、触媒組成物はチタン部分を含み、これは四価の状態でのチタンの形態であり、好ましくはチタンハライドである。
【００２８】
好ましい実施形態では、好ましいチタン化合物は、四塩化チタンである。
【００２９】
本発明に係るチーグラー・ナッタ触媒のための内部供与体として用いられる−１，２−フェニレンジオエートは、以下の構造(Ａ)を有し、
【化１】
0005909817.tif 000002
式中、Ｒ１−Ｒ６基は、同一であるか又は互いに異なる。Ｒ１−Ｒ６のそれぞれは、水素、ハロゲン、環に結合可能なＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。
【００３０】
特に、構造(Ａ)は、Ｒ３−Ｒ６の少なくとも一つを有し、これは、水素、ハロゲン、環に結合できるＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。また、構造(Ａ)は、Ｒ１−Ｒ２の少なくとも一つを有しており、これは、水素、ハロゲン、環に結合できるＣ１−Ｃ２０直鎖又は分枝アルキル基、Ｃ３−Ｃ１５シクロアルキル基、ヘテロ原子、アリールアルキル又はアルキルアリール、アルキルアルコキシ又はアルコキシアルキル、アリールアルコキシ又はアルコキシアリール、アルキルシクロアルキル又はシクロアルキルアルキル基及びこれらの組合せから選択される。Ｒ１−Ｒ２は同一であっても異なってもよい。
【００３１】
構造(Ａ)の例としては、限定するものではないが、以下が挙げられる。１，２−フェニレンジアセテート又は１，２−フェニレンジエタノエート、−１，２−フェニレンジプロパノエート、１，２−フェニレンジブタノエート、１，２−フェニレンジペンタノエート、１，２−フェニレンジヘキサノエート、１，２−フェニレンジヘプタノエート、１，２−フェニレンジオクタノエート、１，２−フェニレンジノナノエート、１，２−フェニレンジデカノエート、１，２−フェニレンジウンデカノエート、１，２−フェニレンジプロピオネート、２−（プロピオニルオキシ）フェニルブチレート、２−（プロピオニルオキシ）フェニルペンタノエート、２−（プロピオニルオキシ）フェニルヘキサノエート、２−（プロピオニルオキシ）フェニルヘプタノエート、２−（プロピオニルオキシ）フェニルオクタノエート、２−（プロピオニルオキシ）フェニルノナノエート、２−（プロピオニルオキシ）フェニルデカノエート、２−（プロピオニルオキシ）フェニルウンデカノエート、１，２−フェニレンジブチレート、２−（ブチリロキシ）フェニルペンタノエート、２−（ブチリロキシ）フェニルヘキサノエート、２−（ブチリロキシ）フェニルヘプタノエート、２−（ブチリロキシ）フェニルオクタノエート、２−（ブチリロキシ）フェニルノナノエート、２−（ブチリロキシ）フェニルデカノエート、２−（ブチリロキシ）フェニルウンデカノエート、１，２−フェニレンジペンタノエート、２−（ペンタノイロキシ）フェニルヘキサノエート、２−（ペンタノイロキシ）フェニルヘプタノエート、２−（ペンタノイロキシ）フェニルオクタノエート、２−（ペンタノイロキシ）フェニルノナノエート、２−（ペンタノイロキシ）フェニルデカノエート、２−（ペンタノイロキシ）フェニルウンデカノエート、１，２−フェニレンジヘキサノエート、２−（ヘキサノイロキシ）フェニルヘプタノエート、２−（ヘキサノイロキシ）フェニルオクタノエート、２−（ヘキサノイロキシ）フェニルノナノエート、２−（ヘキサノイロキシ）フェニルデカノエート、２−（ヘキサノイロキシ）フェニルウンデカノエート、１，２−フェニレンジヘプタノエート、２−（ヘプタノイロキシ）フェニルオクタノエート、２−（ヘプタノイロキシ）フェニルノナノエート、２−（ヘプタノイロキシ）フェニルデカノエート、２−（ヘプタノイロキシ）フェニルウンデカノエート、１，２−フェニレンジオクタノエート、２−（オクタノイロキシ）フェニルノナノエート、２−（オクタノイロキシ）フェニルデカノエート、２−（オクタノイロキシ）フェニルウンデカノエート、１，２−フェニレンジノナノエート、２−（ノナノイロキシ）フェニルデカノエート、２−（ノナノイロキシ）フェニルウンデカノエート、１，２−フェニレンジデカノエート、２−（デカノイロキシ）フェニルウンデカノエート、１，２−フェニレンジウンデカノエート、２−アセトキシフェニルイソブチレート、２−（プロピオニルオキシ）フェニルイソブチレート、２−（イソブチリロキシ）フェニルブチレート、２−（イソブチリロキシ）フェニルペンタノエート、２−（イソブチリロキシ）フェニルヘキサノエート、２−（イソブチリロキシ）フェニルヘ���タノエート、２−（イソブチリロキシ）フェニルオクタノエート、２−（イソブチリロキシ）フェニルノナノエート、２−（イソブチリロキシ）フェニルデカノエート、２−（イソブチリロキシ）フェニルウンデカノエート、１，２−フェニレンジイソブチレート、２−アセトキシフェニル３−メチルブタノエート、２−（プロピオニルオキシ）フェニル３−メチルブタノエート、２−（ブチリロキシ）フェニル３−メチルブタノエート、２−（３メチルブタノイロキシ）フェニルペンタノエート、２−（３メチルブタノイロキシ）フェニルヘキサノエート、２−（３−メチルブタノイロキシ）フェニルヘプタノエート、２−（３メチルブタノイロキシ）フェニルオクタノエート、２−（３メチルブタノイロキシ）フェニルノナノエート、２−（３メチルブタノイロキシ）フェニルデカノエート、２−（３メチルブタノイロキシ）フェニルウンデカノエート、１，２−フェニレンビス（３メチルブタノエート）、２−アセトキシフェニル７−メチルオクタノエート、２−（プロピオニルオキシ）フェニル７−メチルオクタノエート、２−（ブチリロキシ）フェニル７−メチルオクタノエート、２−（ペンタノイロキシ）フェニル７−メチルオクタノエート、２−（ヘキサノイロキシ）フェニル７−メチルオクタノエート、２−（ヘプタノイロキシ）フェニル７−メチルオクタノエート、２−（オクタノイロキシ）フェニル７−メチルオクタノエート、２−（７メチルオクタノイロキシ）フェニルノナノエート、２−（７メチルオクタノイロキシ）フェニルデカノエート、２−（７メチルオクタノイロキシ）フェニルウンデカノエート、−１，２−フェニレンビス（７−メチルオクタノエート）、２−アセトキシフェニル８メチルノナノエート、２−（プロピオニルオキシ）フェニル８−メチルノナノエート、２−（ブチリロキシ）フェニル８−メチルノナノエート、２−（ペンタノイロキシ）フェニル８−メチルノナノエート、２−（ヘキサノイロキシ）フェニル８−メチルノナノエート、２−（ヘプタノイロキシ）フェニル８−メチルノナノエート、２−（オクタノイロキシ）フェニル８−メチルノナノエート、２−（ノナノイロキシ）フェニル８−メチルノナノエート、２−（８メチルノナノイロキシ）フェニルデカノエート、２−（８メチルノナノイロキシ）フェニルウンデカノエート、１，２−フェニレンビス（８メチルノナノエート）、２−アセトキシフェニル９−メチルデカノエート、２−（プロピオニルオキシ）フェニル９−メチルデカノエート、２−（ブチリロキシ）フェニル９−メチルデカノエート、２−（ペンタノイロキシ）フェニル９−メチルデカノエート、２−（ヘキサノイロキシ）フェニル９−メチルデカノエート、２−（ヘプタノイロキシ）フェニル９−メチルデカノエート、２−（オクタノイロキシ）フェニル９−メチルデカノエート、２−（ノナノイロキシ）フェニル９−メチルデカノエート、２−（デカノイロキシ）フェニル９−メチルデカノエート、２−（９メチルデカノイロキシ）フェニルウンデカノエート、１，２−フェニレンビス（９メチルデカノエート）、２−アセトキシフェニル１０メチルウンデカノエート、２−（プロピオニルオキシ）フェニル１０−メチルウンデカノエート、���−（ブチリロキシ）フェニル１０−メチルウンデカノエート、２−（ペンタノイロキシ）フェニル１０−メチルウンデカノエート、２−（ヘキサノイロキシ）フェニル１０−メチルウンデカノエート、２−（ヘプタノイロキシ）フェニル１０−メチルウンデカノエート、２−（オクタノイロキシ）フェニル１０−メチルウンデカノエート、２−（ノナノイロキシ）フェニル１０−メチルウンデカノエート、２−（デカノイロキシ）フェニル１０−メチルウンデカノエート、２−（ウンデカノイロキシ）フェニル１０−メチルウンデカノエート、１，２−フェニレンビス（１０−メチルウンデカノエート）、２−アセトキシフェニルピバレート、２−（プロピオニルオキシ）フェニルピバレート、２−（ピバロイルオキシ）フェニルブチレート、２−（ピバロイルオキシ）フェニルペンタノエート、２−（ピバロイルオキシ）フェニルヘキサノエート、２−（ピバロイルオキシ）フェニルヘプタノエート、２−（ピバロイルオキシ）フェニルオクタノエート、２−（ピバロイルオキシ）フェニルノナノエート、２−（ピバロイルオキシ）フェニルデカノエート、２−（ピバロイルオキシ）フェニルウンデカノエート、１，２−フェニレンジピバレート、２−アセトキシフェニル３，３−ジメチルブタノエート、２−（プロピオニルオキシ）フェニル３，３−ジメチルブタノエート、２−（ブチリロキシ）フェニル３，３−ジメチルブタノエート、２−（３，３−ジメチルブタノイロキシ）フェニルペンタノエート、２−（３，３−ジメチルブタノイロキシ）フェニルヘキサノエート、２−（３，３−ジメチルブタノイロキシ）フェニルヘプタノエート、２−（３，３−ジメチルブタノイロキシ）フェニルオクタノエート、２−（３，３−ジメチルブタノイロキシ）フェニルノナノエート、２−（３，３−ジメチルブタノイロキシ）フェニルデカノエート、２−（３，３−ジメチルブタノイロキシ）フェニルウンデカノエート、１，２−フェニレンビス（３，３−ジメチルブタノエート）、２−アセトキシフェニル４，４−ジメチルペンタノエート、２−（プロピオニルオキシ）フェニル４，４−ジメチルペンタノエート、２−（ブチリロキシ）フェニル４，４−ジメチルペンタノエート、２−（ペンタノイロキシ）フェニル４，４−ジメチルペンタノエート、２−（４，４−ジメチルペンタノイロキシ）フェニルヘキサノエート、２−（４，４−ジメチルペンタノイロキシ）フェニルヘプタノエート、２−（４，４−ジメチルペンタノイロキシ）フェニルオクタノエート、２−（４，４−ジメチルペンタノイロキシ）フェニルノナノエート、２−（４，４−ジメチルペンタノイロキシ）フェニルデカノエート、２−（４，４−ジメチルペンタノイロキシ）フェニルウンデカノエート、１，２−フェニレンビス（４，４−ジメチルペンタノエート）、２−アセトキシフェニル５，５−ジメチルヘキサノエート、２−（プロピオニルオキシ）フェニル５，５−ジメチルヘキサノエート、２−（ブチリロキシ）フェニル５，５−ジメチルヘキサノエート、２−（ペンタノイロキシ）フェニル５，５−ジメチルヘキサノエート、２−（ヘキサノイロキシ）フェニル５，５−ジメチルヘキサノエート、２−（５，５−ジメチルヘキサノイロキシ）���ェニルヘプタノエート、２−（５，５−ジメチルヘキサノイロキシ）フェニルオクタノエート、２−（５，５−ジメチルヘキサノイロキシ）フェニルノナノエート、２−（５，５−ジメチルヘキサノイロキシ）フェニルデカノエート、２−（５，５−ジメチルヘキサノイロキシ）フェニルウンデカノエート、−１，２−フェニレンビス（５，５−ジメチルヘキサノエート）、２−アセトキシフェニル６，６−ジメチルヘプタノエート、２−（プロピオニルオキシ）フェニル６，６−ジメチルヘプタノエート、２−（ブチリロキシ）フェニル６，６−ジメチルヘプタノエート、２−（ペンタノイロキシ）フェニル６，６−ジメチルヘプタノエート、２−（ヘキサノイロキシ）フェニル６，６−ジメチルヘプタノエート、２−（ヘプタノイロキシ）フェニル６，６−ジメチルヘプタノエート、２−（６，６−ジメチルヘプタノイロキシ）フェニルオクタノエート、２−（６，６−ジメチルヘプタノイロキシ）フェニルノナノエート、２−（６，６−ジメチルヘプタノイロキシ）フェニルデカノエート、２−（６，６−ジメチルヘプタノイロキシ）フェニルウンデカノエート、１，２−フェニレンビス（６，６−ジメチルヘプタノエート）、２−アセトキシフェニル７，７−ジメチルオクタノエート、２−（プロピオニルオキシ）フェニル７，７−ジメチルオクタノエート、２−（ブチリロキシ）フェニル７，７−ジメチルオクタノエート、２−（ペンタノイロキシ）フェニル７，７−ジメチルオクタノエート、２−（ヘキサノイロキシ）フェニル７，７−ジメチルオクタノエート、２−（ヘプタノイロキシ）フェニル７，７−ジメチルオクタノエート、２−（オクタノイロキシ）フェニル７，７−ジメチルオクタノエート、２−（７，７−ジメチルオクタノイロキシ）フェニルノナノエート、２−（７，７−ジメチルオクタノイロキシ）フェニルデカノエート、２−（７，７−ジメチルオクタノイロキシ）フェニルウンデカノエート、１，２−フェニレンビス（７，７−ジメチルオクタノエート）、２−アセトキシフェニル８，８−ジメチルノナノエート、２−（プロピオニルオキシ）フェニル８，８−ジメチルノナノエート、２−（ブチリロキシ）フェニル８，８−ジメチルノナノエート、２−（ペンタノイロキシ）フェニル８，８−ジメチルノナノエート、２−（ヘキサノイロキシ）フェニル８，８−ジメチルノナノエート、２−（ヘプタノイロキシ）フェニル８，８−ジメチ
ルノナノエート、２−（オクタノイロキシ）フェニル８，８−ジメチルノナノエート、２−（ノナノイロキシ）フェニル８，８−ジメチルノナノエート、２−（８，８−ジメチルノナノイロキシ）フェニルデカノエート、２−（８，８−ジメチルノナノイロキシ）フェニルウンデカノエート、１，２−フェニレンビス（８，８−ジメチルノナノエート）、２−アセトキシフェニル９，９−ジメチルデカノエート、２−（プロピオニルオキシ）フェニル９，９−ジメチルデカノエート、２−（ブチリロキシ）フェニル９，９−ジメチルデカノエート、２−（ペンタノイロキシ）フェニル９，９−ジメチルデカノエート、２−（ヘキサノイロキシ）フェニル９，９−ジメチルデカノエート、２−（ヘプタノイロキシ）フェニル９，９−ジメチルデカノエート、２−（オクタノイロキシ）フェニル９，９−ジメチルデカノエート、２−（ノナノイロキシ）フェニル９，９−ジメチルデカノエート、２−（デカノイロキシ）フェニル９，９−ジメチルデカノエート、２−（９，９−ジメチルデカノイロキシ）フェニルウンデカノエート、１，２−フェニレンビス（９，９−ジメチルデカノエート）、２−アセトキシフェニル１０，１０−ジメチルウンデカノエート、２−（プロピオニルオキシ）フェニル１０，１０−ジメチルウンデカノエート、２−（ブチリロキシ）フェニル１０，１０−ジメチルウンデカノエート、２−（ペンタノイロキシ）フェニル１０，１０−ジメチルウンデカノエート、２−（ヘキサノイロキシ）フェニル１０，１０−ジメチルウンデカノエート、２−（ヘプタノイロキシ）フェニル１０，１０−ジメチルウンデカノエート、２−（オクタノイロキシ）フェニル１０，１０−ジメチルウンデカノエート、２−（ノナノイロキシ）フェニル１０，１０−ジメチルウンデカノエート、２−（デカノイロキシ）フェニル１０，１０−ジメチルウンデカノエート、２−（ウンデカノイロキシ）フェニル１０，１０−ジメチルウンデカノエート、１，２−フェニレンビス（１０，１０−ジメチルウンデカノエート）、２−アセトキシフェニル２−エチルブタノエート、２−（プロピオニルオキシ）フェニル２−エチルブタノエート、２−（ブチリロキシ）フェニル２−エチルブタノエート、２−（２−エチルブタノイロキシ）フェニルペンタノエート、２−（２−エチルブタノイロキシ）フェニルヘキサノエート、２−（２−エチルブタノイロキシ）フェニルヘプタノエート、２−（２−エチルブタノイロキシ）フェニルオクタノエート、２−（２−エチルブタノイロキシ）フェニルノナノエート、２−（２−エチルブタノイロキシ）フェニルデカノエート、２−（２−エチルブタノイロキシ）フェニルウンデカノエート、１，２−フェニレンビス（２−エチルブタノエート）、２−アセトキシフェニル３−エチルペンタノエート、２−（プロピオニルオキシ）フェニル３−エチルペンタノエート、２−（ブチリロキシ）フェニル３−エチルペンタノエート、２−（ペンタノイロキシ）フェニル３−エチルペンタノエート、２−（３−エチルペンタノイロキシ）フェニルヘキサノエート、２−（３−エチルペンタノイロキシ）フェニルヘプタノエート、２−（３−エチルペンタノイロキシ）フェニルオクタノエート、２−（３−エチルペンタノイロキシ）フェニルノナノエート、２−（３−エチルペンタノイロキシ）フェニルデカノエート、２−（３−エチルペンタノイロキシ）フェニルウンデカノエート、１，２−フェニレンビス（３−エチルペンタノエート）、２−アセトキシフェニル４−エチルヘキサノエート、２−（プロピオニロキシ）フェニル４−エチルヘキサノエート、２−（ブチリロキシ）フェニル４−エチルヘキサノエート、２−（ペンタノイロキシ）フェニル４−エチルヘキサノエート、２−（ヘキサノイロキシ）フェニル４−エチルヘキサノエート、２−（４−エチルヘキサノイロキシ）フェニルヘプタノエート、２−（４−エチルヘキサノイロキシ）フェニルオクタノエート、２−（４−エチルヘキサノイロキシ）フェニルノナノエート、２−（４−エチルヘキサノイロキシ）フェニルデカノエート、２−（４−エチルヘキサノイロキシ）フェニルウンデカノエート、１，２−フェニレンビス（４−エチルヘキサノエート）、２−アセトキシフェニル６−エチルオクタノエート、２−（プロピオニロキシ）フェニル６−エチルオクタノエート、２−（ブチリロキシ）フェニル６−エチルオクタノエート、２−（ペンタノイロキシ）フェニル６−エチルオクタノエート、２−（ヘキサノイロキシ）フェニル６−エチルオクタノエート、２−（ヘプタノイロキシ）フェニル６−エチルオクタノエート、２−（オクタノイロキシ）フェニル６−エチルオクタノエート、２−（６−エチルオクタノイロキシ）フェニルノナノエート、２−（６−エチルオクタノイロキシ）フェニルデカノエート、２−（６−エチルオクタノイロキシ）フェニルウンデカノエート、１，２−フェニレンビス（６−エチルオクタノエート）、２−アセトキシフェニル７−エチルノナノエート、２−（プロピオニロキシ）フェニル７−エチルノナノエート、２−（ブチリロキシ）フェニル７−エチルノナノエート、２−（ペンタノイロキシ）フェニル７−エチルノナノエート、２−（ヘキサノイロキシ）フェニル７−エチルノナノエート、２−（ヘプタノイロキシ）フェニル７−エチルノナノエート、２−（オクタノイロキシ）フェニル７−エチルノナノエート、２−（ノナノイロキシ）フェニル７−エチルノナノエート、２−（７−エチルノナノイロキシ）フェニルデカノエート、２−（７−エチルノナノイロキシ）フェニルウンデカノエート、１，２−フェニレンビス（７−エチルノナノエート）、２−アセトキシフェニル８−エチルデカノエート、２−（プロピオニロキシ）フェニル８−エチルデカノエート、２−（ブチリロキシ）フェニル８−エチルデカノエート、２−（ペンタノイロキシ）フェニル８−エチルデカノエート、２−（ヘキサノイロキシ）フェニル８−エチルデカノエート、２−（ヘプタノイロキシ）フェニル８−エチルデカノエート、２−（オクタノイロキシ）フェニル８−エチルデカノエート、２−（ノナノイロキシ）フェニル８−エチルデカノエート、２−（デカノイロキシ）フェニル８−エチルデカノエート、２−（８−エチルデカノイロキシ）フェニルウンデカノエート、１，２−フェニレンビス（８−エチルデカノエート）、２−アセトキシフェニル９−エチルウンデカノエート、２−（プロピオニロキシ）フェニル９−エチルウンデカノエート、２−（ブチリロキシ）フェニル９−エチルウンデカノエート、２−（ペンタノイロキシ）フェニル９−エチルウンデカノエート、２−（ヘキサノイロキシ）フェニル９−エチルウンデカノエート、２−（ヘプタノイロキシ）フェニル９−エチルウンデカノエート、２−（オクタノイロキシ）フェニル９−エチルウンデカノエート、２−（ノナノイロキシ）フェニル９−エチルウンデカノエート、２−（デカノイロキシ）フェニル９−エチルウンデカノエート、１，２−フェニレンビス（９−エチルウンデカノエート）、２−アセトキシフェニル２−メチルブタノエート、２−（プロピオニロキシ）フェニル２−メチルブタノエート、２−（ブチリロキシ）フェニル２−メチルブタノエート、２−（２−メチルブタノイロキシ）フェニルペンタノエート、２−（２−メチルブタノイロキシ）フェニルヘキサノエート、２−（２−メチルブタノイロキシ）フェニルヘプタノエート、２−（２−メチルブタノイロキシ）フェニルオクタノエート、２−（２−メチルブタノイロキシ）フェニルノナノエート、２−（２−メチルブタノイロキシ）フェニルデカノエート、２−（２−メチルブタノイロキシ）フェニルウンデカノエート、１，２−フェニレンビス（２−メチルブタノエート）、２−アセトキシフェニル２−メチルペンタノエート、２−（プロピオニロキシ）フェニル２−メチルペンタノエート、２−（ブチリロキシ）フェニル２−メチルペンタノエート、２−（ペンタノイロキシ）フェニル２−メチルペンタノエート、２−（２−メチルペンタノイロキシ）フェニルヘキサノエート、２−（２−メチルペンタノイロキシ）フェニルヘプタノエート、２−（２−メチルペンタノイロキシ）フェニルオクタノエート、２−（２−メチルペンタノイロキシ）フェニルノナノエート、２−（２−メチルペンタノイロキシ）フェニルデカノエート、１，２−フェニレンビス（２−メチルペンタノエート）、２−アセトキシフェニル２−メチルヘキサノエート、２−（プロピオニロキシ）フェニル２−メチルヘキサノエート、２−（ブチリロキシ）フェニル２−メチルヘキサノエート、２−（ペンタノイロキシ）フェニル２−メチルヘキサノエート、２−（ヘキサノイロキシ）フェニル２−メチルヘキサノエート、２−（２−メチルヘキサノイロキシ）フェニルヘプタノエート、２−（２−メチルヘキサノイロキシ）フェニルオクタノエート、２−（２−メチルヘキサノイロキシ）フェニルノナノエート、２−（２−メチルヘキサノイロキシ）フェニルデカノエート、２−（２−メチルヘキサノイロキシ）フェニルウンデカノエート、１，２−フェニレンビス（２−メチルヘキサノエート）、２−アセトキシフェニル２−メチルヘプタノエート、２−（プロピオニロキシ）フェニル２−メチルヘプタノエート、２−（ブチリロキシ）フェニル２−メチルヘプタノエート、２−（ペンタノイロキシ）フェニル２−メチルヘプタノエート、２−（ヘキサノイロキシ）フェニル２−メチルヘプタノエート、２−（ヘプタノイロキシ）フェニル２−メチルヘプタノエート、２−（２−メチルヘプタノイロキシ）フェニルオクタノエート、２−（２−メチルヘプタノイロキシ）フェニルノナノエート、２−（２−メチルヘプタノイロキシ）フェニルデカノエート、２−（２−メチルヘプタノイロキシ）フェニルウンデカノエート、１，２−フェニレンビス（２−メチルヘプタノエート）、２−アセトキシフェニル２−メチルオクタノエート、２−（プロピオニロキシ）フェニル２−メチルオクタノエート、２−（ブチリロキシ）フェニル２−メチルオクタノエート、２−（ペンタノイロキシ）フェニル２−メチルオクタノエート、２−（ヘキサノイロキシ）フェニル２−メチルオクタノエート、２−（ヘプタノイロキシ）フェニル２−メチルオクタノエート、２−（オクタノイロキシ）フェニル２−メチルオクタノエート、２−（２−メチルオクタノイロキシ）フェニルノナノエート、２−（２−メチルオクタノイロキシ）フェニルデカノエート、２−（２−メチルオクタノイロキシ）フェニルウンデカノエート、１，２−フェニレンビス（２−メチルオクタノエート）、２−アセトキシフェニル２−メチルノナノエート、２−（プロピオニロキシ）フェニル２−メチルノナノエート、２−（ブチリロキシ）フェニル２−メチルノナノエート、２−（ペンタノイロキシ）フェニル２−メチルノナノエート、２−（ヘキサノイロキシ）フェニル２−メチルノナノエート、２−（ヘプタノイロキシ）フェニル２−メチルノナノエート、２−（オクタノイロキシ）フェニル２−メチルノナノエート、２−（ノナノイロキシ）フェニル２−メチルノナノエート、２−（２−メチルノナノイロキシ）フェニルデカノエート、２−（２−メチルノナノイロキシ）フェニルウンデカノエート、１，２−フェニレンビス（２−メチルノナノエート）、２−アセトキシフェニル２−メチルデカノエート、２−（プロピオニロキシ）フェニル２−メチルデカノエート、２−（ブチリロキシ）フェニル２−メチルデカノエート、２−（ペンタノイロキシ）フェニル２−メチルデカノエート、２−（ヘキサノイロキシ）フェニル２−メチルデカノエート、２−（ヘプタノイロキシ）フェニル２−メチルデカノエート、２−（オクタノイロキシ）フェニル２−メチルデカノエート、２−（ノナノイロキシ）フェニル２−メチルデカノエート、２−（デカノイロキシ）フェニル２−メチルデカノエート、２−（２−メチルデカノイロキシ）フェニルウンデカノエート、１，２−フェニレンビス（２−メチルデカノエート）、２−アセトキシフェニル２−プロピルペンタノエート、２−（プロピオニロキシ）フェニル２−プロピルペンタノエート、２−（
ブチリロキシ）フェニル２−プロピルペンタノエート、２−（ペンタノイロキシ）フェニル２−プロピルペンタノエート、２−（２−プロピルペンタノエート）フェニルヘキサノエート、２−（２−プロピルペンタノエート）フェニルヘプタノエート、２−（２−プロピルペンタノエート）フェニルオクタノエート、２−（２−プロピルペンタノエート）フェニルノナノエート、２−（２−プロピルペンタノエート）フェニルデカノエート、２−（２−プロピルペンタノエート）フェニルウンデカノエート、１，２−フェニレンビス（２−プロピルペンタノエート）、２−アセトキシフェニル２−プロピルヘキサノエート、２−（プロピオニロキシ）フェニル２−プロピルヘキサノエート、２−（ブチリロキシ）フェニル２−プロピルヘキサノエート、２−（ペンタノイロキシ）フェニル２−プロピルヘキサノエート、２−（ヘキサノイロキシ）フェニル２−プロピルヘキサノエート、２−（２−プロピルヘキサノイロキシ）フェニルヘプタノエート、２−（２−プロピルヘキサノイロキシ）フェニルオクタノエート、２−（２−プロピルヘキサノイロキシ）フェニルノナノエート、２−（２−プロピルヘキサノイロキシ）フェニルデカノエート、２−（２−プロピルヘキサノイロキシ）フェニルウンデカノエート、１，２−フェニレンビス（２−プロピルヘキサノエート）、２−アセトキシフェニル２−プロピルヘプタノエート、２−（プロピオニロキシ）フェニル２−プロピルヘプタノエート、２−（ブチリロキシ）フェニル２−プロピルヘプタノエート、２−（ペンタノイロキシ）フェニル２−プロピルヘプタノエート、２−（ヘキサノイロキシ）フェニル２−プロピルヘプタノエート、２−（ヘプタノイロキシ）フェニル２−プロピルヘプタノエート、２−（２−プロピルヘプタノイロキシ）フェニルオクタノエート、２−（２−プロピルヘプタノイロキシ）フェニルノナノエート、２−（２−プロピルヘプタノイロキシ）フェニルデカノエート、２−（２−プロピルヘプタノイロキシ）フェニルウンデカノエート、１，２−フェニレンビス（２−プロピルヘプタノエート）、２−アセトキシフェニル２−プロピルオクタノエート、２−（プロピオニロキシ）フェニル２−プロピルオクタノエート、２−（ブチリロキシ）フェニル２−プロピルオクタノエート、２−（ペンタノイロキシ）フェニル２−プロピルオクタノエート、２−（ヘキサノイロキシ）フェニル２−プロピルオクタノエート、２−（ヘプタノイロキシ）フェニル２−プロピルオクタノエート、２−（オクタノイロキシ）フェニル２−プロピルオクタノエート、２−（２−プロピルオクタノイロキシ）フェニルノナノエート、２−（２−プロピルオクタノイロキシ）フェニルデカノエート、２−（２−プロピルオクタノイロキシ）フェニルウンデカノエート、１，２−フェニレンビス（２−プロピルオクタノエート）、２−アセトキシフェニル２−プロピルノナノエート、２−（プロピオニロキシ）フェニル２−プロピルノナノエート、２−（ブチリロキシ）フェニル２−プロピルノナノエート、２−（ペンタノイロキシ）フェニル２−プロピルノナノエート、２−（ヘキサノイロキシ）フェニル２−プロピルノナノエート、２−（ヘプタノイロキシ）フェニル２−プロピルノナノエート、２−（オクタノイロキシ）フェニル２−プロピルノナノエート、２−（ノナノイロキシ）フェニル２−プロピルノナノエート、２−（（２−プロピルノナロイル）オキシ）フェニルデカノエート、２−（（２−プロピルノナロイル）オキシ）フェニルウンデカノエート、１，２−フェニレンビス（２−プロピルノナノエート）、２−アセトキシフェニル２−プロピルデカノエート、２−（プロピオニロキシ）フェニル２−プロピルデカノエート、２−（ブチリロキシ）フェニル２−プロピルデカノエート、２−（ペンタノイロキシ）フェニル２−プロピルデカノエート、２−（ヘキサノイロキシ）フェニル２−プロピルデカノエート、２−（ヘプタノイロキシ）フェニル２−プロピルデカノエート、２−（オクタノイロキシ）フェニル２−プロピルデカノエート、２−（ノナノイロキシ）フェニル２−プロピルデカノエート、２−（デカノイロキシ）フェニル２−プロピルデカノエート、１，２−フェニレンビス（２−プロピルデカノエート）、２−アセトキシフェニル２，３−ジメチルブタノエート、２−（プロピオニロキシ）フェニル２，３−ジメチルブタノエート、２−（ブチリロキシ）フェニル２，３−ジメチルブタノエート、２−（２，３−ジメチルブタノイロキシ）フェニルペンタノエート、２−（２，３−ジメチルブタノイロキシ）フェニルヘキサノエート、２−（２，３−ジメチルブタノイロキシ）フェニルヘプタノエート、２−（２，３−ジメチルブタノイロキシ）フェニルオクタノエート、２−（２，３−ジメチルブタノイロキシ）フェニルノナノエート、２−（２，３−ジメチルブタノイロキシ）フェニルデカノエート、２−（２，３−ジメチルブタノイロキシ）フェニルウンデカノエート、１，２−フェニレンビス（２，３−ジメチルブタノエート）、１，２−フェニレンジイソプロパノエート、１，２−フェニレンジイソブタノエート、１，２−フェニレンジｔ−ブタノエート、１，２−フェニレンジイソペンタノエート、１，２−フェニレンジシクロプロピロエート、１，２−フェニレンジシクロブチロエート、１，２−フェニレンジシクロペンチロエート、１，２−フェニレンジシクロヘキシロエート、１，２−フェニレンジシクロヘプチロエート、１，２−フェニレンジシクロオクチロエート、１，２−フェニレンビス（４−メチルペンタノエート）、１，２−フェニレンビス（５−メチルヘキサノエート）、１，２−フェニレンビス（６−メチルヘプタノエート）、１，２−フェニレンビス（７−メチルオクタノエート）、１，２−フェニレンビス（８メチルノナノエート）、１，２−フェニレンビス（９−メチルデカノエート）、１，２−フェニレンビス（１０−メチルウンデカノエート）、１，２−フェニレンビス（６，６−ジメチルヘプタノエート）、２−アセトキシフェニルプロパノエート、２−アセトキシフェニルブチレート、２−アセトキシフェニルペンタノエート、２−アセトキシフェニルヘプタノエート、２−アセトキシフェニルオクタノエート、２−アセトキシフェニルノナノエート、２−アセトキシフェニルデカノエート、２−アセトキシフェニルウンデカノエート、２−（イソブチリロキシ）フェニルアセテート、２−（イソブチリロキシ）フェニルプロピオネート、２−（イソブチリロキシ）フェニルベンゾエート、２−（イソブチリロキシ）フェニルイソプロピオネート、２−（イソブチリロキシ）フェニルイソブチレート、２−（イソブチリロキシ）フェニルイソペンタノエート、２−（イソブチリロキシ）フェニルイソヘキサノエート、２−（イソブチリロキシ）フェニルイソヘプタノエート、２−（イソブチリロキシ）フェニルイソオクタノエート、２−（イソブチリロキシ）フェニルイソノナノエート、２−（イソブチリロキシ）フェニルイソデカノエート、２−（イソブチリロキシ）フェニルイソウンデカノエート、２−アセトキシフェニル４−メチルペンタノエート、２−（プロピオニロキシ）フェニル４−メチルペンタノエート、２−（ブチリロキシ）フェニル４−メチルペンタノエート、２−（ペンタノイロキシ）フェニル４−メチルペンタノエート、２−（４−メチルペンタノイロキシ）フェニルヘキサノエート、２−（４−メチルペンタノイロキシ）フェニルヘプタノエート、２−（４−メチルペンタノイロキシ）フェニルオクタノエート、２−（４−メチルペンタノイロキシ）フェニルノナノエート、２−（４−メチルペンタノイロキシ）フェニルデカノエート、２−（４−メチルペンタノイロキシ）フェニルウンデカノエート、２−アセトキシフェニル５−メチルヘキサノエート、２−（プロピオニロキシ）フェニル５−メチルヘキサノエート、２−（ブチリロキシ）フェニル５−メチルヘキサノエート、２−（ペンタノイロキシ）フェニル５−メチルヘキサノエート、２−（ヘキサノイロキシ）フェニル５−メチルヘキサノエート、２−（５−メチルヘキサノイロキシ）フェニルヘプタノエート、２−（５−メチルヘキサノイロキシ）フェニルオクタノエート、２−（５−メチルヘキサノイロキシ）フェニルノナノエート、２−（５−メチルヘキサノイロキシ）フェニルデカノエート、２−（５−メチルヘキサノイロキシ）フェニルウンデカノエート、２−アセトキシフェニル６−メチルヘプタノエート、２−（プロピオニロキシ）フェニル６−メチルヘプタノエート、２−（ブチリロキシ）フェニル６−メチルヘプタノエート、２−（ペンタノイロキシ）フェニル６−メチルヘプタノエート、２−（ヘキサノイロキシ）フェニル６−メチルヘプタノエート、２−（ヘプタノイロキシ）フェニル６−メチルヘプタノエート、２−（６−メチルヘプタノイロキシ）フェニルオクタノエート、２−（６−メチルヘプタノイロキシ）フェニルノナノエート、２−（６−メチルヘプタノイロキシ）フェニルデカノエート、２−（６−メチルヘプタノイロキシ）フェニルウンデカノエート、２−アセトキシフェニル９−エチルウンデカノエート、２−（プロピオニロキシ）フェニル９−エチルウンデカノエート、２−（ブチリロキシ）フェニル９−エチルウンデカノエート、２−（ペンタノイロキシ）フェニル９−エチルウンデカノエート、２−（ヘキサノイロキシ）フェニル９−エチルウンデカノエート、２−（ヘプタノイロキシ）フェニル９−エチルウンデカノエート、２−（オクタノイロキシ）フェニル９−エチルウンデカノエート、２−（ノナノイロキシ）フェニル９−エチルウンデカノエート、２−（デカノイロキシ）フェニル９−エチルウンデカノエート、４−クロロ−１，２−フェニレンジアセテート、４−ブロモ−１，２−フェニレンジアセテート、４−１，２−フェニレンジアセテート、４−ヨード−１，２−フェニレンジアセテート、４−メチル−１，２−フェニレンジアセテート、４−エチル−１，２−フェニレンジアセテート、４−ブチル−１，２−フェニレンジアセテート、４−イソブチル−１，２−フェニレンジアセテート、４−ｔｅｒｔ−ブチル−１，２−フェニレンジアセテート、４−イソプロピル−１，２−フェニレンジアセテート、４−ペンチル−１，２−フェニレンジアセテート、４−イソペンチル−１，２−フェニレンジアセテート、４−ヘキシル−１，２−フェニレンジアセテート、４−ヘプチル−１，２−フェニレンジアセテート、４−オクチル−１，２−フェニレンジアセテート、４−ノニル−１，２−フェニレンジアセテート、４−デシル−１，２−フェニレンジアセテート、４−ドデシル−１，２−フェニレンジアセテート、４−メトキシ−１，２−フェニレンジアセテート、４−エトキシ−１，２−フェニレンジアセテート、４−プロポキシ−１，２−フェニレンジアセテート、４−イソプロポキシ−１，２−フェニレンジアセテート、４−ブトキシ−１，２−フェニレンジアセテート、４−イソブトキシ−１，２−フェニレンジアセテート、４−ｔｅｒｔ−ブトキシ−１，２−フェニレンジアセテート、４−ペントキシ−１，２−フェニレンジアセテート、４−ヘキソキシ−１，２−フェニレンジアセテート、４−ヘプトキシ−１，２−フェニレンジアセテート、４−オクトキシ−１，２−フェニレンジアセテート、４−ノノキシ−１，２−フェニレンジアセテート、４−デコキシ−１，２−フェニレンジアセテート、４−フェノキシ−１，２−フェニレンジアセテート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート、４−エチル−１，２−フェニレンジイソプロパノエート、４−ブチル−１、２−フェニレンジイソプロパノエート、４−イソブチル−１，２−フェニレンジイソプロパノエート（４−ｔｅｒｔ−ブチル）−１，２−フェニレンジイソプロパノエート（４−イソプロピル）−１，２−フェニレンジイソプロパノエ
ート（４−ペンチル）−１，２−フェニレンジイソプロパノエート、４−イソペンチル−１，２−フェニレンジイソプロパノエート４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート４−エトキシ−１，２−フェニレンジイソプロパノエート、４−プロポキシ−１，２−フェニレンジイソプロパノエート、４−イソプロポキシ−１、２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１，２−フェニレンジイソプロパノエート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート、４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート、４−エトキシ−１，２−フェニレンジイソプロパノエート、４−プロポキシ−１，２−フェニレンジイソプロパノエート、４−イソプロポキシ−１，２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジイソプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１，２−フェニレンジイソプロパノエート、４−クロロ−１，２−フェニレンジブタノエート、４−ブロモ−１，２−フェニレンジブタノエート、４−フルオロ−１，２−フェニレンジブタノエート、４−ヨード−１，２−フェニレンジブタノエート、４−メチル−１，２−フェニレンジブタノエート、４−エチル−１，２−フェニレンジブタノエート、４−ブチル−１，２−フェニレンジブタノエート、４−イソブチル−１，２−フェニレンジブタノエート、４−ｔｅｒｔ−ブチル−１，２−フェニレンジブタノエート、４−イソプロピル−１，２−フェニレンジブタノエート、４−ペンチル−１，２−フェニレンジブタノエート、４−イソペンチル−１，２−フェニレンジブタノエート、４−ヘキシル−１，２−フェニレンジブタノエート、４−ヘプチル−１，２−フェニレンジブタノエート、４−オクチル−１，２−フェニレンジブタノエート、４−ノニル−１，２−フェニレンジブタノエート、４−デシル−１，２−フェニレンジブタノエート、４−ドデシル−１，２−フェニレンジブタノエート、４−メトキシ−１，２−フェニレンジブタノエート、４−エトキシ−１，２−フェニレンジブタノエート、４−プロポキシ−１，２−フェニレンジブタノエート、４−イソプロポキシ−１，２−フェニレンジブタノエート、４−ブトキシ−１，２−フェニレンジブタノエート、４−イソブトキシ−１，２−フェニレンジブタノエート、４−ｔｅｒｔ−ブトキシ−１，２−フェニレンジブタノエート、４−ペントキシ−１，２−フェニレンジブタノエート、４−ヘキソキシ−１，２−フェニレンジブタノエート、４−ヘプトキシ−１，２−フェニレンジブタノエート、４−オクトキシ−１，２−フェニレンジブタノエート、４−ノノキシ−１，２−フェニレンジブタノエート、４−デコキシ−１，２−フェニレンジブタノエート、４−フェノキシ−１，２−フェニレンジブタノエート、４−クロロ−１，２−フェニレンジイソブタノエート、４−ブロモ−１，２−フェニレンジイソブタノエート、４−フルオロ−１，２−フェニレンジイソブタノエート、４−ヨード−１，２−フェニレンジイソブタノエート、４−メチル−１，２−フェニレンジイソブタノエート、４−エチル−１，２−フェニレンジイソブタノエート、４−ブチル−１，２−フェニレンジイソブタノエート、４−イソブチル−１，２−フェニレンジイソブタノエート、４−ｔｅｒｔ−ブチル−１，２−フェニレンジイソブタノエート、４−イソプロピル−１，２−フェニレンジイソブタノエート、４−ペンチル−１，２−フェニレンジイソブタノエート、４−イソペンチル−１，２−フェニレンジイソブタノエート、４−ヘキシル−１，２−フェニレンジイソブタノエート、４−ヘプチル−１，２−フェニレンジイソブタノエート、４−オクチル−１，２−フェニレンジイソブタノエート、４−ノニル−１，２−フェニレンジイソブタノエート、４−デシル−１，２−フェニレンジイソブタノエート、４−ドデシル−１，２−フェニレンジイソブタノエート、４−メトキシ−１，２−フェニレンジイソブタノエート、４−エトキシ−１，２−フェニレンジイソブタノエート、４−プロポキシ−１，２−フェニレンジイソブタノエート、４−イソプロポキシ−１，２−フェニレンジイソブタノエート、４−ブトキシ−１，２−フェニレンジイソブタノエート、４−イソブトキシ−１，２−フェニレンジイソブタノエート、４−ｔｅｒｔ−ブトキシ−１，２−フェニレンジイソブタノエート、４−ペントキシ−１，２−フェニレンジイソブタノエート、４−ヘキソキシ−１，２−フェニレンジイソブタノエート、４−ヘプトキシ−１，２−フェニレンジイソブタノエート、４−オクトキシ−１，２−フェニレンジイソブタノエート、４−ノノキシ−１，２−フェニレンジイソブタノエート、４−デコキシ−１，２−フェニレンジイソブタノエート、４−フェノキシ−１，２−フェニレンジイソブタノエート、４−クロロ−１，２−フェニレンジ−ｔｅｒｔ−ブタノエート、４−ブロモ−１，２−フェニレンジ−ｔｅｒｔ−ブタノエート、４−フルオロ−１，２−フェニレンジ−ｔｅｒｔ−ブタノエート、４−ヨード−１，２−フェニレンジ−ｔｅｒｔ−ブタノエート、４−メチル−１，２−フェニレンジ−ｔｅｒｔ−ブタノエート、４−エチル−１，２−フェニレンジ−ｔｅｒｔ−ブタノエート、４−ブチル−１，２−フェニレンジ−ｔｅｒｔ−ブタノエート、４−イソブチル−１，２−フェニレンジ−ｔｅｒｔ−ブタノエート、４−ｔｅｒｔ−ブチル−１，２−フェニレンジ−ｔｅｒｔ−ブタノエート、４−イソプロピル−１，２−フェニレンジ−ｔｅｒｔ−ブタノエート、４−ペンチル−１，２−フェニレンジ−ｔｅｒｔ−ブタノエート、４−イソペンチル−１，２−フェニレンジ−ｔｅｒｔ−ブタノエート、４−ヘキシル−１，２−フェニレンジ−ｔｅｒｔ−ブタノエート、４−ヘプチル−１，２−フェニレンジ−ｔｅｒｔ−ブタノエート、４−オクチル−１，２−フェニレンジ−ｔｅｒｔ−ブタノエート、４−ノニル−１，２−フェニレンジ−ｔｅｒｔ−ブタノエート、４−デシル−１，２−フェニレンジ−ｔｅｒｔ−ブタノエート、４−ドデシル−１，２−フェニレンジ−ｔｅｒｔ−ブタノエート、４−メトキシ−１，２−フェニレンジ−ｔｅｒｔ−ブタノエート、４−エトキシ−１，２−フェニレンジ−ｔｅｒｔ−ブタノエート、４−プロポキシ−１，２−フェニレンジ−ｔｅｒｔ−ブタノエート、４−イソプロポキシ−１，２−フェニレンジ−ｔｅｒｔ−ブタノエート、４−ブトキシ−１，２−フェニレンジ−ｔｅｒｔ−ブタノエート、４−イソブトキシ−１，２−フェニレンジ−ｔｅｒｔ−ブタノエート、４−ｔｅｒｔ−ブトキシ−１，２−フェニレンジ−ｔｅｒｔ−ブタノエート、４−ペントキシ−１，２−フェニレンジ−ｔｅｒｔ−ブタノエート、４−ヘキソキシ−１，２−フェニレンジ−ｔｅｒｔ−ブタノエート、４−ヘプトキシ−１，２−フェニレンジ−ｔｅｒｔ−ブタノエート、４−オクトキシ−１，２−フェニレンジ−ｔｅｒｔ−ブタノエート、４−ノノキシ−１，２−フェニレンジ−ｔｅｒｔ−ブタノエート、４−デコキシ−１，２−フェニレンジ−ｔｅｒｔ−ブタノエート、４−フェノキシ−１，２−フェニレンジ−ｔｅｒｔ−ブタノエート、４−クロロ−１，２−フェニレンジペンタノエート、４−ブロモ−１，２−フェニレンジペンタノエート、４−フルオロ−１，２−フェニレンジペンタノエート、４−ヨード−１，２−フェニレンジペンタノエート、４−メチル−１，２−フェニレンジペンタノエート、４−エチル−１，２−フェニレンジペンタノエート、４−ブチル−１，２−フェニレンジペンタノエート、４−イソブチル−１，２−フェニレンジペンタノエート、４−ｔｅｒｔ−ブチル−１，２−フェニレンジペンタノエート、４−イソプロピル−１，２−フェニレンジペンタノエート、４−ペンチル−１，２−フェニレンジペンタノエート、４−イソペンチル−１，２−フェニレンジペンタノエート、４−ヘキシル−１，２−フェニレンジペンタノエート、４−ヘプチル−１，２−フェニレンジペンタノエート、４−オクチル−１，２−フェニレンジペンタノエート、４−ノニル−１，２−フェニレンジペンタノエート、４−デシル−１，２−フェニレンジペンタノエート、４−ドデシル−１，２−フェニレンジペンタノエート、４−メトキシ−１，２−フェニレンジペンタノエート、４−エトキシ−１，２−フェニレンジペンタノエート、４−プロポキシ−１，２−フェニレンジペンタノエート、４−イソプロポキシ−１，２−フェニレンジペンタノエート、４−ブトキシ−１，２−フェニレンジペンタノエート、４−イソブトキシ−１，２−フェニレンジペンタノエート、４−ｔｅｒｔ−ブトキシ−１，２−フェニレンジペンタノエート、４−ペントキシ−１，２−フェニレンジペンタノエート、４−ヘキソキシ−１，２−フェニレンジペンタノエート、４−ヘプトキシ−１，２−フェニレンジペンタノエート、４−オクトキシ−１，２−フェニレンジペンタノエート、４−ノノキシ−１，２−フェニレンジペンタノエート、４−デコキシ−１，２−フェニレンジペンタノエート、４−フェノキシ−１，２−フェニレンジペンタノエート、４−クロロ−１，２−フェニレンジイソペンタノエート、４−ブロモ−１，２−フェニレンジイソペンタノエート、４−フルオロ−１，２−フェニレンジイソペンタノエート、４−ヨード−１，２−フェニレンジイソペンタノエート、４−メチル−１，２−フェニレンジイソペンタノエート、４−エチル−１，２−フェニレンジイソペンタノエート、４−ブチル−１，２−フェニレンジイソペンタノエート、４−イソブチル−１，２−フェニレンジイ
ソペンタノエート、４−ｔｅｒｔ−ブチル−１，２−フェニレンジイソペンタノエート、４−イソプロピル−１，２−フェニレンジイソペンタノエート、４−ペンチル−１，２−フェニレンジイソペンタノエート、４−イソペンチル−１，２−フェニレンジイソペンタノエート、４−ヘキシル−１，２−フェニレンジイソペンタノエート、４−ヘプチル−１，２−フェニレンジイソペンタノエート、４−オクチル−１，２−フェニレンジイソペンタノエート、４−ノニル−１，２−フェニレンジイソペンタノエート、４−デシル−１，２−フェニレンジイソペンタノエート、４−ドデシル−１，２−フェニレンジイソペンタノエート、４−メトキシ−１，２−フェニレンジイソペンタノエート、４−エトキシ−１，２−フェニレンジイソペンタノエート、４−プロポキシ−１，２−フェニレンジイソペンタノエート、４−イソプロポキシ−１，２−フェニレンジイソペンタノエート、４−ブトキシ−１，２−フェニレンジイソペンタノエート、４−イソブトキシ−１，２−フェニレンジイソペンタノエート、４−ｔｅｒｔ−ブトキシ−１，２−フェニレンジイソペンタノエート、４−ペントキシ−１，２−フェニレンジイソペンタノエート、４−ヘキソキシ−１，２−フェニレンジイソペンタノエート、４−ヘプトキシ−１，２−フェニレンジイソペンタノエート、４−オクトキシ−１，２−フェニレンジイソペンタノエート、４−ノノキシ−１，２−フェニレンジイソペンタノエート、４−デコキシ−１，２−フェニレンジイソペンタノエート、４−フェノキシ−１，２−フェニレンジイソペンタノエート、４−クロロ−１，２−フェニレンジヘキサノエート、４−ブロモ−１，２−フェニレンジヘキサノエート、４−フルオロ−１，２−フェニレンジヘキサノエート、４−ヨード−１，２−フェニレンジヘキサノエート、４−メチル−１，２−フェニレンジヘキサノエート、４−エチル−１，２−フェニレンジヘキサノエート、４−ブチル−１，２−フェニレンジヘキサノエート、４−イソブチル−１，２−フェニレンジヘキサノエート、４−ｔｅｒｔ−ブチル−１，２−フェニレンジヘキサノエート、４−イソプロピル−１，２−フェニレンジヘキサノエート、４−ペンチル−１，２−フェニレンジヘキサノエート、４−イソペンチル−１，２−フェニレンジヘキサノエート、４−ヘキシル−１，２−フェニレンジヘキサノエート、４−ヘプチル−１，２−フェニレンジヘキサノエート、４−オクチル−１，２−フェニレンジヘキサノエート、４−ノニル−１，２−フェニレンジヘキサノエート、４−デシル−１，２−フェニレンジヘキサノエート、４−ドデシル−１，２−フェニレンジヘキサノエート、４−メトキシ−１，２−フェニレンジヘキサノエート、４−エトキシ−１，２−フェニレンジヘキサノエート、４−プロポキシ−１，２−フェニレンジヘキサノエート、４−イソプロポキシ−１，２−フェニレンジヘキサノエート、４−ブトキシ−１，２−フェニレンジヘキサノエート、４−イソブトキシ−１，２−フェニレンジヘキサノエート、４−ｔｅｒｔ−ブトキシ−１，２−フェニレンジヘキサノエート、４−ペントキシ−１，２−フェニレンジヘキサノエート、４−ヘキソキシ−１，２−フェニレンジヘキサノエート、４−ヘプトキシ−１，２−フェニレンジヘキサノエート、４−オクトキシ−１，２−フェニレンジヘキサノエート、４−ノノキシ−１，２−フェニレンジヘキサノエート、４−デコキシ−１，２−フェニレンジヘキサノエート、４−フェノキシ−１，２−フェニレンジヘキサノエート、４−クロロ−１，２−フェニレンジイソヘキサノエート、４−ブロモ−１，２−フェニレンジイソヘキサノエート、４−フルオロ−１，２−フェニレンジイソヘキサノエート、４−ヨード−１，２−フェニレンジイソヘキサノエート、４−メチル−１，２−フェニレンジイソヘキサノエート、４−エチル−１，２−フェニレンジイソヘキサノエート、４−ブチル−１，２−フェニレンジイソヘキサノエート、４−イソブチル−１，２−フェニレンジイソヘキサノエート、４−ｔｅｒｔ−ブチル−１，２−フェニレンジイソヘキサノエート、４−イソプロピル−１，２−フェニレンジイソヘキサノエート、４−ペンチル−１，２−フェニレンジイソヘキサノエート、４−イソペンチル−１，２−フェニレンジイソヘキサノエート、４−ヘキシル−１，２−フェニレンジイソヘキサノエート、４−ヘプチル−１，２−フェニレンジイソヘキサノエート、４−オクチル−１，２−フェニレンジイソヘキサノエート、４−ノニル−１，２−フェニレンジイソヘキサノエート、４−デシル−１，２−フェニレンジイソヘキサノエート、４−ドデシル−１，２−フェニレンジイソヘキサノエート、４−メトキシ−１，２−フェニレンジイソヘキサノエート、４−エトキシ−１，２−フェニレンジイソヘキサノエート、４−プロポキシ−１，２−フェニレンジイソヘキサノエート、４−イソプロポキシ−１，２−フェニレンジイソヘキサノエート、４−ブトキシ−１，２−フェニレンジイソヘキサノエート、４−イソブトキシ−１，２−フェニレンジイソヘキサノエート、４−ｔｅｒｔ−ブトキシ−１，２−フェニレンジイソヘキサノエート、４−ペントキシ−１，２−フェニレンジイソヘキサノエート、４−ヘキソキシ−１，２−フェニレンジイソヘキサノエート、４−ヘプトキシ−１，２−フェニレンジイソヘキサノエート、４−オクトキシ−１，２−フェニレンジイソヘキサノエート、４−ノノキシ−１，２−フェニレンジイソヘキサノエート、４−デコキシ−１，２−フェニレンジイソヘキサノエート、４−フェノキシ−１，２−フェニレンジイソヘキサノエート、４−クロロ−１，２−フェニレンジヘプタノエート、４−ブロモ−１，２−フェニレンジヘプタノエート、４−フルオロ−１，２−フェニレンジヘプタノエート、４−ヨード−１，２−フェニレンジヘプタノエート、４−メチル−１，２−フェニレンジヘプタノエート、４−エチル−１，２−フェニレンジヘプタノエート、４−ブチル−１，２−フェニレンジヘプタノエート、４−イソブチル−１，２−フェニレンジヘプタノエート、４−ｔｅｒｔ−ブチル−１，２−フェニレンジヘプタノエート、４−イソプロピル−１，２−フェニレンジヘプタノエート、４−ペンチル−１，２−フェニレンジヘプタノエート、４−イソペンチル−１，２−フェニレンジヘプタノエート、４−ヘキシル−１，２−フェニレンジヘプタノエート、４−ヘプチル−１，２−フェニレンジヘプタノエート、４−オクチル−１，２−フェニレンジヘプタノエート、４−ノニル−１，２−フェニレンジヘプタノエート、４−デシル−１，２−フェニレンジヘプタノエート、４−ドデシル−１，２−フェニレンジヘプタノエート、４−メトキシ−１，２−フェニレンジヘプタノエート、４−エトキシ−１，２−フェニレンジヘプタノエート、４−プロポキシ−１，２−フェニレンジヘプタノエート、４−イソプロポキシ−１，２−フェニレンジヘプタノエート、４−ブトキシ−１，２−フェニレンジヘプタノエート、４−イソブトキシ−１，２−フェニレンジヘプタノエート、４−ｔｅｒｔ−ブトキシ−１，２−フェニレンジヘプタノエート、４−ペントキシ−１，２−フェニレンジヘプタノエート、４−ヘキソキシ−１，２−フェニレンジヘプタノエート、４−ヘプトキシ−１，２−フェニレンジヘプタノエート、４−オクトキシ−１，２−フェニレンジヘプタノエート、４−ノノキシ−１，２−フェニレンジヘプタノエート、４−デコキシ−１，２−フェニレンジヘプタノエート、４−フェノキシ−１，２−フェニレンジヘプタノエート、４−クロロ−１，２−フェニレンジイソヘプタノエート、４−ブロモ−１，２−フェニレンジイソヘプタノエート、４−フルオロ−１，２−フェニレンジイソヘプタノエート、４−ヨード−１，２−フェニレンジイソヘプタノエート、４−メチル−１，２−フェニレンジイソヘプタノエート、４−エチル−１，２−フェニレンジイソヘプタノエート、４−ブチル−１，２−フェニレンジイソヘプタノエート、４−イソブチル−１，２−フェニレンジイソヘプタノエート、４−ｔｅｒｔ−ブチル−１，２−フェニレンジイソヘプタノエート、４−イソプロピル−１，２−フェニレンジイソヘプタノエート、４−ペンチル−１，２−フェニレンジイソヘプタノエート、４−イソペンチル−１，２−フェニレンジイソヘプタノエート、４−ヘキシル−１，２−フェニレンジイソヘプタノエート、４−ヘプチル−１，２−フェニレンジイソヘプタノエート、４−オクチル−１，２−フェニレンジイソヘプタノエート、４−ノニル−１，２−フェニレンジイソヘプタノエート、４−デシル−１，２−フェニレンジイソヘプタノエート、４−ドデシル−１，２−フェニレンジイソヘプタノエート、４−メトキシ−１，２−フェニレンジイソヘプタノエート、４−エトキシ−１，２−フェニレンジイソヘプタノエート、４−プロポキシ−１，２−フェニレンジイソヘプタノエート、４−イソプロポキシ−１，２−フェニレンジイソヘプタノエート、４−ブトキシ−１，２−フェニレンジイソヘプタノエート、４−イソブトキシ−１，２−フェニレンジイソヘプタノエート、４−ｔｅｒｔ−ブトキシ−１，２−フェニレンジイソヘプタノエート、４−ペントキシ−１，２−フェニレンジイソヘプタノエート、４−ヘキソキシ−１，２−フェニレンジイソヘプタノエート、４−ヘプトキシ−１，２−フェニレンジイソヘプタノエート、４−オクトキシ−１，２−フェニレンジイソヘプタノエート、４−ノノキシ−１，２−フェニレンジイソヘプタノエート、４−デコキシ−１，２−フェニレンジイソヘプタノエート、４−フェノキシ−１，２−フェニレンジイソヘプタノエート、４−クロロ−１，２−フェニレンジオクタノエート、４−ブロモ−１，２−フェニレンジオクタノエート、４−フルオロ−１，２−フェニレンジオクタノエート、４−ヨード−１，２−フェニレンジオクタノエート、４−メチル−１，２−フェニレンジオクタノエート、４−エチル−１，２−フェニレンジオクタノエート、４−ブチル−１，２−フェニレンジオクタノエート、４−イソブチル−１，２−フェニレンジオクタノエート、４−ｔｅｒｔ−ブチル−１，２−フェニレンジオクタノエート、４−イソプロピル−１，２−フェニレンジオクタノエート、４−ペンチル−１，２−フェニレンジオクタノエート、４−イソペンチル−１，２−フェニレンジオクタノエート、４−ヘキシル−１，２−フェニレンジオクタノエート、４−ヘプチル−１，２−フェニレンジオクタノエート、４−オクチル−１，２−フェニレンジオクタノエート、４−ノニル−１，２−フェニレンジオクタノエート、４−デシル−１，２−フェニレンジオクタノエート、４−ドデシル−１，２−フェニレンジオクタノエート、４−メトキシ−１，２−フェニレンジオクタノエート、４−エトキシ−１，２−フェニレンジオクタノエート、４−プロポキシ−１，２−フェニレンジオクタノエート、４−イソプロポキシ−１，２−フェニレンジオクタノエート、４−ブトキシ−１，２−フェニレンジオクタノエート、４−イソブトキシ−１，２−フェニレンジオクタノエート、４−ｔｅｒｔ−ブトキシ−１，２−フェニレンジオクタノエート、４−ペントキシ−１，２−フェニレンジオクタノエート、４−ヘキソキシ−１，２−フェニレンジオクタノエート、４−ヘプトキシ−１，２−フェニレンジオクタノエート、４−オクトキシ−１，２−フェニレンジオクタノエート、４−ノノキシ−１，２−フェニレンジオクタノエート、４−デコキシ−１，２−フェニレンジオクタノエート、４−フェノキシ−１，２−フェニレンジオクタノエート、４−クロロ−１，２−フェニレンジイソオクタノエート、４−ブロモ−１，２−フェニレンジイソオクタノエート、４−フルオロ−１，２−フェニレンジイソオクタノエート、４−ヨード−１，２−フェニレンジイソオクタノエート、４−メチル−１，２−フェニレンジイソオクタノエート、４−エチル−１，２−フェニレンジイソオクタノエート、４−ブチル−１，２−フェニレンジイソオクタノエート、４−イソブチル−１，２−フェニレンジイソオクタノエート、４−ｔｅｒｔ−ブチル−１，２−フェニ
レンジイソオクタノエート、４−イソプロピル−１，２−フェニレンジイソオクタノエート、４−ペンチル−１，２−フェニレンジイソオクタノエート、４−イソペンチル−１，２−フェニレンジイソオクタノエート、４−ヘキシル−１，２−フェニレンジイソオクタノエート、４−ヘプチル−１，２−フェニレンジイソオクタノエート、４−オクチル−１，２−フェニレンジイソオクタノエート、４−ノニル−１，２−フェニレンジイソオクタノエート、４−デシル−１，２−フェニレンジイソオクタノエート、４−ドデシル−１，２−フェニレンジイソオクタノエート、４−メトキシ−１，２−フェニレンジイソオクタノエート、４−エトキシ−１，２−フェニレンジイソオクタノエート、４−プロポキシ−１，２−フェニレンジイソオクタノエート、４−イソプロポキシ−１，２−フェニレンジイソオクタノエート、４−ブトキシ−１，２−フェニレンジイソオクタノエート、４−イソブトキシ−１，２−フェニレンジイソオクタノエート、４−ｔｅｒｔ−ブトキシ−１，２−フェニレンジイソオクタノエート、４−ペントキシ−１，２−フェニレンジイソオクタノエート、４−ヘキソキシ−１，２−フェニレンジイソオクタノエート、４−ヘプトキシ−１，２−フェニレンジイソオクタノエート、４−オクトキシ−１，２−フェニレンジイソオクタノエート、４−ノノキシ−１，２−フェニレンジイソオクタノエート、４−デコキシ−１，２−フェニレンジイソオクタノエート、４−フェノキシ−１，２−フェニレンジイソオクタノエート、４−クロロ−１，２−フェニレンジノナノエート、４−ブロモ−１，２−フェニレンジノナノエート、４−フルオロ−１，２−フェニレンジノナノエート、４−ヨード−１，２−フェニレンジノナノエート、４−メチル−１，２−フェニレンジノナノエート、４−エチル−１，２−フェニレンジノナノエート、４−ブチル−１，２−フェニレンジノナノエート、４−イソブチル−１，２−フェニレンジノナノエート、４−ｔｅｒｔ−ブチル−１，２−フェニレンジノナノエート、４−イソプロピル−１，２−フェニレンジノナノエート、４−ペンチル−１，２−フェニレンジノナノエート、４−イソペンチル−１，２−フェニレンジノナノエート、４−ヘキシル−１，２−フェニレンジノナノエート、４−ヘプチル−１，２−フェニレンジノナノエート、４−オクチル−１，２−フェニレンジノナノエート、４−ノニル−１，２−フェニレンジノナノエート、４−デシル−１，２−フェニレンジノナノエート、４−ドデシル−１，２−フェニレンジノナノエート、４−メトキシ−１，２−フェニレンジノナノエート、４−エトキシ−１，２−フェニレンジノナノエート、４−プロポキシ−１，２−フェニレンジノナノエート、４−イソプロポキシ−１，２−フェニレンジノナノエート、４−ブトキシ−１，２−フェニレンジノナノエート、４−イソブトキシ−１，２−フェニレンジノナノエート、４−ｔｅｒｔ−ブトキシ−１，２−フェニレンジノナノエート、４−ペントキシ−１，２−フェニレンジノナノエート、４−ヘキソキシ−１，２−フェニレンジノナノエート、４−ヘプトキシ−１，２−フェニレンジノナノエート、４−オクトキシ−１，２−フェニレンジノナノエート、４−ノノキシ−１，２−フェニレンジノナノエート、４−デコキシ−１，２−フェニレンジノナノエート、４−フェノキシ−１，２−フェニレンジノナノエート、４−クロロ−１，２−フェニレンジデカノエート、４−ブロモ−１，２−フェニレンジデカノエート、４−フルオロ−１，２−フェニレンジデカノエート、４−ヨード−１，２−フェニレンジデカノエート、４−メチル−１，２−フェニレンジデカノエート、４−エチル−１，２−フェニレンジデカノエート、４−ブチル−１，２−フェニレンジデカノエート、４−イソブチル−１，２−フェニレンジデカノエート、４−ｔｅｒｔ−ブチル−１，２−フェニレンジデカノエート、４−イソプロピル−１，２−フェニレンジデカノエート、４−ペンチル−１，２−フェニレンジデカノエート、４−イソペンチル−１，２−フェニレンジデカノエート、４−ヘキシル−１，２−フェニレンジデカノエート、４−ヘプチル−１，２−フェニレンジデカノエート、４−オクチル−１，２−フェニレンジデカノエート、４−ノニル−１，２−フェニレンジデカノエート、４−デシル−１，２−フェニレンジデカノエート、４−ドデシル−１，２−フェニレンジデカノエート、４−メトキシ−１，２−フェニレンジデカノエート、４−エトキシ−１，２−フェニレンジデカノエート、４−プロポキシ−１，２−フェニレンジデカノエート、４−イソプロポキシ−１，２−フェニレンジデカノエート、４−ブトキシ−１，２−フェニレンジデカノエート、４−イソブトキシ−１，２−フェニレンジデカノエート、４−ｔｅｒｔ−ブトキシ−１，２−フェニレンジデカノエート、４−ペントキシ−１，２−フェニレンジデカノエート、４−ヘキソキシ−１，２−フェニレンジデカノエート、４−ヘプトキシ−１，２−フェニレンジデカノエート、４−オクトキシ−１，２−フェニレンジデカノエート、４−ノノキシ−１，２−フェニレンジデカノエート、４−デコキシ−１，２−フェニレンジデカノエート、４−フェノキシ−１，２−フェニレンジデカノエート、３−クロロ−１，２−フェニレンジアセテート、３−ブロモ−１，２−フェニレンジアセテート、３−フルオロ−１、２−フェニレンジアセテート、３−ヨード−１，２−フェニレンジアセテート、３メチル−１，２−フェニレンジアセテート、３−エチル−１，２−フェニレンジアセテート、３−ブチル−１，２−フェニレンジアセテート、３−イソブチル−１，２−フェニレンジアセテート、３−ｔｅｒｔ−ブチル−１，２−フェニレンジアセテート、３−イソプロピル−１，２−フェニレンジアセテート、３−ペンチル−１，２−フェニレンジアセテート、３−イソペンチル−１，２−フェニレンジアセテート、３−ヘキシル−１，２−フェニレンジアセテート、３−ヘプチル−１，２−フェニレンジアセテート、３−オクチル−１，２−フェニレンジアセテート、３−ノニル−１，２−フェニレンジアセテート、３−デシル−１，２−フェニレンジアセテート、３−ドデシル−１，２−フェニレンジアセテート、３−メトキシ−１，２−フェニレンジアセテート、３−エトキシ−１，２−フェニレンジアセテート、３−プロポキシ−１，２−フェニレンジアセテート、３−イソプロポキシ−１，２−フェニレンジアセテート、３−ブトキシ−１，２−フェニレンジアセテート、３−イソブトキシ−１，２−フェニレンジアセテート、３−ｔｅｒｔ−ブトキシ−１，２−フェニレンジアセテート、３−ペントキシ−１，２−フェニレンジアセテート、３−ヘキソキシ−１，２−フェニレンジアセテート、３−ヘプトキシ−１，２−フェニレンジアセテート、３−オクトキシ−１，２−フェニレンジアセテート、３−ノノキシ−１，２−フェニレンジアセテート、３−デコキシ−１，２−フェニレンジアセテート、３−フェノキシ−１，２−フェニレンジアセテート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート、３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジイソプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジブタノエート、３−ブロモ−１，２−フェニレンジブタノエート、３−フルオロ−１，２−フェニレンジブタノエート、３−ヨード−１，２−フェニレンジブタノエート、３−メチル−１，２−フェニレンジブタノエート、３−エチル−１，２−フェニレンジブタノエート、３−ブチル−１，２−フェニレンジブタノエート、３−イソブチル−１，２−フェニレンジブタノエート、３−ｔｅｒｔ−ブチル−１，２−フェニレンジブタノエート、３−イソプロピル−１，２−フェニレンジブタノエート、３−ペンチル−１，２−フェニレンジブタノエート、３−イソペンチル−１，２−フェニレンジブタノエート、３−ヘキシル−１，２−フェニレンジブタノエート、３−ヘプチル−１，２−フェニレンジブタノエート、３−オクチル−１，２−フェニレンジブタノエート、３−ノニル−１，２−フェニレンジブタノエート、３−デシ
ル−１，２−フェニレンジブタノエート、３−ドデシル−１，２−フェニレンジブタノエート、３−メトキシ−１，２−フェニレンジブタノエート、３−エトキシ−１，２−フェニレンジブタノエート、３−プロポキシ−１，２−フェニレンジブタノエート、３−イソプロポキシ−１，２−フェニレンジブタノエート、３−ブトキシ−１，２−フェニレンジブタノエート、３−イソブトキシ−１，２−フェニレンジブタノエート、３−ｔｅｒｔ−ブトキシ−１，２−フェニレンジブタノエート、３−ペントキシ−１，２−フェニレンジブタノエート、３−ヘキソキシ−１，２−フェニレンジブタノエート、３−ヘプトキシ−１，２−フェニレンジブタノエート、３−オクトキシ−１，２−フェニレンジブタノエート、３−ノノキシ−１，２−フェニレンジブタノエート、３−デコキシ−１，２−フェニレンジブタノエート、３−フェノキシ−１，２−フェニレンジブタノエート、３−クロロ−１，２−フェニレンジイソブタノエート、３−ブロモ−１，２−フェニレンジイソブタノエート、３−フルオロ−１，２−フェニレンジイソブタノエート、３−ヨード−１，２−フェニレンジイソブタノエート、３−メチル−１，２−フェニレンジイソブタノエート、３−エチル−１，２−フェニレンジイソブタノエート、３−ブチル−１，２−フェニレンジイソブタノエート、３−イソブチル−１，２−フェニレンジイソブタノエート、３−ｔｅｒｔ−ブチル−１，２−フェニレンジイソブタノエート、３−イソプロピル−１，２−フェニレンジイソブタノエート、３−ペンチル−１，２−フェニレンジイソブタノエート、３−イソペンチル−１，２−フェニレンジイソブタノエート、３−ヘキシル−１，２−フェニレンジイソブタノエート、３−ヘプチル−１，２−フェニレンジイソブタノエート、３−オクチル−１，２−フェニレンジイソブタノエート、３−ノニル−１，２−フェニレンジイソブタノエート、３−デシル−１，２−フェニレンジイソブタノエート、３−ドデシル−１，２−フェニレンジイソブタノエート、３−メトキシ−１，２−フェニレンジイソブタノエート、３−エトキシ−１，２−フェニレンジイソブタノエート、３−プロポキシ−１，２−フェニレンジイソブタノエート、３−イソプロポキシ−１，２−フェニレンジイソブタノエート、３−ブトキシ−１，２−フェニレンジイソブタノエート、３−イソブトキシ−１，２−フェニレンジイソブタノエート、３−ｔｅｒｔ−ブトキシ−１，２−フェニレンジイソブタノエート、３−ペントキシ−１，２−フェニレンジイソブタノエート、３−ヘキソキシ−１，２−フェニレンジイソブタノエート、３−ヘプトキシ−１，２−フェニレンジイソブタノエート、３−オクトキシ−１，２−フェニレンジイソブタノエート、３−ノノキシ−１，２−フェニレンジイソブタノエート、３−デコキシ−１，２−フェニレンジイソブタノエート、３−フェノキシ−１，２−フェニレンジイソブタノエート、３−クロロ−１，２−フェニレンジ−ｔｅｒｔ−ブタノエート、３−ブロモ−１，２−フェニレンジ−ｔｅｒｔ−ブタノエート、３−フルオロ−１，２−フェニレンジ−ｔｅｒｔ−ブタノエート、３−ヨード−１，２−フェニレンジ−ｔｅｒｔ−ブタノエート、３−メチル−１，２−フェニレンジ−ｔｅｒｔ−ブタノエート、３−エチル−１，２−フェニレンジ−ｔｅｒｔ−ブタノエート、３−ブチル−１，２−フェニレンジ−ｔｅｒｔ−ブタノエート、３−イソブチル−１，２−フェニレンジ−ｔｅｒｔ−ブタノエート、３−ｔｅｒｔ−ブチル−１，２−フェニレンジ−ｔｅｒｔ−ブタノエート、３−イソプロピル−１，２−フェニレンジ−ｔｅｒｔ−ブタノエート、３−ペンチル−１，２−フェニレンジ−ｔｅｒｔ−ブタノエート、３−イソペンチル−１，２−フェニレンジ−ｔｅｒｔ−ブタノエート、３−ヘキシル−１，２−フェニレンジ−ｔｅｒｔ−ブタノエート、３−ヘプチル−１，２−フェニレンジ−ｔｅｒｔ−ブタノエート、３−オクチル−１，２−フェニレンジ−ｔｅｒｔ−ブタノエート、３−ノニル−１，２−フェニレンジ−ｔｅｒｔ−ブタノエート、３−デシル−１，２−フェニレンジ−ｔｅｒｔ−ブタノエート、３−ドデシル−１，２−フェニレンジ−ｔｅｒｔ−ブタノエート、３−メトキシ−１，２−フェニレンジ−ｔｅｒｔ−ブタノエート、３−エトキシ−１，２−フェニレンジ−ｔｅｒｔ−ブタノエート、３−プロポキシ−１，２−フェニレンジ−ｔｅｒｔ−ブタノエート、３−イソプロポキシ−１，２−フェニレンジ−ｔｅｒｔ−ブタノエート、３−ブトキシ−１，２−フェニレンジ−ｔｅｒｔ−ブタノエート、３−イソブトキシ−１，２−フェニレンジ−ｔｅｒｔ−ブタノエート、３−ｔｅｒｔ−ブトキシ−１，２−フェニレンジ−ｔｅｒｔ−ブタノエート、３−ペントキシ−１，２−フェニレンジ−ｔｅｒｔ−ブタノエート、３−ヘキソキシ−１，２−フェニレンジ−ｔｅｒｔ−ブタノエート、３−ヘプトキシ−１，２−フェニレンジ−ｔｅｒｔ−ブタノエート、３−オクトキシ−１，２−フェニレンジ−ｔｅｒｔ−ブタノエート、３−ノノキシ−１，２−フェニレンジ−ｔｅｒｔ−ブタノエート、３−デコキシ−１，２−フェニレンジ−ｔｅｒｔ−ブタノエート、３−フェノキシ−１，２−フェニレンジ−ｔｅｒｔ−ブタノエート、３−クロロ−１，２−フェニレンジペンタノエート、３−ブロモ−１，２−フェニレンジペンタノエート、３−フルオロ−１，２−フェニレンジペンタノエート、３−ヨード−１，２−フェニレンジペンタノエート、３−メチル−１，２−フェニレンジペンタノエート、３−エチル−１，２−フェニレンジペンタノエート、３−ブチル−１，２−フェニレンジペンタノエート、３−イソブチル−１，２−フェニレンジペンタノエート、３−ｔｅｒｔ−ブチル−１，２−フェニレンジペンタノエート、３−イソプロピル−１，２−フェニレンジペンタノエート、３−ペンチル−１，２−フェニレンジペンタノエート、３−イソペンチル−１，２−フェニレンジペンタノエート、３−ヘキシル−１，２−フェニレンジペンタノエート、３−ヘプチル−１，２−フェニレンジペンタノエート、３−オクチル−１，２−フェニレンジペンタノエート、３−ノニル−１，２−フェニレンジペンタノエート、３−デシル−１，２−フェニレンジペンタノエート、３−ドデシル−１，２−フェニレンジペンタノエート、３−メトキシ−１，２−フェニレンジペンタノエート、３−エトキシ−１，２−フェニレンジペンタノエート、３−プロポキシ−１，２−フェニレンジペンタノエート、３−イソプロポキシ−１，２−フェニレンジペンタノエート、３−ブトキシ−１，２−フェニレンジペンタノエート、３−イソブトキシ−１，２−フェニレンジペンタノエート、３−ｔｅｒｔ−ブトキシ−１，２−フェニレンジペンタノエート、３−ペントキシ−１，２−フェニレンジペンタノエート、３−ヘキソキシ−１，２−フェニレンジペンタノエート、３−ヘプトキシ−１，２−フェニレンジペンタノエート、３−オクトキシ−１，２−フェニレンジペンタノエート、３−ノノキシ−１，２−フェニレンジペンタノエート、３−デコキシ−１，２−フェニレンジペンタノエート、３−フェノキシ−１，２−フェニレンジペンタノエート、３−クロロ−１，２−フェニレンジイソペンタノエート、３−ブロモ−１，２−フェニレンジイソペンタノエート、３−フルオロ−１，２−フェニレンジイソペンタノエート、３−ヨード−１，２−フェニレンジイソペンタノエート、３−メチル−１，２−フェニレンジイソペンタノエート、３−エチル−１，２−フェニレンジイソペンタノエート、３−ブチル−１，２−フェニレンジイソペンタノエート、３−イソブチル−１，２−フェニレンジイソペンタノエート、３−ｔｅｒｔ−ブチル−１，２−フェニレンジイソペンタノエート、３−イソプロピル−１，２−フェニレンジイソペンタノエート、３−ペンチル−１，２−フェニレンジイソペンタノエート、３−イソペンチル−１，２−フェニレンジイソペンタノエート、３−ヘキシル−１，２−フェニレンジイソペンタノエート、３−ヘプチル−１，２−フェニレンジイソペンタノエート、３−オクチル−１，２−フェニレンジイソペンタノエート、３−ノニル−１，２−フェニレンジイソペンタノエート、３−デシル−１，２−フェニレンジイソペンタノエート、３−ドデシル−１，２−フェニレンジイソペンタノエート、３−メトキシ−１，２−フェニレンジイソペンタノエート、３−エトキシ−１，２−フェニレンジイソペンタノエート、３−プロポキシ−１，２−フェニレンジイソペンタノエート、３−イソプロポキシ−１，２−フェニレンジイソペンタノエート、３−ブトキシ−１，２−フェニレンジイソペンタノエート、３−イソブトキシ−１，２−フェニレンジイソペンタノエート、３−ｔｅｒｔ−ブトキシ−１，２−フェニレンジイソペンタノエート、３−ペントキシ−１，２−フェニレンジイソペンタノエート、３−ヘキソキシ−１，２−フェニレンジイソペンタノエート、３−ヘプトキシ−１，２−フェニレンジイソペンタノエート、３−オクトキシ−１，２−フェニレンジイソペンタノエート、３−ノノキシ−１，２−フェニレンジイソペンタノエート、３−デコキシ−１，２−フェニレンジイソペンタノエート、３−フェノキシ−１，２−フェニレンジイソペンタノエート、３−クロロ−１，２−フェニレンジヘキサノエート、３−ブロモ−１，２−フェニレンジヘキサノエート、３−フルオロ−１，２−フェニレンジヘキサノエート、３−ヨード−１，２−フェニレンジヘキサノエート、３−メチル−１，２−フェニレンジヘキサノエート、３−エチル−１，２−フェニレンジヘキサノエート、３−ブチル−１，２−フェニレンジヘキサノエート、３−イソブチル−１，２−フェニレンジヘキサノエート、３−ｔｅｒｔ−ブチル−１，２−フェニレンジヘキサノエート、３−イソプロピル−１，２−フェニレンジヘキサノエート、３−ペンチル−１，２−フェニレンジヘキサノエート、３−イソペンチル−１，２−フェニレンジヘキサノエート、３−ヘキシル−１，２−フェニレンジヘキサノエート、３−ヘプチル−１，２−フェニレンジヘキサノエート、３−オクチル−１，２−フェニレンジヘキサノエート、３−ノニル−１，２−フェニレンジヘキサノエート、３−デシル−１，２−フェニレンジヘキサノエート、３−ドデシル−１，２−フェニレンジヘキサノエート、３−メトキシ−１，２−フェニレンジヘキサノエート、３−エトキシ−１，２−フェニレンジヘキサノエート、３−プロポキシ−１，２−フェニレンジヘキサノエート、３−イソプロポキシ−１，２−フェニレンジヘキサノエート、３−ブトキシ−１，２−フェニレンジヘキサノエート、３−イソブトキシ−１，２−フェニレンジヘキサノエート、３−ｔｅｒｔ−ブトキシ−１，２−フェニレンジヘキサノエート、３−ペントキシ−１，２−フェニレンジヘキサノエート、３−ヘキソキシ−１，２−フェニレンジヘキサノエート、３−ヘプトキシ−１，２−フェニレンジヘキサノエート、３−オクトキシ−１，２−フェニレンジヘキサノエート、３−ノノキシ−１，２−フェニレンジヘキサノエート、３−デコキシ−１，２−フェニレンジヘキサノエート、３−フェノキシ−１，２−フェニレンジヘキサノエート、３−クロロ−１，２−フェニレンジイソヘキサノエート、３−ブロモ−１，２−フェニレンジイソヘキサノエート、３−フルオロ−１，２−フェニレンジイソヘキサノエート、３−ヨード−１，２−フェニレンジイソヘキサノエート、３−メチル−１，２−フェニレンジイソヘキサノエート、３−エチル−１，２−フェニレンジイソヘキサノエート、３−ブチル−１，２−フェニレンジイソヘキサノエート、３−イソブチル−１，２−フェニレンジイソヘキサノエート、３−ｔｅｒｔ−ブチル−１，２−フェニレンジイソヘキサノエート、３−イソプロピル−１，２−フェニレンジイソヘキサノエート、３−ペンチル−１，２−フェニレンジイソヘキサノエート、３−イソペンチル−１，２−フェニレンジイソヘキサノエート、３−ヘキシル−１，２−フェニレンジイソヘキサノエート、３−ヘプチル−１，２−フェニレンジイソヘキサノエート、３−オク
チル−１，２−フェニレンジイソヘキサノエート、３−ノニル−１，２−フェニレンジイソヘキサノエート、３−デシル−１，２−フェニレンジイソヘキサノエート、３−ドデシル−１，２−フェニレンジイソヘキサノエート、３−メトキシ−１，２−フェニレンジイソヘキサノエート、３−エトキシ−１，２−フェニレンジイソヘキサノエート、３−プロポキシ−１，２−フェニレンジイソヘキサノエート、３−イソプロポキシ−１，２−フェニレンジイソヘキサノエート、３−ブトキシ−１，２−フェニレンジイソヘキサノエート、３−イソブトキシ−１，２−フェニレンジイソヘキサノエート３−ｔｅｒｔ−ブトキシ−１，２−フェニレンジイソヘキサノエート、３−ペントキシ−１，２−フェニレンジイソヘキサノエート、３−ヘキソキシ−１，２−フェニレンジイソヘキサノエート、３−ヘプトキシ−１，２−フェニレンジイソヘキサノエート、３−オクトキシ−１，２−フェニレンジイソヘキサノエート、３−ノノキシ−１，２−フェニレンジイソヘキサノエート、３−デコキシ−１，２−フェニレンジイソヘキサノエート、３−フェノキシ−１，２−フェニレンジイソヘキサノエート、３−クロロ−１，２−フェニレンジヘプタノエート、３−ブロモ−１，２−フェニレンジヘプタノエート、３−フルオロ−１，２−フェニレンジヘプタノエート、３−ヨード−１，２−フェニレンジヘプタノエート、３−メチル−１，２−フェニレンジヘプタノエート、３−エチル−１，２−フェニレンジヘプタノエート、３−ブチル−１，２−フェニレンジヘプタノエート、３−イソブチル−１，２−フェニレンジヘプタノエート、３−ｔｅｒｔ−ブチル−１，２−フェニレンジヘプタノエート、３−イソプロピル−１，２−フェニレンジヘプタノエート、３−ペンチル−１，２−フェニレンジヘプタノエート、３−イソペンチル−１，２−フェニレンジヘプタノエート、３−ヘキシル−１，２−フェニレンジヘプタノエート、３−ヘプチル−１，２−フェニレンジヘプタノエート、３−オクチル−１，２−フェニレンジヘプタノエート、３−ノニル−１，２−フェニレンジヘプタノエート、３−デシル−１，２−フェニレンジヘプタノエート、３−ドデシル−１，２−フェニレンジヘプタノエート、３−メトキシ−１，２−フェニレンジヘプタノエート、３−エトキシ−１，２−フェニレンジヘプタノエート、３−プロポキシ−１，２−フェニレンジヘプタノエート、３−イソプロポキシ−１，２−フェニレンジヘプタノエート、３−ブトキシ−１，２−フェニレンジヘプタノエート、３−イソブトキシ−１，２−フェニレンジヘプタノエート、３−ｔｅｒｔ−ブトキシ−１，２−フェニレンジヘプタノエート、３−ペントキシ−１，２−フェニレンジヘプタノエート、３−ヘキソキシ−１，２−フェニレンジヘプタノエート、３−ヘプトキシ−１，２−フェニレンジヘプタノエート、３−オクトキシ−１，２−フェニレンジヘプタノエート、３−ノノキシ−１，２−フェニレンジヘプタノエート、３−デコキシ−１，２−フェニレンジヘプタノエート、３−フェノキシ−１，２−フェニレンジヘプタノエート、３−クロロ−１，２−フェニレンジイソヘプタノエート、３−ブロモ−１，２−フェニレンジイソヘプタノエート、３−フルオロ−１，２−フェニレンジイソヘプタノエート、３−ヨード−１，２−フェニレンジイソヘプタノエート、３−メチル−１，２−フェニレンジイソヘプタノエート、３−エチル−１，２−フェニレンジイソヘプタノエート、３−ブチル−１，２−フェニレンジイソヘプタノエート、３−イソブチル−１，２−フェニレンジイソヘプタノエート、３−ｔｅｒｔ−ブチル−１，２−フェニレンジイソヘプタノエート、３−イソプロピル−１，２−フェニレンジイソヘプタノエート、３−ペンチル−１，２−フェニレンジイソヘプタノエート、３−イソペンチル−１，２−フェニレンジイソヘプタノエート、３−ヘキシル−１，２−フェニレンジイソヘプタノエート、３−ヘプチル−１，２−フェニレンジイソヘプタノエート、３−オクチル−１，２−フェニレンジイソヘプタノエート、３−ノニル−１，２−フェニレンジイソヘプタノエート、３−デシル−１，２−フェニレンジイソヘプタノエート、３−ドデシル−１，２−フェニレンジイソヘプタノエート、３−メトキシ−１，２−フェニレンジイソヘプタノエート、３−エトキシ−１，２−フェニレンジイソヘプタノエート、３−プロポキシ−１，２−フェニレンジイソヘプタノエート、３−イソプロポキシ−１，２−フェニレンジイソヘプタノエート、３−ブトキシ−１，２−フェニレンジイソヘプタノエート、３−イソブトキシ−１，２−フェニレンジイソヘプタノエート、３−ｔｅｒｔ−ブトキシ−１，２−フェニレンジイソヘプタノエート、３−ペントキシ−１，２−フェニレンジイソヘプタノエート、３−ヘキソキシ−１，２−フェニレンジイソヘプタノエート、３−ヘプトキシ−１，２−フェニレンジイソヘプタノエート、３−オクトキシ−１，２−フェニレンジイソヘプタノエート、３−ノノキシ−１，２−フェニレンジイソヘプタノエート、３−デコキシ−１，２−フェニレンジイソヘプタノエート、３−フェノキシ−１，２−フェニレンジイソヘプタノエート、３−クロロ−１，２−フェニレンジオクタノエート、３−ブロモ−１，２−フェニレンジオクタノエート、３−フルオロ−１，２−フェニレンジオクタノエート、３−ヨード−１，２−フェニレンジオクタノエート、３−メチル−１，２−フェニレンジオクタノエート、３−エチル−１，２−フェニレンジオクタノエート、３−ブチル−１，２−フェニレンジオクタノエート、３−イソブチル−１，２−フェニレンジオクタノエート、３−ｔｅｒｔ−ブチル−１，２−フェニレンジオクタノエート、３−イソプロピル−１，２−フェニレンジオクタノエート、３−ペンチル−１，２−フェニレンジオクタノエート、３−イソペンチル−１，２−フェニレンジオクタノエート、３−ヘキシル−１，２−フェニレンジオクタノエート、３−ヘプチル−１，２−フェニレンジオクタノエート、３−オクチル−１，２−フェニレンジオクタノエート、３−ノニル−１，２−フェニレンジオクタノエート、３−デシル−１，２−フェニレンジオクタノエート、３−ドデシル−１，２−フェニレンジオクタノエート、３−メトキシ−１，２−フェニレンジオクタノエート、３−エトキシ−１，２−フェニレンジオクタノエート、３−プロポキシ−１，２−フェニレンジオクタノエート、３−イソプロポキシ−１，２−フェニレンジオクタノエート、３−ブトキシ−１，２−フェニレンジオクタノエート、３−イソブトキシ−１，２−フェニレンジオクタノエート、３−ｔｅｒｔ−ブトキシ−１，２−フェニレンジオクタノエート、３−ペントキシ−１，２−フェニレンジオクタノエート、３−ヘキソキシ−１，２−フェニレンジオクタノエート、３−ヘプトキシ−１，２−フェニレンジオクタノエート、３−オクトキシ−１，２−フェニレンジオクタノエート、３−ノノキシ−１，２−フェニレンジオクタノエート、３−デコキシ−１，２−フェニレンジオクタノエート、３−フェノキシ−１，２−フェニレンジオクタノエート、３−クロロ−１，２−フェニレンジイソオクタノエート、３−ブロモ−１，２−フェニレンジイソオクタノエート、３−フルオロ−１，２−フェニレンジイソオクタノエート、３−ヨード−１，２−フェニレンジイソオクタノエート、３−メチル−１，２−フェニレンジイソオクタノエート、３−エチル−１，２−フェニレンジイソオクタノエート、３−ブチル−１，２−フェニレンジイソオクタノエート、３−イソブチル−１，２−フェニレンジイソオクタノエート、３−ｔｅｒｔ−ブチル−１，２−フェニレンジイソオクタノエート、３−イソプロピル−１，２−フェニレンジイソオクタノエート、３−ペンチル−１，２−フェニレンジイソオクタノエート、３−イソペンチル−１，２−フェニレンジイソオクタノエート、３−ヘキシル−１，２−フェニレンジイソオクタノエート、３−ヘプチル−１，２−フェニレンジイソオクタノエート、３−オクチル−１，２−フェニレンジイソオクタノエート、３−ノニル−１，２−フェニレンジイソオクタノエート、３−デシル−１，２−フェニレンジイソオクタノエート、３−ドデシル−１，２−フェニレンジイソオクタノエート、３−メトキシ−１，２−フェニレンジイソオクタノエート、３−エトキシ−１，２−フェニレンジイソオクタノエート、３−プロポキシ−１，２−フェニレンジイソオクタノエート、３−イソプロポキシ−１，２−フェニレンジイソオクタノエート、３−ブトキシ−１，２−フェニレンジイソオクタノエート、３−イソブトキシ−１，２−フェニレンジイソオクタノエート、３−ｔｅｒｔ−ブトキシ−１，２−フェニレンジイソオクタノエート、３−ペントキシ−１，２−フェニレンジイソオクタノエート、３−ヘキソキシ−１，２−フェニレンジイソオクタノエート、３−ヘプトキシ−１，２−フェニレンジイソオクタノエート、３−オクトキシ−１，２−フェニレンジイソオクタノエート、３−ノノキシ−１，２−フェニレンジイソオクタノエート、３−デコキシ−１，２−フェニレンジイソオクタノエート、３−フェノキシ−１，２−フェニレンジイソオクタノエート、３−クロロ−１，２−フェニレンジノナノエート、３−ブロモ−１，２−フェニレンジノナノエート、３−フルオロ−１，２−フェニレンジノナノエート、３−ヨード−１，２−フェニレンジノナノエート、３−メチル−１，２−フェニレンジノナノエート、３−エチル−１，２−フェニレンジノナノエート、３−ブチル−１，２−フェニレンジノナノエート、３−イソブチル−１，２−フェニレンジノナノエート、３−ｔｅｒｔ−ブチル−１，２−フェニレンジノナノエート、３−イソプロピル−１，２−フェニレンジノナノエート、３−ペンチル−１，２−フェニレンジノナノエート、３−イソペンチル−１，２−フェニレンジノナノエート、３−ヘキシル−１，２−フェニレンジノナノエート、３−ヘプチル−１，２−フェニレンジノナノエート、３−オクチル−１，２−フェニレンジノナノエート、３−ノニル−１，２−フェニレンジノナノエート、３−デシル−１，２−フェニレンジノナノエート、３−ドデシル−１，２−フェニレンジノナノエート、３−メトキシ−１，２−フェニレンジノナノエート、３−エトキシ−１，２−フェニレンジノナノエート、３−プロポキシ−１，２−フェニレンジノナノエート、３−イソプロポキシ−１，２−フェニレンジノナノエート、３−ブトキシ−１，２−フェニレンジノナノエート、３−イソブトキシ−１，２−フェニレンジノナノエート、３−ｔｅｒｔ−ブトキシ−１，２−フェニレンジノナノエート、３−ペントキシ−１，２−フェニレンジノナノエート、３−ヘキソキシ−１，２−フェニレンジノナノエート、３−ヘプトキシ−１，２−フェニレンジノナノエート、３−オクトキシ−１，２−フェニレンジノナノエート、３−ノノキシ−１，２−フェニレンジノナノエート、３−デコキシ−１，２−フェニレンジノナノエート、３−フェノキシ−１，２−フェニレンジノナノエート、３−クロロ−１，２−フェニレンジデカノエート、３−ブロモ−１，２−フェニレンジデカノエート、３−フルオロ−１，２−フェニレンジデカノエート、３−ヨード−１，２−フェニレンジデカノエート、３−メチル−１，２−フェニレンジデカノエート、３−エチル−１，２−フェニレンジデカノエート、３−ブチル−１，２−フェニレンジデカノエート、３−イソブチル−１，２−フェニレンジデカノエート、３−ｔｅｒｔ−ブチル−１，２−フェニレンジデカノエート、３−イソプロピル−１，２−フェニレンジデカノエート、３−ペンチル−１，２−フェニレンジデカノエート、３−イソペンチル−１，２−フェニレンジデカノエート、３−ヘキシル−１，２−フェニレンジデカノエート、３−ヘプチル−１，２−フェニレンジデカノエート、３−オクチル−１，２−フェニレンジデカノエート、３−ノニル−１，２−フェニレンジデカノエート、３−デシル−１，２−フェニレンジデカノエート、３−ドデシル−１，２−フェニレンジデカノエート、３−メトキシ−１，２−フ
ェニレンジデカノエート、３−エトキシ−１，２−フェニレンジデカノエート、３−プロポキシ−１，２−フェニレンジデカノエート、３−イソプロポキシ−１，２−フェニレンジデカノエート、３−ブトキシ−１，２−フェニレンジデカノエート、３−イソブトキシ−１，２−フェニレンジデカノエート、３−ｔｅｒｔ−ブトキシ−１，２−フェニレンジデカノエート、３−ペントキシ−１，２−フェニレンジデカノエート、３−ヘキソキシ−１，２−フェニレンジデカノエート、３−ヘプトキシ−１，２−フェニレンジデカノエート、３−オクトキシ−１，２−フェニレンジデカノエート、３−ノノキシ−１，２−フェニレンジデカノエート、３−デコキシ−１，２−フェニレンジデカノエート及び３−フェノキシ−１，２−フェニレンジデカノエート。
【００３２】
第１の実施形態では、Ｒ１−Ｒ６基は同一であるか又は同一であるか又は異なり、水素、環に結合可能なＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。
【００３３】
より詳しくは、構造(Ａ)中のＲ３〜Ｒ６は水素であり、Ｒ１及びＲ２は同一であり、環に結合できるＣ１−Ｃ２０直鎖又は分枝アルキル基、Ｃ３−Ｃ１５シクロアルキル基及びヘテロ原子から選択される。
【００３４】
第１の実施形態に係る例は、限定するものではないが、以下を挙げることができる。１，２−フェニレンジアセテート又は１，２−フェニレンジエタノエート、１，２−フェニレンジプロパノエート、１，２−フェニレンジイソプロパノエート、１，２−フェニレンジブタノエート、１，２−フェニレンジイソブタノエート、１，２−フェニレンジ−ｔｅｒｔ−ブタノエート、１，２−フェニレンジペンタノエート、１，２−フェニレンジイソペンタノエート、１，２−フェニレンジヘキサノエート、１，２−フェニレンジヘプタノエート、１，２−フェニレンジオクタノエート、１，２−フェニレンジノナノエート、１，２−フェニレンジデカノエート、１，２−フェニレンジウンデカノエート、１，２−フェニレンジシクロプロピロエート、１，２−フェニレンジシクロブチロエート、１，２−フェニレンジシクロペンチロエート、１，２−フェニレンジシクロヘキシロエート、１，２−フェニレンジシクロヘプチロエート、１，２−フェニレンジシクロオクチロエート、１，２−フェニレンビス（３−メチルブタノエート）、１，２−フェニレンビス（４−メチルペンタノエート）、１，２−フェニレンビス（５−メチルヘキサノエート）、１，２−フェニレンビス（６−メチルヘプタノエート）、１，２−フェニレンビス（７−メチルオクタノエート）、１，２−フェニレンビス（８メチルノナノエート）、１，２−フェニレンビス（９−メチルデカノエート）、１，２−フェニレンビス（１０−メチルウンデカノエート）、１，２−フェニレンジピバレート、１，２−フェニレンビス（３，３−ジメチルブタノエート）、１，２−フェニレンビス（４，４−ジメチルペンタノエート）、１，２−フェニレンビス（５，５−ジメチルヘキサノエート）、１，２−フェニレンビス（６，６−ジメチルヘプタノエート）、１，２−フェニレンビス（２−メチルブタノエート）、１，２−フェニレンビス（２−メチルペンタノエート）、１，２−フェニレンビス（２−メチルヘキサノエート）、１，２−フェニレンビス（２−メチルヘプタノエート）、１，２−フェニレンビス（２−メチルオクタノエート）、１，２−フェニレンビス（２−メチルノナノエート）、１，２−フェニレンビス（２−メチルデカノエート）、１，２−フェニレンビス（２−プロピルペンタノエート）、１，２−フェニレンビス（２−プロピルヘキサノエート）、１，２−フェニレンビス（２−プロピルヘプタノエート）、１，２−フェニレンビス（２−プロピルオクタノエート）、１，２−フェニレンビス（２−プロピルノナノエート）、１，２−フェニレンビス（２−プロピルデカノエート）。
【００３５】
第１の実施形態に係る好ましい化合物は、１，２−フェニレンジアセテート、１，２−フェニレンジイソプロパノエート、１，２−フェニレンジイソブタノエート及び−１，２−フェニレンジ−ｔｅｒｔ−ブタノエートである。
【００３６】
第２の実施形態では、Ｒ１−Ｒ６基は同一であるか又は互いに異なる同一であるか又は互いに異なる。Ｒ１−Ｒ６のそれぞれは、水素、ハロゲン、環に結合可能なＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。
【００３７】
特に、構造(Ａ)は水素から選択されるＲ３−Ｒ６の少なくとも一つを有し、Ｒ１−Ｒ２は異なっている。とりわけ、Ｒ１−Ｒ２の少なくとも一つは、環に結合できるＣ１−Ｃ２０直鎖又は分枝アルキル基、Ｃ３−Ｃ１５シクロアルキル基、ヘテロ原子、アリールアルキル又はアルキルアリール、アルキルアルコキシ又はアルコキシアルキル、アリールアルコキシ又はアルコキシアリール、アルキルシクロアルキル又はシクロアルキルアルキル基及びその組合せから選択される。
【００３８】
第２の実施形態に係る例としては、限定するものではないが、以下を挙げることができる。２−アセトキシフェニルプロパノエート、２−アセトキシフェニルブチレート、２−アセトキシフェニルペンタノエート、２−アセトキシフェニルヘプタノエート、２−アセトキシフェニルオクタノエート、２−アセトキシフェニルノナノエート、２−アセトキシフェニルデカノエート、２−アセトキシフェニルウンデカノエート、２−（プロピオニロキシ）フェニルブチレート、２−（プロピオニロキシ）フェニルペンタノエート、２−（プロピオニロキシ）フェニルヘキサノエート、２−（プロピオニロキシ）フェニルヘプタノエート、２−（プロピオニロキシ）フェニルオクタノエート、２−（プロピオニロキシ）フェニルノナノエート、２−（プロピオニロキシ）フェニルデカノエート、２−（プロピオニロキシ）フェニルウンデカノエート、２−（ブチリロキシ）フェニルペンタノエート、２−（ブチリロキシ）フェニルヘキサノエート、２−（ブチリロキシ）フェニルヘプタノエート、２−（ブチリロキシ）フェニルオクタノエート、２−（ブチリロキシ）フェニルノナノエート、２−（ブチリロキシ）フェニルデカノエート、２−（ブチリロキシ）フェニルウンデカノエート、２−（ペンタノイロキシ）フェニルヘキサノエート、２−（ペンタノイロキシ）フェニルヘプタノエート、２−（ペンタノイロキシ）フェニルオクタノエート、２−（ペンタノイロキシ）フェニルノナノエート、２−（ペンタノイロキシ）フェニルデカノエート、２−（ペンタノイロキシ）フェニルウンデカノエート、２−（ヘキサノイロキシ）フェニルヘプタノエート、２−（ヘキサノイロキシ）フェニルオクタノエート、２−（ヘキサノイロキシ）フェニルノナノエート、２−（ヘキサノイロキシ）フェニルデカノエート、２−（ヘキサノイロキシ）フェニルウンデカノエート、２−（ヘプタノイロキシ）フェニルオクタノエート、２−（ヘプタノイロキシ）フェニルノナノエート、２−（ヘプタノイロキシ）フェニルデカノエート、２−（ヘプタノイロキシ）フェニルウンデカノエート、２−（オクタノイロキシ）フェニルノナノエート、２−（オクタノイロキシ）フェニルデカノエート、２−（オクタノイロキシ）フェニルウンデカノエート、２−（ノナノイロキシ）フェニルデカノエート、２−（ノナノイロキシ）フェニルウンデカノエート、２−（デカノイロキシ）フェニルウンデカノエート、２−（イソブチリロキシ）フェニルアセテート、２−（イソブチリロキシ）フェニルプロピオネート、２−（イソブチリロキシ）フェニルブチレート、２−（イソブチリロキシ）フェニルペンタノエート、２−（イソブチリロキシ）フェニルヘキサノエート、２−（イソブチリロキシ）フェニルヘプタノエート、２−（イソブチリロキシ）フェニルオクタノエート、２−（イソブチリロキシ）フェニルノナノエート、２−（イソブチリロキシ）フェニルデカノエート、２−（イソブチリロキシ）フェニルウンデカノエート、２−（イソブチリロキシ）フェニルベンゾエート、２−（イソブチリロキシ）フェニルイソプロピオネート、２−（イソブチリロキシ）フェニルイソブチレート、２−（イソブチリロキシ）フェニルイソペンタノエート、２−（イソブチリロキシ）フェニルイソヘキサノエート、２−（イソブチリロキシ）フェニルイソヘプタノエート、２−（イソブチリロキシ）フェニルイソオクタノエート、２−（イソブチリロキシ）フェニルイソノナノエート、２−（イソブチリロキシ）フェニルイソデカノエート、２−（イソブチリロキシ）フェニルイソウンデカノエート、２−アセトキシフェニル３−メチルブタノエート、２−（プロピオニロキシ）フェニル３−メチルブタノエート、２−（ブチリロキシ）フェニル３−メチルブタノエート、２−（３−メチルブタノイロキシ）フェニルペンタノエート、２−（３−メチルブタノイロキシ）フェニルヘキサノエート、２−（３−メチルブタノイロキシ）フェニルヘプタノエート、２−（３−メチルブタノイロキシ）フェニルオクタノエート、２−（３−メチルブタノイロキシ）フェニルノナノエート、２−（３−メチルブタノイロキシ）フェニルデカノエート、２−（３−メチルブタノイロキシ）フェニルウンデカノエート、２−アセトキシフェニル４−メチルペンタノエート、２−（プロピオニロキシ）フェニル４−メチルペンタノエート、２−（ブチリロキシ）フェニル４−メチルペンタノエート、２−（ペンタノイロキシ）フェニル４−メチルペンタノエート、２−（４−メチルペンタノイロキシ）フェニルヘキサノエート、２−（４−メチルペンタノイロキシ）フェニルヘプタノエート、２−（４−メチルペンタノイロキシ）−フェニルオクタノエート、２−（４−メチルペンタノイロキシ）フェニルノナノエート、２−（４−メチルペンタノイロキシ）フェニルデカノエート、２−（４−メチルペンタノイロキシ）フェニルウンデカノエート、２−アセトキシフェニル５−メチルヘキサノエート、２−（プロピオニロキシ）フェニル５−メチルヘキサノエート、２−（ブチリロキシ）フェニル５−メチルヘキサノエート、２−（ペンタノイロキシ）フェニル５−メチルヘキサノエート、２−（ヘキサノイロキシ）フェニル５−メチルヘキサノエート、２−（５−メチルヘキサノイロキシ）フェニルヘプタノエート、２−（５−メチルヘキサノイロキシ）フェニルオクタノエート、２−（５−メチルヘキサノイロキシ）フェニルノナノエート、２−（５−メチルヘキサノイロキシ）フェニルデカノエート、２−（５−メチルヘキサノイロキシ）フェニルウンデカノエート、２−アセトキシフェニル６−メチルヘプタノエート、２−（プロピオニロキシ）フェニル６−メチルヘプタノエート、２−（ブチリロキシ）フェニル６−メチルヘプタノエート、２−（ペンタノイロキシ）フェニル６−メチルヘプタノエート、２−（ヘキサノイロキシ）フェニル６−メチルヘプタノエート、２−（ヘプタノイロキシ）フェニル６−メチルヘプタノエート、２−（６−メチルヘプタノイロキシ）フェニルオクタノエート、２−（６−メチルヘプタノイロキシ）フェニルノナノエート、２−（６−メチルヘプタノイロキシ）フェニルデカノエート、２−（６−メチルヘプタノイロキシ）フェニルウンデカノエート、２−アセトキシフェニル７−メチルオクタノエート、２−（プロピオニロキシ）フェニル７−メチルオクタノエート、２−（ブチリロキシ）フェニル７−メチルオクタノエート、２−（ペンタノイロキシ）フェニル７−メチルオクタノエート、２−（ヘキサノイロキシ）フェニル７−メチルオクタノエート、２−（ヘプタノイロキシ）フェニル７−メチルオクタノエート、２−（オクタノイロキシ）フェニル７−メチルオクタノエート、２−（７−メチルオクタノイロキシ）フェニルノナノエート、２−（７−メチルオクタノイロキシ）フェニルデカノエート、２−（７−メチルオクタノイロキシ）フェニルウンデカノエート、２−アセトキシフェニル８メチルノナノエート、２−（プロピオニロキシ）フェニル８−メチルノナノエート、２−（ブチリロキシ）フェニル８−メチルノナノエート、２−（ペンタノイロキシ）フェニル８−メチルノナノエート、２−（ヘキサノイロキシ）フェニル８−メチルノナノエート、２−（ヘプタノイロキシ）フェニル８−メチルノナノエート、２−（オクタノイロキシ）フェニル８−メチルノナノエート、２−（ノナノイロキシ）フェニル８−メチルノナノエート、２−（８メチルノナノイロキシ）フェニルデカノエート、２−（８メチルノナノイロキシ）フェニルウンデカノエート、２−アセトキシフェニル９−メチルデカノエート、２−（プロピオニロキシ）フェニル９−メチルデカノエート、２−（ブチリロキシ）フェニル９−メチルデカノエート、２−（ペンタノイロキシ）フェニル９−メチルデカノエート、２−（ヘキサノイロキシ）フェニル９−メチルデカノエート、２−（ヘプタノイロキシ）フェニル９−メチルデカノエート、２−（オクタノイロキシ）フェニル９−メチルデカノエート、２−（ノナノイロキシ）フェニル９−メチルデカノエート、２−（デカノイロキシ）フェニル９−メチルデカノエート、２−（９−メチルデカノイロキシ）フェニルウンデカノエート、２−アセトキシフェニル１０−メチルウンデカノエート、２−（プロピオニロキシ）フェニル１０−メチルウンデカノエート、２−（ブチリロキシ）フェニル１０−メチルウンデカノエート、２−（ペンタノイロキシ）フェニル１０−メチルウンデカノエート、２−（ヘキサノイロキシ）フェニル１０−メチルウンデカノエート、２−（ヘプタノイロキシ）フェニル１０−メチルウンデカノエート、２−（オクタノイロキシ）フェニル１０−メチルウンデカノエート、２−（ノナノイロキシ）フェニル１０−メチルウンデカノエート、２−（デカノイロキシ）フェニル１０−メチルウンデカノエート、２−（ウンデカノイロキシ）フェニル１０−メチルウンデカノエート、２−アセトキシフェニルピバレート、２−（プロピオニロキシ）フェニルピバレート、２−（ピバロイルオキシ）フェニルブチレート、２−（ピバロイルオキシ）フェニルペンタノエート、２−（ピバロイルオキシ）フェニルヘキサノエート、２−（ピバロイルオキシ）フェニルヘプタノエート、２−（ピバロイルオキシ）フェニルオクタノエート、２−（ピバロイルオキシ）フェニルノナノエート、２−（ピバロイルオキシ）フェニルデカノエート、２−（ピバロイルオキシ）フェニルウンデカノエート、２−アセトキシフェニル３，３−ジメチルブタノエート、２−（プロピオニロキシ）フェニル３，３−ジメチルブタノエート、２−（ブチリロキシ）フェニル３，３−ジメチルブタノエート、２−（３，３−ジメチルブタノイロキシ）フェニルペンタノエート、２−（３，３−ジメチルブタノイロキシ）フェニルヘキサノエート、２−（３，３−ジメチルブタノイロキシ）フェニルヘプタノエート、２−（３，３−ジメチルブタノイロキシ）フェニルオクタノエート、２−（３，３−ジメチルブタノイロキシ）フェニルノナノエート、２−（３，３−ジメチルブタノイロキシ）フェニルデカノエート、２−（３，３−ジメチルブタノイロキシ）フェニルウンデカノエート、２−アセトキシフェニル５，５−ジメチルヘキサノエート、２−（プロピオニロキシ）フェニル５，５−ジメチルヘキサノエート、２−（ブチリロキシ）フェニル５，５−ジメチルヘキサノエート、２−（ペンタノイロキシ）フェニル５，５−ジメチルヘキサノエート、２−（ヘキサノイロキシ）フェニル５，５−ジメチルヘキサノエート、２−（５，５−ジメチルヘキサノイロキシ）フェニルヘプタノエート、２−（５，５−ジメチルヘキサノイロキシ）フェニルオクタノエート、２−（５，５−ジメチルヘキサノイロキシ）フェニルノナノエート、２−（５，５−ジメチルヘキサノイロキシ）フェニルデカノエート、２−（５，５−ジメチルヘキサノイロキシ）フェニルウンデカノエート、２−アセトキシフェニル４，４−ジメチルペンタノエート、２−（プロピオニロキシ）フェニル４，４−ジメチルペンタノエート、２−（ブチリロキシ）フェニル４，４−ジメチルペンタノエート、２−（ペンタノイロキシ）フェニル４，４−ジメチルペンタノエート、２−（４，４−ジメチルペンタノイロキシ）フェニルヘキサノエート、２−（４，４−ジメチルペンタノイロキシ）フェニルヘプタノエート、２−（４，４−ジメチルペンタノイロキシ）フェニルオクタノエート、２−（４，４−ジメチルペンタノイロキシ）フェニルノナノエート、２−（４，４−ジメチルペンタノイロキシ）フェニルデカノエート、２−（４，４−ジメチルペンタノイロキシ）フェニルウンデカノエート、２−アセトキシフェニル８−エチルデカノエート、２−（プロピオニロキシ）フェニル８−エチルデカノエート、２−（ブチリロキシ）フェニル８−エチルデカノエート、２−（ペンタノイロキシ）フェニル８−エチルデカノエート、２−（ヘキサノイロキシ）フェニル８−エチルデカノエート、２−（ヘプタノイロキシ）フェニル８−エチルデカノエート、２−（オクタノイロキシ）フェニル８−エチルデカノエート、２−（ノナノイロキシ）フェニ
ル８−エチルデカノエート、２−（デカノイロキシ）フェニル８−エチルデカノエート、２−（８−エチルデカノイロキシ）フェニルウンデカノエート、２−アセトキシフェニル９−エチルウンデカノエート、２−（プロピオニロキシ）フェニル９−エチルウンデカノエート、２−（ブチリロキシ）フェニル９−エチルウンデカノエート、２−（ペンタノイロキシ）フェニル９−エチルウンデカノエート、２−（ヘキサノイロキシ）フェニル９−エチルウンデカノエート、２−（ヘプタノイロキシ）フェニル９−エチルウンデカノエート、２−（オクタノイロキシ）フェニル９−エチルウンデカノエート、２−（ノナノイロキシ）フェニル９−エチルウンデカノエート、２−（デカノイロキシ）フェニル９−エチルウンデカノエート、２−アセトキシフェニル２−メチルブタノエート、２−（プロピオニロキシ）フェニル２−メチルブタノエート、２−（ブチリロキシ）フェニル２−メチルブタノエート、２−（２−メチルブタノイロキシ）フェニルペンタノエート、２−（２−メチルブタノイロキシ）フェニルヘキサノエート、２−（２−メチルブタノイロキシ）フェニルヘプタノエート、２−（２−メチルブタノイロキシ）フェニルオクタノエート、２−（２−メチルブタノイロキシ）フェニルノナノエート、２−（２−メチルブタノイロキシ）フェニルデカノエート、２−（２−メチルブタノイロキシ）フェニルウンデカノエート、２−アセトキシフェニル２−メチルペンタノエート、２−（プロピオニロキシ）フェニル２−メチルペンタノエート、２−（ブチリロキシ）フェニル２−メチルペンタノエート、２−（ペンタノイロキシ）フェニル２−メチルペンタノエート、２−（２−メチルペンタノイロキシ）フェニルヘキサノエート、２−（２−メチルペンタノイロキシ）フェニルヘプタノエート、２−（２−メチルペンタノイロキシ）フェニルオクタノエート、２−（２−メチルペンタノイロキシ）フェニルノナノエート、２−（２−メチルペンタノイロキシ）フェニルデカノエート、２−アセトキシフェニル２−メチルヘキサノエート、２−（プロピオニロキシ）フェニル２−メチルヘキサノエート、２−（ブチリロキシ）フェニル２−メチルヘキサノエート、２−（ペンタノイロキシ）フェニル２−メチルヘキサノエート、２−（ヘキサノイロキシ）フェニル２−メチルヘキサノエート、２−（２−メチルヘキサノイロキシ）フェニルヘプタノエート、２−（２−メチルヘキサノイロキシ）フェニルオクタノエート、２−（２−メチルヘキサノイロキシ）フェニルノナノエート、２−（２−メチルヘキサノイロキシ）フェニルデカノエート、２−（２−メチルヘキサノイロキシ）フェニルウンデカノエート、２−アセトキシフェニル２−メチルヘプタノエート、２−（プロピオニロキシ）フェニル２−メチルヘプタノエート、２−（ブチリロキシ）フェニル２−メチルヘプタノエート、２−（ペンタノイロキシ）フェニル２−メチルヘプタノエート、２−（ヘキサノイロキシ）フェニル２−メチルヘプタノエート、２−（ヘプタノイロキシ）フェニル２−メチルヘプタノエート、２−（２−メチルヘプタノイロキシ）フェニルオクタノエート、２−（２−メチルヘプタノイロキシ）フェニルノナノエート、２−（２−メチルヘプタノイロキシ）フェニルデカノエート、２−（２−メチルヘプタノイロキシ）フェニルウンデカノエート、２−アセトキシフェニル２−メチルオクタノエート、２−（プロピオニロキシ）フェニル２−メチルオクタノエート、２−（ブチリロキシ）フェニル２−メチルオクタノエート、２−（ペンタノイロキシ）フェニル２−メチルオクタノエート、２−（ヘキサノイロキシ）フェニル２−メチルオクタノエート、２−（ヘプタノイロキシ）フェニル２−メチルオクタノエート、２−（オクタノイロキシ）フェニル２−メチルオクタノエート、２−（２−メチルオクタノイロキシ）フェニルノナノエート、２−（２−メチルオクタノイロキシ）フェニルデカノエート、２−（２−メチルオクタノイロキシ）フェニルウンデカノエート、２−アセトキシフェニル２−メチルノナノエート、２−（プロピオニロキシ）フェニル２−メチルノナノエート、２−（ブチリロキシ）フェニル２−メチルノナノエート、２−（ペンタノイロキシ）フェニル２−メチルノナノエート、２−（ヘキサノイロキシ）フェニル２−メチルノナノエート、２−（ヘプタノイロキシ）フェニル２−メチルノナノエート、２−（オクタノイロキシ）フェニル２−メチルノナノエート、２−（ノナノイロキシ）フェニル２−メチルノナノエート、２−（２メチルノナノイロキシ）フェニルデカノエート、２−（２−メチルノナノイロキシ）フェニルウンデカノエート、２−アセトキシフェニル２−メチルデカノエート、２−（プロピオニロキシ）フェニル２−メチルデカノエート、２−（ブチリロキシ）フェニル２−メチルデカノエート、２−（ペンタノイロキシ）フェニル２−メチルデカノエート、２−（ヘキサノイロキシ）フェニル２−メチルデカノエート、２−（ヘプタノイロキシ）フェニル２−メチルデカノエート、２−（オクタノイロキシ）フェニル２−メチルデカノエート、２−（ノナノイロキシ）フェニル２−メチルデカノエート、２−（デカノイロキシ）フェニル２−メチルデカノエート、２−（２−メチルデカノイロキシ）フェニルウンデカノエート、２−アセトキシフェニル２−プロピルペンタノエート、２−（プロピオニロキシ）フェニル２−プロピルペンタノエート、２−（ブチリロキシ）フェニル２−プロピルペンタノエート、２−（ペンタノイロキシ）フェニル２−プロピルペンタノエート、２−（２−プロピルペンタノエート）フェニルヘキサノエート、２−（２−プロピルペンタノエート）フェニルヘプタノエート、２−（２−プロピルペンタノエート）フェニルオクタノエート、２−（２−プロピルペンタノエート）フェニルノナノエート、２−（２−プロピルペンタノエート）フェニルデカノエート、２−（２−プロピルペンタノエート）フェニルウンデカノエート、２−アセトキシフェニル２−プロピルヘキサノエート、２−（プロピオニロキシ）フェニル２−プロピルヘキサノエート、２−（ブチリロキシ）フェニル２−プロピルヘキサノエート、２−（ペンタノイロキシ）フェニル２−プロピルヘキサノエート、２−（ヘキサノイロキシ）フェニル２−プロピルヘキサノエート、２−（２−プロピルヘキサノイロキシ）フェニルヘプタノエート、２−（２−プロピルヘキサノイロキシ）フェニルオクタノエート、２−（２−プロピルヘキサノイロキシ）フェニルノナノエート、２−（２−プロピルヘキサノイロキシ）フェニルデカノエート、２−（２−プロピルヘキサノイロキシ）フェニルウンデカノエート、２−アセトキシフェニル２−プロピルヘプタノエート、２−（プロピオニロキシ）フェニル２−プロピルヘプタノエート、２−（ブチリロキシ）フェニル２−プロピルヘプタノエート、２−（ペンタノイロキシ）フェニル２−プロピルヘプタノエート、２−（ヘキサノイロキシ）フェニル２−プロピルヘプタノエート、２−（ヘプタノイロキシ）フェニル２−プロピルヘプタノエート、２−（２−プロピルヘプタノイロキシ）フェニルオクタノエート、２−（２−プロピルヘプタノイロキシ）フェニルノナノエート、２−（２−プロピルヘプタノイロキシ）フェニルデカノエート、２−（２−プロピルヘプタノイロキシ）フェニルウンデカノエート、２−アセトキシフェニル２−プロピルオクタノエート、２−（プロピオニロキシ）フェニル２−プロピルオクタノエート、２−（ブチリロキシ）フェニル２−プロピルオクタノエート、２−（ペンタノイロキシ）フェニル２−プロピルオクタノエート、２−（ヘキサノイロキシ）フェニル２−プロピルオクタノエート、２−（ヘプタノイロキシ）フェニル２−プロピルオクタノエート、２−（オクタノイロキシ）フェニル２−プロピルオクタノエート、２−（２−プロピルオクタノイロキシ）フェニルノナノエート、２−（２−プロピルオクタノイロキシ）フェニルデカノエート及び２−（２−プロピルオクタノイロキシ）フェニルウンデカノエート。
【００３９】
第２の実施形態に係る好ましい化合物は、２−（イソブチリロキシ）フェニルアセテート、２−（イソブチリロキシ）フェニルプロパノエート、２−（イソブチリロキシ）フェニルブチレート及び２−（イソブチリロキシ）フェニルベンゾエートである。
【００４０】
第３の実施形態では、Ｒ１−Ｒ６基は同一であるか又は互いに異なる。Ｒ１−Ｒ６のそれぞれは、水素、ハロゲン、環に結合可能なＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。
【００４１】
特に、構造(Ａ)はＲ３−Ｒ６の少なくとも一つを有する、すなわち、Ｒ５は、水素、ハロゲン、環に結合できるＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。また、構造(Ａ)は、環に結合できるＣ１−Ｃ２０直鎖又は分枝アルキル基、Ｃ３−Ｃ１５シクロアルキル基、ヘテロ原子、アリールアルキル又はアルキルアリール、アルキルアルコキシ又はアルコキシアルキル、アリールアルコキシ又はアルコキシアリール、アルキルシクロアルキル又はシクロアルキルアルキル基及びこれらの組合せ、から選択されるＲ１−Ｒ２の少なくとも一つを有し、Ｒ１−Ｒ２は同一である。
【００４２】
第３の実施形態に係る例としては、限定するものではないが、以下を挙げることができる。４−クロロ−１，２−フェニレンジアセテート、４−ブロモ−１，２−フェニレンジアセテート、４−フルオロ−１，２−フェニレンジアセテート、４−ヨード−１，２−フェニレンジアセテート、４−メチル−１，２−フェニレンジアセテート、４−エチル−１，２−フェニレンジアセテート、４−ブチル−１，２−フェニレンジアセテート、４−イソブチル−１，２−フェニレンジアセテート、４−ｔｅｒｔ−ブチル−１，２−フェニレンジアセテート、４−イソプロピル−１，２−フェニレンジアセテート、４−ペンチル−１，２−フェニレンジアセテート、４−イソペンチル−１，２−フェニレンジアセテート、４−ヘキシル−１，２−フェニレンジアセテート、４−ヘプチル−１，２−フェニレンジアセテート、４−オクチル−１，２−フェニレンジアセテート、４−ノニル−１，２−フェニレンジアセテート、４−デシル−１，２−フェニレンジアセテート、４−ドデシル−１，２−フェニレンジアセテート、４−メトキシ−１，２−フェニレンジアセテート、４−エトキシ−１，２−フェニレンジアセテート、４−プロポキシ−１，２−フェニレンジアセテート、４−イソプロポキシ−１，２−フェニレンジアセテート、４−ブトキシ−１，２−フェニレンジアセテート、４−イソブトキシ−１，２−フェニレンジアセテート、４−ｔｅｒｔ−ブトキシ−１，２−フェニレンジアセテート、４−ペントキシ−１，２−フェニレンジアセテート、４−ヘキソキシ−１，２−フェニレンジアセテート、４−ヘプトキシ−１，２−フェニレンジアセテート、４−オクトキシ−１，２−フェニレンジアセテート、４−ノノキシ−１，２−フェニレンジアセテート、４−デコキシ−１，２−フェニレンジアセテート、４−フェノキシ−１，２−フェニレンジアセテート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート４−エトキシ−１，２−フェニレンジイソプロパノエート、４−プロポキシ−１，２−フェニレンジイソプロパノエート、４−イソプロポキシ−１，２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１，２−フェニレンジイソプロパノエート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート、４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート、４−エトキシ−１，２−フェニレンジイソプロパノエート、４−プロポキシ−１，２−フェニレンジイソプロパノエート、４−イソプロポキシ−１，２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジイソプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１，２−フェニレンジイソプロパノエート、４−クロロ−１，２−フェニレンジブタノエート、４−ブロモ−１，２−フェニレンジブタノエート、４−フルオロ−１，２−フェニレンジブタノエート、４−ヨード−１，２−フェニレンジブタノエート、４−メチル−１，２−フェニレンジブタノエート、４−エチル−１，２−フェニレンジブタノエート、４−ブチル−１，２−フェニレンジブタノエート、４−イソブチル−１，２−フェニレンジブタノエート、４−ｔｅｒｔ−ブチル−１，２−フェニレンジブタノエート、４−イソプロピル−１，２−フェニレンジブタノエート、４−ペンチル−１，２−フェニレンジブタノエート、４−イソペンチル−１，２−フェニレンジブタノエート、４−ヘキシル−１，２−フェニレンジブタノエート、４−ヘプチル−１，２−フェニレンジブタノエート、４−オクチル−１，２−フェニレンジブタノエート、４−ノニル−１，２−フェニレンジブタノエート、４−デシル−１，２−フェニレンジブタノエート、４−ドデシル−１，２−フェニレンジブタノエート、４−メトキシ−１，２−フェニレンジブタノエート、４−エトキシ−１，２−フェニレンジブタノエート、４−プロポキシ−１，２−フェニレンジブタノエート、４−イソプロポキシ−１，２−フェニレンジブタノエート、４−ブトキシ−１，２−フェニレンジブタノエート、４−イソブトキシ−１，２−フェニレンジブタノエート、４−ｔｅｒｔ−ブトキシ−１，２−フェニレンジブタノエート、４−ペントキシ−１，２−フェニレンジブタノエート、４−ヘキソキシ−１，２−フェニレンジブタノエート、４−ヘプトキシ−１，２−フェニレンジブタノエート、４−オクトキシ−１，２−フェニレンジブタノエート、４−ノノキシ−１，２−フェニレンジブタノエート、４−デコキシ−１，２−フェニレンジブタノエート、４−フェノキシ−１，２−フェニレンジブタノエート、４−クロロ−１，２−フェニレンジイソブタノエート、４−ブロモ−１，２−フェニレンジイソブタノエート、４−フルオロ−１，２−フェニレンジイソブタノエート、４−ヨード−１，２−フェニレンジイソブタノエート、４−メチル−１，２−フェニレンジイソブタノエート、４−エチル−１，２−フェニレンジイソブタノエート、４−ブチル−１，２−フェニレンジイソブタノエート、４−イソブチル−１，２−フェニレンジイソブタノエート、４−ｔｅｒｔ−ブチル−１，２−フェニレンジイソブタノエート、４−イソプロピル−１，２−フェニレンジイソブタノエート、４−ペンチル−１，２−フェニレンジイソブタノエート、４−イソペンチル−１，２−フェニレンジイソブタノエート、４−ヘキシル−１，２−フェニレンジイソブタノエート、４−ヘプチル−１，２−フェニレンジイソブタノエート、４−オクチル−１，２−フェニレンジイソブタノエート、４−ノニル−１，２−フェニレンジイソブタノエート、４−デシル−１，２−フェニレンジイソブタノエート、４−ドデシル−１，２−フェニレンジイソブタノエート、４−メトキシ−１，２−フェニレンジイソブタノエート、４−エトキシ−１，２−フェニレンジイソブタノエート、４−プロポキシ−１，２−フェニレンジイソブタノエート、４−イソプロポキシ−１，２−フェニレンジイソブタノエート、４−ブトキシ−１，２−フェニレンジイソブタノエート、４−イソブトキシ−１，２−フェニレンジイソブタノエート、４−ｔｅｒｔ−ブトキシ−１，２−フェニレンジイソブタノエート、４−ペントキシ−１，２−フェニレンジイソブタノエート、４−ヘキソキシ−１，２−フェニレンジイソブタノエート、４−ヘプトキシ−１，２−フェニレンジイソブタノエート、４−オクトキシ−１，２−フェニレンジイソブタノエート、４−ノノキシ−１，２−フェニレンジイソブタノエート、４−デコキシ−１，２−フェニレンジイソブタノエート、４−フェノキシ−１，２−フェニレンジイソブタノエート、４−クロロ−１，２−フェニレンジ−ｔｅｒｔ−ブタノエート、４−ブロモ−１，２−フェニレンジ−ｔｅｒｔ−ブタノエート、４−フルオロ−１，２−フェニレンジ−ｔｅｒｔ−ブタノエート、４−ヨード−１，２−フェニレンジ−ｔｅｒｔ−ブタノエート、４−メチル−１，２−フェニレンジ−ｔｅｒｔ−ブタノエート、４−エチル−１，２−フェニレンジ−ｔｅｒｔ−ブタノエート、４−ブチル−１，２−フェニレンジ−ｔｅｒｔ−ブタノエート、４−イソブチル−１，２−フェニレンジ−ｔｅｒｔ−ブタノエート、４−ｔｅｒｔ−ブチル−１，２−フェニレンジ−ｔｅｒｔ−ブタノエート、４−イソプロピル−１，２−フェニレンジ−ｔｅｒｔ−ブタノエート、４−ペンチル−１，２−フェニレンジ−ｔｅｒｔ−ブタノエート、４−イソペンチル−１，２−フェニレンジ−ｔｅｒｔ−ブタノエート、４−ヘキシル−１，２−フェニレンジ−ｔｅｒｔ−ブタノエート、４−ヘプチル−１，２−フェニレンジ−ｔｅｒｔ−ブタノエート、４−オクチル−１，２−フェニレンジ−ｔｅｒｔ−ブタノエート、４−ノニル−１，２−フェニレンジ−ｔｅｒｔ−ブタノエート、４−デシル−１，２−フェニレンジ−ｔｅｒｔ−ブタノエート、４−ドデシル−１，２−フェニレンジ−ｔｅｒｔ−ブタノエート、４−メトキシ−１，２−フェニレンジ−ｔｅｒｔ−ブタノエート、４−エトキシ−１，２−フェニレンジ−ｔｅｒｔ−ブタノエート、４−プロポキシ−１，２−フェニレンジ−ｔｅｒｔ−ブタノエート、４−イソプロポキシ−１，２−フェニレンジ−ｔｅｒｔ−ブタノエート、４−ブトキシ−１，２−フェニレンジ−ｔｅｒｔ−ブタノエート、４−イソブトキシ−１，２−フェニレンジ−ｔｅｒｔ−ブタノエート、４ｔのブトキシ−１，２−フェニレンジ−ｔｅｒｔ−ブタノエート、４−ペントキシ−１，２−フェニレンジ−ｔｅｒｔ−ブタノエート、４−ヘキソキシ−１，２−フェニレンジ−ｔｅｒｔ−ブタノエート、４−ヘプトキシ−１，２−フェニレンジ−ｔｅｒｔ−ブタノエート、４−オクトキシ−１，２−フェニレンジ−ｔｅｒｔ−ブタノエート、４−ノノキシ−１，２−フェニレンジ−ｔｅｒｔ−ブタノエート、４−デコキシ−１，２−フェニレンジ−ｔｅｒｔ−
ブタノエート、４−フェノキシ−１，２−フェニレンジ−ｔｅｒｔ−ブタノエート、４−クロロ−１，２−フェニレンジペンタノエート、４−ブロモ−１，２−フェニレンジペンタノエート、４−フルオロ−１，２−フェニレンジペンタノエート、４−ヨード−１，２−フェニレンジペンタノエート、４−メチル−１，２−フェニレンジペンタノエート、４−エチル−１，２−フェニレンジペンタノエート、４−ブチル−１，２−フェニレンジペンタノエート、４−イソブチル−１，２−フェニレンジペンタノエート、４−ｔｅｒｔ−ブチル−１，２−フェニレンジペンタノエート、４−イソプロピル−１，２−フェニレンジペンタノエート、４−ペンチル−１，２−フェニレンジペンタノエート、４−イソペンチル−１，２−フェニレンジペンタノエート、４−ヘキシル−１，２−フェニレンジペンタノエート、４−ヘプチル−１，２−フェニレンジペンタノエート、４−オクチル−１，２−フェニレンジペンタノエート、４−ノニル−１，２−フェニレンジペンタノエート、４−デシル−１，２−フェニレンジペンタノエート、４−ドデシル−１，２−フェニレンジペンタノエート、４−メトキシ−１，２−フェニレンジペンタノエート、４−エトキシ−１，２−フェニレンジペンタノエート、４−プロポキシ−１，２−フェニレンジペンタノエート、４−イソプロポキシ−１，２−フェニレンジペンタノエート、４−ブトキシ−１，２−フェニレンジペンタノエート、４−イソブトキシ−１，２−フェニレンジペンタノエート、４−ｔｅｒｔ−ブトキシ−１，２−フェニレンジペンタノエート、４−ペントキシ−１，２−フェニレンジペンタノエート、４−ヘキソキシ−１，２−フェニレンジペンタノエート、４−ヘプトキシ−１，２−フェニレンジペンタノエート、４−オクトキシ−１，２−フェニレンジペンタノエート、４−ノノキシ−１，２−フェニレンジペンタノエート、４−デコキシ−１，２−フェニレンジペンタノエート、４−フェノキシ−１，２−フェニレンジペンタノエート、４−クロロ−１，２−フェニレンジイソペンタノエート、４−ブロモ−１，２−フェニレンジイソペンタノエート、４−フルオロ−１，２−フェニレンジイソペンタノエート、４−ヨード−１，２−フェニレンジイソペンタノエート、４−メチル−１，２−フェニレンジイソペンタノエート、４−エチル−１，２−フェニレンジイソペンタノエート、４−ブチル−１，２−フェニレンジイソペンタノエート、４−イソブチル−１，２−フェニレンジイソペンタノエート、４−ｔｅｒｔ−ブチル−１，２−フェニレンジイソペンタノエート、４−イソプロピル−１，２−フェニレンジイソペンタノエート、４−ペンチル−１，２−フェニレンジイソペンタノエート、４−イソペンチル−１，２−フェニレンジイソペンタノエート、４−ヘキシル−１，２−フェニレンジイソペンタノエート、４−ヘプチル−１，２−フェニレンジイソペンタノエート、４−オクチル−１，２−フェニレンジイソペンタノエート、４−ノニル−１，２−フェニレンジイソペンタノエート、４−デシル−１，２−フェニレンジイソペンタノエート、４−ドデシル−１，２−フェニレンジイソペンタノエート、４−メトキシ−１，２−フェニレンジイソペンタノエート、４−エトキシ−１，２−フェニレンジイソペンタノエート、４−プロポキシ−１，２−フェニレンジイソペンタノエート、４−イソプロポキシ−１，２−フェニレンジイソペンタノエート、４−ブトキシ−１，２−フェニレンジイソペンタノエート、４−イソブトキシ−１，２−フェニレンジイソペンタノエート、４−ｔｅｒｔ−ブトキシ−１，２−フェニレンジイソペンタノエート、４−ペントキシ−１，２−フェニレンジイソペンタノエート、４−ヘキソキシ−１，２−フェニレンジイソペンタノエート、４−ヘプトキシ−１，２−フェニレンジイソペンタノエート、４−オクトキシ−１，２−フェニレンジイソペンタノエート、４−ノノキシ−１，２−フェニレンジイソペンタノエート、４−デコキシ−１，２−フェニレンジイソペンタノエート、４−フェノキシ−１，２−フェニレンジイソペンタノエート、４−クロロ−１，２−フェニレンジヘキサノエート、４−ブロモ−１，２−フェニレンジヘキサノエート、４−フルオロ−１，２−フェニレンジヘキサノエート、４−ヨード−１，２−フェニレンジヘキサノエート、４−メチル−１，２−フェニレンジヘキサノエート、４−エチル−１，２−フェニレンジヘキサノエート、４−ブチル−１，２−フェニレンジヘキサノエート、４−イソブチル−１，２−フェニレンジヘキサノエート、４−ｔｅｒｔ−ブチル−１，２−フェニレンジヘキサノエート、４−イソプロピル−１，２−フェニレンジヘキサノエート、４−ペンチル−１，２−フェニレンジヘキサノエート、４−イソペンチル−１，２−フェニレンジヘキサノエート、４−ヘキシル−１，２−フェニレンジヘキサノエート、４−ヘプチル−１，２−フェニレンジヘキサノエート、４−オクチル−１，２−フェニレンジヘキサノエート、４−ノニル−１，２−フェニレンジヘキサノエート、４−デシル−１，２−フェニレンジヘキサノエート、４−ドデシル−１，２−フェニレンジヘキサノエート、４−メトキシ−１，２−フェニレンジヘキサノエート、４−エトキシ−１，２−フェニレンジヘキサノエート、４−プロポキシ−１，２−フェニレンジヘキサノエート、４−イソプロポキシ−１，２−フェニレンジヘキサノエート、４−ブトキシ−１，２−フェニレンジヘキサノエート、４−イソブトキシ−１，２−フェニレンジヘキサノエート、４−ｔｅｒｔ−ブトキシ−１，２−フェニレンジヘキサノエート、４−ペントキシ−１，２−フェニレンジヘキサノエート、４−ヘキソキシ−１，２−フェニレンジヘキサノエート、４−ヘプトキシ−１，２−フェニレンジヘキサノエート、４−オクトキシ−１，２−フェニレンジヘキサノエート、４−ノノキシ−１，２−フェニレンジヘキサノエート、４−デコキシ−１，２−フェニレンジヘキサノエート、４−フェノキシ−１，２−フェニレンジヘキサノエート、４−クロロ−１，２−フェニレンジイソヘキサノエート、４−ブロモ−１，２−フェニレンジイソヘキサノエート、４−フルオロ−１，２−フェニレンジイソヘキサノエート、４−ヨード−１，２−フェニレンジイソヘキサノエート、４−メチル−１，２−フェニレンジイソヘキサノエート、４−エチル−１，２−フェニレンジイソヘキサノエート、４−ブチル−１，２−フェニレンジイソヘキサノエート、４−イソブチル−１，２−フェニレンジイソヘキサノエート、４−ｔｅｒｔ−ブチル−１，２−フェニレンジイソヘキサノエート、４−イソプロピル−１，２−フェニレンジイソヘキサノエート、４−ペンチル−１，２−フェニレンジイソヘキサノエート、４−イソペンチル−１，２−フェニレンジイソヘキサノエート、４−ヘキシル−１，２−フェニレンジイソヘキサノエート、４−ヘプチル−１，２−フェニレンジイソヘキサノエート、４−オクチル−１，２−フェニレンジイソヘキサノエート、４−ノニル−１，２−フェニレンジイソヘキサノエート、４−デシル−１，２−フェニレンジイソヘキサノエート、４−ドデシル−１，２−フェニレンジイソヘキサノエート、４−メトキシ−１，２−フェニレンジイソヘキサノエート、４−エトキシ−１，２−フェニレンジイソヘキサノエート、４−プロポキシ−１，２−フェニレンジイソヘキサノエート、４−イソプロポキシ−１，２−フェニレンジイソヘキサノエート、４−ブトキシ−１，２−フェニレンジイソヘキサノエート、４−イソブトキシ−１，２−フェニレンジイソヘキサノエート、４−ｔｅｒｔ−ブトキシ−１，２−フェニレンジイソヘキサノエート、４−ペントキシ−１，２−フェニレンジイソヘキサノエート、４−ヘキソキシ−１，２−フェニレンジイソヘキサノエート、４−ヘプトキシ−１，２−フェニレンジイソヘキサノエート、４−オクトキシ−１，２−フェニレンジイソヘキサノエート、４−ノノキシ−１，２−フェニレンジイソヘキサノエート、４−デコキシ−１，２−フェニレンジイソヘキサノエート、４−フェノキシ−１，２−フェニレンジイソヘキサノエート、４−クロロ−１，２−フェニレンジヘプタノエート、４−ブロモ−１，２−フェニレンジヘプタノエート、４−フルオロ−１，２−フェニレンジヘプタノエート、４−ヨード−１，２−フェニレンジヘプタノエート、４−メチル−１，２−フェニレンジヘプタノエート、４−エチル−１，２−フェニレンジヘプタノエート、４−ブチル−１，２−フェニレンジヘプタノエート、４−イソブチル−１，２−フェニレンジヘプタノエート、４−ｔｅｒｔ−ブチル−１，２−フェニレンジヘプタノエート、４−イソプロピル−１，２−フェニレンジヘプタノエート、４−ペンチル−１，２−フェニレンジヘプタノエート、４−イソペンチル−１，２−フェニレンジヘプタノエート、４−ヘキシル−１，２−フェニレンジヘプタノエート、４−ヘプチル−１，２−フェニレンジヘプタノエート、４−オクチル−１，２−フェニレンジヘプタノエート、４−ノニル−１，２−フェニレンジヘプタノエート、４−デシル−１，２−フェニレンジヘプタノエート、４−ドデシル−１，２−フェニレンジヘプタノエート、４−メトキシ−１，２−フェニレンジヘプタノエート、４−エトキシ−１，２−フェニレンジヘプタノエート、４−プロポキシ−１，２−フェニレンジヘプタノエート、４−イソプロポキシ−１，２−フェニレンジヘプタノエート、４−ブトキシ−１，２−フェニレンジヘプタノエート、４−イソブトキシ−１，２−フェニレンジヘプタノエート、４−ｔｅｒｔ−ブトキシ−１，２−フェニレンジヘプタノエート、４−ペントキシ−１，２−フェニレンジヘプタノエート、４−ヘキソキシ−１，２−フェニレンジヘプタノエート、４−ヘプトキシ−１，２−フェニレンジヘプタノエート、４−オクトキシ−１，２−フェニレンジヘプタノエート、４−ノノキシ−１，２−フェニレンジヘプタノエート、４−デコキシ−１，２−フェニレンジヘプタノエート、４−フェノキシ−１，２−フェニレンジヘプタノエート、４−クロロ−１，２−フェニレンジイソヘプタノエート、４−ブロモ−１，２−フェニレンジイソヘプタノエート、４−フルオロ−１，２−フェニレンジイソヘプタノエート、４−ヨード−１，２−フェニレンジイソヘプタノエート、４−メチル−１，２−フェニレンジイソヘプタノエート、４−エチル−１，２−フェニレンジイソヘプタノエート、４−ブチル−１，２−フェニレンジイソヘプタノエート、４−イソブチル−１，２−フェニレンジイソヘプタノエート、４−ｔｅｒｔ−ブチル−１，２−フェニレンジイソヘプタノエート、４−イソプロピル−１，２−フェニレンジイソヘプタノエート、４−ペンチル−１，２−フェニレンジイソヘプタノエート、４−イソペンチル−１，２−フェニレンジイソヘプタノエート、４−ヘキシル−１，２−フェニレンジイソヘプタノエート、４−ヘプチル−１，２−フェニレンジイソヘプタノエート、４−オクチル−１，２−フェニレンジイソヘプタノエート、４−ノニル−１，２−フェニレンジイソヘプタノエート、４−デシル−１，２−フェニレンジイソヘプタノエート、４−ドデシル−１，２−フェニレンジイソヘプタノエート、４−メトキシ−１，２−フェニレンジイソヘプタノエート、４−エトキシ−１，２−フェニレンジイソヘプタノエート、４−プロポキシ−１，２−フェニレンジイソヘプタノエート、４−イソプロポキシ−１，２−フェニレンジイソヘプタノエート、４−ブトキシ−１，２−フェニレンジイソヘプタノエート、４−イソブトキシ−１，２−フェニレンジイソヘプタノエート、４−ｔｅｒｔ−ブトキシ−１，２−フェニレンジイソヘプタノエート、４−ペントキシ−１，２−フェニレンジイソヘプタノエート、４−ヘキソキシ−１，２−フェニレンジイソヘプタノエート、４−ヘプトキシ−１，２−フェニレンジイソヘプタノエート、４−オクトキシ−１，２−フェニレンジイソヘプタノエート、４−ノノキシ−１，２−フェニレンジイソヘプタノエート、４−デコキシ−１，２−フェニレンジイソヘプタノエート、４−フェノキシ−１，２−フェニレン
ジイソヘプタノエート、４−クロロ−１，２−フェニレンジオクタノエート、４−ブロモ−１，２−フェニレンジオクタノエート、４−フルオロ−１，２−フェニレンジオクタノエート、４−ヨード−１，２−フェニレンジオクタノエート、４−メチル−１，２−フェニレンジオクタノエート、４−エチル−１，２−フェニレンジオクタノエート、４−ブチル−１，２−フェニレンジオクタノエート、４−イソブチル−１，２−フェニレンジオクタノエート、４−ｔｅｒｔ−ブチル−１，２−フェニレンジオクタノエート、４−イソプロピル−１，２−フェニレンジオクタノエート、４−ペンチル−１，２−フェニレンジオクタノエート、４−イソペンチル−１，２−フェニレンジオクタノエート、４−ヘキシル−１，２−フェニレンジオクタノエート、４−ヘプチル−１，２−フェニレンジオクタノエート、４−オクチル−１，２−フェニレンジオクタノエート、４−ノニル−１，２−フェニレンジオクタノエート、４−デシル−１，２−フェニレンジオクタノエート、４−ドデシル−１，２−フェニレンジオクタノエート、４−メトキシ−１，２−フェニレンジオクタノエート、４−エトキシ−１，２−フェニレンジオクタノエート、４−プロポキシ−１，２−フェニレンジオクタノエート、４−イソプロポキシ−１，２−フェニレンジオクタノエート、４−ブトキシ−１，２−フェニレンジオクタノエート、４−イソブトキシ−１，２−フェニレンジオクタノエート、４−ｔｅｒｔ−ブトキシ−１，２−フェニレンジオクタノエート、４−ペントキシ−１，２−フェニレンジオクタノエート、４−ヘキソキシ−１，２−フェニレンジオクタノエート、４−ヘプトキシ−１，２−フェニレンジオクタノエート、４−オクトキシ−１，２−フェニレンジオクタノエート、４−ノノキシ−１，２−フェニレンジオクタノエート、４−デコキシ−１，２−フェニレンジオクタノエート、４−フェノキシ−１，２−フェニレンジオクタノエート、４−クロロ−１，２−フェニレンジイソオクタノエート、４−ブロモ−１，２−フェニレンジイソオクタノエート、４−フルオロ−１，２−フェニレンジイソオクタノエート、４−ヨード−１，２−フェニレンジイソオクタノエート、４−メチル−１，２−フェニレンジイソオクタノエート、４−エチル−１，２−フェニレンジイソオクタノエート、４−ブチル−１，２−フェニレンジイソオクタノエート、４−イソブチル−１，２−フェニレンジイソオクタノエート、４−ｔｅｒｔ−ブチル−１，２−フェニレンジイソオクタノエート、４−イソプロピル−１，２−フェニレンジイソオクタノエート、４−ペンチル−１，２−フェニレンジイソオクタノエート、４−イソペンチル−１，２−フェニレンジイソオクタノエート、４−ヘキシル−１，２−フェニレンジイソオクタノエート、４−ヘプチル−１，２−フェニレンジイソオクタノエート、４−オクチル−１，２−フェニレンジイソオクタノエート、４−ノニル−１，２−フェニレンジイソオクタノエート、４−デシル−１，２−フェニレンジイソオクタノエート、４−ドデシル−１，２−フェニレンジイソオクタノエート、４−メトキシ−１，２−フェニレンジイソオクタノエート、４−エトキシ−１，２−フェニレンジイソオクタノエート、４−プロポキシ−１，２−フェニレンジイソオクタノエート、４−イソプロポキシ−１，２−フェニレンジイソオクタノエート、４−ブトキシ−１，２−フェニレンジイソオクタノエート、４−イソブトキシ−１，２−フェニレンジイソオクタノエート、４−ｔｅｒｔ−ブトキシ−１，２−フェニレンジイソオクタノエート、４−ペントキシ−１，２−フェニレンジイソオクタノエート、４−ヘキソキシ−１，２−フェニレンジイソオクタノエート、４−ヘプトキシ−１，２−フェニレンジイソオクタノエート、４−オクトキシ−１，２−フェニレンジイソオクタノエート、４−ノノキシ−１，２−フェニレンジイソオクタノエート、４−デコキシ−１，２−フェニレンジイソオクタノエート、４−フェノキシ−１，２−フェニレンジイソオクタノエート、４−クロロ−１，２−フェニレンジノナノエート、４−ブロモ−１，２−フェニレンジノナノエート、４−フルオロ−１，２−フェニレンジノナノエート、４−ヨード−１，２−フェニレンジノナノエート、４−メチル−１，２−フェニレンジノナノエート、４−エチル−１，２−フェニレンジノナノエート、４−ブチル−１，２−フェニレンジノナノエート、４−イソブチル−１，２−フェニレンジノナノエート、４−ｔｅｒｔ−ブチル−１，２−フェニレンジノナノエート、４−イソプロピル−１，２−フェニレンジノナノエート、４−ペンチル−１，２−フェニレンジノナノエート、４−イソペンチル−１，２−フェニレンジノナノエート、４−ヘキシル−１，２−フェニレンジノナノエート、４−ヘプチル−１，２−フェニレンジノナノエート、４−オクチル−１，２−フェニレンジノナノエート、４−ノニル−１，２−フェニレンジノナノエート、４−デシル−１，２−フェニレンジノナノエート、４−ドデシル−１，２−フェニレンジノナノエート、４−メトキシ−１，２−フェニレンジノナノエート、４−エトキシ−１，２−フェニレンジノナノエート、４−プロポキシ−１，２−フェニレンジノナノエート、４−イソプロポキシ−１，２−フェニレンジノナノエート、４−ブトキシ−１，２−フェニレンジノナノエート、４−イソブトキシ−１，２−フェニレンジノナノエート、４−ｔｅｒｔ−ブトキシ−１，２−フェニレンジノナノエート、４−ペントキシ−１，２−フェニレンジノナノエート、４−ヘキソキシ−１，２−フェニレンジノナノエート、４−ヘプトキシ−１，２−フェニレンジノナノエート、４−オクトキシ−１，２−フェニレンジノナノエート、４−ノノキシ−１，２−フェニレンジノナノエート、４−デコキシ−１，２−フェニレンジノナノエート、４−フェノキシ−１，２−フェニレンジノナノエート、４−クロロ−１，２−フェニレンジデカノエート、４−ブロモ−１，２−フェニレンジデカノエート、４−フルオロ−１，２−フェニレンジデカノエート、４−ヨード−１，２−フェニレンジデカノエート、４−メチル−１，２−フェニレンジデカノエート、４−エチル−１，２−フェニレンジデカノエート、４−ブチル−１，２−フェニレンジデカノエート、４−イソブチル−１，２−フェニレンジデカノエート、４−ｔｅｒｔ−ブチル−１，２−フェニレンジデカノエート、４−イソプロピル−１，２−フェニレンジデカノエート、４−ペンチル−１，２−フェニレンジデカノエート、４−イソペンチル−１，２−フェニレンジデカノエート、４−ヘキシル−１，２−フェニレンジデカノエート、４−ヘプチル−１，２−フェニレンジデカノエート、４−オクチル−１，２−フェニレンジデカノエート、４−ノニル−１，２−フェニレンジデカノエート、４−デシル−１，２−フェニレンジデカノエート、４−ドデシル−１，２−フェニレンジデカノエート、４−メトキシ−１，２−フェニレンジデカノエート、４−エトキシ−１，２−フェニレンジデカノエート、４−プロポキシ−１，２−フェニレンジデカノエート、４−イソプロポキシ−１，２−フェニレンジデカノエート、４−ブトキシ−１，２−フェニレンジデカノエート、４−イソブトキシ−１，２−フェニレンジデカノエート、４−ｔｅｒｔ−ブトキシ−１，２−フェニレンジデカノエート、４−ペントキシ−１，２−フェニレンジデカノエート、４−ヘキソキシ−１，２−フェニレンジデカノエート及び４−ヘプトキシ−１，２−フェニレンジデカノエート、４−オクトキシ−１，２−フェニレンジデカノエート、４−ノノキシ−１，２−フェニレンジデカノエート、４−デコキシ−１，２−フェニレンジデカノエート及び４−フェノキシ−１，２−フェニレンジデカノエート。
【００４３】
第３の実施形態に係る好ましい化合物は、４−クロロ−１，２−フェニレンジアセテート、４−ｔｅｒｔ−ブチル−１，２−フェニレンジアセテート及び４−メチル−１，２−フェニレンジアセテートである。
【００４４】
第４の実施形態では、Ｒ１−Ｒ６基は同一であるか又は互いに異なる。Ｒ１−Ｒ６のそれぞれは、水素、ハロゲン、環に結合可能なＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。
【００４５】
特に、構造(Ａ)はＲ３−Ｒ６の少なくとも一つを有し、すなわち、Ｒ６は、水素、ハロゲン、環に結合できるＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。また、構造(Ａ)は、環に結合できるＣ１−Ｃ２０直鎖又は分枝アルキル基、Ｃ３−Ｃ１５シクロアルキル基、ヘテロ原子、アリールアルキル又はアルキルアリール、アルキルアルコキシ又はアルコキシアルキル、アリールアルコキシ又はアルコキシアリール、アルキルシクロアルキル又はシクロアルキルアルキル基及びこれらの組合せ、から選択されるＲ１−Ｒ２の少なくとも一つを有し、Ｒ１−Ｒ２は同一である。
【００４６】
第４の実施形態に係る例としては、限定するものではないが、以下を挙げることができる。３−クロロ−１，２−フェニレンジアセテート、３−ブロモ−１，２−フェニレンジアセテート、３−フルオロ−１，２−フェニレンジアセテート、３−ヨード−１，２−フェニレンジアセテート、３−メチル−１，２−フェニレンジアセテート、３−エチル−１，２−フェニレンジアセテート、３−ブチル−１，２−フェニレンジアセテート、３−イソブチル−１，２−フェニレンジアセテート、３−ｔｅｒｔ−ブチル−１，２−フェニレンジアセテート、３−イソプロピル−１，２−フェニレンジアセテート、３−ペンチル−１，２−フェニレンジアセテート、３−イソペンチル−１，２−フェニレンジアセテート、３−ヘキシル−１，２−フェニレンジアセテート、３−ヘプチル−１，２−フェニレンジアセテート、３−オクチル−１，２−フェニレンジアセテート、３−ノニル−１，２−フェニレンジアセテート、３−デシル−１，２−フェニレンジアセテート、３−ドデシル−１，２−フェニレンジアセテート、３−メトキシ−１，２−フェニレンジアセテート、３−エトキシ−１，２−フェニレンジアセテート、３−プロポキシ−１，２−フェニレンジアセテート、３−イソプロポキシ−１，２−フェニレンジアセテート、３−ブトキシ−１，２−フェニレンジアセテート、３−イソブトキシ−１，２−フェニレンジアセテート、３−ｔｅｒｔ−ブトキシ−１，２−フェニレンジアセテート、３−ペントキシ−１，２−フェニレンジアセテート、３−ヘキソキシ−１，２−フェニレンジアセテート、３−ヘプトキシ−１，２−フェニレンジアセテート、３−オクトキシ−１，２−フェニレンジアセテート、３−ノノキシ−１，２−フェニレンジアセテート、３−デコキシ−１，２−フェニレンジアセテート、３−フェノキシ−１，２−フェニレンジアセテート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート、３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート、３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジイソプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジブタノエート、３−ブロモ−１，２−フェニレンジブタノエート、３−フルオロ−１，２−フェニレンジブタノエート、３−ヨード−１，２−フェニレンジブタノエート、３−メチル−１，２−フェニレンジブタノエート、３−エチル−１，２−フェニレンジブタノエート、３−ブチル−１，２−フェニレンジブタノエート、３−イソブチル−１，２−フェニレンジブタノエート、３−ｔｅｒｔ−ブチル−１，２−フェニレンジブタノエート、３−イソプロピル−１，２−フェニレンジブタノエート、３−ペンチル−１，２−フェニレンジブタノエート、３−イソペンチル−１，２−フェニレンジブタノエート、３−ヘキシル−１，２−フェニレンジブタノエート、３−ヘプチル−１，２−フェニレンジブタノエート、３−オクチル−１，２−フェニレンジブタノエート、３−ノニル−１，２−フェニレンジブタノエート、３−デシル−１，２−フェニレンジブタノエート、３−ドデシル−１，２−フェニレンジブタノエート、３−メトキシ−１，２−フェニレンジブタノエート、３−エトキシ−１，２−フェニレンジブタノエート、３−プロポキシ−１，２−フェニレンジブタノエート、３−イソプロポキシ−１，２−フェニレンジブタノエート、３−ブトキシ−１，２−フェニレンジブタノエート、３−イソブトキシ−１，２−フェニレンジブタノエート、３−ｔｅｒｔ−ブトキシ−１，２−フェニレンジブタノエート、３−ペントキシ−１，２−フェニレンジブタノエート、３−ヘキソキシ−１，２−フェニレンジブタノエート、３−ヘプトキシ−１，２−フェニレンジブタノエート、３−オクトキシ−１，２−フェニレンジブタノエート、３−ノノキシ−１，２−フェニレンジブタノエート、３−デコキシ−１，２−フェニレンジブタノエート、３−フェノキシ−１，２−フェニレンジブタノエート、３−クロロ−１，２−フェニレンジイソブタノエート、３−ブロモ−１，２−フェニレンジイソブタノエート、３−フルオロ−１，２−フェニレンジイソブタノエート、３−ヨード−１，２−フェニレンジイソブタノエート、３−メチル−１，２−フェニレンジイソブタノエート、３−エチル−１，２−フェニレンジイソブタノエート、３−ブチル−１，２−フェニレンジイソブタノエート、３−イソブチル−１，２−フェニレンジイソブタノエート、３−ｔｅｒｔ−ブチル−１，２−フェニレンジイソブタノエート、３−イソプロピル−１，２−フェニレンジイソブタノエート、３−ペンチル−１，２−フェニレンジイソブタノエート、３−イソペンチル−１，２−フェニレンジイソブタノエート、３−ヘキシル−１，２−フェニレンジイソブタノエート、３−ヘプチル−１，２−フェニレンジイソブタノエート、３−オクチル−１，２−フェニレンジイソブタノエート、３−ノニル−１，２−フェニレンジイソブタノエート、３−デシル−１，２−フェニレンジイソブタノエート、３−ドデシル−１，２−フェニレンジイソブタノエート、３−メトキシ−１，２−フェニレンジイソブタノエート、３−エトキシ−１，２−フェニレンジイソブタノエート、３−プロポキシ−１，２−フェニレンジイソブタノエート、３−イソプロポキシ−１，２−フェニレンジイソブタノエート、３−ブトキシ−１，２−フェニレンジイソブタノエート、３−イソブトキシ−１，２−フェニレンジイソブタノエート、３−ｔｅｒｔ−ブトキシ−１，２−フェニレンジイソブタノエート、３−ペントキシ−１，２−フェニレンジイソブタノエート、３−ヘキソキシ−１，２−フェニレンジイソブタノエート、３−ヘプトキシ−１，２−フェニレンジイソブタノエート、３−オクトキシ−１，２−フェニレンジイソブタノエート、３−ノノキシ−１，２−フェニレンジイソブタノエート、３−デコキシ−１，２−フェニレンジイソブタノエート、３−フェノキシ−１，２−フェニレンジイソブタノエート、３−クロロ−１，２−フェニレンジ−ｔｅｒｔ−ブタノエート、３−ブロモ−１，２−フェニレンジ−ｔｅｒｔ−ブタノエート、３−フルオロ−１，２−フェニレンジ−ｔｅｒｔ−ブタノエート、３−ヨード−１，２−フェニレンジ−ｔｅｒｔ−ブタノエート、３−メチル−１，２−フェニレンジ−ｔｅｒｔ−ブタノエート、３−エチル−１，２−フェニレンジ−ｔｅｒｔ−ブタノエート、３−ブチル−１，２−フェニレンジ−ｔｅｒｔ−ブタノエート、３−イソブチル−１，２−フェニレンジ−ｔｅｒｔ−ブタノエート、３−ｔｅｒｔ−ブチル−１，２−フェニレンジ−ｔｅｒｔ−ブタノエート、３−イソプロピル−１、２−フェニレンジ−ｔｅｒｔ−ブタノエート、３−ペンチル−１，２−フェニレンジ−ｔｅｒｔ−ブタノエート、３−イソペンチル−１，２−フェニレンジ−ｔｅｒｔ−ブタノエート、３−ヘキシル−１，２−フェニレンジ−ｔｅｒｔ−ブタノエート、３−ヘプチル−１，２−フェニレンジ−ｔｅｒｔ−ブタノエート、３−オクチル−１，２−フェニレンジ−ｔｅｒｔ−ブタノエート、３−ノニル−１，２−フェニレンジ−ｔｅｒｔ−ブタノエート、３−デシル−１，２−フェニレンジ−ｔｅｒｔ−ブタノエート、３−ドデシル−１，２−フェニレンジ−ｔｅｒｔ−ブタノエート、３−メトキシ−１，２−フェニレンジ−ｔｅｒｔ−ブタノエート、３−エトキシ−１，２−フェニレンジ−ｔｅｒｔ−ブタノエート、３−プロポキシ−１，２−フェニレンジ−ｔｅｒｔ−ブタノエート、３−イソプロポキシ−１，２−フェニレンジ−ｔｅｒｔ−ブタノエート、３−ブトキシ−１，２−フェニレンジ−ｔｅｒｔ−ブタノエート、３−イソブトキシ−１，２−フェニレンジ−ｔｅｒｔ−ブタノエート、３−ｔｅｒｔ−ブトキシ−１，２−フェニレンジ−ｔｅｒｔ−ブタノエート、３−ペントキシ−１，２−フェニレンジ−ｔｅｒｔ−ブタノエート、３−ヘキソキシ−１，２−フェニレンジ−ｔｅｒｔ−ブタノエート、３−ヘプトキシ−１，２−フェニレンジ−ｔｅｒｔ−ブタノエート、３−オクトキシ−１，２−フェニレンジ−ｔｅｒｔ−ブタノエート、３−ノノキシ−１，２−フェニレンジ−ｔｅｒｔ−ブタノエート、３−デコキシ−１，２−フェニレンジ−
ｔｅｒｔ−ブタノエート、３−フェノキシ−１，２−フェニレンジ−ｔｅｒｔ−ブタノエート、３−クロロ−１，２−フェニレンジペンタノエート、３−ブロモ−１，２−フェニレンジペンタノエート、３−フルオロ−１，２−フェニレンジペンタノエート、３−ヨード−１，２−フェニレンジペンタノエート、３−メチル−１，２−フェニレンジペンタノエート、３−エチル−１，２−フェニレンジペンタノエート、３−ブチル−１，２−フェニレンジペンタノエート、３−イソブチル−１，２−フェニレンジペンタノエート、３−ｔｅｒｔ−ブチル−１，２−フェニレンジペンタノエート、３−イソプロピル−１，２−フェニレンジペンタノエート、３−ペンチル−１，２−フェニレンジペンタノエート、３−イソペンチル−１，２−フェニレンジペンタノエート、３−ヘキシル−１，２−フェニレンジペンタノエート、３−ヘプチル−１，２−フェニレンジペンタノエート、３−オクチル−１，２−フェニレンジペンタノエート、３−ノニル−１，２−フェニレンジペンタノエート、３−デシル−１，２−フェニレンジペンタノエート、３−ドデシル−１，２−フェニレンジペンタノエート、３−メトキシ−１，２−フェニレンジペンタノエート、３−エトキシ−１，２−フェニレンジペンタノエート、３−プロポキシ−１，２−フェニレンジペンタノエート、３−イソプロポキシ−１，２−フェニレンジペンタノエート、３−ブトキシ−１，２−フェニレンジペンタノエート、３−イソブトキシ−１，２−フェニレンジペンタノエート、３−ｔｅｒｔ−ブトキシ−１，２−フェニレンジペンタノエート、３−ペントキシ−１，２−フェニレンジペンタノエート、３−ヘキソキシ−１，２−フェニレンジペンタノエート、３−ヘプトキシ−１，２−フェニレンジペンタノエート、３−オクトキシ−１，２−フェニレンジペンタノエート、３−ノノキシ−１，２−フェニレンジペンタノエート、３−デコキシ−１，２−フェニレンジペンタノエート、３−フェノキシ−１，２−フェニレンジペンタノエート、３−クロロ−１，２−フェニレンジイソペンタノエート、３−ブロモ−１，２−フェニレンジイソペンタノエート、３−フルオロ−１，２−フェニレンジイソペンタノエート、３−ヨード−１，２−フェニレンジイソペンタノエート、３−メチル−１，２−フェニレンジイソペンタノエート、３−エチル−１，２−フェニレンジイソペンタノエート、３−ブチル−１，２−フェニレンジイソペンタノエート、３−イソブチル−１，２−フェニレンジイソペンタノエート、３−ｔｅｒｔ−ブチル−１，２−フェニレンジイソペンタノエート、３−イソプロピル−１，２−フェニレンジイソペンタノエート、３−ペンチル−１，２−フェニレンジイソペンタノエート、３−イソペンチル−１，２−フェニレンジイソペンタノエート、３−ヘキシル−１，２−フェニレンジイソペンタノエート、３−ヘプチル−１，２−フェニレンジイソペンタノエート、３−オクチル−１，２−フェニレンジイソペンタノエート、３−ノニル−１，２−フェニレンジイソペンタノエート、３−デシル−１，２−フェニレンジイソペンタノエート、３−ドデシル−１，２−フェニレンジイソペンタノエート、３−メトキシ−１，２−フェニレンジイソペンタノエート、３−エトキシ−１，２−フェニレンジイソペンタノエート、３−プロポキシ−１，２−フェニレンジイソペンタノエート、３−イソプロポキシ−１，２−フェニレンジイソペンタノエート、３−ブトキシ−１，２−フェニレンジイソペンタノエート、３−イソブトキシ−１，２−フェニレンジイソペンタノエート、３−ｔｅｒｔ−ブトキシ−１，２−フェニレンジイソペンタノエート、３−ペントキシ−１，２−フェニレンジイソペンタノエート、３−ヘキソキシ−１，２−フェニレンジイソペンタノエート、３−ヘプトキシ−１，２−フェニレンジイソペンタノエート、３−オクトキシ−１，２−フェニレンジイソペンタノエート、３−ノノキシ−１，２−フェニレンジイソペンタノエート、３−デコキシ−１，２−フェニレンジイソペンタノエート、３−フェノキシ−１，２−フェニレンジイソペンタノエート、３−クロロ−１，２−フェニレンジヘキサノエート、３−ブロモ−１，２−フェニレンジヘキサノエート、３−フルオロ−１，２−フェニレンジヘキサノエート、３−ヨード−１，２−フェニレンジヘキサノエート、３−メチル−１，２−フェニレンジヘキサノエート、３−エチル−１，２−フェニレンジヘキサノエート、３−ブチル−１，２−フェニレンジヘキサノエート、３−イソブチル−１，２−フェニレンジヘキサノエート、３−ｔｅｒｔ−ブチル−１，２−フェニレンジヘキサノエート、３−イソプロピル−１，２−フェニレンジヘキサノエート、３−ペンチル−１，２−フェニレンジヘキサノエート、３−イソペンチル−１，２−フェニレンジヘキサノエート、３−ヘキシル−１，２−フェニレンジヘキサノエート、３−ヘプチル−１，２−フェニレンジヘキサノエート、３−オクチル−１，２−フェニレンジヘキサノエート、３−ノニル−１，２−フェニレンジヘキサノエート、３−デシル−１，２−フェニレンジヘキサノエート、３−ドデシル−１，２−フェニレンジヘキサノエート、３−メトキシ−１，２−フェニレンジヘキサノエート、３−エトキシ−１，２−フェニレンジヘキサノエート、３−プロポキシ−１，２−フェニレンジヘキサノエート、３−イソプロポキシ−１，２−フェニレンジヘキサノエート、３−ブトキシ−１，２−フェニレンジヘキサノエート、３−イソブトキシ−１，２−フェニレンジヘキサノエート、３−ｔｅｒｔ−ブトキシ−１，２−フェニレンジヘキサノエート、３−ペントキシ−１，２−フェニレンジヘキサノエート、３−ヘキソキシ−１，２−フェニレンジヘキサノエート、３−ヘプトキシ−１，２−フェニレンジヘキサノエート、３−オクトキシ−１，２−フェニレンジヘキサノエート、３−ノノキシ−１，２−フェニレンジヘキサノエート、３−デコキシ−１，２−フェニレンジヘキサノエート、３−フェノキシ−１，２−フェニレンジヘキサノエート、３−クロロ−１，２−フェニレンジイソヘキサノエート、３−ブロモ−１，２−フェニレンジイソヘキサノエート、３−フルオロ−１，２−フェニレンジイソヘキサノエート、３−ヨード−１，２−フェニレンジイソヘキサノエート、３−メチル−１，２−フェニレンジイソヘキサノエート、３−エチル−１，２−フェニレンジイソヘキサノエート、３−ブチル−１，２−フェニレンジイソヘキサノエート、３−イソブチル−１，２−フェニレンジイソヘキサノエート、３−ｔｅｒｔ−ブチル−１，２−フェニレンジイソヘキサノエート、３−イソプロピル−１，２−フェニレンジイソヘキサノエート、３−ペンチル−１，２−フェニレンジイソヘキサノエート、３−イソペンチル−１，２−フェニレンジイソヘキサノエート、３−ヘキシル−１，２−フェニレンジイソヘキサノエート、３−ヘプチル−１，２−フェニレンジイソヘキサノエート、３−オクチル−１，２−フェニレンジイソヘキサノエート、３−ノニル−１，２−フェニレンジイソヘキサノエート、３−デシル−１，２−フェニレンジイソヘキサノエート、３−ドデシル−１，２−フェニレンジイソヘキサノエート、３−メトキシ−１，２−フェニレンジイソヘキサノエート、３−エトキシ−１，２−フェニレンジイソヘキサノエート、３−プロポキシ−１，２−フェニレンジイソヘキサノエート、３−イソプロポキシ−１，２−フェニレンジイソヘキサノエート、３−ブトキシ−１，２−フェニレンジイソヘキサノエート、３−イソブトキシ−１，２−フェニレンジイソヘキサノエート、３−ｔｅｒｔ−ブトキシ−１，２−フェニレンジイソヘキサノエート、３−ペントキシ−１，２−フェニレンジイソヘキサノエート、３−ヘキソキシ−１，２−フェニレンジイソヘキサノエート、３−ヘプトキシ−１，２−フェニレンジイソヘキサノエート、３−オクトキシ−１，２−フェニレンジイソヘキサノエート、３−ノノキシ−１，２−フェニレンジイソヘキサノエート、３−デコキシ−１，２−フェニレンジイソヘキサノエート、３−フェノキシ−１，２−フェニレンジイソヘキサノエート、３−クロロ−１，２−フェニレンジヘプタノエート、３−ブロモ−１，２−フェニレンジヘプタノエート、３−フルオロ−１，２−フェニレンジヘプタノエート、３−ヨード−１，２−フェニレンジヘプタノエート、３−メチル−１，２−フェニレンジヘプタノエート、３−エチル−１，２−フェニレンジヘプタノエート、３−ブチル−１，２−フェニレンジヘプタノエート、３−イソブチル−１，２−フェニレンジヘプタノエート、３−ｔｅｒｔ−ブチル−１，２−フェニレンジヘプタノエート、３−イソプロピル−１，２−フェニレンジヘプタノエート、３−ペンチル−１，２−フェニレンジヘプタノエート、３−イソペンチル−１，２−フェニレンジヘプタノエート、３−ヘキシル−１，２−フェニレンジヘプタノエート、３−ヘプチル−１，２−フェニレンジヘプタノエート、３−オクチル−１，２−フェニレンジヘプタノエート、３−ノニル−１，２−フェニレンジヘプタノエート、３−デシル−１，２−フェニレンジヘプタノエート、３−ドデシル−１，２−フェニレンジヘプタノエート、３−メトキシ−１，２−フェニレンジヘプタノエート、３−エトキシ−１，２−フェニレンジヘプタノエート、３−プロポキシ−１，２−フェニレンジヘプタノエート、３−イソプロポキシ−１，２−フェニレンジヘプタノエート、３−ブトキシ−１，２−フェニレンジヘプタノエート、３−イソブトキシ−１，２−フェニレンジヘプタノエート、３−ｔｅｒｔ−ブトキシ−１，２−フェニレンジヘプタノエート、３−ペントキシ−１，２−フェニレンジヘプタノエート、３−ヘキソキシ−１，２−フェニレンジヘプタノエート、３−ヘプトキシ−１，２−フェニレンジヘプタノエート、３−オクトキシ−１，２−フェニレンジヘプタノエート、３−ノノキシ−１，２−フェニレンジヘプタノエート、３−デコキシ−１，２−フェニレンジヘプタノエート、３−フェノキシ−１，２−フェニレンジヘプタノエート、３−クロロ−１，２−フェニレンジイソヘプタノエート、３−ブロモ−１，２−フェニレンジイソヘプタノエート、３−フルオロ−１，２−フェニレンジイソヘプタノエート、３−ヨード−１，２−フェニレンジイソヘプタノエート、３−メチル−１，２−フェニレンジイソヘプタノエート、３−エチル−１，２−フェニレンジイソヘプタノエート、３−ブチル−１，２−フェニレンジイソヘプタノエート、３−イソブチル−１，２−フェニレンジイソヘプタノエート、３−ｔｅｒｔ−ブチル−１，２−フェニレンジイソヘプタノエート、３−イソプロピル−１，２−フェニレンジイソヘプタノエート、３−ペンチル−１，２−フェニレンジイソヘプタノエート、３−イソペンチル−１，２−フェニレンジイソヘプタノエート、３−ヘキシル−１，２−フェニレンジイソヘプタノエート、３−ヘプチル−１，２−フェニレンジイソヘプタノエート、３−オクチル−１，２−フェニレンジイソヘプタノエート、３−ノニル−１，２−フェニレンジイソヘプタノエート、３−デシル−１，２−フェニレンジイソヘプタノエート、３−ドデシル−１，２−フェニレンジイソヘプタノエート、３−メトキシ−１，２−フェニレンジイソヘプタノエート、３−エトキシ−１，２−フェニレンジイソヘプタノエート、３−プロポキシ−１，２−フェニレンジイソヘプタノエート、３−イソプロポキシ−１，２−フェニレンジイソヘプタノエート、３−ブトキシ−１，２−フェニレンジイソヘプタノエート、３−イソブトキシ−１，２−フェニレンジイソヘプタノエート、３−ｔｅｒｔ−ブトキシ−１，２−フェニレンジイソヘプタノエート、３−ペントキシ−１，２−フェニレンジイソヘプタノエート、３−ヘキソキシ−１，２−フェニレンジイソヘプタノエート、３−ヘプトキシ−１，２−フェニレンジイソヘプタノエート、３−オクトキシ−１，２−フェニレンジイソヘプタノエート、３−ノノキシ−１，２−フェニレンジイソヘプタノエート、３−デコキシ−１，２−フェニレンジイソヘプタノエート、３−フェノキシ−１，２−
フェニレンジイソヘプタノエート、３−クロロ−１，２−フェニレンジオクタノエート、３−ブロモ−１，２−フェニレンジオクタノエート、３−フルオロ−１，２−フェニレンジオクタノエート、３−ヨード−１，２−フェニレンジオクタノエート、３−メチル−１，２−フェニレンジオクタノエート、３−エチル−１，２−フェニレンジオクタノエート、３−ブチル−１，２−フェニレンジオクタノエート、３−イソブチル−１，２−フェニレンジオクタノエート、３−ｔｅｒｔ−ブチル−１，２−フェニレンジオクタノエート、３−イソプロピル−１，２−フェニレンジオクタノエート、３−ペンチル−１，２−フェニレンジオクタノエート、３−イソペンチル−１，２−フェニレンジオクタノエート、３−ヘキシル−１，２−フェニレンジオクタノエート、３−ヘプチル−１，２−フェニレンジオクタノエート、３−オクチル−１，２−フェニレンジオクタノエート、３−ノニル−１，２−フェニレンジオクタノエート、３−デシル−１，２−フェニレンジオクタノエート、３−ドデシル−１，２−フェニレンジオクタノエート、３−メトキシ−１，２−フェニレンジオクタノエート、３−エトキシ−１，２−フェニレンジオクタノエート、３−プロポキシ−１，２−フェニレンジオクタノエート、３−イソプロポキシ−１，２−フェニレンジオクタノエート、３−ブトキシ−１，２−フェニレンジオクタノエート、３−イソブトキシ−１，２−フェニレンジオクタノエート、３−ｔｅｒｔ−ブトキシ−１，２−フェニレンジオクタノエート、３−ペントキシ−１，２−フェニレンジオクタノエート、３−ヘキソキシ−１，２−フェニレンジオクタノエート、３−ヘプトキシ−１，２−フェニレンジオクタノエート、３−オクトキシ−１，２−フェニレンジオクタノエート、３−ノノキシ−１，２−フェニレンジオクタノエート、３−デコキシ−１，２−フェニレンジオクタノエート、３−フェノキシ−１，２−フェニレンジオクタノエート、３−クロロ−１，２−フェニレンジイソオクタノエート、３−ブロモ−１，２−フェニレンジイソオクタノエート、３−フルオロ−１，２−フェニレンジイソオクタノエート、３−ヨード−１，２−フェニレンジイソオクタノエート、３−メチル−１，２−フェニレンジイソオクタノエート、３−エチル−１，２−フェニレンジイソオクタノエート、３−ブチル−１，２−フェニレンジイソオクタノエート、３−イソブチル−１，２−フェニレンジイソオクタノエート、３−ｔｅｒｔ−ブチル−１，２−フェニレンジイソオクタノエート、３−イソプロピル−１，２−フェニレンジイソオクタノエート、３−ペンチル−１，２−フェニレンジイソオクタノエート、３−イソペンチル−１，２−フェニレンジイソオクタノエート、３−ヘキシル−１，２−フェニレンジイソオクタノエート、３−ヘプチル−１，２−フェニレンジイソオクタノエート、３−オクチル−１，２−フェニレンジイソオクタノエート、３−ノニル−１，２−フェニレンジイソオクタノエート、３−デシル−１，２−フェニレンジイソオクタノエート、３−ドデシル−１，２−フェニレンジイソオクタノエート、３−メトキシ−１，２−フェニレンジイソオクタノエート、３−エトキシ−１，２−フェニレンジイソオクタノエート、３−プロポキシ−１，２−フェニレンジイソオクタノエート、３−イソプロポキシ−１，２−フェニレンジイソオクタノエート、３−ブトキシ−１，２−フェニレンジイソオクタノエート、３−イソブトキシ−１，２−フェニレンジイソオクタノエート、３−ｔｅｒｔ−ブトキシ−１，２−フェニレンジイソオクタノエート、３−ペントキシ−１，２−フェニレンジイソオクタノエート、３−ヘキソキシ−１，２−フェニレンジイソオクタノエート、３−ヘプトキシ−１，２−フェニレンジイソオクタノエート、３−オクトキシ−１，２−フェニレンジイソオクタノエート、３−ノノキシ−１，２−フェニレンジイソオクタノエート、３−デコキシ−１，２−フェニレンジイソオクタノエート、３−フェノキシ−１，２−フェニレンジイソオクタノエート、３−クロロ−１，２−フェニレンジノナノエート、３−ブロモ−１，２−フェニレンジノナノエート、３−フルオロ−１，２−フェニレンジノナノエート、３−ヨード−１，２−フェニレンジノナノエート、３−メチル−１，２−フェニレンジノナノエート、３−エチル−１，２−フェニレンジノナノエート、３−ブチル−１，２−フェニレンジノナノエート、３−イソブチル−１，２−フェニレンジノナノエート、３−ｔｅｒｔ−ブチル−１，２−フェニレンジノナノエート、３−イソプロピル−１，２−フェニレンジノナノエート、３−ペンチル−１，２−フェニレンジノナノエート、３−イソペンチル−１，２−フェニレンジノナノエート、３−ヘキシル−１，２−フェニレンジノナノエート、３−ヘプチル−１，２−フェニレンジノナノエート、３−オクチル−１，２−フェニレンジノナノエート、３−ノニル−１，２−フェニレンジノナノエート、３−デシル−１，２−フェニレンジノナノエート、３−ドデシル−１，２−フェニレンジノナノエート、３−メトキシ−１，２−フェニレンジノナノエート、３−エトキシ−１，２−フェニレンジノナノエート、３−プロポキシ−１，２−フェニレンジノナノエート、３−イソプロポキシ−１，２−フェニレンジノナノエート、３−ブトキシ−１，２−フェニレンジノナノエート、３−イソブトキシ−１，２−フェニレンジノナノエート、３−ｔｅｒｔ−ブトキシ−１，２−フェニレンジノナノエート、３−ペントキシ−１，２−フェニレンジノナノエート、３−ヘキソキシ−１，２−フェニレンジノナノエート、３−ヘプトキシ−１，２−フェニレンジノナノエート、３−オクトキシ−１，２−フェニレンジノナノエート、３−ノノキシ−１，２−フェニレンジノナノエート、３−デコキシ−１，２−フェニレンジノナノエート、３−フェノキシ−１，２−フェニレンジノナノエート、３−クロロ−１，２−フェニレンジデカノエート、３−ブロモ−１，２−フェニレンジデカノエート、３−フルオロ−１，２−フェニレンジデカノエート、３−ヨード−１，２−フェニレンジデカノエート、３−メチル−１，２−フェニレンジデカノエート、３−エチル−１，２−フェニレンジデカノエート、３−ブチル−１，２−フェニレンジデカノエート、３−イソブチル−１，２−フェニレンジデカノエート、３−ｔｅｒｔ−ブチル−１，２−フェニレンジデカノエート、３−イソプロピル−１，２−フェニレンジデカノエート、３−ペンチル−１，２−フェニレンジデカノエート、３−イソペンチル−１，２−フェニレンジデカノエート、３−ヘキシル−１，２−フェニレンジデカノエート、３−ヘプチル−１，２−フェニレンジデカノエート、３−オクチル−１，２−フェニレンジデカノエート、３−ノニル−１，２−フェニレンジデカノエート、３−デシル−１，２−フェニレンジデカノエート、３−ドデシル−１，２−フェニレンジデカノエート、３−メトキシ−１，２−フェニレンジデカノエート、３−エトキシ−１，２−フェニレンジデカノエート、３−プロポキシ−１，２−フェニレンジデカノエート、３−イソプロポキシ−１，２−フェニレンジデカノエート、３−ブトキシ−１，２−フェニレンジデカノエート、３−イソブトキシ−１，２−フェニレンジデカノエート、３−ｔｅｒｔ−ブトキシ−１，２−フェニレンジデカノエート、３−ペントキシ−１，２−フェニレンジデカノエート、３−ヘキソキシ−１，２−フェニレンジデカノエート、３−ヘプトキシ−１，２−フェニレンジデカノエート、３−オクトキシ−１，２−フェニレンジデカノエート、３−ノノキシ−１，２−フェニレンジデカノエート、３−デコキシ−１，２−フェニレンジデカノエート及び３−フェノキシ−１，２−フェニレンジデカノエート。
【００４７】
第４の実施形態に係る好ましい化合物は、３−クロロ−１，２−フェニレンジアセテート、３−ｔｅｒｔ−ブチル−１，２−フェニレンジアセテート、３−メチル−１，２−フェニレンジアセテート、３−フルオロ−１，２−フェニレンジアセテートである。
【００４８】
さらなる好ましい特徴によれば、当該化合物は１，２−フェニレンジアセテート、１，２−フェニレンジイソプロパノエート、１，２−フェニレンジイソブタノエート、１，２−フェニレンジ−ｔｅｒｔ−ブタノエート、２−アセトキシフェニルピバレート、２−（ピバロイルオキシ）フェニルベンゾエート、４−クロロ−１，２−フェニレンジアセテート、３−フルオロ−１，２−フェニレンジアセテート、４−ｔｅｒｔ−ブチル−１，２−フェニレンジアセテート、４−メチル−１，２−フェニレンジアセテート、２−（イソブチリロキシ）フェニルアセテート、２−（イソブチリロキシ）フェニルプロパノエート、２−（イソブチリロキシ）フェニルブチレート、２−（イソブチリロキシ）フェニルベンゾエート、３−クロロ−１，２−フェニレンジアセテート、３−ｔｅｒｔ−ブチル−１，２−フェニレンジアセテート及び３−メチル−１，２−フェニレンジアセテートである。
【００４９】
更にさらなる好ましい特徴によれば、当該化合物は、１，２−フェニレンジアセテート、１，２−フェニレンジイソプロパノエート、１，２−フェニレンジイソブタノエート、１，２−フェニレンジ−ｔｅｒｔ−ブタノエート、２−アセトキシフェニルピバレート、２−（ピバロイルオキシ）フェニルベンゾエート、４−クロロ−１，２−フェニレンジアセテート、３−フルオロ−１，２−フェニレンジアセテート、４−ｔｅｒｔ−ブチル−１，２−フェニレンジアセテート、４−メチル−１，２−フェニレンジアセテートである。
【００５０】
本発明は、少なくとも１種の１，２−フェニレンジオエート化合物を含むが他の内部供与体を有しない内部供与体化合物を有する触媒組成物を提供する。
【００５１】
もう一つの実施形態によれば、本発明は、マグネシウム部分、チタン部分及び混合内部供与体を含むもう一つの触媒組成物を提供し、混合内部供与体は、少なくとも１つの１，２−フェニレンジオエート及び有機化合物である電子供与体成分を含む。
【００５２】
一実施形態では、触媒組成物は、少なくとも１種の１，２−フェニレンジオエート化合物を有している内部供与体に加えて、他の内部供与体を有する。このことは、触媒合成中に、少なくとも１種の１，２−フェニレンジオエート化合物を有する内部電子供与体に加えて、他の内部電子供与体を添加することができることを意味する。他の内部供与体は、フタレート、ベンゾエート、ジエーテル、スクシナート、マロネート、カーボネート、シリルエステル、アミドエステル及びこれらの組合せを有する。少なくとも１種の１，２−フェニレンジオエート化合物を有している内部供与体に加えて、他の内部供与体を含む、固体の触媒組成物は、ここに記載された方法を用いて生成することができる。
【００５３】
他の内部電子供与体成分は、フタレート、ベンゾエート、ジエーテル、スクシナート、マロネート、カーボネート、シリルエステル、アミドエステル及びこれらの組合せから選択することができる。具体的かつ非限定的な例としては、ジ−ｎ−ブチルフタレート、フタル酸ジ−ｉ−ブチル、ジ‐２‐エチルヘキシルフタレート、メチルベンゾエート、エチルベンゾエート、プロピルベンゾエート、フェニルベンゾエート、シクロヘキシルベンゾエート、メチルトルエート、エチルトルエート、ｐ−エトキシエチルベンゾエート、ｐ−イソプロポキシエチルベンゾエート、ジエチルスクシネート、ジプロピルスクシネート、ジイソプロピルスクシネート、ジブチルスクシネート、ジイソブチルスクシネート、ジエチルマロネート、ジエチルエチルマロネート、ジエチルプロピルマロネート、ジエチルイソプロピルマロネート、ジエチルブチルマロネート、ジエチル−１，２−シクロヘキサンジカルボキシレート、ジ−２−エチルヘキシル−１，２−シクロヘキサンジカルボキシレート、ジ−２−イソノニル−１，２−シクロヘキサンジカルボキシレート、メチルアニセート、エチルアニセート及び９，９−ビス（メトキシメチル）フッ素、２−イソプロピル−２−イソペンチル−１、３−ジメトキシプロパン、２，２−ジイソブチル−１、３−ジメトキシプロパン、２，２−ジイソペンチル−１、３−ジメトキシプロパン、２−イソプロピル−２−シクロヘキシル−１，３−ジメトキシプロパン等のジエーテル化合物が挙げられる。
【００５４】
好ましい実施形態では、触媒組成物は、約５．０〜２０重量％の内部供与体、約１．０〜６．０重量％のチタン部分及び約１５〜２０重量％のマグネシウム部分を有している。
【００５５】
触媒組成物の調製は、いくつかの方法に従って行われてもよく、そのいくつかは、例証として以下に記載される。
【００５６】
本発明に係る触媒組成物は、少なくとも一つの１，２−フェニレンジオエート化合物を含む内部供与体のソースとともに、マグネシウム部分をチタン部分に接触させることによって調製され、触媒組成物を得る。一実施形態では、マグネシウム及びチタン部分を、少なくとも１種の１，２−フェニレンジオエート化合物を含む内部電子供与体と接触させるようにする。一実施形態では、触媒成分は、少なくとも１種の１，２−フェニレンジオエート化合物を含む内部電子供与体化合物の存在下で、マグネシウム化合物及びチタン化合物を接触させることによって作製される。さらに他の実施形態では、場合によってはチタン化合物と場合によっては少なくとも１種の１，２−フェニレンジオエート化合物を含む内部電子供与体化合物とを含むマグネシウムベースの担体を形成し、かつ、マグネシウムベースの担体を、チタン化合物及び少なくとも１種の１，２−フェニレンジオエート化合物を有している内部電子供与体化合物に接触させることにより、触媒組成物は作製される。もう一つの実施形態では、少なくとも１つの１，２−フェニレンジオエートを含む内部ドナー及び更なる内部電子供与体成分（少なくとも１つの１，２−フェニレンジオエートを含む内部供与体に加えて）の存在下で、マグネシウム部分及びチタン部分を接触させることにより、触媒組成物が作製される。好ましい実施形態では、マグネシウム部分の量、チタン部分の量及び内部供与体のソースの量は、このように得られる触媒組成物が、少なくとも１種の１，２−フェニレンジオエート化合物を含む内部供与体が約５．０〜２０重量％、チタン部分が約１．０〜６．０重量％、及び、マグネシウム部分が約１５〜２０重量％を有するように与えられる。
【００５７】
本発明の方法によれば、触媒組成物は、Ｍｇ（ＯＲ）ｎで表されるマグネシウム部分をＴｉＸ４により表されるチタン部分と反応させることにより、調製することができ、式中、Ｒは、Ｃ２−Ｃ１２とすることができ、好ましくはＲがＣ２であり、より好ましくは、Ｒはエチル基であり、かつｎ＝２であり、式中、Ｘは、ハロゲンとすることができ、好ましくは塩素イオン、より好ましくは溶媒の存在の中のＴｉＣｌ４であり、含塩素又は非含塩素の芳香族又は脂肪族であってもよく、事実上非限定的な例としては、ベンゼン、クロロベンゼン、ジクロロベンゼン、トルエン、ｏ−クロロトルエン、キシレン、ジクロロメタン、クロロホルムが挙げられる。マグネシウム部分をチタン部分と反応させる目的は、マグネシウムアルコキシドを、アクティブなマグネシウムハライドに変換することであり、これは乱雑な結晶格子を有するはずである。この反応中において、少なくとも１種の１，２−フェニレンジオエート化合物を含む内部ドナーが単に存在することにより、マグネシウムハライドの結晶子サイズが管理され、マグネシウムハライド上へのチタンの配位の位置が決定される。また、これらは、活性の低い活性部位の活性を強化する。Ｃ＞２のオレフィンに対して、触媒組成物中に少なくとも１種の１，２−フェニレンジオエート化合物を含む内部供与体は、立体選択性を提供する。反応温度は約８０〜１２０℃の間にあり、このように得られた製品は、過剰なＴｉＣｌ４及び溶媒混合物と１回又は多数回処理され、その後、炭化水素溶媒で洗浄されて、未反応のＴｉＣｌ４を取り除く。炭化水素溶媒は、イソペンタン、イソオクタン、ヘキサン、ペンタン又はイソヘキサンなどの脂肪族炭化水素等である。少なくとも１種の１，２−フェニレンジオエート化合物を含む内部電子供与体が、電子供与体の性質により、５０〜９５℃の温度で添加される。触媒組成物は乾燥され、炭化水素中、好ましくは貯蔵のための鉱油等の重質炭化水素中でスラリー化され、又は分離され、乾燥され、炭化水素中、好ましくは貯蔵のための鉱油等の重質炭化水素中でスラリー化される。
【００５８】
一実施形態では、マグネシウム部分は、無水マグネシウム、ハロゲン含有無水マグネシウム化合物、アルキルマグネシウムハライド化合物、アルコキシマグネシウムハライド化合物、アリールオキシマグネシウムハライド化合物、ジアルコキシマグネシウム化合物、アリールオキシマグネシウム化合物、ジアルキルマグネシウム化合物、マグネシウムジハライドのアルコール錯体及びそれらの混合物とすることができる。
【００５９】
ａ．ハロゲン含有無水マグネシウム化合物の例としては、限定するものではないが、無水マグネシウムクロライド、無水マグネシウムブロマイド、無水フッ化マグネシウム及び無水マグネシウムヨーダイドが挙げられる。
【００６０】
ｂ．アルキルマグネシウムハライド化合物の例としては、限定するものではないが、メチルマグネシウムクロライド、エチルマグネシウムクロライド、イソプロピルマグネシウムクロライド、イソブチルマグネシウムクロライド、ｔｅｒｔ−ブチルマグネシウムクロライド、塩化ベンジルマグネシウム、メチルマグネシウムブロマイド、エチルマグネシウムブロマイド、イソプロピルマグネシウムブロマイド、イソブチルマグネシウムブロマイド、ｔｅｒｔ−ブチルマグネシウムブロマイド、ヘキシルマグネシウムブロマイド、ベンジルマグネシウムブロマイド、メチルマグネシウムヨーダイド、エチルマグネシウムヨーダイド、イソプロピルマグネシウムヨーダイド、イソブチルマグネシウムヨーダイド、ｔｅｒｔ−ブチルマグネシウムヨーダイド及びベンジルマグネシウムヨーダイドが挙げられる。
【００６１】
ｃ．アルコキシマグネシウムハライド化合物の例としては、限定するものではないが、メトキシマグネシウムクロライド、エトキシマグネシウムクロライド、イソプロポキシマグネシウムクロライド、ブトキシマグネシウムクロライド及びオクトキシマグネシウムクロライドが挙げられる。
【００６２】
ｄ．アリールオキシマグネシウムハライド化合物の例としては、限定するものではないが、フェノキシマグネシウムクロライド及びメチルフェノキシマグネシウムクロライドが挙げられる。
【００６３】
ｅ．ジアルコキシマグネシウム化合物の例としては、限定するものではないが、ジメトキシマグネシウム、ジエトキシマグネシウム、ジプロポキシマグネシウム、ジイソプロポキシマグネシウム、ジブトキシマグネシウム及びジオクトキシマグネシウムが挙げられる。
【００６４】
ｆ．アリールオキシマグネシウム化合物の例としては、限定するものではないが、フェノキシマグネシウム及びジメチルフェノキシマグネシウムが挙げられる。
【００６５】
ｇ．ジアルキルマグネシウム化合物の例としては、限定するものではないが、ジメチルマグネシウム、ジエチルマグネシウム、ジイソプロピルマグネシウム、ジブチルマグネシウム、ジヘキシルマグネシウム、ジオクチルマグネシウム、エチルブチルマグネシウム及びブチルオクチルマグネシウムが挙げられる。
【００６６】
ｈ．マグネシウムジハライドのアルコール錯体の例としては、限定するものではないが、マグネシウムクロライドが挙げられる。
【００６７】
一実施形態では、触媒組成物の作製するに用いられるチタン部分は、チタンテトラハライド化合物、アルコキシチタン三ハロゲン化物化合物、ジアルコキシチタンジハライド化合物、トリアルコキシチタンモノハライド化合物、テトラアルコキシチタン化合物及びこれらの混合物でもよい。
【００６８】
（ａ）チタンテトラハライド化合物の例としては、限定するものではないが、チタンテトラクロライド、チタンテトラブロマイド及びチタンテトラヨ−ダイドが挙げられる。
【００６９】
（ｂ）アルコキシチタントリハライド化合物の例としては、限定するものではないが、メトキシチタントリクロライド、エトキシチタントリクロライド、ブトキシチタントリクロライド及びフェノキシチタントリクロライドが挙げられる。
【００７０】
（ｃ）ジアルコキシチタンジハライド化合物の例としては、限定するものではないが、ジエトキシチタンジクロライドが挙げられる。
【００７１】
（ｄ）トリアルコキシチタンモノハライド化合物の例としては、限定するものではないが、トリエトキシチタンクロライドが挙げられる。
【００７２】
（ｅ）テトラアルコキシチタン化合物の例としては、限定するものではないが、テトラブトキシチタン及びテトラエトキシチタンが挙げられる。
【００７３】
特に、チタン部分は、四価の状態のチタンの形態であり、好ましくはチタンハライドであり、チタンテトラクロライドが好ましい。
【００７４】
一実施形態では、触媒組成物はマグネシウム部分を有し、これはマグネシウムアルコキシドであり、好ましくはマグネシウムエトキシドである。一実施形態では、触媒組成物はチタン成分を有し、これはチタンハライドであり、好ましくはチタンテトラクロライドである。一実施形態では、触媒組成物は、約５．０重量％〜２０重量％の１，２−フェニレンジオエートを有し、チタンは約１．０重量％〜６．０重量％、マグネシウムは約１５重量％〜２０重量％である。
【００７５】
本発明の他の方法によれば、ＴｉＸ４で表されるチタン部分を、ＭｇＣｌ２．ｎＲＯＨで表されるアルコールが付加した固体のマグネシウムクロライドと反応させることによって、触媒組成物は作製され、式中、Ｘはハロゲンであってもよく、好ましくは塩素イオン、より好ましくはＴｉＣｌ４であり、好ましくはｎ＝３であり、ＲはＣ２−Ｃ１８のアルキルであり、好ましくはＣ２である。形成された付加体は、このように付加体を懸濁することにより、又は低温のＴｉＣｌ４中で脱アルコールを行った後に、Ｔｉ部分と処理され、ここから、混合物は次いで、９０〜１３０℃の温度に加熱され、少なくとも０．５時間、おそらく２時間の間、維持される。内部供与体の添加は、ＴｉＣｌ４で処理の間、望ましい比率で行われる。混合物へのＴｉＣｌ４の添加は、一回以上行われ、好ましくはインターバルを変えて３回行われ、その後、デカンテーションの後得られる固体を、７０℃で、無水ヘキサンで４回洗浄し、その後、窒素流下で乾燥される。
【００７６】
別の実施形態では、触媒組成物は、マグネシウムクロライド前駆体を有し、この上に、チタンテトラクロライド及び内部供与体が取り入れられる。
【００７７】
一実施形態では、触媒組成物の内部供与体は、１，２−フェニレンジオエートを含み、以下の構造を有する。
【化２】
0005909817.tif 000003
式中、Ｒ１−Ｒ６基は、同一であるか又は互いに異なる。Ｒ１−Ｒ６のそれぞれは、水素、ハロゲン、環に結合可能なＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。
【００７８】
本発明は、オレフィンの重合に対して、ＣＨ２＝ＣＨＲによって表される触媒系を更に提供し、式中、Ｒ＝水素又はＣ１−Ｃ６である。触媒系は、前述の触媒組成物、有機アルミニウム化合物及び外部の電子供与体を含む。（触媒組成物からの）チタン：（有機アルミニウム化合物からの）アルミニウム：外部供与体の比率は、１:５〜１０００：０〜２５０であってもよく、好ましくは１：２５〜５００：２５〜１００の範囲であってもよい。
【００７９】
一実施形態では、有機アルミニウム化合物は、トリアルキルアルミニウム等のアルキルアルミニウム、好ましくはトリエチルアルミニウム、トリイソプロピルアルミニウム、トリイソブチルアルミニウム、トリ−ｎ−ブチルアルミニウム、トリ−ｎ−ヘキシルアルミニウム、トリ−ｎ−オクチルアルミニウム;トリイソプレニルアルミニウム等のトリアルケニルアルミニウム;ジエチルアルミニウムクロライド、ジブチルアルミニウムクロライド、ジイソブチルアルミニウムクロライド及びジエチルアルミニウムブロマイド等のジアルキルアルミニウムハライド;エチルアルミニウムセスキクロライド、ブチルアルミニウムセスキクロライド及び臭化エチルアルミニウムセスキ等のアルキルアルミニウムセスキハライド;ジエチルアルミニウムハイドライド及びジブチルアルミニウムハイドライド等のジアルキルアルミニウムハイドライド;エチルアルミニウムジヒドリド及びプロピルアルミニウムジヒドリド等の部分的に水素化アルキルアルミニウム及びメチルアルミノキサン、イソブチルアルミノキサン、テトラエチルアルミノキサン及びテトライソブチルアルミノキサン等のアルミノキサン;ジエチルアルミニウムエトキシド、等を有している。
【００８０】
一実施形態では、アルミニウムとチタンのモル比は、約５:１〜約１０００:１、又は、約１０:１〜約７００:１、又は、約２５:１〜約５００:１である。
【００８１】
一実施形態では、外部電子供与体は、有機ケイ素化合物、ジエーテル及びアルコキシベンゾエートである。
【００８２】
一実施形態では、オレフィン重合のための外部電子供与体は、助触媒の一部として触媒系に添加されるとき、活性部位の立体特異性を保持し、非立体特異的サイトを立体特異的サイトに変換し、非立体特異的サイトの力を減じ、また、触媒活性に関して高性能を保持しつつも分子量分布を支配する。外部電子供与体は、一般に有機ケイ素化合物であり、その例としては、限定するものではないが、トリメチルメトキシシラン、トリメチルエトキシシラン、ジメチルジメトキシシラン、ジメチルジエトキシシラン、ジイソプロピルジメトキシシラン、ジイソブチルジメトキシシラン、ｔ−ブチルメチルジメトキシシラン、ｔ−ブチルメチルジエトキシシラン、ｔ−アミルメチルジエトキシシラン、ジシクロペンチルジメトキシシラン、ジフェニルジメトキシシラン、フェニルメチルジメトキシシラン、ジフェニルジエトキシシラン、ビス−ｏ−トリルジメトキシシラン、ビス−ｍ−トリルジメトキシシラン、ビス−ｐ−トリルジメトキシシラン、ビス−ｐ−トリルジエトキシシラン、ビス−エチルフェニルジメトキシシラン、ジシクロヘキシルジメトキシシラン、シクロヘキシルメチルジメトキシシラン、シクロヘキシルメチルジエトキシシラン、エチルトリメトキシシラン、エチルトリエトキシシラン、ビニルトリメトキシシラン、メチルトリメトキシシラン、ｎ−プロピルトリエトキシシラン、デシルトリメトキシシラン、デシルトリエトキシシラン、フェニルトリメトキシシラン、ガンマ−クロロプロピルトリメトキシシラン、メチルトリエトキシシラン、エチルトリエトキシシラン、ビニルトリエトキシシラン、ｔ−ブチルトリエトキシシラン、ｎ−ブチルトリエトキシシラン、イソブチルトリエトキシシラン、フェニルトリエトキシシラン、ガンマ−アミノプロピルトリエトキシシラン、チョロトリエトキシシラン、エチルトリイソプロポキシシラン、ビニルトリブトキシシラン、シクロヘキシルトリメトキシシラン、シクロヘキシルトリエトキシシラン、２−ノルボルナントリメトキシシラン、２−ノルボルナントリエトキシシラン、２−ノルボルナンメチルジメトキシシラン、エチルシリケート、ブチルシリケート、トリメチルフェノキシシラン、メチルトリアリルオキシシラン、シクロプロピルトリメトキシシラン、シクロブチルトリメトキシシラン、シクロペンチルトリメトキシシラン、２−メチルシクロペンチルトリメトキシシラン、２，３−ジメチルシクロペンチルトリメトキシシラン、２，５−ジメチルシクロペンチルトリメトキシシラン、シクロペンチルトリエトキシシラン、シクロペンテニルトリメトキシシラン、３−シクロペンテニルトリメトキシシラン、２，４−シクロペンタジエニルトリメトキシシラン、インデニルトリメトキシシラン及びフルオレニルトリメトキシシラン;例えばジシクロペンチルジメトキシシラン、ビス（２−メチルシクロペンチル）ジメトキシシラン、ビス（３−ｔｅｒｔ−ブチルシクロペンチル）ジメトキシシラン、ビス（２，３−ジメチルシクロペンチル）ジメトキシシラン、ビス（２，５−ジメチルシクロペンチル）ジメトキシシラン、ジシクロペンチルジエトキシシラン、ジシクロブチルジエトキシシラン、シクロプロピルシクロブチルジエトキシシラン、ジシクロ��ンテニルジメトキシシラン、ジ（３−シクロペンテニル）ジメトキシシラン、ビス（２，５−ジメチル−３−シクロペンテニル）ジメトキシシラン、ジ−２，４−シクロペンタジエニル）ジメトキシシラン、ビス（２，５−ジメチル−２，４−シクロペンタジエニル）ジメトキシシラン、ビス（１−メチル−１−シクロペンチルエチル）ジメトキシシラン、シクロペンチルシクロペンテニルジメトキシシラン、シクロペンチルシクロペンタジエニルジメトキシシラン、ジインデニルジメトキシシラン、ビス（１、３−ジメチル−２−インデニル）ジメトキシシラン、シクロペンタジエニルインデニルジメトキシシラン、ジフルオレニルジメトキシシラン、シクロペンチルフルオレニルジメトキシシラン及びインデニルフルオレニルジメトキシシラン等のジアルコキシシラン;例えばトリシクロペンチルメトキシシラン、トリシクロペンテニルメトキシシラン、トリシクロペンタジエニルメトキシシラン、トリシクロペンチルエトキシシラン、ジシクロペンチルメチルメトキシシラン、ジシクロペンチルエチルメトキシシラン、ジシクロペンチルメチルエトキシシラン、シクロペンチルジメチルメトキシシラン、シクロペンチルジエチルメトキシシラン、シクロペンチルジメチルエトキシシラン、ビス（２，５−ジメチルシクロペンチル）シクロペンチルメトキシシラン、ジシクロペンチルシクロペンテニルメトキシシラン、ジシクロペンチルシクロペンタジエニルメトキシシラン、ジインデニルシクロペンチルメトキシシラン及びエチレンビス−シクロペンチルジメトキシシラン等のモノアルコキシシラン;例えばアミノプロピルトリエトキシシラン、ｎ−（３−トリエトキシシリルプロピル）アミン、ビス［（３トリエトキシシリル）プロピル］アミン、アミノプロピルトリメトキシシラン、アミノプロピルメチルジエトキシシラン、ヘキサンジアミノプロピルトリメトキシシラン等のアミノシラン、が挙げられる。
【００８３】
一実施形態では、有機ケイ素化合物以外の外部電子供与体の例としては、限定するものではないが、アミン、ジエーテル、エステル、カルボキシレート、ケトン、アミド、ホスフィン、カルバミン酸エステル、ホスフェート、スルホナート、スルホン及び／又はスルホキシドが挙げられる。他の実施形態では、外部供与体は、以下の構造を有する少なくとも１つの１，２−フェニレンジオエートを有している内部供与体でもよく、
【化３】
0005909817.tif 000004
式中、Ｒ１−Ｒ６基は、同一であるか又は互いに異なる。Ｒ１−Ｒ６のそれぞれは、水素、ハロゲン、環に結合可能なＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せから選択される。
【００８４】
外部電子供与体は、前記の有機アルミニウム化合物対外部供与体のモル比を、約０．１〜５００、好ましくは１〜３００で与えるような量で用いられる。
【００８５】
更に、本発明は、重合条件下で触媒系をオレフィンに接触させる、オレフィンを重合及び／又は共重合する方法を提供する。オレフィンは、Ｃ２−Ｃ２０である。
【００８６】
本発明に係るオレフィンの重合は、上記の触媒系の存在下で行われる。触媒系を、重合条件下でオレフィンと接触させて、望ましいポリマー製品を製造する。重合プロセスは、希釈液として不活発な炭化水素溶媒を用いるスラリー重合、又は反応媒体として液体モノマーを用いるバルク重合で、１つ以上の流動層反応器又は機械撹拌層反応器内での気相式操作で、行われてもよい。一実施形態では、重合はこのように行われる。別の実施形態では、共重合は、少なくとも２つの重合ゾーンを使用して行われる。
【００８７】
本発明の触媒系は、上記に定義されたオレフィンＣＨ２＝ＣＨＲの重合に用いられ、前記オレフィンの例としては、エチレン、プロピレン、１−ブテン、４−メチル−１−ペンテン、１−ヘキセン及び１‐オクテンが含まれる。特に、前記触媒は、例えば、以下の製品を製造するために用いられてもよい：エチレンホモポリマー及びエチレンと３〜１２個の炭素原子を有するα−オレフィンとのコポリマーを含む高密度ポリエチレン（ＨＤＰＥ、０．９４０ｇ/ｃｍ３を超える密度を有する）;エチレン及び３〜１２個の炭素原子を有する１つ以上のα−オレフィンのコポリマーからなり、エチレン由来単位のモル含有量が８０％を超える、直鎖状低密度ポリエチレン（ＬＬＤＰＥ、０．９４０ｇ/ｃｍ３未満の密度を有する）、及び、超低密度及び極超低密度ポリエチレン（ＶＬＤＰＥ及びＵＬＤＰＥ、０．９２０ｇ/ｃｍ３未満の密度、０．８８０ｇ/ｃｍ３と同程度に低い密度を有する）；エチレン由来単位の重量含有量が、約３０％〜７０％である、エチレン及びプロピレンのエラストメリックコポリマー、並びに、エチレン及びプロピレンのエラストメリックターポリマーに加えて、小比率のジオレフィン；プロピレン由来単位の含有量が、８５重量％を超える（ランダム共重合体）、プロピレン及びエチレン及び／又は他のα−オレフィンのアイソタクチックポリプロピレン及び結晶性コポリマー；プロピレン及びプロピレン及びエチレンの混合物の逐次重合によって製造され、エチレンの含有量が４０重量％迄であるインパクトプロピレンポリマー；多量の１−ブテンに由来する単位、例えば、１０〜４０重量パーセントを含む、プロピレン及び１−ブテンのコポリマー。本発明の触媒を用いて製造されるプロピレンポリマーは、非常に広い分子重量分布（ＭＷＤ）を示し、かつ、非常に高いアイソタクチック指数を有することが、特に重要である。
【００８８】
重合は、２０〜１２０℃、好ましくは４０〜８０℃の温度で行われる。重合が気相で行われる場合、操作圧力は通常、５〜１００バール、好ましくは１０〜５０バールである。バルク重合中の操作圧力は、通常、１０〜１５０バールであり、好ましくは１５〜５０バールである。スラリー重合における操作圧力は、通常、１〜１０バールであり、好ましくは２〜７バールである。ポリマーの分子量を制御するために、水素を用いてもよい。
【００８９】
本発明では、オレフィンの重合は、本発明の触媒系の存在下で行われる。触媒系は、重合のためにリアクタに直接添加され、又は予備重合がなされ、すなわち、触媒は重合リアクタに添加される前に、より低い重合率範囲での重合に用いられる。予備重合は、オレフィン、好ましくはエチレン及び／又はプロピレンで実行されてもよく、このとき、重合率は、触媒グラム当たり、ポリマー０．２〜５００グラムの範囲となるよう支配される。
【００９０】
本発明では、ここに記載の触媒系の存在下でオレフィンの重合により、約０．２％〜約１５％のキシレン溶解性（ＸＳ）を有するポリオレフィンが形成される。別の実施形態では、ポリオレフィンは、約２％〜約１０％のキシレン溶解性（ＸＳ）を有する。ここで、ＸＳは、高温のキシレンに溶解するポリマーの重量パーセントのことをいい、一般に立体規則性指数を計測するためのものであり、例えば、アイソタクチック性の高いポリマーは、低いＸＳ％値、すなわち、より高い結晶化度、を有し、アイソタクチック性の低いポリマーは、高いＸＳ％値を有する。
【００９１】
本発明に係るオレフィンを重合させる際の触媒系は、ＡＳＴＭ  Ｄ１２３８に準拠した測定において、約０．１〜約１００のメルトフローインデックス（ＭＦＩ）を有するポリオレフィンを提供する。一実施形態では、約５〜約５０のＭＦＩを有するポリオレフィンが製造される。
【００９２】
本発明に係る触媒系はオレフィンを重合させて、少なくとも約０．３ｃｃ/ｇの嵩密度（ＢＤ）を有するポリオレフィンを提供する。
【００９３】
更に、本発明は、１，２−フェニレンジオエートを含む触媒組成物を提供し、これはオレフィンベースのポリマーの重合のために、改良された活性及びより良好な水素応答を示す。また、触媒組成物では、得られるポリマーが改良されたキシレン可溶性を示す。
【００９４】
以下の非限定的な例は、本発明に関する詳細説明で例示される。しかしながら、いかなる形であれ本発明の範囲を限定することを意図するものではない。
【実施例】
【００９５】
実施例１：１，２−フェニレンジアセテート（ＩＤ１）の合成
カテコール（５．０ｇ、０．０４５ｍｏｌ）の混合物に、無水酢酸（１８．５４ｇ、０．１８１６ｍｏｌ）及びモンモリロナイトＫＳＦ（７００ｍｇ）が添加された。２０時間室温で撹拌後に、触媒は濾過によって除去され、ジエチルエーテルで洗浄された。溶媒を、減圧下で蒸発させた。残留物は、汎用の目的のためには十分に純粋であり、ジエチルエーテルから再結晶によって更なる精製を行った。純粋化合物は、白色の結晶性粉末（収率＞９９．０％）として得られた。
【００９６】
実施例２：１，２−フェニレンジイソプロパノエート（ＩＤ２）の合成
カテコール（５．０ｇ、０．０４５ｍｏｌ）の混合物に、イソ吉草酸無水物（２１．５ｇ、０．１１３ｍｏｌ）及びモンモリロナイトＫＳＦ（１．０ｇ）が添加された。２４時間室温で撹拌後に、触媒は濾過によって除去され、ジエチルエーテルで洗浄された。溶媒を、１４０℃で、減圧下蒸発させた。残留物は、汎用の目的のためには十分に純粋であり、ｎ−ペンタンからの再結晶によって、更なる精製が成し遂げられた。純粋化合物は、色のない液体（収率＞９９．０％）として得られた。
【００９７】
実施例３：１，２−フェニレンジイソブタノエート（ＩＤ３）の合成
カテコール（５．０ｇ、０．０４５ｍｏｌ）の混合物に、イソ酪酸無水物（２１．５ｇ、０．１３５ｍｏｌ）及びモンモリロナイトＫＳＦ（１．０ｇ）が添加された。７０℃で８時間撹拌後に、触媒は濾過によって除去され、ジエチルエーテルで洗浄された。溶媒を、１２０℃で減圧下蒸発させた。残留物は、汎用の目的のためには十分に純粋であり、真空下の蒸留によって更なる精製が成し遂げられた。純粋化合物は、色のない液体（収率＞９９．０％）として得られた。
【００９８】
実施例４：１，２−フェニレンジ−ｔｅｒｔ−ブタノエート（ＩＤ４）の合成
カテコール（５．０ｇ、０．０４５ｍｏｌ）の混合物に、トリメチル無水酢酸（２５．３ｇ、０．１３６ｍｏｌ）及びモンモリロナイトＫＳＦ（１．０ｇ）が添加された。７０℃で２４時間撹拌後に、触媒は濾過によって除去され、ジエチルエーテルで洗浄された。溶媒を、１２０℃で減圧下蒸発させた。残留物は、汎用の目的のためには十分に純粋であり、真空下の蒸留によって更なる精製が成し遂げられた。純粋化合物は、色のない液体（収率＞９９．０％）として得られた。
【００９９】
実施例５：２−アセトキシフェニルピバレート（ＩＤ５）の合成
カテコール（２０．０ｇ、０．１８１６ｍｏｌ）の混合物に、ピバル酸無水物（３３．４ｇ、０．１８１６ｍｏｌ）及びモンモリロナイトＫＳＦ（４．０ｇ）が、添加された。２４時間室温で撹拌後に、触媒は濾過によって除去され、ジエチルエーテルで洗浄された。溶媒を、減圧下で蒸発させた。純粋化合物は、色のない液体（収率８５．０％）として得られた。２−ヒドロキシフェニルピバレート（５．０ｇ、０．０２５ｍｏｌ）の混合物に、無水酢酸（５．５ｇ、０．０５３８ｍｏｌ）及びモンモリロナイトＫＳＦ（１．０ｇ）が、添加された。７０℃で６時間撹拌後に、触媒は濾過によって除去され、ジエチルエーテルで洗浄された。最終生産物は、水及びジエチルエーテルから抽出され、溶媒を、減圧下で蒸発させた。純粋化合物は、色のない液体（収率＞９５．０％）として得られた。
【０１００】
実施例６：２−（ピバロイルオキシ）フェニルベンゾエート（ＩＤ６）の合成
２−ヒドロキシフェニルピバレート（５．０ｇ、０．０２５ｍｏｌ）の混合物に、ベンゾイルクロライド（３．６ｇ、０．０２５ｍｏｌ）及びトリエチルアミン（２．５ｇ、０．０２４７ｍｏｌ）が添加された。室温で２時間の撹拌後に、白色の沈殿物が形成された。クラッド反応混合物が、水及びジエチルエーテルで抽出された。分離された有機物層及び溶媒を、減圧下で蒸発させた。純粋化合物が、色のない液体（収率＞９０．０％）として得られた。
【０１０１】
実施例７：４−クロロ−１，２−フェニレンジアセテート（ＩＤ７）の合成
４−クロロカテコール（５．０ｇ、０．０４５ｍｏｌ）の混合物に、無水酢酸（１８．５４ｇ、０．１８１６ｍｏｌ）及びモンモリロナイトＫＳＦ（７００ｍｇ）が、添加された。２０時間室温で撹拌後に、触媒は濾過によって除去され、ジエチルエーテルで洗浄された。溶媒を、減圧下で蒸発させた。残留物は、汎用の目的のためには十分に純粋であり、ジエチルエーテルから再結晶によって更なる精製を行った。純粋化合物は、白色の結晶性粉末（収率＞９９．０％）として得られた。
【０１０２】
実施例８：３−フルオロ−１，２−フェニレンジアセテート（ＩＤ８）の合成
３−フルオロカテコール（５．０ｇ、０．０４５ｍｏｌ）の混合物に、無水酢酸（１８．５４ｇ、０．１８１６ｍｏｌ）及びモンモリロナイトＫＳＦ（７００ｍｇ）が、添加された。２０時間室温で撹拌後に、触媒は濾過によって除去され、ジエチルエーテルで洗浄された。溶媒を、減圧下で蒸発させた。残留物は、汎用の目的のためには十分に純粋であり、ジエチルエーテルから再結晶によって更なる精製を行った。純粋化合物は、白色の結晶性粉末（収率＞９９．０％）として得られた。
【０１０３】
実施例９：４−ｔ−ブチル−１，２−フェニレンジアセテート（ＩＤ９）の合成
４−ｔ−ブチルカテコール（５．０ｇ、０．０４５ｍｏｌ）の混合物に、無水酢酸（１８．５４ｇ、０．１８１６ｍｏｌ）及びモンモリロナイトＫＳＦ（７００ｍｇ）が、添加された。２０時間室温で撹拌後に、触媒は濾過によって除去され、ジエチルエーテルで洗浄された。溶媒を、減圧下で蒸発させた。残留物は、汎用の目的のためには十分に純粋であり、ジエチルエーテルから再結晶によって更なる精製を行った。純粋化合物は、白色の結晶性粉末（収率＞９９．０％）として得られた。
【０１０４】
実施例１０：４−メチル−１，２−フェニレンジアセテート（ＩＤ  １０）の合成
４−メチルカテコール（５．０ｇ、０．０３０ｍｏｌ）の混合物に、無水酢酸（１２．３ｇ、０．１２ｍｏｌ）及びモンモリロナイトＫＳＦ（２．０ｇ）が、添加された。２０時間室温で撹拌後に、触媒は濾過によって除去され、ジエチルエーテルで洗浄された。溶媒を、減圧下で蒸発させた。残留物は、汎用の目的のためには十分に純粋であり、ジエチルエーテルから再結晶によって更なる精製を行った。純粋化合物は、白色の結晶性粉末（収率＞９９．０％）として得られた。
【０１０５】
実施例１１：固体触媒系の調製
固体触媒系の調製を、以下のように行った。ジャケット付きの３つ口５００ｍｌリアクタに、４３．７ｍｍｏｌのマグネシウムエトキシドを加えた後、６０ｍｌのクロロベンゼンを加えた。この撹拌溶液に、６０ｍｌのＴｉＣｌ４を徐々に加え、その後、１３．４ｍｍｏｌの内部供与体を加えた。この混合物は、１１０℃に３０分間加熱され、その後、デカンテーションを行い、その後、６０ｍｌのクロロベンゼン及び６０ｍｌのＴｉＣｌ４を更に加えた。
【０１０６】
１５分の反応時間の後、この混合物は、更に１５分後に別の容器へ移され、次いで再び、６０ｍｌのクロロベンゼンが加えられ、その後、６０ｍｌのＴｉＣｌ４が加えられた。３０分後にデカンテーションが行われた。この混合物は、７０℃で、ヘキサン（−１２０ｍｌ）で洗浄され、その後、窒素流下で乾燥が行われた。上記の手順によって合成される固体の触媒組成物を、表１に示す。
【表１】
0005909817.tif 000005
【０１０７】
実施例１２：エチレンの重合
エチレンの重合は、窒素下であらかじめコンディショニングを行った５００ｍｌのＢｕｃｈｉリアクタ中で行われた。リアクタには、１０重量％トリエチルアルミニウムの溶液及び固体触媒の計算量を含んだ２５０ｍｌのドライなヘキサンが供給された。リアクタは、水素で１４．２ｐｓｉまで加圧され、次いで、７５０ｒｐｍでの撹拌下、７１ｐｓｉのエチレンが供給された。リアクタは７０℃まで加熱された、次いでそれを２時間保持した。最後に、リアクタのベントが行われ、雰囲気条件下でポリマーが回収された。
【０１０８】
触媒性能及びポリマー特性を、表２に示す。
【表２】
0005909817.tif 000006
【０１０９】
実施例１３：プロピレンの重合
プロピレン重合は、あらかじめ窒素下でコンディショニングを行った１Ｌのｂｕｃｈｉリアクタ中で行われた。リアクタには、１０重量％トリエチルアルミニウムの溶液を含んだ２５０ｍｌのドライなヘキサンが供給され、その後、トリエチルアルミニウム１０重量％溶液、シクロヘキシルメチルジメトキシシラン（ＣＨＭＤＭＳ）の５重量％溶液及び秤量された量の触媒を含む１００ｍｌのドライなヘキサンが供給された。リアクタは、６０ｍｌまで水素で加圧され、次いで、７５０ｒｐｍでの撹拌下、７１ｐｓｉのプロピレンが供給された。リアクタは７０℃まで加熱された、次いでそれを２時間保持した。最後に、リアクタのベントが行われ、雰囲気条件下でポリマーが回収された。
【０１１０】
触媒性能及びポリマー特性を、表３に示す。
【表３】
0005909817.tif 000007
【０１１１】
比較例１４：このように得られるポリマーの特性
本発明に従って調製された、すなわち本発明の教示に従って内部供与体を取り入れた、触媒の性能が、内部供与体としてＤＩＢＰを取り入れた触媒（商業的に用いられる従来の内部供与体である）と比較された。
【０１１２】
触媒性能及びポリマー特性を、表４に示す。
【表４】
0005909817.tif 000008
【０１１３】
本明細書に例示及び記載した実施形態は、当業者が本発明を製造し使用するために、発明者が知る最高の方法を教示することを目的としていることに留意すべきである。本発明の実施形態の記載において、特定の用語は、明確さを期するためだけに使用される。しかしながら、本発明は、このように使用される特定の用語に限定されるということを意図しない。本発明の上記の実施形態は、本発明を逸脱しない範囲で、上記の教示を考慮して当業者によって認識されるよう、修正又は変形してもよい。したがって、特許請求の範囲及びこの均等物の範囲内で、本発明は、特定的に記載された以外を実行してもよいことが理解されよう。
本明細書によれば、以下の各項目に記載の構成もまた開示される。
［項目１］
チーグラー・ナッタ触媒系のための前駆体としての触媒組成物であって、
前記触媒組成物は、マグネシウム部分と、チタン部分と、構造(Ａ)の少なくとも１種の１，２−フェニレンジオエート化合物を含む内部供与体との組合せを含み、
【化４】
0005909817.tif 000009
式中、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群から選択される、
触媒組成物。
［項目２］
マグネシウム部分は、無水マグネシウム、ハロゲン含有無水マグネシウム化合物、アルキルマグネシウムハライド化合物、アルコキシマグネシウムハライド化合物、アリールオキシマグネシウムハライド化合物、ジアルコキシマグネシウム化合物、アリールオキシマグネシウム化合物、ジアルキルマグネシウム化合物、マグネシウムジハライドのアルコール錯体及びこれらの混合物を含む群から選択される、項目１に記載の触媒組成物。
［項目３］
チタン部分は、チタンテトラハライド化合物、アルコキシチタントリハライド化合物、ジアルコキシチタンジハライド化合物、トリアルコキシチタンモノハライド化合物、テトラアルコキシチタン化合物及びこれらの混合物を含む群から選択される、項目１に記載の触媒組成物。
［項目４］
構造(Ａ)は、
水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びその組合せを含む群から選択される、Ｒ３−Ｒ６の少なくとも１つと、
水素、ハロゲン、場合によっては環に結合されたＣ１−Ｃ２０直鎖又は分枝アルキル基、Ｃ３−Ｃ１５シクロアルキル基、ヘテロ原子、アリールアルキル又はアルキルアリール、アルキルアルコキシ又はアルコキシアルキル、アリールアルコキシ又はアルコキシアリール、アルキルシクロアルキル又はシクロアルキルアルキル基及びこれらの組合せを含む群から選択される、Ｒ１−Ｒ２の少なくとも１つと、
を有する、項目１に記載の触媒組成物。
［項目５］
１，２−フェニレンジオエートは、
１，２−フェニレンジアセテート又は１，２−フェニレンジエタノエート、１，２−フェニレンジプロパノエート、１，２−フェニレンジブタノエート、１，２−フェニレンジペンタノエート、１，２−フェニレンジヘキサノエート、１，２−フェニレンジヘプタノエート、１，２−フェニレンジオクタノエート、１，２−フェニレンジノナノエート、１，２−フェニレンジデカノエート、１，２−フェニレンジウンデカノエート、１，２−フェニレンジプロピオネート、２−（プロピオニルオキシ）フェニルブチラート、２−（プロピオニロキシ）フェニルペンタノエート、２−（プロピオニロキシ）フェニルヘキサノエート、２−（プロピオニロキシ）フェニルヘプタノアート、２−（プロピオニロキシ）フェニルオクタノエート、２−（プロピオニロキシ）フェニルノナノエート、２−（プロピオニロキシ）フェニルデカノエート、２−（プロピオニロキシ）フェニルウンデカノエート、１，２−フェニレンジブチレート、２−（ブチリロキシ）フェニルペンタノエート、２−（ブチリロキシ）フェニルヘキサノエート、２−（ブチリロキシ）フェニルヘプタノアート、２−（ブチリロキシ）フェニルオクタノエート、２−（ブチリロキシ）フェニルノナノエート、２−（ブチリロキシ）フェニルデカノエート、２−（ブチリロキシ）フェニルウンデカノエート、１，２−フェニレンジペンタノエート、２−（ペンタノイロキシ）フェニルヘキサノエート、２−（ペンタノイロキシ）フェニルヘプタノアート、２−（ペンタノイロキシ）フェニルオクタノエート、２−（ペンタノイロキシ）フェニルノナノエート、２−（ペンタノイロキシ）フェニルデカノエート、２−（ペンタノイロキシ）フェニルウンデカノエート、１，２−フェニレンジヘキサノエート、２−（ヘキサノイロキシ）フェニルヘプタノエート、２−（ヘキサノイロキシ）フェニルオクタノエート、２−（ヘキサノイロキシ）フェニルノナノエート、２−（ヘキサノイロキシ）フェニルデカノエート、２−（ヘキサノイロキシ）フェニルウンデカノエート、１，２−フェニレンジヘプタノエート、２−（ヘプタノイロキシ）フェニルオクタノエート、２−（ヘプタノイロキシ）フェニルノナノエート、２−（ヘプタノイロキシ）フェニルデカノエート、２−（ヘプタノイロキシ）フェニルウンデカノエート、１，２−フェニレンジオクタノエート、２−（オクタノイロキシ）フェニルノナノエート、２−（オクタノイロキシ）フェニルデカノエート、２−（オクタノイロキシ）フェニルウンデカノエート、１，２−フェニレンジノナノエート、２−（ノナノイロキシ）フェニルデカノエート、２−（ノナノイロキシ）フェニルウンデカノエート、１，２−フェニレンジデカノエート、２−（デカノイロキシ）フェニルウンデカノエート、１，２−フェニレンジウンデカノエート、２−アセトキシフェニルイソブチレート、２−（プロピオニロキシ）フェニルイソブチレート、２−（イソブチリロキシ）フェニルブチレート、２−（イソブチリロキシ）フェニルペンタノエート、２−（イソブチリロキシ）フェニルヘキサノエート、２−（イソブチリロキシ）フェニルヘプタノエート、２−（イソブチリロキシ）フェニルオクタノエート、２−（イソブチリロキシ）フェニルノナノエート、２−（イソブチリロキシ）フェニルデカノエート、２−（イソブチリロキシ）フェニルウンデカノエート、１，２−フェニレンジイソブチレート、２−アセトキシフェニル３−メチルブタノエート、２−（プロピオニロキシ）フェニル３−メチルブタノエート、２−（ブチリロキシ）フェニル３−メチルブタノエート、２−（３−メチルブタノイロキシ）フェニルペンタノエート、２−（３−メチルブタノイロキシ）フェニルヘキサノエート、２−（３−メチルブタノイロキシ）フェニルヘプタノエート、２−（３−メチルブタノイロキシ）フェニルオクタノエート、２−（３−メチルブタノイロキシ）フェニルノナノエート、２−（３−メチルブタノイロキシ）フェニルデカノエート、２−（３−メチルブタノイロキシ）フェニルウンデカノエート、１，２−フェニレンビス（３−メチルブタノエート）、２−アセトキシフェニル７−メチルオクタノエート、２−（プロピオニロキシ）フェニル７−メチルオクタノエート、２−（ブチリロキシ）フェニル７−メチルオクタノエート、２−（ペンタノイロキシ）フェニル７−メチルオクタノエート、２−（ヘキサノイロキシ）フェニル７−メチルオクタノエート、２−（ヘプタノイロキシ）フェニル7−メチルオクタノエート、２−（オクタノイロキシ）フェニル７−メチルオクタノエート、２−（７−メチルオクタノイロキシ）フェニルノナノエート、２−（７−メチルオクタノイロキシ）フェニルデカノエート、２−（７−メチルオクタノイロキシ）フェニルウンデカノエート、１，２−フェニレンビス（７−メチルオクタノエート）、２−アセトキシフェニル８−メチルノナノエート、２−（プロピオニロキシ）フェニル８−メチルノナノエート、２−（ブチリロキシ）フェニル８−メチルノナノエート、２−（ペンタノイロキシ）フェニル８−メチルノナノエート、２−（ヘキサノイロキシ）フェニル８−メチルノナノエート、２−（ヘプタノイロキシ）フェニル８−メチルノナノエート、２−（オクタノイロキシ）フェニル８−メチルノナノエート、２−（ノナノイロキシ）フェニル8−メチルノナノエート、２−（８−メチルノナノイロキシ）フェニルデカノエート、２−（８−メチルノナノイロキシ）フェニルウンデカノエート、１，２−フェニレンビス（８−メチルノナノエート）、２−アセトキシフェニル９−メチルデカノエート、２−（プロピオニロキシ）フェニル９−メチルデカノエート、２−（ブチリロキシ）フェニル９−メチルデカノエート、２−（ペンタノイロキシ）フェニル９−メチルデカノエート、２−（ヘキサノイロキシ）フェニル９−メチルデカノエート、２−（ヘプタノイロキシ）フェニル９−メチルデカノエート、２−（オクタノイロキシ）フェニル９−メチルデカノエート、２−（ノナノイロキシ）フェニル９−メチルデカノエート、２−（デカノイロキシ）フェニル９−メチルデカノエート、２−（９−メチルデカノイロキシ）フェニルウンデカノエート、１，２−フェニレンビス（９−メチルデカノエート）、２−アセトキシフェニル１０−メチルウンデカノエート、２−（プロピオニロキシ）フェニル１０−メチルウンデカノエート、２−（ブチリロキシ）フェニル１０−メチルウンデカノエート、２−���ペンタノイロキシ）フェニル１０−メチルウンデカノエート、２−（ヘキサノイロキシ）フェニル１０−メチルウンデカノエート、２−（ヘプタノイロキシ）フェニル１０−メチルウンデカノエート、２−（オクタノイロキシ）フェニル１０−メチルウンデカノエート、２−（ノナノイロキシ）フェニル１０−メチルウンデカノエート、２−（デカノイロキシ）フェニル１０−メチルウンデカノエート、２−（ウンデカノイロキシ）フェニル１０−メチルウンデカノエート、１，２−フェニレンビス（１０−メチルウンデカノエート）、２−アセトキシフェニルピバレート、２−（プロピオニロキシ）フェニルピバレート、２−（ピバロイルオキシ）フェニルブチレート、２−（ピバロイルオキシ）フェニルペンタノエート、２−（ピバロイルオキシ）フェニルヘキサノエート、２−（ピバロイルオキシ）フェニルヘプタノエート、２−（ピバロイルオキシ）フェニルオクタノエート、２−（ピバロイルオキシ）フェニルノナノエート、２−（ピバロイルオキシ）フェニルデカノエート、２−（ピバロイルオキシ）フェニルウンデカノエート、１，２−フェニレンジピバレート、２−アセトキシフェニル３，３−ジメチルブタノエート、２−（プロピオニロキシ）フェニル３，３−ジメチルブタノエート、２−（ブチリロキシ）フェニル３，３−ジメチルブタノエート、２−（３，３−ジメチルブタノイロキシ）フェニルペンタノエート、２−（３，３−ジメチルブタノイロキシ）フェニルヘキサノエート、２−（３，３−ジメチルブタノイロキシ）フェニルヘプタノエート、２−（３，３−ジメチルブタノイロキシ）フェニルオクタノエート、２−（３，３−ジメチルブタノイロキシ）フェニルノナノエート、２−（３，３−ジメチルブタノイロキシ）フェニルデカノエート、２−（３，３−ジメチルブタノイロキシ）フェニルウンデカノエート、１，２−フェニレンビス（３，３−ジメチルブタノエート）、２−アセトキシフェニル４，４−ジメチルペンタノエート、２−（プロピオニロキシ）フェニル４，４−ジメチルペンタノエート、２−（ブチリロキシ）フェニル４，４−ジメチルペンタノエート、２−（ペンタノイロキシ）フェニル４，４−ジメチルペンタノエート、２−（４，４−ジメチルペンタノイロキシ）フェニルヘキサノエート、２−（４，４−ジメチルペンタノイロキシ）フェニルヘプタノエート、２−（４，４−ジメチルペンタノイロキシ）フェニルオクタノエート、２−（４，４−ジメチルペンタノイロキシ）フェニルノナノエート、２−（４，４−ジメチルペンタノイロキシ）フェニルデカノエート、２−（４，４−ジメチルペンタノイロキシ）フェニルウンデカノエート、１，２−フェニレンビス（４，４−ジメチルペンタノエート）、２−アセトキシフェニル５，５−ジメチルヘキサノエート、２−（プロピオニロキシ）フェニル５，５−ジメチルヘキサノエート、２−（ブチリロキシ）フェニル５，５−ジメチルヘキサノエート、２−（ペンタノイロキシ）フェニル５，５−ジメチルヘキサノエート、２−（ヘキサノイロキシ）フェニル５，５−ジメチルヘキサノエート、２−（５，５−ジメチルヘキサノイロキシ）フェニルヘプタノエート、２−（５，５−ジメチルヘキサノイロキシ）フェニ���オクタノエート、２−（５，５−ジメチルヘキサノイロキシ）フェニルノナノエート、２−（５，５−ジメチルヘキサノイロキシ）フェニルデカノエート、２−（５，５−ジメチルヘキサノイロキシ）フェニルウンデカノエート、１，２−フェニレンビス（５，５−ジメチルヘキサノエート）、２−アセトキシフェニル６，６−ジメチルヘプタノエート、２−（プロピオニロキシ）フェニル６，６−ジメチルヘプタノエート、２−（ブチリロキシ）フェニル６，６−ジメチルヘプタノエート、２−（ペンタノイロキシ）フェニル６，６−ジメチルヘプタノエート、２−（ヘキサノイロキシ）フェニル６，６−ジメチルヘプタノエート、２−（ヘプタノイロキシ）フェニル６，６−ジメチルヘプタノエート、２−（６，６−ジメチルヘプタノイロキシ）フェニルオクタノエート、２−（６，６−ジメチルヘプタノイロキシ）フェニルノナノエート、２−（６，６−ジメチルヘプタノイロキシ）フェニルデカノエート、２−（６，６−ジメチルヘプタノイロキシ）フェニルウンデカノエート、１，２−フェニレンビス（６，６−ジメチルヘプタノエート）、２−アセトキシフェニル７，７−ジメチルオクタノエート、２−（プロピオニロキシ）フェニル７，７−ジメチルオクタノエート、２−（ブチリロキシ）フェニル７，７−ジメチルオクタノエート、２−（ペンタノイロキシ）フェニル７，７−ジメチルオクタノエート、２−（ヘキサノイロキシ）フェニル７，７−ジメチルオクタノエート、２−（ヘプタノイロキシ）フェニル７，７−ジメチルオクタノエート、２−（オクタノイロキシ）フェニル７，７−ジメチルオクタノエート、２−（７，７−ジメチルオクタノイロキシ）フェニルノナノエート、２−（７，７−ジメチルオクタノイロキシ）フェニルデカノエート、２−（７，７−ジメチルオクタノイロキシ）フェニルウンデカノエート、１，２−フェニレンビス（７，７−ジメチルオクタノエート）、２−アセトキシフェニル８，８−ジメチルノナノエート、２−（プロピオニロキシ）フェニル８，８−ジメチルノナノエート、２−（ブチリロキシ）フェニル８，８−ジメチルノナノエート、２−（ペンタノイロキシ）フェニル８，８−ジメチルノナノエート、２−（ヘキサノイロキシ）フェニル８，８−ジメチルノナノエート、２−（ヘプタノイロキシ）フェニル８，８−ジメチルノナノエート、２−（オクタノイロキシ）フェニル８，８−ジメチルノナノエート、２
−（ノナノイロキシ）フェニル８，８−ジメチルノナノエート、２−（８，８−ジメチルノナノイロキシ）フェニルデカノエート、２−（８，８−ジメチルノナノイロキシ）フェニルウンデカノエート、１，２−フェニレンビス（８，８−ジメチルノナノエート）、２−アセトキシフェニル９，９−ジメチルデカノエート、２−（プロピオニロキシ）フェニル９，９−ジメチルデカノエート、２−（ブチリロキシ）フェニル９，９−ジメチルデカノエート、２−（ペンタノイロキシ）フェニル９，９−ジメチルデカノエート、２−（ヘキサノイロキシ）フェニル９，９−ジメチルデカノエート、２−（ヘプタノイロキシ）フェニル９，９−ジメチルデカノエート、２−（オクタノイロキシ）フェニル９，９−ジメチルデカノエート、２−（ノナノイロキシ）フェニル９，９−ジメチルデカノエート、２−（デカノイロキシ）フェニル９，９−ジメチルデカノエート、２−（９，９−ジメチルデカノイロキシ）フェニルウンデカノエート、１，２−フェニレンビス（９，９−ジメチルデカノエート）、２−アセトキシフェニル１０，１０−ジメチルウンデカノエート、２−（プロピオニロキシ）フェニル１０，１０−ジメチルウンデカノエート、２−（ブチリロキシ）フェニル１０，１０−ジメチルウンデカノエート、２−（ペンタノイロキシ）フェニル１０，１０−ジメチルウンデカノエート、２−（ヘキサノイロキシ）２−（ヘキサノイロキシ）フェニル１０，１０−ジメチルウンデカノエート、２−（ヘプタノイロキシ）フェニル１０，１０−ジメチルウンデカノエート、２−（オクタノイロキシ）フェニル１０，１０−ジメチルウンデカノエート、２−（ノナノイロキシ）フェニル１０，１０−ジメチルウンデカノエート、２−（デカノイロキシ）フェニル１０，１０−ジメチルウンデカノエート、２−（ウンデカノイロキシ）フェニル１０，１０−ジメチルウンデカノエート、１，２−フェニレンビス（１０，１０−ジメチルウンデカノエート）、２−アセトキシフェニル２−エチルブタノエート、２−（プロピオニロキシ）フェニル２−エチルブタノエート、２−（ブチリロキシ）フェニル２−エチルブタノエート、２−（２−エチルブタノイロキシ）フェニルペンタノエート、２−（２−エチルブタノイロキシ）フェニルヘキサノエート、２−（２−エチルブタノイロキシ）フェニルヘプタノエート、２−（２−エチルブタノイロキシ）フェニルオクタノエート、２−（２−エチルブタノイロキシ）フェニルノナノエート、２−（２−エチルブタノイロキシ）フェニルデカノエート、２−（２−エチルブタノイロキシ）フェニルウンデカノエート、１，２−フェニレンビス（２−エチルブタノエート）、２−アセトキシフェニル３−エチルペンタノエート、２−（プロピオニロキシ）フェニル３−エチルペンタノエート、２−（ブチリロキシ）フェニル３−エチルペンタノエート、２−（ペンタノイロキシ）フェニル３−エチルペンタノエート、２−（３−エチルペンタノイロキシ）フェニルヘキサノエート、２−（３−エチルペンタノイロキシ）フェニルヘプタノエート、２−（３−エチルペンタノイロキシ）フェニルオクタノエート、２−（３−エチルペンタノイロキシ）フェニルノナノエート、２−（３−エチルペンタノイロキシ）フェニルデカノエート、２−（３−エチルペンタノイロキシ）フェニルウンデカノエート、１，２−フェニレンビス（３−エチルペンタノエート）、２−アセトキシフェニル４−エチルヘキサノエート、２−（プロピオニロキシ）フェニル４−エチルヘキサノエート、２−（ブチリロキシ）フェニル４−エチルヘキサノエート、２−（ペンタノイロキシ）フェニル４−エチルヘキサノエート、２−（ヘキサノイロキシ）フェニル４−エチルヘキサノエート、２−（４−エチルヘキサノイロキシ）フェニルヘプタノエート、２−（４−エチルヘキサノイロキシ）フェニルオクタノエート、２−（４−エチルヘキサノイロキシ）フェニルノナノエート、２−（４−エチルヘキサノイロキシ）フェニルデカノエート、２−（４−エチルヘキサノイロキシ）フェニルウンデカノエート、１，２−フェニレンビス（４−エチルヘキサノエート）、２−アセトキシフェニル６−エチルオクタノエート、２−（プロピオニロキシ）フェニル６−エチルオクタノエート、２−（ブチリロキシ）フェニル６−エチルオクタノエート、２−（ペンタノイロキシ）フェニル６−エチルオクタノエート、２−（ヘキサノイロキシ）フェニル６−エチルオクタノエート、２−（ヘプタノイロキシ）フェニル６−エチルオクタノエート、２−（オクタノイロキシ）フェニル６−エチルオクタノエート、２−（６−エチルオクタノイロキシ）フェニルノナノエート、２−（６−エチルオクタノイロキシ）フェニルデカノエート、２−（６−エチルオクタノイロキシ）フェニルウンデカノエート、１，２−フェニレンビス（６−エチルオクタノエート）、２−アセトキシフェニル７−エチルノナノエート、２−（プロピオニロキシ）フェニル７−エチルノナノエート、２−（ブチリロキシ）フェニル７−エチルノナノエート、２−（ペンタノイロキシ）フェニル７−エチルノナノエート、２−（ヘキサノイロキシ）フェニル７−エチルノナノエート、２−（ヘプタノイロキシ）フェニル７−エチルノナノエート、２−（オクタノイロキシ）フェニル７−エチルノナノエート、２−（ノナノイロキシ）フェニル７−エチルノナノエート、２−（７−エチルノナノイロキシ）フェニルデカノエート、２−（７−エチルノナノイロキシ）フェニルウンデカノエート、１，２−フェニレンビス（７−エチルノナノエート）、２−アセトキシフェニル８−エチルデカノエート、２−（プロピオニロキシ）フェニル８−エチルデカノエート、２−（ブチリロキシ）フェニル８−エチルデカノエート、２−（ペンタノイロキシ）フェニル８−エチルデカノエート、２−（ヘキサノイロキシ）フェニル８−エチルデカノエート、２−（ヘプタノイロキシ）フェニル８−エチルデカノエート、２−（オクタノイロキシ）フェニル８−エチルデカノエート、２−（ノナノイロキシ）フェニル８−エチルデカノエート、２−（デカノイロキシ）フェニル８−エチルデカノエート、２−（８−エチルデカノイロキシ）フェニルウンデカノエート、１，２−フェニレンビス（８−エチルデカノエート）、２−アセトキシフェニル９−エチルウンデカノエート、２−（プロピオニロキシ）フェニル９−エチルウンデカノエート、２−（ブチリロキシ）フェニル９−エチルウンデカノエート、２−（ペンタノイロキシ）フェニル９−エチルウンデカノエート、２−（ヘキサノイロキシ）フェニル９−エチルウンデカノエート、２−（ヘプタノイロキシ）フェニル９−エチルウンデカノエート、２−（オクタノイロキシ）フェニル９−エチルウンデカノエート、２−（ノナノイロキシ）フェニル９−エチルウンデカノエート、２−（デカノイロキシ）フェニル９−エチルウンデカノエート、１，２−フェニレンビス（９−エチルウンデカノエート）、２−アセトキシフェニル２−メチルブタノエート、２−（プロピオニロキシ）フェニル２−メチルブタノエート、２−（ブチリロキシ）フェニル２−メチルブタノエート、２−（２−メチルブタノイロキシ）フェニルペンタノエート、２−（２−メチルブタノイロキシ）フェニルヘキサノエート、２−（２−メチルブタノイロキシ）フェニルヘプタノエート、２−（２−メチルブタノイロキシ）フェニルオクタノエート、２−（２−メチルブタノイロキシ）フェニルノナノエート、２−（２−メチルブタノイロキシ）フェニルデカノエート、２−（２−メチルブタノイロキシ）フェニルウンデカノエート、１，２−フェニレンビス（２−メチルブタノエート）、２−アセトキシフェニル２−メチルペンタノエート、２−（プロピオニロキシ）フェニル２−メチルペンタノエート、２−（ブチリロキシ）フェニル２−メチルペンタノエート、２−（ペンタノイロキシ）フェニル２−メチルペンタノエート、２−（２−メチルペンタノイロキシ）フェニルヘキサノエート、２−（２−メチルペンタノイロキシ）フェニルヘプタノエート、２−（２−メチルペンタノイロキシ）フェニルオクタノエート、２−（２−メチルペンタノイロキシ）フェニルノナノエート、２−（２−メチルペンタノイロキシ）フェニルデカノエート、１，２−フェニレンビス（２−メチルペンタノエート）、２−アセトキシフェニル２−メチルヘキサノエート、２−（プロピオニロキシ）フェニル２−メチルヘキサノエート、２−（ブチリロキシ）フェニル２−メチルヘキサノエート、２−（ペンタノイロキシ）フェニル２−メチルヘキサノエート、２−（ヘキサノイロキシ）フェニル２−メチルヘキサノエート、２−（２−メチルヘキサノイロキシ）フェニルヘプタノエート、２−（２−メチルヘキサノイロキシ）フェニルオクタノエート、２−（２−メチルヘキサノイロキシ）フェニルノナノエート、２−（２−メチルヘキサノイロキシ）フェニルデカノエート、２−（２−メチルヘキサノイロキシ）フェニルウンデカノエート、１，２−フェニレンビス（２−メチルヘキサノエート）、２−アセトキシフェニル２−メチルヘプタノエート、２−（プロピオニロキシ）フェニル２−メチルヘプタノエート、２−（ブチリロキシ）フェニル２−メチルヘプタノエート、２−（ペンタノイロキシ）フェニル２−メチルヘプタノエート、２−（ヘキサノイロキシ）フェニル２−メチルヘプタノエート、２−（ヘプタノイロキシ）フェニル２−メチルヘプタノエート、２−（２−メチルヘプタノイロキシ）フェニルオクタノエート、２−（２−メチルヘプタノイロキシ）フェニルノナノエート、２−（２−メチルヘプタノイロキシ）フェニルデカノエート、２−（２−メチルヘプタノイロキシ）フェニルウンデカノエート、１，２−フェニレンビス（２−メチルヘプタノエート）、２−アセトキシフェニル２−メチルオクタノエート、２−（プロピオニロキシ）フェニル２−メチルオクタノエート、２−（ブチリロキシ）フェニル２−メチルオクタノエート、２−（ペンタノイロキシ）フェニル２−メチルオクタノエート、２−（ヘキサノイロキシ）フェニル２−メチルオクタノエート、２−（ヘプタノイロキシ）フェニル２−メチルオクタノエート、２−（オクタノイロキシ）フェニル２−メチルオクタノエート、２−（２−メチルオクタノイロキシ）フェニルノナノエート、２−（２−メチルオクタノイロキシ）フェニルデカノエート、２−（２−メチルオクタノイロキシ）フェニルウンデカノエート、１，２−フェニレンビス（２−メチルオクタノエート）、２−アセトキシフェニル２−メチルノナノエート、２−（プロピオニロキシ）フェニル２−メチルノナノエート、２−（ブチリロキシ）フェニル２−メチルノナノエート、２−（ペンタノイロキシ）フェニル２−メチルノナノエート、２−（ヘキサノイロキシ）フェニル２−メチルノナノエート、２−（ヘプタノイロキシ）フェニル２−メチルノナノエート、２−（オクタノイロキシ）フェニル２−メチルノナノエート、２−（ノナノイロキシ）フェニル２−メチルノナノエート、２−（２−メチルノナノイロキシ）フェニルデカノエート、２−（２−メチルノナノイロキシ）フェニルウンデカノエート、１，２−フェニレンビス（２−メチルノナノエート）、２−アセトキシフェニル２−メチルデカノエート、２−（プロピオニロキシ）フェニル２−メチルデカノエート、２−（ブチリロキシ）フェニル２−メチルデカノエート、２−（ペンタノイロキシ）フェニル２−メチルデカノエート、２−（ヘキサノイロキシ）フェニル２−メチルデカノエート、２−（ヘプタノイロキシ）フェニル２−メチルデカノエート、２−（オクタノイロキシ）フェニル２−メチルデカノエート、２−（ノナノイロキシ）フェニル２−メチルデカノエート、２−（デカノイロキシ）フェニル２−メチルデカノエート、２−（２−メチルデカノイロキシ）フェニルウンデカノエート、１，２−フェニレンビス（２−メチルデカノエート）、２−アセトキシフェニル２−プロピルペンタノエート、２−（プロピオニロキシ）フェニル２−プロピルペンタノエート、２−（ブチリロキシ）フェニル２−プロピルペンタノエート、２−（ペンタノ
イロキシ）フェニル２−プロピルペンタノエート、２−（２−プロピルペンタノエート）フェニルヘキサノエート、２−（２−プロピルペンタノエート）フェニルヘプタノエート、２−（２−プロピルペンタノエート）フェニルオクタノエート、２−（２−プロピルペンタノエート）フェニルノナノエート、２−（２−プロピルペンタノエート）フェニルデカノエート、２−（２−プロピルペンタノエート）フェニルウンデカノエート、１，２−フェニレンビス（２−プロピルペンタノエート）、２−アセトキシフェニル２−プロピルヘキサノエート、２−（プロピオニロキシ）フェニル２−プロピルヘキサノエート、２−（ブチリロキシ）フェニル２−プロピルヘキサノエート、２−（ペンタノイロキシ）フェニル２−プロピルヘキサノエート、２−（ヘキサノイロキシ）フェニル２−プロピルヘキサノエート、２−（２−プロピルヘキサノイロキシ）フェニルヘプタノエート、２−（２−プロピルヘキサノイロキシ）フェニルオクタノエート、２−（２−プロピルヘキサノイロキシ）フェニルノナノエート、２−（２−プロピルヘキサノイロキシ）フェニルデカノエート、２−（２−プロピルヘキサノイロキシ）フェニルウンデカノエート、１，２−フェニレンビス（２−プロピルヘキサノエート）、２−アセトキシフェニル２−プロピルヘプタノエート、２−（プロピオニロキシ）フェニル２−プロピルヘプタノエート、２−（ブチリロキシ）フェニル２−プロピルヘプタノエート、２−（ペンタノイロキシ）フェニル２−プロピルヘプタノエート、２−（ヘキサノイロキシ）フェニル２−プロピルヘプタノエート、２−（ヘプタノイロキシ）フェニル２−プロピルヘプタノエート、２−（２−プロピルヘプタノイロキシ）フェニルオクタノエート、２−（２−プロピルヘプタノイロキシ）フェニルノナノエート、２−（２−プロピルヘプタノイロキシ）フェニルデカノエート、２−（２−プロピルヘプタノイロキシ）フェニルウンデカノエート、１，２−フェニレンビス（２−プロピルヘプタノエート）、２−アセトキシフェニル２−プロピルオクタノエート、２−（プロピオニロキシ）フェニル２−プロピルオクタノエート、２−（ブチリロキシ）フェニル２−プロピルオクタノエート、２−（ペンタノイロキシ）フェニル２−プロピルオクタノエート、２−（ヘキサノイロキシ）フェニル２−プロピルオクタノエート、２−（ヘプタノイロキシ）フェニル２−プロピルオクタノエート、２−（オクタノイロキシ）フェニル２−プロピルオクタノエート、２−（２−プロピルオクタノイロキシ）フェニルノナノエート、２−（２−プロピルオクタノイロキシ）フェニルデカノエート、２−（２−プロピルオクタノイロキシ）フェニルウンデカノエート、１，２−フェニレンビス（２−プロピルオクタノエート）、２−アセトキシフェニル２−プロピルノナノエート、２−（プロピオニロキシ）フェニル２−プロピルノナノエート、２−（ブチリロキシ）フェニル２−プロピルノナノエート、２−（ペンタノイロキシ）フェニル２−プロピルノナノエート、２−（ヘキサノイロキシ）フェニル２−プロピルノナノエート、２−（ヘプタノイロキシ）フェニル２−プロピルノナノエート、２−（オクタノイロキシ）フェニル２−プロピルノナノエート、２−（ノナノイロキシ）フェニル２−プロピルノナノエート、２−（（２−プロピルノナロイル）オキシ）フェニルデカノエート、２−（（２−プロピルノナロイル）オキシ）フェニルウンデカノエート、１，２−フェニレンビス（２−プロピルノナノエート）、２−アセトキシフェニル２−プロピルデカノエート、２−（プロピオニロキシ）フェニル２−プロピルデカノエート、２−（ブチリロキシ）フェニル２−プロピルデカノエート、２−（ペンタノイロキシ）フェニル２−プロピルデカノエート、２−（ヘキサノイロキシ）フェニル２−プロピルデカノエート、２−（ヘプタノイロキシ）フェニル２−プロピルデカノエート、２−（オクタノイロキシ）フェニル２−プロピルデカノエート、２−（ノナノイロキシ）フェニル２−プロピルデカノエート、２−（デカノイロキシ）フェニル２−プロピルデカノエート、１，２−フェニレンビス（２−プロピルデカノエート）、２−アセトキシフェニル２，３−ジメチルブタノエート、２−（プロピオニロキシ）フェニル２，３−ジメチルブタノエート、２−（ブチリロキシ）フェニル２，３−ジメチルブタノエート、２−（２，３−ジメチルブタノイロキシ）フェニルペンタノエート、２−（２，３−ジメチルブタノイロキシ）フェニルヘキサノエート、２−（２，３−ジメチルブタノイロキシ）フェニルヘプタノエート、２−（２，３−ジメチルブタノイロキシ）フェニルオクタノエート、２−（２，３−ジメチルブタノイロキシ）フェニルノナノエート、２−（２，３−ジメチルブタノイロキシ）フェニルデカノエート、２−（２，３−ジメチルブタノイロキシ）フェニルウンデカノエート、１，２−フェニレンビス（２，３−ジメチルブタノエート）、１，２−フェニレンジイソプロパノエート、１，２−フェニレンジイソブタノエート、１，２−フェニレンジｔ−ブタノエート、１，２−フェニレンジイソペンタノエート、１，２−フェニレンジシクロプロピロエート、１，２−フェニレンジシクロブチロエート、１，２−フェニレンジシクロペンチロエート、１，２−フェニレンジシクロヘキシロエート、１，２−フェニレンジシクロヘプチロエート、１，２−フェニレンジシクロオクチロエート、１，２−フェニレンビス（４−メチルペンタノエート）、１，２−フェニレンビス（５−メチルヘキサノエート）、１，２−フェニレンビス（６−メチルヘプタノエート）、１，２−フェニレンビス（７−メチルオクタノエート）、１，２−フェニレンビス（８−メチルノナノエート）、１，２−フェニレンビス（９−メチルデカノエート）、１，２−フェニレンビス（１０−メチルウンデカノエート）、１，２−フェニレンビス（６，６−ジメチルヘプタノエート）、２−アセトキシフェニルプロパノエート、２−アセトキシフェニルブチレート、２−アセトキシフェニルペンタノエート、２−アセトキシフェニルヘプタノエート、２−アセトキシフェニルオクタノエート、２−アセトキシフェニルノナノエート、２−アセトキシフェニルデカノエート、２−アセトキシフェニルウンデカノエート、２−（イソブチリロキシ）フェニルアセテート、２−（イソブチリロキシ）フェニルプロピオネート、２−（イソブチリロキシ）フェニルベンゾエート、２−（イソブチリロキシ）フェニルイソプロピオネート、２−（イソブチリロキシ）フェニルイソブチレート、２−（イソブチリロキシ）フェニルイソペンタノエート、２−（イソブチリロキシ）フェニルイソヘキサノエート、２−（イソブチリロキシ）フェニルイソヘプタノエート、２−（イソブチリロキシ）フェニルイソオクタノエート、２−（イソブチリロキシ）フェニルイソノナノエート、２−（イソブチリロキシ）フェニルイソデカノエート、２−（イソブチリロキシ）フェニルイソウンデカノエート、２−アセトキシフェニル４−メチルペンタノエート、２−（プロピオニロキシ）フェニル４−メチルペンタノエート、２−（ブチリロキシ）フェニル４−メチルペンタノエート、２−（ペンタノイロキシ）フェニル４−メチルペンタノエート、２−（４−メチルペンタノイロキシ）フェニルヘキサノエート、２−（４−メチルペンタノイロキシ）フェニルヘプタノエート、２−（４−メチルペンタノイロキシ）フェニルオクタノエート、２−（４−メチルペンタノイロキシ）フェニルノナノエート、２−（４−メチルペンタノイロキシ）フェニルデカノエート、２−（４−メチルペンタノイロキシ）フェニルウンデカノエート、２−アセトキシフェニル５−メチルヘキサノエート、２−（プロピオニロキシ）フェニル５−メチルヘキサノエート、２−（ブチリロキシ）フェニル５−メチルヘキサノエート、２−（ペンタノイロキシ）フェニル５−メチルヘキサノエート、２−（ヘキサノイロキシ）フェニル５−メチルヘキサノエート、２−（５−メチルヘキサノイロキシ）フェニルヘプタノエート、２−（５−メチルヘキサノイロキシ）フェニルオクタノエート、２−（５−メチルヘキサノイロキシ）フェニルノナノエート、２−（５−メチルヘキサノイロキシ）フェニルデカノエート、２−（５−メチルヘキサノイロキシ）フェニルウンデカノエート、２−アセトキシフェニル６−メチルヘプタノエート、２−（プロピオニロキシ）フェニル６−メチルヘプタノエート、２−（ブチリロキシ）フェニル６−メチルヘプタノエート、２−（ペンタノイロキシ）フェニル６−メチルヘプタノエート、２−（ヘキサノイロキシ）フェニル６−メチルヘプタノエート、２−（ヘプタノイロキシ）フェニル６−メチルヘプタノエート、２−（６−メチルヘプタノイロキシ）フェニルオクタノエート、２−（６−メチルヘプタノイロキシ）フェニルノナノエート、２−（６−メチルヘプタノイロキシ）フェニルデカノエート、２−（６−メチルヘプタノイロキシ）フェニルウンデカノエート、２−アセトキシフェニル９−エチルウンデカノエート、２−（プロピオニロキシ）フェニル９−エチルウンデカノエート、２−（ブチリロキシ）フェニル９−エチルウンデカノエート、２−（ペンタノイロキシ）フェニル９−エチルウンデカノエート、２−（ヘキサノイロキシ）フェニル９−エチルウンデカノエート、２−（ヘプタノイロキシ）フェニル９−エチルウンデカノエート、２−（オクタノイロキシ）フェニル９−エチルウンデカノエート、２−（ノナノイロキシ）フェニル９−エチルウンデカノエート、２−（デカノイロキシ）フェニル９−エチルウンデカノエート、４−クロロ−１，２−フェニレンジアセテート、４−ブロモ−１，２−フェニレンジアセテート、４−フルオロ−１，２−フェニレンジアセテート、４−ヨード−１，２−フェニレンジアセテート、４−メチル−１，２−フェニレンジアセテート、４−エチル−１，２−フェニレンジアセテート、４−ブチル−１，２−フェニレンジアセテート、４−イソブチル−１，２−フェニレンジアセテート、４−ｔｅｒｔ−ブチル−１，２−フェニレンジアセテート、４−イソプロピル−１，２−フェニレンジアセテート、４−ペンチル−１，２−フェニレンジアセテート、４−イソペンチル−１，２−フェニレンジアセテート、４−ヘキシル−１，２−フェニレンジアセテート、４−ヘプチル−１，２−フェニレンジアセテート、４−オクチル−１，２−フェニレンジアセテート、４−ノニル−１，２−フェニレンジアセテート、４−デシル−１，２−フェニレンジアセテート、４−ドデシル−１，２−フェニレンジアセテート、４−メトキシ−１，２−フェニレンジアセテート、４−エトキシ−１，２−フェニレンジアセテート、４−プロポキシ−１，２−フェニレンジアセテート、４−イソプロポキシ−１，２−フェニレンジアセテート、４−ブトキシ−１，２−フェニレンジアセテート、４−イソブトキシ−１，２−フェニレンジアセテート、４−ｔｅｒｔ−ブトキシ−１，２−フェニレンジアセテート、４−ペントキシ−１，２−フェニレンジアセテート、４−ヘキソキシ−１，２−フェニレンジアセテート、４−ヘプトキシ−１，２−フェニレンジアセテート、４−オクトキシ−１，２−フェニレンジアセテート、４−ノノキシ−１，２−フェニレンジアセテート、４−デコキシ−１，２−フェニレンジアセテート、４−フェノキシ−１，２−フェニレンジアセテート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４メチル１、２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、
４−イソペンチル−１，２−フェニレンジイソプロパノエート、４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート４−エトキシ−１，２−フェニレンジイソプロパノエート、４−プロポキシ−１，２−フェニレンジイソプロパノエート、４−イソプロポキシ−１，２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１，２−フェニレンジイソプロパノエート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート、４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート、４−エトキシ−１，２−フェニレンジイソプロパノエート、４−プロポキシ−１，２−フェニレンジイソプロパノエート、４−イソプロポキシ−１，２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジイソプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１，２−フェニレンジイソプロパノエート、４−クロロ−１，２−フェニレンジブタノエート、４−ブロモ−１，２−フェニレンジブタノエート、４−フルオロ−１，２−フェニレンジブタノエート、４−ヨード−１，２−フェニレンジブタノエート、４−メチル−１，２−フェニレンジブタノエート、４−エチル−１，２−フェニレンジブタノエート、４−ブチル−１，２−フェニレンジブタノエート、４−イソブチル−１，２−フェニレンジブタノエート、４−ｔｅｒｔ−ブチル−１，２−フェニレンジブタノエート、４−イソプロピル−１，２−フェニレンジブタノエート、４−ペンチル−１，２−フェニレンジブタノエート、４−イソペンチル−１，２−フェニレンジブタノエート、４−ヘキシル−１，２−フェニレンジブタノエート、４−ヘプチル−１，２−フェニレンジブタノエート、４−オクチル−１，２−フェニレンジブタノエート、４−ノニル−１，２−フェニレンジブタノエート、４−デシル−１，２−フェニレンジブタノエート、４−ドデシル−１，２−フェニレンジブタノエート、４−メトキシ−１，２−フェニレンジブタノエート、４−エトキシ−１，２−フェニレンジブタノエート、４−プロポキシ−１，２−フェニレンジブタノエート、４−イソプロポキシ−１，２−フェニレンジブタノエート、４−ブトキシ−１，２−フェニレンジブタノエート、４−イソブトキシ−１，２−フェニレンジブタノエート、４−ｔｅｒｔ−ブトキシ−１，２−フェニレンジブタノエート、４−ペントキシ−１，２−フェニレンジブタノエート、４−ヘキソキシ−１，２−フェニレンジブタノエート、４−ヘプトキシ−１，２−フェニレンジブタノエート、４−オクトキシ−１，２−フェニレンジブタノエート、４−ノノキシ−１，２−フェニレンジブタノエート、４−デコキシ−１，２−フェニレンジブタノエート、４−フェノキシ−１，２−フェニレンジブタノエート、４−クロロ−１，２−フェニレンジイソブタノエート、４−ブロモ−１，２−フェニレンジイソブタノエート、４−フルオロ−１，２−フェニレンジイソブタノエート、４−ヨード−１，２−フェニレンジイソブタノエート、４−メチル−１，２−フェニレンジイソブタノエート、４−エチル−１，２−フェニレンジイソブタノエート、４−ブチル−１，２−フェニレンジイソブタノエート、４−イソブチル−１，２−フェニレンジイソブタノエート、４−ｔｅｒｔ−ブチル−１，２−フェニレンジイソブタノエート、４−イソプロピル−１，２−フェニレンジイソブタノエート、４−ペンチル−１，２−フェニレンジイソブタノエート、４−イソペンチル−１，２−フェニレンジイソブタノエート、４−ヘキシル−１，２−フェニレンジイソブタノエート、４−ヘプチル−１，２−フェニレンジイソブタノエート、４−オクチル−１，２−フェニレンジイソブタノエート、４−ノニル−１，２−フェニレンジイソブタノエート、４−デシル−１，２−フェニレンジイソブタノエート、４−ドデシル−１，２−フェニレンジイソブタノエート、４−メトキシ−１，２−フェニレンジイソブタノエート、４−エトキシ−１，２−フェニレンジイソブタノエート、４−プロポキシ−１，２−フェニレンジイソブタノエート、４−イソプロポキシ−１，２−フェニレンジイソブタノエート、４−ブトキシ−１，２−フェニレンジイソブタノエート、４−イソブトキシ−１，２−フェニレンジイソブタノエート、４−ｔｅｒｔ−ブトキシ−１，２−フェニレンジイソブタノエート、４−ペントキシ−１，２−フェニレンジイソブタノエート、４−ヘキソキシ−１，２−フェニレンジイソブタノエート、４−ヘプトキシ−１，２−フェニレンジイソブタノエート、４−オクトキシ−１，２−フェニレンジイソブタノエート、４−ノノキシ−１，２−フェニレンジイソブタノエート、４−デコキシ−１，２−フェニレンジイソブタノエート、４−フェノキシ−１，２−フェニレンジイソブタノエート、４−クロロ−１，２−フェニレンジ−ｔｅｒｔ−ブタノエート、４−ブロモ−１，２−フェニレンジ−ｔｅｒｔ−ブタノエート、４−フルオロ−１，２−フェニレンジ−ｔｅｒｔ−ブタノエート、４−ヨード−１，２−フェニレンジ−ｔｅｒｔ−ブタノエート、４−メチル−１，２−フェニレンジ−ｔｅｒｔ−ブタノエート、４−エチル−１，２−フェニレンジ−ｔｅｒｔ−ブタノエート、４−ブチル−１，２−フェニレンジ−ｔｅｒｔ−ブタノエート、４−イソブチル−１，２−フェニレンジ−ｔｅｒｔ−ブタノエート、４−ｔｅｒｔ−ブチル−１，２−フェニレンジ−ｔｅｒｔ−ブタノエート、４−イソプロピル−１，２−フェニレンジ−ｔｅｒｔ−ブタノエート、４−ペンチル−１，２−フェニレンジ−ｔｅｒｔ−ブタノエート、４−イソペンチル−１，２−フェニレンジ−ｔｅｒｔ−ブタノエート、４−ヘキシル−１，２−フェニレンジ−ｔｅｒｔ−ブタノエート、４−ヘプチル−１，２−フェニレンジ−ｔｅｒｔ−ブタノエート、４−オクチル−１，２−フェニレンジ−ｔｅｒｔ−ブタノエート、４−ノニル−１，２−フェニレンジ−ｔｅｒｔ−ブタノエート、４−デシル−１，２−フェニレンジ−ｔｅｒｔ−ブタノエート、４−ドデシル−１，２−フェニレンジ−ｔｅｒｔ−ブタノエート、４−メトキシ−１，２−フェニレンジ−ｔｅｒｔ−ブタノエート、４−エトキシ−１，２−フェニレンジ−ｔｅｒｔ−ブタノエート、４−プロポキシ−１，２−フェニレンジ−ｔｅｒｔ−ブタノエート、４−イソプロポキシ−１，２−フェニレンジ−ｔｅｒｔ−ブタノエート、４−ブトキシ−１，２−フェニレンジ−ｔｅｒｔ−ブタノエート、４−イソブトキシ−１，２−フェニレンジ−ｔｅｒｔ−ブタノエート、４−ｔｅｒｔ−ブトキシ−１，２−フェニレンジ−ｔｅｒｔ−ブタノエート、４−ペントキシ−１，２−フェニレンジ−ｔｅｒｔ−ブタノエート、４−ヘキソキシ−１，２−フェニレンジ−ｔｅｒｔ−ブタノエート、４−ヘプトキシ−１，２−フェニレンジ−ｔｅｒｔ−ブタノエート、４−オクトキシ−１，２−フェニレンジ−ｔｅｒｔ−ブタノエート、４−ノノキシ−１，２−フェニレンジ−ｔｅｒｔ−ブタノエート、４−デコキシ−１，２−フェニレンジ−ｔｅｒｔ−ブタノエート、４−フェノキシ−１，２−フェニレンジ−ｔｅｒｔ−ブタノエート、４−クロロ−１，２−フェニレンジペンタノエート、４−ブロモ−１，２−フェニレンジペンタノエート、４−フルオロ−１，２−フェニレンジペンタノエート、４−ヨード−１，２−フェニレンジペンタノエート、４−メチル−１，２−フェニレンジペンタノエート、４−エチル−１，２−フェニレンジペンタノエート、４−ブチル−１，２−フェニレンジペンタノエート、４−イソブチル−１，２−フェニレンジペンタノエート、４−ｔｅｒｔ−ブチル−１，２−フェニレンジペンタノエート、４−イソプロピル−１，２−フェニレンジペンタノエート、４−ペンチル−１，２−フェニレンジペンタノエート、４−イソペンチル−１，２−フェニレンジペンタノエート、４−ヘキシル−１，２−フェニレンジペンタノエート、４−ヘプチル−１，２−フェニレンジペンタノエート、４−オクチル−１，２−フェニレンジペンタノエート、４−ノニル−１，２−フェニレンジペンタノエート、４−デシル−１，２−フェニレンジペンタノエート、４−ドデシル−１，２−フェニレンジペンタノエート、４−メトキシ−１，２−フェニレンジペンタノエート、４−エトキシ−１，２−フェニレンジペンタノエート、４−プロポキシ−１，２−フェニレンジペンタノエート、４−イソプロポキシ−１，２−フェニレンジペンタノエート、４−ブトキシ−１，２−フェニレンジペンタノエート、４−イソブトキシ−１，２−フェニレンジペンタノエート、４−ｔｅｒｔ−ブトキシ−１，２−フェニレンジペンタノエート、４−ペントキシ−１，２−フェニレンジペンタノエート、４−ヘキソキシ−１，２−フェニレンジペンタノエート、４−ヘプトキシ−１，２−フェニレンジペンタノエート、４−オクトキシ−１，２−フェニレンジペンタノエート、４−ノノキシ−１，２−フェニレンジペンタノエート、４−デコキシ−１，２−フェニレンジペンタノエート、４−フェノキシ−１，２−フェニレンジペンタノエート、４−クロロ−１，２−フェニレンジイソペンタノエート、４−ブロモ−１，２−フェニレンジイソペンタノエート、４−フルオロ−１，２−フェニレンジイソペンタノエート、４−ヨード−１，２−フェニレンジイソペンタノエート、４−メチル−１，２−フェニレンジイソペンタノエート、４−エチル−１，２−フェニレンジイソペンタノエート、４−ブチル−１，２−フェニレンジイソペンタノエート、４−イソブチル−１，２−フェニレンジイソペンタノエート、４−ｔｅｒｔ−ブチル−１，２−フェニレンジ
イソペンタノエート、４−イソプロピル−１，２−フェニレンジイソペンタノエート、４−ペンチル−１，２−フェニレンジイソペンタノエート、４−イソペンチル−１，２−フェニレンジイソペンタノエート、４−ヘキシル−１，２−フェニレンジイソペンタノエート、４−ヘプチル−１，２−フェニレンジイソペンタノエート、４−オクチル−１，２−フェニレンジイソペンタノエート、４−ノニル−１，２−フェニレンジイソペンタノエート、４−デシル−１，２−フェニレンジイソペンタノエート、４−ドデシル−１，２−フェニレンジイソペンタノエート、４−メトキシ−１，２−フェニレンジイソペンタノエート、４−エトキシ−１，２−フェニレンジイソペンタノエート、４−プロポキシ−１，２−フェニレンジイソペンタノエート、４−イソプロポキシ−１，２−フェニレンジイソペンタノエート、４−ブトキシ−１，２−フェニレンジイソペンタノエート、４−イソブトキシ−１，２−フェニレンジイソペンタノエート、４−ｔｅｒｔ−ブトキシ−１，２−フェニレンジイソペンタノエート、４−ペントキシ−１，２−フェニレンジイソペンタノエート、４−ヘキソキシ−１，２−フェニレンジイソペンタノエート、４−ヘプトキシ−１，２−フェニレンジイソペンタノエート、４−オクトキシ−１，２−フェニレンジイソペンタノエート、４−ノノキシ−１，２−フェニレンジイソペンタノエート、４−デコキシ−１，２−フェニレンジイソペンタノエート、４−フェノキシ−１，２−フェニレンジイソペンタノエート、４−クロロ−１，２−フェニレンジヘキサノエート、４−ブロモ−１，２−フェニレンジヘキサノエート、４−フルオロ−１，２−フェニレンジヘキサノエート、４−ヨード−１，２−フェニレンジヘキサノエート、４−メチル−１，２−フェニレンジヘキサノエート、４−エチル−１，２−フェニレンジヘキサノエート、４−ブチル−１，２−フェニレンジヘキサノエート、４−イソブチル−１，２−フェニレンジヘキサノエート、４−ｔｅｒｔ−ブチル−１，２−フェニレンジヘキサノエート、４−イソプロピル−１，２−フェニレンジヘキサノエート、４−ペンチル−１，２−フェニレンジヘキサノエート、４−イソペンチル−１，２−フェニレンジヘキサノエート、４−ヘキシル−１，２−フェニレンジヘキサノエート、４−ヘプチル−１，２−フェニレンジヘキサノエート、４−オクチル−１，２−フェニレンジヘキサノエート、４−ノニル−１，２−フェニレンジヘキサノエート、４−デシル−１，２−フェニレンジヘキサノエート、４−ドデシル−１，２−フェニレンジヘキサノエート、４−メトキシ−１，２−フェニレンジヘキサノエート、４−エトキシ−１，２−フェニレンジヘキサノエート、４−プロポキシ−１，２−フェニレンジヘキサノエート、４−イソプロポキシ−１，２−フェニレンジヘキサノエート、４−ブトキシ−１，２−フェニレンジヘキサノエート、４−イソブトキシ−１，２−フェニレンジヘキサノエート、４−ｔｅｒｔ−ブトキシ−１，２−フェニレンジヘキサノエート、４−ペントキシ−１，２−フェニレンジヘキサノエート、４−ヘキソキシ−１，２−フェニレンジヘキサノエート、４−ヘプトキシ−１，２−フェニレンジヘキサノエート、４−オクトキシ−１，２−フェニレンジヘキサノエート、４−ノノキシ−１，２−フェニレンジヘキサノエート、４−デコキシ−１，２−フェニレンジヘキサノエート、４−フェノキシ−１，２−フェニレンジヘキサノエート、４−クロロ−１，２−フェニレンジイソヘキサノエート、４−ブロモ−１，２−フェニレンジイソヘキサノエート、４−フルオロ−１，２−フェニレンジイソヘキサノエート、４−ヨード−１，２−フェニレンジイソヘキサノエート、４−メチル−１，２−フェニレンジイソヘキサノエート、４−エチル−１，２−フェニレンジイソヘキサノエート、４−ブチル−１，２−フェニレンジイソヘキサノエート、４−イソブチル−１，２−フェニレンジイソヘキサノエート、４−ｔｅｒｔ−ブチル−１，２−フェニレンジイソヘキサノエート、４−イソプロピル−１，２−フェニレンジイソヘキサノエート、４−ペンチル−１，２−フェニレンジイソヘキサノエート、４−イソペンチル−１，２−フェニレンジイソヘキサノエート、４−ヘキシル−１，２−フェニレンジイソヘキサノエート、４−ヘプチル−１，２−フェニレンジイソヘキサノエート、４−オクチル−１，２−フェニレンジイソヘキサノエート、４−ノニル−１，２−フェニレンジイソヘキサノエート、４−デシル−１，２−フェニレンジイソヘキサノエート、４−ドデシル−１，２−フェニレンジイソヘキサノエート、４−メトキシ−１，２−フェニレンジイソヘキサノエート、４−エトキシ−１，２−フェニレンジイソヘキサノエート、４−プロポキシ−１，２−フェニレンジイソヘキサノエート、４−イソプロポキシ−１，２−フェニレンジイソヘキサノエート、４−ブトキシ−１，２−フェニレンジイソヘキサノエート、４−イソブトキシ−１，２−フェニレンジイソヘキサノエート、４−ｔｅｒｔ−ブトキシ−１，２−フェニレンジイソヘキサノエート、４−ペントキシ−１，２−フェニレンジイソヘキサノエート、４−ヘキソキシ−１，２−フェニレンジイソヘキサノエート、４−ヘプトキシ−１，２−フェニレンジイソヘキサノエート、４−オクトキシ−１，２−フェニレンジイソヘキサノエート、４−ノノキシ−１，２−フェニレンジイソヘキサノエート、４−デコキシ−１，２−フェニレンジイソヘキサノエート、４−フェノキシ−１，２−フェニレンジイソヘキサノエート、４−クロロ−１，２−フェニレンジヘプタノエート、４−ブロモ−１，２−フェニレンジヘプタノエート、４−フルオロ−１，２−フェニレンジヘプタノエート、４−ヨード−１，２−フェニレンジヘプタノエート、４−メチル−１，２−フェニレンジヘプタノエート、４−エチル−１，２−フェニレンジヘプタノエート、４−ブチル−１，２−フェニレンジヘプタノエート、４−イソブチル−１，２−フェニレンジヘプタノエート、４−ｔｅｒｔ−ブチル−１，２−フェニレンジヘプタノエート、４−イソプロピル−１，２−フェニレンジヘプタノエート、４−ペンチル−１，２−フェニレンジヘプタノエート、４−イソペンチル−１，２−フェニレンジヘプタノエート、４−ヘキシル−１，２−フェニレンジヘプタノエート、４−ヘプチル−１，２−フェニレンジヘプタノエート、４−オクチル−１，２−フェニレンジヘプタノエート、４−ノニル−１，２−フェニレンジヘプタノエート、４−デシル−１，２−フェニレンジヘプタノエート、４−ドデシル−１，２−フェニレンジヘプタノエート、４−メトキシ−１，２−フェニレンジヘプタノエート、４−エトキシ−１，２−フェニレンジヘプタノエート、４−プロポキシ−１，２−フェニレンジヘプタノエート、４−イソプロポキシ−１，２−フェニレンジヘプタノエート、４−ブトキシ−１，２−フェニレンジヘプタノエート、４−イソブトキシ−１，２−フェニレンジヘプタノエート、４−ｔｅｒｔ−ブトキシ−１，２−フェニレンジヘプタノエート、４−ペントキシ−１，２−フェニレンジヘプタノエート、４−ヘキソキシ−１，２−フェニレンジヘプタノエート、４−ヘプトキシ−１，２−フェニレンジヘプタノエート、４−オクトキシ−１，２−フェニレンジヘプタノエート、４−ノノキシ−１，２−フェニレンジヘプタノエート、４−デコキシ−１，２−フェニレンジヘプタノエート、４−フェノキシ−１，２−フェニレンジヘプタノエート、４−クロロ−１，２−フェニレンジイソヘプタノエート、４−ブロモ−１，２−フェニレンジイソヘプタノエート、４−フルオロ−１，２−フェニレンジイソヘプタノエート、４−ヨード−１，２−フェニレンジイソヘプタノエート、４−メチル−１，２−フェニレンジイソヘプタノエート、４−エチル−１，２−フェニレンジイソヘプタノエート、４−ブチル−１，２−フェニレンジイソヘプタノエート、４−イソブチル−１，２−フェニレンジイソヘプタノエート、４−ｔｅｒｔ−ブチル−１，２−フェニレンジイソヘプタノエート、４−イソプロピル−１，２−フェニレンジイソヘプタノエート、４−ペンチル−１，２−フェニレンジイソヘプタノエート、４−イソペンチル−１，２−フェニレンジイソヘプタノエート、４−ヘキシル−１，２−フェニレンジイソヘプタノエート、４−ヘプチル−１，２−フェニレンジイソヘプタノエート、４−オクチル−１，２−フェニレンジイソヘプタノエート、４−ノニル−ｌ、２−フェニレンジイソヘプタノエート、４−デシル−１，２−フェニレンジイソヘプタノエート、４−ドデシル−１，２−フェニレンジイソヘプタノエート、４−メトキシ−１，２−フェニレンジイソヘプタノエート、４−エトキシ−１，２−フェニレンジイソヘプタノエート、４−プロポキシ−１，２−フェニレンジイソヘプタノエート、４−イソプロポキシ−１，２−フェニレンジイソヘプタノエート、４−ブトキシ−１，２−フェニレンジイソヘプタノエート、４−イソブトキシ−１，２−フェニレンジイソヘプタノエート、４−ｔｅｒｔ−ブトキシ−１，２−フェニレンジイソヘプタノエート、４−ペントキシ−１，２−フェニレンジイソヘプタノエート、４−ヘキソキシ−１，２−フェニレンジイソヘプタノエート、４−ヘプトキシ−１，２−フェニレンジイソヘプタノエート、４−オクトキシ−１，２−フェニレンジイソヘプタノエート、４−ノノキシ−１，２−フェニレンジイソヘプタノエート、４−デコキシ−１，２−フェニレンジイソヘプタノエート、４−フェノキシ−１，２−フェニレンジイソヘプタノエート、４−クロロ−１，２−フェニレンジオクタノエート、４−ブロモ−１，２−フェニレンジオクタノエート、４−フルオロ−１，２−フェニレンジオクタノエート、４−ヨード−１，２−フェニレンジオクタノエート、４−メチル−１，２−フェニレンジオクタノエート、４−エチル−１，２−フェニレンジオクタノエート、４−ブチル−１，２−フェニレンジオクタノエート、４−イソブチル−１，２−フェニレンジオクタノエート、４−ｔｅｒｔ−ブチル−１，２−フェニレンジオクタノエート、４−イソプロピル−１，２−フェニレンジオクタノエート、４−ペンチル−１，２−フェニレンジオクタノエート、４−イソペンチル−１，２−フェニレンジオクタノエート、４−ヘキシル−１，２−フェニレンジオクタノエート、４−ヘプチル−１，２−フェニレンジオクタノエート、４−オクチル−１，２−フェニレンジオクタノエート、４−ノニル−１，２−フェニレンジオクタノエート、４−デシル−１，２−フェニレンジオクタノエート、４−ドデシル−１，２−フェニレンジオクタノエート、４−メトキシ−１，２−フェニレンジオクタノエート、４−エトキシ−１，２−フェニレンジオクタノエート、４−プロポキシ−１，２−フェニレンジオクタノエート、４−イソプロポキシ−１，２−フェニレンジオクタノエート、４−ブトキシ−１，２−フェニレンジオクタノエート、４−イソブトキシ−１，２−フェニレンジオクタノエート、４−ｔｅｒｔ−ブトキシ−１，２−フェニレンジオクタノエート、４−ペントキシ−１，２−フェニレンジオクタノエート、４−ヘキソキシ−１，２−フェニレンジオクタノエート、４−ヘプトキシ−１，２−フェニレンジオクタノエート、４−オクトキシ−１，２−フェニレンジオクタノエート、４−ノノキシ−１，２−フェニレンジオクタノエート、４−デコキシ−１，２−フェニレンジオクタノエート、４−フェノキシ−１，２−フェニレンジオクタノエート、４−クロロ−１，２−フェニレンジイソオクタノエート、４−ブロモ−１，２−フェニレンジイソオクタノエート、４−フルオロ−１，２−フェニレンジイソオクタノエート、４−ヨード−１，２−フェニレンジイソオクタノエート、４−メチル−１，２−フェニレンジイソオクタノエート、４−エチル−１，２−フェニレンジイソオクタノエート、４−ブチル−１，２−フェニレンジイソオクタノエート、４−イソブチル−１，２−フェニレンジイソオクタノエート、４−ｔｅｒｔ−ブチル−１，２−フェニレンジイソオクタノエート、４−イソプロピル−１，２−フェニレ
ンジイソオクタノエート、４−ペンチル−１，２−フェニレンジイソオクタノエート、４−イソペンチル−１，２−フェニレンジイソオクタノエート、４−ヘキシル−１，２−フェニレンジイソオクタノエート、４−ヘプチル−１，２−フェニレンジイソオクタノエート、４−オクチル−１，２−フェニレンジイソオクタノエート、４−ノニル−１，２−フェニレンジイソオクタノエート、４−デシル−１，２−フェニレンジイソオクタノエート、４−ドデシル−１，２−フェニレンジイソオクタノエート、４−メトキシ−１，２−フェニレンジイソオクタノエート、４−エトキシ−１，２−フェニレンジイソオクタノエート、４−プロポキシ−１，２−フェニレンジイソオクタノエート、４−イソプロポキシ−１，２−フェニレンジイソオクタノエート、４−ブトキシ−１，２−フェニレンジイソオクタノエート、４−イソブトキシ−１，２−フェニレンジイソオクタノエート、４−ｔｅｒｔ−ブトキシ−１，２−フェニレンジイソオクタノエート、４−ペントキシ−１，２−フェニレンジイソオクタノエート、４−ヘキソキシ−１，２−フェニレンジイソオクタノエート、４−ヘプトキシ−１，２−フェニレンジイソオクタノエート、４−オクトキシ−１，２−フェニレンジイソオクタノエート、４−ノノキシ−１，２−フェニレンジイソオクタノエート、４−デコキシ−１，２−フェニレンジイソオクタノエート、４−フェノキシ−１，２−フェニレンジイソオクタノエート、４−クロロ−１，２−フェニレンジノナノエート、４−ブロモ−１，２−フェニレンジノナノエート、４−フルオロ−１，２−フェニレンジノナノエート、４−ヨード−１，２−フェニレンジノナノエート、４−メチル−１，２−フェニレンジノナノエート、４−エチル−１，２−フェニレンジノナノエート、４−ブチル−１，２−フェニレンジノナノエート、４−イソブチル−１，２−フェニレンジノナノエート、４−ｔｅｒｔ−ブチル−１，２−フェニレンジノナノエート、４−イソプロピル−１，２−フェニレンジノナノエート、４−ペンチル−１，２−フェニレンジノナノエート、４−イソペンチル−１，２−フェニレンジノナノエート、４−ヘキシル−１，２−フェニレンジノナノエート、４−ヘプチル−１，２−フェニレンジノナノエート、４−オクチル−１，２−フェニレンジノナノエート、４−ノニル−１，２−フェニレンジノナノエート、４−デシル−１，２−フェニレンジノナノエート、４−ドデシル−１，２−フェニレンジノナノエート、４−メトキシ−１，２−フェニレンジノナノエート、４−エトキシ−１，２−フェニレンジノナノエート、４−プロポキシ−１，２−フェニレンジノナノエート、４−イソプロポキシ−１，２−フェニレンジノナノエート、４−ブトキシ−１，２−フェニレンジノナノエート、４−イソブトキシ−１，２−フェニレンジノナノエート、４−ｔｅｒｔ−ブトキシ−１，２−フェニレンジノナノエート、４−ペントキシ−１，２−フェニレンジノナノエート、４−ヘキソキシ−１，２−フェニレンジノナノエート、４−ヘプトキシ−１，２−フェニレンジノナノエート、４−オクトキシ−１，２−フェニレンジノナノエート、４−ノノキシ−１，２−フェニレンジノナノエート、４−デコキシ−１，２−フェニレンジノナノエート、４−フェノキシ−１，２−フェニレンジノナノエート、４−クロロ−１，２−フェニレンジデカノエート、４−ブロモ−１，２−フェニレンジデカノエート、４−フルオロ−１，２−フェニレンジデカノエート、４−ヨード−１，２−フェニレンジデカノエート、４−メチル−１，２−フェニレンジデカノエート、４−エチル−１，２−フェニレンジデカノエート、４−ブチル−１，２−フェニレンジデカノエート、４−イソブチル−１，２−フェニレンジデカノエート、４−ｔｅｒｔ−ブチル−１，２−フェニレンジデカノエート、４−イソプロピル−１，２−フェニレンジデカノエート、４−ペンチル−１，２−フェニレンジデカノエート、４−イソペンチル−１，２−フェニレンジデカノエート、４−ヘキシル−１，２−フェニレンジデカノエート、４−ヘプチル−１，２−フェニレンジデカノエート、４−オクチル−１，２−フェニレンジデカノエート、４−ノニル−１，２−フェニレンジデカノエート、４−デシル−１，２−フェニレンジデカノエート、４−ドデシル−１，２−フェニレンジデカノエート、４−メトキシ−１，２−フェニレンジデカノエート、４−エトキシ−１，２−フェニレンジデカノエート、４−プロポキシ−１，２−フェニレンジデカノエート、４−イソプロポキシ−１，２−フェニレンジデカノエート、４−ブトキシ−１，２−フェニレンジデカノエート、４−イソブトキシ−１，２−フェニレンジデカノエート、４−ｔｅｒｔ−ブトキシ−１，２−フェニレンジデカノエート、４−ペントキシ−１，２−フェニレンジデカノエート、４−ヘキソキシ−１，２−フェニレンジデカノエート、４−ヘプトキシ−１，２−フェニレンジデカノエート、４−オクトキシ−１，２−フェニレンジデカノエート、４−ノノキシ−１，２−フェニレンジデカノエート、４−デコキシ−１，２−フェニレンジデカノエート、４−フェノキシ−１，２−フェニレンジデカノエート、３−クロロ−１，２−フェニレンジアセテート、３−ブロモ−１，２−フェニレンジアセテート、３−フルオロ−１，２−フェニレンジアセテート、３−ヨード−１，２−フェニレンジアセテート、３−メチル−１，２−フェニレンジアセテート、３−エチル−１，２−フェニレンジアセテート、３−ブチル−１，２−フェニレンジアセテート、３−イソブチル−１，２−フェニレンジアセテート、３−ｔｅｒｔ−ブチル−１，２−フェニレンジアセテート、３−イソプロピル−１，２−フェニレンジアセテート、３−ペンチル−１，２−フェニレンジアセテート、３−イソペンチル−１，２−フェニレンジアセテート、３−ヘキシル−１，２−フェニレンジアセテート、３−ヘプチル−１，２−フェニレンジアセテート、３−オクチル−１，２−フェニレンジアセテート、３−ノニル−１，２−フェニレンジアセテート、３−デシル−１，２−フェニレンジアセテート、３−ドデシル−１，２−フェニレンジアセテート、３−メトキシ−１，２−フェニレンジアセテート、３−エトキシ−１，２−フェニレンジアセテート、３−プロポキシ−１，２−フェニレンジアセテート、３−イソプロポキシ−１，２−フェニレンジアセテート、３−ブトキシ−１，２−フェニレンジアセテート、３−イソブトキシ−１，２−フェニレンジアセテート、３−ｔｅｒｔ−ブトキシ−１，２−フェニレンジアセテート、３−ペントキシ−１，２−フェニレンジアセテート、３−ヘキソキシ−１，２−フェニレンジアセテート、３−ヘプトキシ−１，２−フェニレンジアセテート、３−オクトキシ−１，２−フェニレンジアセテート、３−ノノキシ−１，２−フェニレンジアセテート、３−デコキシ−１，２−フェニレンジアセテート、３−フェノキシ−１，２−フェニレンジアセテート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート、３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート、３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジイソプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジブタノエート、３−ブロモ−１，２−フェニレンジブタノエート、３−フルオロ−１，２−フェニレンジブタノエート、３−ヨード−１，２−フェニレンジブタノエート、３−メチル−１，２−フェニレンジブタノエート、３−エチル−１，２−フェニレンジブタノエート、３−ブチル−１，２−フェニレンジブタノエート、３−イソブチル−１，２−フェニレンジブタノエート、３−ｔｅｒｔ−ブチル−１，２−フェニレンジブタノエート、３−イソプロピル−１，２−フェニレンジブタノエート、３−ペンチル−１，２−フェニレンジブタノエート、３−イソペンチル−１，２−フェニレンジブタノエート、３−ヘキシル−１，２−フェニレンジブタノエート、３−ヘプチル−１，２−フェニレンジブタノエート、３−オクチル−１，２−フェニレンジブタノエート、３−ノニル−１，２−フェニレンジブタノエート、３−デシル−１，２−フェニレンジブタノエート、３−ドデシル−１，
２−フェニレンジブタノエート、３−メトキシ−１，２−フェニレンジブタノエート、３−エトキシ−１，２−フェニレンジブタノエート、３−プロポキシ−１，２−フェニレンジブタノエート、３−イソプロポキシ−１，２−フェニレンジブタノエート、３−ブトキシ−１，２−フェニレンジブタノエート、３−イソブトキシ−１，２−フェニレンジブタノエート、３−ｔｅｒｔ−ブトキシ−１，２−フェニレンジブタノエート、３−ペントキシ−１，２−フェニレンジブタノエート、３−ヘキソキシ−１，２−フェニレンジブタノエート、３−ヘプトキシ−１，２−フェニレンジブタノエート、３−オクトキシ−１，２−フェニレンジブタノエート、３−ノノキシ−１，２−フェニレンジブタノエート、３−デコキシ−１，２−フェニレンジブタノエート、３−フェノキシ−１，２−フェニレンジブタノエート、３−クロロ−１，２−フェニレンジイソブタノエート、３−ブロモ−１，２−フェニレンジイソブタノエート、３−フルオロ−１，２−フェニレンジイソブタノエート、３−ヨード−１，２−フェニレンジイソブタノエート、３−メチル−１，２−フェニレンジイソブタノエート、３−エチル−１，２−フェニレンジイソブタノエート、３−ブチル−１，２−フェニレンジイソブタノエート、３−イソブチル−１，２−フェニレンジイソブタノエート、３−ｔｅｒｔ−ブチル−１，２−フェニレンジイソブタノエート、３−イソプロピル−１，２−フェニレンジイソブタノエート、３−ペンチル−１，２−フェニレンジイソブタノエート、３−イソペンチル−１，２−フェニレンジイソブタノエート、３−ヘキシル−１，２−フェニレンジイソブタノエート、３−ヘプチル−１，２−フェニレンジイソブタノエート、３−オクチル−１，２−フェニレンジイソブタノエート、３−ノニル−１，２−フェニレンジイソブタノエート、３−デシル−１，２−フェニレンジイソブタノエート、３−ドデシル−１，２−フェニレンジイソブタノエート、３−メトキシ−１，２−フェニレンジイソブタノエート、３−エトキシ−１，２−フェニレンジイソブタノエート、３−プロポキシ−１，２−フェニレンジイソブタノエート、３−イソプロポキシ−１，２−フェニレンジイソブタノエート、３−ブトキシ−１，２−フェニレンジイソブタノエート、３−イソブトキシ−１，２−フェニレンジイソブタノエート、３−ｔｅｒｔ−ブトキシ−１，２−フェニレンジイソブタノエート、３−ペントキシ−１，２−フェニレンジイソブタノエート、３−ヘキソキシ−１，２−フェニレンジイソブタノエート、３−ヘプトキシ−１，２−フェニレンジイソブタノエート、３−オクトキシ−１，２−フェニレンジイソブタノエート、３−ノノキシ−１，２−フェニレンジイソブタノエート、３−デコキシ−１，２−フェニレンジイソブタノエート、３−フェノキシ−１，２−フェニレンジイソブタノエート、３−クロロ−１，２−フェニレンジ−ｔｅｒｔ−ブタノエート、３−ブロモ−１，２−フェニレンジ−ｔｅｒｔ−ブタノエート、３−フルオロ−１，２−フェニレンジ−ｔｅｒｔ−ブタノエート、３−ヨード−１，２−フェニレンジ−ｔｅｒｔ−ブタノエート、３−メチル−１，２−フェニレンジ−ｔｅｒｔ−ブタノエート、３−エチル−１，２−フェニレンジ−ｔｅｒｔ−ブタノエート、３−ブチル−１，２−フェニレンジ−ｔｅｒｔ−ブタノエート、３−イソブチル−１，２−フェニレンジ−ｔｅｒｔ−ブタノエート、３−ｔｅｒｔ−ブチル−１，２−フェニレンジ−ｔｅｒｔ−ブタノエート、３−イソプロピル−１，２−フェニレンジ−ｔｅｒｔ−ブタノエート、３−ペンチル−１，２−フェニレンジ−ｔｅｒｔ−ブタノエート、３−イソペンチル−１，２−フェニレンジ−ｔｅｒｔ−ブタノエート、３−ヘキシル−１，２−フェニレンジ−ｔｅｒｔ−ブタノエート、３−ヘプチル−１，２−フェニレンジ−ｔｅｒｔ−ブタノエート、３−オクチル−１，２−フェニレンジ−ｔｅｒｔ−ブタノエート、３−ノニル−１，２−フェニレンジ−ｔｅｒｔ−ブタノエート、３−デシル−１，２−フェニレンジ−ｔｅｒｔ−ブタノエート、３−ドデシル−１，２−フェニレンジ−ｔｅｒｔ−ブタノエート、３−メトキシ−１，２−フェニレンジ−ｔｅｒｔ−ブタノエート、３−エトキシ−１，２−フェニレンジ−ｔｅｒｔ−ブタノエート、３−プロポキシ−１，２−フェニレンジ−ｔｅｒｔ−ブタノエート、３−イソプロポキシ−１，２−フェニレンジ−ｔｅｒｔ−ブタノエート、３−ブトキシ−１，２−フェニレンジ−ｔｅｒｔ−ブタノエート、３−イソブトキシ−１，２−フェニレンジ−ｔｅｒｔ−ブタノエート、３−ｔｅｒｔ−ブトキシ−１，２−フェニレンジ−ｔｅｒｔ−ブタノエート、３−ペントキシ−１，２−フェニレンジ−ｔｅｒｔ−ブタノエート、３−ヘキソキシ−１，２−フェニレンジ−ｔｅｒｔ−ブタノエート、３−ヘプトキシ−１，２−フェニレンジ−ｔｅｒｔ−ブタノエート、３−オクトキシ−１，２−フェニレンジ−ｔｅｒｔ−ブタノエート、３−ノノキシ−１，２−フェニレンジ−ｔｅｒｔ−ブタノエート、３−デコキシ−１，２−フェニレンジ−ｔｅｒｔ−ブタノエート、３−フェノキシ−１，２−フェニレンジ−ｔｅｒｔ−ブタノエート、３−クロロ−１，２−フェニレンジペンタノエート、３−ブロモ−１，２−フェニレンジペンタノエート、３−フルオロ−１，２−フェニレンジペンタノエート、３−ヨード−１，２−フェニレンジペンタノエート、３−メチル−１，２−フェニレンジペンタノエート、３−エチル−１，２−フェニレンジペンタノエート、３−ブチル−１，２−フェニレンジペンタノエート、３−イソブチル−１，２−フェニレンジペンタノエート、３−ｔｅｒｔ−ブチル−１，２−フェニレンジペンタノエート、３−イソプロピル−１，２−フェニレンジペンタノエート、３−ペンチル−１，２−フェニレンジペンタノエート、３−イソペンチル−１，２−フェニレンジペンタノエート、３−ヘキシル−１，２−フェニレンジペンタノエート、３−ヘプチル−１，２−フェニレンジペンタノエート、３−オクチル−１，２−フェニレンジペンタノエート、３−ノニル−１，２−フェニレンジペンタノエート、３−デシル−１，２−フェニレンジペンタノエート、３−ドデシル−１，２−フェニレンジペンタノエート、３−メトキシ−１，２−フェニレンジペンタノエート、３−エトキシ−１，２−フェニレンジペンタノエート、３−プロポキシ−１，２−フェニレンジペンタノエート、３−イソプロポキシ−１，２−フェニレンジペンタノエート、３−ブトキシ−１，２−フェニレンジペンタノエート、３−イソブトキシ−１，２−フェニレンジペンタノエート、３−ｔｅｒｔ−ブトキシ、２−フェニレンジペンタノエート、３−ペントキシ−１，２−フェニレンジペンタノエート、３−ヘキソキシ−１，２−フェニレンジペンタノエート、３−ヘプトキシ−１，２−フェニレンジペンタノエート、３−オクトキシ−１，２−フェニレンジペンタノエート、３−ノノキシ−１，２−フェニレンジペンタノエート、３−デコキシ−１，２−フェニレンジペンタノエート、３−フェノキシ−１，２−フェニレンジペンタノエート、３−クロロ−１，２−フェニレンジイソペンタノエート、３−ブロモ−１，２−フェニレンジイソペンタノエート、３−フルオロ−１，２−フェニレンジイソペンタノエート、３−ヨード−１，２−フェニレンジイソペンタノエート、３−メチル−１，２−フェニレンジイソペンタノエート、３−エチル−１，２−フェニレンジイソペンタノエート、３−ブチル−１，２−フェニレンジイソペンタノエート、３−イソブチル−１，２−フェニレンジイソペンタノエート、３−ｔｅｒｔ−ブチル−１，２−フェニレンジイソペンタノエート、３−イソプロピル−１，２−フェニレンジイソペンタノエート、３−ペンチル−１，２−フェニレンジイソペンタノエート、３−イソペンチル−１，２−フェニレンジイソペンタノエート、３−ヘキシル−１，２−フェニレンジイソペンタノエート、３−ヘプチル−１，２−フェニレンジイソペンタノエート、３−オクチル−１，２−フェニレンジイソペンタノエート、３−ノニル−１，２−フェニレンジイソペンタノエート、３−デシル−１，２−フェニレンジイソペンタノエート、３−ドデシル−１，２−フェニレンジイソペンタノエート、３−メトキシ−１，２−フェニレンジイソペンタノエート、３−エトキシ−１，２−フェニレンジイソペンタノエート、３−プロポキシ−１，２−フェニレンジイソペンタノエート、３−イソプロポキシ−１，２−フェニレンジイソペンタノエート、３−ブトキシ−１，２−フェニレンジイソペンタノエート、３−イソブトキシ−１，２−フェニレンジイソペンタノエート、３−ｔｅｒｔ−ブトキシ−１，２−フェニレンジイソペンタノエート、３−ペントキシ−１，２−フェニレンジイソペンタノエート、３−ヘキソキシ−１，２−フェニレンジイソペンタノエート、３−ヘプトキシ−１，２−フェニレンジイソペンタノエート、３−オクトキシ−１，２−フェニレンジイソペンタノエート、３−ノノキシ−１，２−フェニレンジイソペンタノエート、３−デコキシ−１，２−フェニレンジイソペンタノエート、３−フェノキシ−１，２−フェニレンジイソペンタノエート、３−クロロ−１，２−フェニレンジヘキサノエート、３−ブロモ−１，２−フェニレンジヘキサノエート、３−フルオロ−１，２−フェニレンジヘキサノエート、３−ヨード−１，２−フェニレンジヘキサノエート、３−メチル−１，２−フェニレンジヘキサノエート、３−エチル−１，２−フェニレンジヘキサノエート、３−ブチル−１，２−フェニレンジヘキサノエート、３−イソブチル−１，２−フェニレンジヘキサノエート、３−ｔｅｒｔ−ブチル−１，２−フェニレンジヘキサノエート、３−イソプロピル−１，２−フェニレンジヘキサノエート、３−ペンチル−１，２−フェニレンジヘキサノエート、３−イソペンチル−１，２−フェニレンジヘキサノエート、３−ヘキシル−１，２−フェニレンジヘキサノエート、３−ヘプチル−１，２−フェニレンジヘキサノエート、３−オクチル−１，２−フェニレンジヘキサノエート、３−ノニル−１，２−フェニレンジヘキサノエート、３−デシル−１，２−フェニレンジヘキサノエート、３−ドデシル−１，２−フェニレンジヘキサノエート、３−メトキシ−１，２−フェニレンジヘキサノエート、３−エトキシ−１，２−フェニレンジヘキサノエート、３−プロポキシ−１，２−フェニレンジヘキサノエート、３−イソプロポキシ−１，２−フェニレンジヘキサノエート、３−ブトキシ−１，２−フェニレンジヘキサノエート、３−イソブトキシ−１，２−フェニレンジヘキサノエート、３−ｔｅｒｔ−ブトキシ−１，２−フェニレンジヘキサノエート、３−ペントキシ−１，２−フェニレンジヘキサノエート、３−ヘキソキシ−１，２−フェニレンジヘキサノエート、３−ヘプトキシ−１，２−フェニレンジヘキサノエート、３−オクトキシ−１，２−フェニレンジヘキサノエート、３−ノノキシ−１，２−フェニレンジヘキサノエート、３−デコキシ−１，２−フェニレンジヘキサノエート、３−フェノキシ−１，２−フェニレンジヘキサノエート、３−クロロ−１，２−フェニレンジイソヘキサノエート、３−ブロモ−１，２−フェニレンジイソヘキサノエート、３−フルオロ−１，２−フェニレンジイソヘキサノエート、３−ヨード−１，２−フェニレンジイソヘキサノエート、３−メチル−１，２−フェニレンジイソヘキサノエート、３−エチル−１，２−フェニレンジイソヘキサノエート、３−ブチル−１，２−フェニレンジイソヘキサノエート、３−イソブチル−１，２−フェニレンジイソヘキサノエート、３−ｔｅｒｔ−ブチル−１，２−フェニレンジイソヘキサノエート、３−イソプロピル−１，２−フェニレンジイソヘキサノエート、３−ペンチル−１，２−フェニレンジイソヘキサノエート、３−イソペンチル−１，２−フェニレンジイソヘキサノエート、３−ヘキシル−１，２−フェニレンジイソヘキサノエート、３−ヘプチル−１，２−フェニレンジイソヘキサノエート、３−オクチル−１，２−フェニレンジイソヘキサノエート、３−ノニル−１
，２−フェニレンジイソヘキサノエート、３−デシル−１，２−フェニレンジイソヘキサノエート、３−ドデシル−１，２−フェニレンジイソヘキサノエート、３−メトキシ−１，２−フェニレンジイソヘキサノエート、３−エトキシ−１，２−フェニレンジイソヘキサノエート、３−プロポキシ−１，２−フェニレンジイソヘキサノエート、３−イソプロポキシ−１，２−フェニレンジイソヘキサノエート、３−ブトキシ−１，２−フェニレンジイソヘキサノエート、３−イソブトキシ−１，２−フェニレンジイソヘキサノエート、３−ｔｅｒｔ−ブトキシ−１，２−フェニレンジイソヘキサノエート、３−ペントキシ−１，２−フェニレンジイソヘキサノエート、３−ヘキソキシ−１，２−フェニレンジイソヘキサノエート、３−ヘプトキシ−１，２−フェニレンジイソヘキサノエート、３−オクトキシ−１，２−フェニレンジイソヘキサノエート、３−ノノキシ−１，２−フェニレンジイソヘキサノエート、３−デコキシ−１，２−フェニレンジイソヘキサノエート、３−フェノキシ−１，２−フェニレンジイソヘキサノエート、３−クロロ−１，２−フェニレンジヘプタノエート、３−ブロモ−１，２−フェニレンジヘプタノエート、３−フルオロ−１，２−フェニレンジヘプタノエート、３−ヨード−１，２−フェニレンジヘプタノエート、３−メチル−１，２−フェニレンジヘプタノエート、３−エチル−１，２−フェニレンジヘプタノエート、３−ブチル−１，２−フェニレンジヘプタノエート、３−イソブチル−１，２−フェニレンジヘプタノエート、３−ｔｅｒｔ−ブチル−１，２−フェニレンジヘプタノエート、３−イソプロピル−１，２−フェニレンジヘプタノエート、３−ペンチル−１，２−フェニレンジヘプタノエート、３−イソペンチル−１，２−フェニレンジヘプタノエート、３−ヘキシル−１，２−フェニレンジヘプタノエート、３−ヘプチル−１，２−フェニレンジヘプタノエート、３−オクチル−１，２−フェニレンジヘプタノエート、３−ノニル−１，２−フェニレンジヘプタノエート、３−デシル−１，２−フェニレンジヘプタノエート、３−ドデシル−１，２−フェニレンジヘプタノエート、３−メトキシ−１，２−フェニレンジヘプタノエート、３−エトキシ−１，２−フェニレンジヘプタノエート、３−プロポキシ−１，２−フェニレンジヘプタノエート、３−イソプロポキシ−１，２−フェニレンジヘプタノエート、３−ブトキシ−１，２−フェニレンジヘプタノエート、３−イソブトキシ−１，２−フェニレンジヘプタノエート、３−ｔｅｒｔ−ブトキシ−１，２−フェニレンジヘプタノエート、３−ペントキシ−１，２−フェニレンジヘプタノエート、３−ヘキソキシ−１，２−フェニレンジヘプタノエート、３−ヘプトキシ−１，２−フェニレンジヘプタノエート、３−オクトキシ−１，２−フェニレンジヘプタノエート、３−ノノキシ−１，２−フェニレンジヘプタノエート、３−デコキシ−１，２−フェニレンジヘプタノエート、３−フェノキシ−１，２−フェニレンジヘプタノエート、３−クロロ−１，２−フェニレンジイソヘプタノエート、３−ブロモ−１，２−フェニレンジイソヘプタノエート、３−フルオロ−１，２−フェニレンジイソヘプタノエート、３−ヨード−１，２−フェニレンジイソヘプタノエート、３−メチル−１，２−フェニレンジイソヘプタノエート、３−エチル−１，２−フェニレンジイソヘプタノエート、３−ブチル−１，２−フェニレンジイソヘプタノエート、３−イソブチル−１，２−フェニレンジイソヘプタノエート、３−ｔｅｒｔ−ブチル−１，２−フェニレンジイソヘプタノエート、３−イソプロピル−１，２−フェニレンジイソヘプタノエート、３−ペンチル−１，２−フェニレンジイソヘプタノエート、３−イソペンチル−１，２−フェニレンジイソヘプタノエート、３−ヘキシル−１，２−フェニレンジイソヘプタノエート、３−ヘプチル−１，２−フェニレンジイソヘプタノエート、３−オクチル−１，２−フェニレンジイソヘプタノエート、３−ノニル−１，２−フェニレンジイソヘプタノエート、３−デシル−１，２−フェニレンジイソヘプタノエート、３−ドデシル−１，２−フェニレンジイソヘプタノエート、３−メトキシ−１，２−フェニレンジイソヘプタノエート、３−エトキシ−１，２−フェニレンジイソヘプタノエート、３−プロポキシ−１，２−フェニレンジイソヘプタノエート、３−イソプロポキシ−１，２−フェニレンジイソヘプタノエート、３−ブトキシ−１，２−フェニレンジイソヘプタノエート、３−イソブトキシ−１，２−フェニレンジイソヘプタノエート、３−ｔｅｒｔ−ブトキシ−１，２−フェニレンジイソヘプタノエート、３−ペントキシ−１，２−フェニレンジイソヘプタノエート、３−ヘキソキシ−１，２−フェニレンジイソヘプタノエート、３−ヘプトキシ−１，２−フェニレンジイソヘプタノエート、３−オクトキシ−１，２−フェニレンジイソヘプタノエート、３−ノノキシ−１，２−フェニレンジイソヘプタノエート、３−デコキシ−１，２−フェニレンジイソヘプタノエート、３−フェノキシ−１，２−フェニレンジイソヘプタノエート、３−クロロ−１，２−フェニレンジオクタノエート、３−ブロモ−１，２−フェニレンジオクタノエート、３−フルオロ−１，２−フェニレンジオクタノエート、３−ヨード−１，２−フェニレンジオクタノエート、３−メチル−１，２−フェニレンジオクタノエート、３−エチル−１，２−フェニレンジオクタノエート、３−ブチル−１，２−フェニレンジオクタノエート、３−イソブチル−１，２−フェニレンジオクタノエート、３−ｔｅｒｔ−ブチル−１，２−フェニレンジオクタノエート、３−イソプロピル−１，２−フェニレンジオクタノエート、３−ペンチル−１，２−フェニレンジオクタノエート、３−イソペンチル−１，２−フェニレンジオクタノエート、３−ヘキシル−１，２−フェニレンジオクタノエート、３−ヘプチル−１，２−フェニレンジオクタノエート、３−オクチル−１，２−フェニレンジオクタノエート、３−ノニル−１，２−フェニレンジオクタノエート、３−デシル−１，２−フェニレンジオクタノエート、３−ドデシル−１，２−フェニレンジオクタノエート、３−メトキシ−１，２−フェニレンジオクタノエート、３−エトキシ−１，２−フェニレンジオクタノエート、３−プロポキシ−１，２−フェニレンジオクタノエート、３−イソプロポキシ−１，２−フェニレンジオクタノエート、３−ブトキシ−１，２−フェニレンジオクタノエート、３−イソブトキシ−１，２−フェニレンジオクタノエート、３−ｔｅｒｔ−ブトキシ−１，２−フェニレンジオクタノエート、３−ペントキシ−１，２−フェニレンジオクタノエート、３−ヘキソキシ−１，２−フェニレンジオクタノエート、３−ヘプトキシ−１，２−フェニレンジオクタノエート、３−オクトキシ−１，２−フェニレンジオクタノエート、３−ノノキシ−１，２−フェニレンジオクタノエート、３−デコキシ−１，２−フェニレンジオクタノエート、３−フェノキシ−１，２−フェニレンジオクタノエート、３−クロロ−１，２−フェニレンジイソオクタノエート、３−ブロモ−１，２−フェニレンジイソオクタノエート、３−フルオロ−１，２−フェニレンジイソオクタノエート、３−ヨード−１，２−フェニレンジイソオクタノエート、３−メチル−１，２−フェニレンジイソオクタノエート、３−エチル−１，２−フェニレンジイソオクタノエート、３−ブチル−１，２−フェニレンジイソオクタノエート、３−イソブチル−１，２−フェニレンジイソオクタノエート、３−ｔｅｒｔ−ブチル−１，２−フェニレンジイソオクタノエート、３−イソプロピル−１，２−フェニレンジイソオクタノエート、３−ペンチル−１，２−フェニレンジイソオクタノエート、３−イソペンチル−１，２−フェニレンジイソオクタノエート、３−ヘキシル−１，２−フェニレンジイソオクタノエート、３−ヘプチル−１，２−フェニレンジイソオクタノエート、３−オクチル−１，２−フェニレンジイソオクタノエート、３−ノニル−１，２−フェニレンジイソオクタノエート、３−デシル−１，２−フェニレンジイソオクタノエート、３−ドデシル−１，２−フェニレンジイソオクタノエート、３−メトキシ−１，２−フェニレンジイソオクタノエート、３−エトキシ−１，２−フェニレンジイソオクタノエート、３−プロポキシ−１，２−フェニレンジイソオクタノエート、３−イソプロポキシ−１，２−フェニレンジイソオクタノエート、３−ブトキシ−１，２−フェニレンジイソオクタノエート、３−イソブトキシ−１，２−フェニレンジイソオクタノエート、３−ｔｅｒｔ−ブトキシ−１，２−フェニレンジイソオクタノエート、３−ペントキシ−１，２−フェニレンジイソオクタノエート、３−ヘキソキシ−１，２−フェニレンジイソオクタノエート、３−ヘプトキシ−１，２−フェニレンジイソオクタノエート、３−オクトキシ−１，２−フェニレンジイソオクタノエート、３−ノノキシ−１，２−フェニレンジイソオクタノエート、３−デコキシ−１，２−フェニレンジイソオクタノエート、３−フェノキシ−１，２−フェニレンジイソオクタノエート、３−クロロ−１，２−フェニレンジノナノエート、３−ブロモ−１，２−フェニレンジノナノエート、３−フルオロ−１，２−フェニレンジノナノエート、３−ヨード−１，２−フェニレンジノナノエート、３−メチル−１，２−フェニレンジノナノエート、３−エチル−１，２−フェニレンジノナノエート、３−ブチル−１，２−フェニレンジノナノエート、３−イソブチル−１，２−フェニレンジノナノエート、３−ｔｅｒｔ−ブチル−１，２−フェニレンジノナノエート、３−イソプロピル−１，２−フェニレンジノナノエート、３−ペンチル−１，２−フェニレンジノナノエート、３−イソペンチル−１，２−フェニレンジノナノエート、３−ヘキシル−１，２−フェニレンジノナノエート、３−ヘプチル−１，２−フェニレンジノナノエート、３−オクチル−１，２−フェニレンジノナノエート、３−ノニル−１，２−フェニレンジノナノエート、３−デシル−１，２−フェニレンジノナノエート、３−ドデシル−１，２−フェニレンジノナノエート、３−メトキシ−１，２−フェニレンジノナノエート、３−エトキシ−１，２−フェニレンジノナノエート、３−プロポキシ−１，２−フェニレンジノナノエート、３−イソプロポキシ−１，２−フェニレンジノナノエート、３−ブトキシ−１，２−フェニレンジノナノエート、３−イソブトキシ−１，２−フェニレンジノナノエート、３−ｔｅｒｔ−ブトキシ−１，２−フェニレンジノナノエート、３−ペントキシ−１，２−フェニレンジノナノエート、３−ヘキソキシ−１，２−フェニレンジノナノエート、３−ヘプトキシ−１，２−フェニレンジノナノエート、３−オクトキシ−１，２−フェニレンジノナノエート、３−ノノキシ−１，２−フェニレンジノナノエート、３−デコキシ−１，２−フェニレンジノナノエート、３−フェノキシ−１，２−フェニレンジノナノエート、３−クロロ−１，２−フェニレンジデカノエート、３−ブロモ−１，２−フェニレンジデカノエート、３−フルオロ−１，２−フェニレンジデカノエート、３−ヨード−１，２−フェニレンジデカノエート、３−メチル−１，２−フェニレンジデカノエート、３−エチル−１，２−フェニレンジデカノエート、３−ブチル−１，２−フェニレンジデカノエート、３−イソブチル−１，２−フェニレンジデカノエート、３−ｔｅｒｔ−ブチル−１，２−フェニレンジデカノエート、３−イソプロピル−１，２−フェニレンジデカノエート、３−ペンチル−１，２−フェニレンジデカノエート、３−イソペンチル−１，２−フェニレンジデカノエート、３−ヘキシル−１，２−フェニレンジデカノエート、３−ヘプチル−１，２−フェニレンジデカノエート、３−オクチル−１，２−フェニレンジデカノエート、３−ノニル−１，２−フェニレンジデカノエート、３−デシル−１，２−フェニレンジデカノエート、３−ドデシル−１，２−フェニレンジデカノエート、３−メトキシ−１，２−フェニレンジデカノエート、３−エトキシ−１，２−フェニレンジ
デカノエート、３−プロポキシ−１，２−フェニレンジデカノエート、３−イソプロポキシ−１，２−フェニレンジデカノエート、３−ブトキシ−１，２−フェニレンジデカノエート、３−イソブトキシ−１，２−フェニレンジデカノエート、３−ｔｅｒｔ−ブトキシ−１，２−フェニレンジデカノエート、３−ペントキシ−１，２−フェニレンジデカノエート、３−ヘキソキシ−１，２−フェニレンジデカノエート、３−ヘプトキシ−１，２−フェニレンジデカノエート、３−オクトキシ−１，２−フェニレンジデカノエート、３−ノノキシ−１，２−フェニレンジデカノエート、３−デコキシ−１，２−フェニレンジデカノエート及び３−フェノキシ−１，２−フェニレンジデカノエート、
を含む群から選択される、項目１に記載の触媒組成物。
［項目６］
構造(Ａ)中において、Ｒ１−Ｒ６基は、同一であるか又は異なり、かつ、水素、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群から選択される、
項目１に記載の触媒組成物。
［項目７］
構造(Ａ)において、Ｒ３−Ｒ６は水素であり、Ｒ１及びＲ２は同じであり、かつ、場合によっては環に結合されたＣ１−Ｃ２０直鎖又は分枝アルキル基、Ｃ３−Ｃ１５シクロアルキル基及びヘテロ原子を含む群から選択される、項目６に記載の触媒組成物。
［項目８］
１，２−フェニレンジオエートは、
１，２−フェニレンジアセテート又は１，２−フェニレンジエタノエート、１，２−フェニレンジプロパノエート、１，２−フェニレンジイソプロパノエート、１，２−フェニレンジブタノエート、１，２−フェニレンジイソブタノエート、１，２−フェニレンジ−ｔｅｒｔ−ブタノエート、１，２−フェニレンジペンタノエート、１，２−フェニレンジイソペンタノエート、１，２−フェニレンジヘキサノエート、１，２−フェニレンジヘプタノエート、１，２−フェニレンジオクタノエート、１，２−フェニレンジノナノエート、１，２−フェニレンジデカノエート、１，２−フェニレンジウンデカノエート、１，２−フェニレンジシクロプロピロエート、１，２−フェニレンジシクロブチロエート、１，２−フェニレンジシクロペンチロエート、１，２−フェニレンジシクロヘキシロエート、１，２−フェニレンジシクロヘプチロエート、１，２−フェニレンジシクロオクチロエート、１，２−フェニレンビス（３−メチルブタノエート）、１，２−フェニレンビス（４−メチルペンタノエート）、１，２−フェニレンビス（５−メチルヘキサノエート）、１，２−フェニレンビス（６−メチルヘプタノエート）、１，２−フェニレンビス（７−メチルオクタノエート）、１，２−フェニレンビス（８−メチルノナノエート）、１，２−フェニレンビス（９−メチルデカノエート）、１，２−フェニレンビス（１０−メチルウンデカノエート）、１，２−フェニレンジピバレート、１，２−フェニレンビス（３，３−ジメチルブタノエート）、１，２−フェニレンビス（４，４−ジメチルペンタノエート）、１，２−フェニレンビス（５，５−ジメチルヘキサノエート）、１，２−フェニレンビス（６，６−ジメチルヘプタノエート）、１、２−フェニレンビス（２−メチルブタノエート）、１，２−フェニレンビス（２−メチルペンタノエート）、１、２−フェニレンビス（２−メチルヘキサノエート）、１，２−フェニレンビス（２−メチルヘプタノエート）、１、２−フェニレンビス（２−メチルオクタノエート）、１，２−フェニレンビス（２−メチルノナノエート）、１、２−フェニレンビス（２−メチルデカノエート）、１，２−フェニレンビス（２−プロピルペンタノエート）、１、２−フェニレンビス（２−プロピルヘキサノエート）、１，２−フェニレンビス（２−プロピルヘプタノエート）、１、２−フェニレンビス（２−プロピルオクタノエート）、１，２−フェニレンビス（２−プロピルノナノエート）、１、２−フェニレンビス（２−プロピルデカノエート）、を含む群から選択される、項目６に記載の触媒組成物。
［項目９］
１，２−フェニレンジオエートは、１，２−フェニレンジアセテート、１，２−フェニレンジイソプロパノエート、１，２−フェニレンジイソブタノエート及び−１，２−フェニレンジ−ｔｅｒｔ−ブタノエート含む群から選択される、項目８に記載の触媒組成物。
［項目１０］
構造(Ａ)において、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群から選択される、項目１に記載の触媒組成物。
［項目１１］
構造(Ａ)において、Ｒ３−Ｒ６の少なくとも１つは、水素として選択され、Ｒ１−Ｒ２は異なっており、Ｒ１−Ｒ２の少なくとも１つは、場合によっては環に結合されたＣ１−Ｃ２０直鎖又は分枝アルキル基、Ｃ３−Ｃ１５シクロアルキル基、ヘテロ原子、アリールアルキル又はアルキルアリール、アルキルアルコキシ又はアルコキシアルキル、アリールアルコキシ又はアルコキシアリール、アルキルシクロアルキル又はシクロアルキルアルキル基及びこれらの組合せを含む群から選択される、項目１０に記載の触媒組成物。
［項目１２］
１，２−フェニレンジオエートは、
２−アセトキシフェニルプロパノエート、２−アセトキシフェニルブチレート、２−アセトキシフェニルペンタノエート、２−アセトキシフェニルヘプタノエート、２−アセトキシフェニルオクタノエート、２−アセトキシフェニルノナノエート、２−アセトキシフェニルデカノエート、２−アセトキシフェニルウンデカノエート、２−（プロピオニロキシ）フェニルブチレート、２−（プロピオニロキシ）フェニルペンタノエート、２−（プロピオニロキシ）フェニルヘキサノエート、２−（プロピオニロキシ）フェニルヘプタノエート、２−（プロピオニロキシ）フェニルオクタノエート、２−（プロピオニロキシ）フェニルノナノエート、２−（プロピオニロキシ）フェニルデカノエート、２−（プロピオニロキシ）フェニルウンデカノエート、２−（ブチリロキシ）フェニルペンタノエート、２−（ブチリロキシ）フェニルヘキサノエート、２−（ブチリロキシ）フェニルヘプタノエート、２−（ブチリロキシ）フェニルオクタノエート、２−（ブチリロキシ）フェニルノナノエート、２−（ブチリロキシ）フェニルデカノエート、２−（ブチリロキシ）フェニルウンデカノエート、２−（ペンタノイロキシ）フェニルヘキサノエート、２−（ペンタノイロキシ）フェニルヘプタノエート、２−（ペンタノイロキシ）フェニルオクタノエート、２−（ペンタノイロキシ）フェニルノナノエート、２−（ペンタノイロキシ）フェニルデカノエート、２−（ペンタノイロキシ）フェニルウンデカノエート２−（ヘキサノイロキシ）フェニルヘプタノエート、２−（ヘキサノイロキシ）フェニルオクタノエート、２−（ヘキサノイロキシ）フェニルノナノエート、２−（ヘキサノイロキシ）フェニルデカノエート、２−（ヘキサノイロキシ）フェニルウンデカノエート、２−（ヘプタノイロキシ）フェニルオクタノエート、２−（ヘプタノイロキシ）フェニルノナノエート、２−（ヘプタノイロキシ）フェニルデカノエート、２−（ヘプタノイロキシ）フェニルウンデカノエート、２−（オクタノイロキシ）フェニルノナノエート、２−（オクタノイロキシ）フェニルデカノエート、２−（オクタノイロキシ）フェニルウンデカノエート、２−（ノナノイロキシ）フェニルデカノエート、２−（ノナノイロキシ）フェニルウンデカノエート、２−（デカノイロキシ）フェニルウンデカノエート、２−（イソブチリロキシ）フェニルアセテート、２−（イソブチリロキシ）フェニルプロピオネート、２−（イソブチリロキシ）フェニルブチレート、２−（イソブチリロキシ）フェニルペンタノエート、２−（イソブチリロキシ）フェニルヘキサノエート、２−（イソブチリロキシ）フェニルヘプタノエート、２−（イソブチリロキシ）フェニルオクタノエート、２−（イソブチリロキシ）フェニルノナノエート、２−（イソブチリロキシ）フェニルデカノエート、２−（イソブチリロキシ）フェニルウンデカノエート、２−（イソブチリロキシ）フェニルベンゾエート、２−（イソブチリロキシ）フェニルイソプロピオネート、２−（イソブチリロキシ）フェニルイソブチレート、２−（イソブチリロキシ）フェニルイソペンタノエート、２−（イソブチリロキシ）フェニルイソヘキサノエート、２−（イソブチリロキシ）フェニルイソヘプタノエート、２−（イソブチリロキシ）フェニルイソオクタノエート、２−（イソブチリロキシ）フェニルイソノナノエート、２−（イソブチリロキシ）フェニルイソデカノエート、２−（イソブチリロキシ）フェニルイソウンデカノエート、２−アセトキシフェニル３−メチルブタノエート、２−（プロピオニロキシ）フェニル３−メチルブタノエート、２−（ブチリロキシ）フェニル３−メチルブタノエート、２−（３−メチルブタノイロキシ）フェニルペンタノエート、２−（３−メチルブタノイロキシ）フェニルヘキサノエート、２−（３−メチルブタノイロキシ）フェニルヘプタノエート、２−（３−メチルブタノイロキシ）フェニルオクタノエート、２−（３−メチルブタノイロキシ）フェニルノナノエート、２−（３−メチルブタノイロキシ）フェニルデカノエート、２−（３−メチルブタノイロキシ）フェニルウンデカノエート、２−アセトキシフェニル４−メチルペンタノエート、２−（プロピオニロキシ）フェニル４−メチルペンタノエート、２−（ブチリロキシ）フェニル４−メチルペンタノエート、２−（ペンタノイロキシ）フェニル４−メチルペンタノエート、２−（４−メチルペンタノイロキシ）フェニルヘキサノエート、２−（４−メチルペンタノイロキシ）フェニルヘプタノエート、２−（４−メチルペンタノイロキシ）フェニルオクタノエート、２−（４−メチルペンタノイロキシ）フェニルノナノエート、２−（４−メチルペンタノイロキシ）フェニルデカノエート、２−（４−メチルペンタノイロキシ）フェニルウンデカノエート、２−アセトキシフェニル５−メチルヘキサノエート、２−（プロピオニロキシ）フェニル５−メチルヘキサノエート、２−（ブチリロキシ）フェニル５−メチルヘキサノエート、２−（ペンタノイロキシ）フェニル５−メチルヘキサノエート、２−（ヘキサノイロキシ）フェニル５−メチルヘキサノエート、２−（５−メチルヘキサノイロキシ）フェニルヘプタノエート、２−（５−メチルヘキサノイロキシ）フェニルオクタノエート、２−（５−メチルヘキサノイロキシ）フェニルノナノエート、２−（５−メチルヘキサノイロキシ）フェニルデカノエート、２−（５−メチルヘキサノイロキシ）フェニルウンデカノエート、２−アセトキシフェニル６−メチルヘプタノエート、２−（プロピオニロキシ）フェニル６−メチルヘプタノエート、２−（ブチリロキシ）フェニル６−メチルヘプタノエート、２−（ペンタノイロキシ）フェニル６−メチルヘプタノエート、２−（ヘキサノイロキシ）フェニル６−メチルヘプタノエート、２−（ヘプタノイロキシ）フェニル６−メチルヘプタノエート、２−（６−メチルヘプタノイロキシ）フェニルオクタノエート、２−（６−メチルヘプタノイロキシ）フェニルノナノエート、２−（６−メチルヘプタノイロキシ）フェニルデカノエート、２−（６−メチルヘプタノイロキシ）フェニルウンデカノエート、２−アセトキシフェニル７−メチルオクタノエート、２−（プロピオニロキシ）フェニル７−メチルオクタノエート、２−（ブチリロキシ）フェニル７−メチルオクタノエート、２−（ペンタノイロキシ）フェニル７−メチルオクタノエート、２−（ヘキサノイロキシ）フェニル７−メチルオクタノエート、２−（ヘプタノイロキシ）フェニル７−メチルオクタノエート、２−（オクタノイロキシ）フェニル７−メチルオクタノエート、２−（７−メチルオクタノイロキシ）フェニルノナノエート、２−（７−メチルオクタノイロキシ）フェニルデカノエート、２−（７−メチルオクタノイロキシ）フェニルウンデカノエート、２−アセトキシフェニル８−メチルノナノエート、２−（プロピオニロキシ）フェニル８−メチルノナノエート、２−（ブチリロキシ）フェニル８−メチルノナノエート、２−（ペンタノイロキシ）フェニル８−メチルノナノエート、２−（ヘキサノイロキシ）フェニル８−メチルノナノエート、２−（ヘプタノイロキシ）フェニル８−メチルノナノエート、２−（オクタノイロキシ）フェニル８−メチルノナノエート、２−（ノナノイロキシ）フェニル８−メチルノナノエート、２−（８−メチルノナノイロキシ）フェニルデカノエート、２−（８−メチルノナノイロキシ）フェニルウンデカノエート、２−アセトキシフェニル９−メチルデカノエート、２−（プロピオニロキシ）フェニル９−メチルデカノエート、２−（ブチリロキシ）フェニル９−メチルデカノエート、２−（ペンタノイロキシ）フェニル９−メチルデカノエート、２−（ヘキサノイロキシ）フェニル９−メチルデカノエート、２−（ヘプタノイロキシ）フェニル９−メチルデカノエート、２−（オクタノイロキシ）フェニル９−メチルデカノエート、２−（ノナノイロキシ）フェニル９−メチルデカノエート、２−（デカノイロキシ）フェニル９−メチルデカノエート、２−（９−メチルデカノイロキシ）フェニルウンデカノエート、２−アセトキシフェニル１０−メチルウンデカノエート、２−（プロピオニロキシ）フェニル１０−メチルウンデカノエート、２−（ブチリロキシ）フェニル１０−メチルウンデカノエート、２−（ペンタノイロキシ）フェニル１０−メチルウンデカノエート、２−（ヘキサノイロキシ）フェニル１０−メチルウンデカノエート、２−（ヘプタノイロキシ）フェニル１０−メチルウンデカノエート、２−（オクタノイロキシ）フェニル１０−メチルウンデカノエート、２−（ノナノイロキシ）フェニル１０−メチルウンデカノエート、２−（デカノイロキシ）フェニル１０−メチルウンデカノエート、２−（ウンデカノイロキシ）フェニル１０−メチルウンデカノエート、２−アセトキシフェニルピバレート、２−（プロピオニロキシ）フェニルピバレート、２−（ピバロイルオキシ）フェニルブチレート、２−（ピバロイルオキシ）フェニルペンタノエート、２−（ピバロイルオキシ）フェニルヘキサノエート、２−（ピバロイルオキシ）フェニルヘプタノエート、２−（ピバロイルオキシ）フェニルオクタノエート、２−（ピバロイルオキシ）フェニルノナノエート、２−（ピバロイルオキシ）フェニルデカノエート、２−（ピバロイルオキシ）フェニルウンデカノエート、２−アセトキシフェニル３，３−ジメチルブタノエート、２−（プロピオニロキシ）フェニル３，３−ジメチルブタノエート、２−（ブチリロキシ）フェニル３，３−ジメチルブタノエート、２−（３，３−ジメチルブタノイロキシ）フェニルペンタノエート、２−（３，３−ジメチルブタノイロキシ）フェニルヘキサノエート、２−（３，３−ジメチルブタノイロキシ）フェニルヘプタノエート、２−（３，３−ジメチルブタノイロキシ）フェニルオクタノエート、２−（３，３−ジメチルブタノイロキシ）フェニルノナノエート、２−（３，３−ジメチルブタノイロキシ）フェニルデカノエート、２−（３，３−ジメチルブタノイロキシ）フェニルウンデカノエート、２−アセトキシフェニル５，５−ジメチルヘキサノエート、２−（プロピオニロキシ）フェニル５，５−ジメチルヘキサノエート、２−（ブチリロキシ）フェニル５，５−ジメチルヘキサノエート、２−（ペンタノイロキシ）フェニル５，５−ジメチルヘキサノエート、２−（ヘキサノイロキシ）フェニル５，５−ジメチルヘキサノエート、２−（５，５−ジメチルヘキサノイロキシ）フェニルヘプタノエート、２−（５，５−ジメチルヘキサノイロキシ）フェニルオクタノエート、２−（５，５−ジメチルヘキサノイロキシ）フェニルノナノエート、２−（５，５−ジメチルヘキサノイロキシ）フェニルデカノエート、２−（５，５−ジメチルヘキサノイロキシ）フェニルウンデカノエート、２−アセトキシフェニル４，４−ジメチルペンタノエート、２−（プロピオニロキシ）フェニル４，４−ジメチルペンタノエート、２−（ブチリロキシ）フェニル４，４−ジメチルペンタノエート、２−（ペンタノイロキシ）フェニル４，４−ジメチルペンタノエート、２−（４，４−ジメチルペンタノイロキシ）フェニルヘキサノエート、２−（４，４−ジメチルペンタノイロキシ）フェニルヘプタノエート、２−（４，４−ジメチルペンタノイロキシ）フェニルオクタノエート、２−（４，４−ジメチルペンタノイロキシ）フェニルノナノエート、２−（４，４−ジメチルペンタノイロキシ）フェニルデカノエート、２−（４，４−ジメチルペンタノイロキシ）フェニルウンデカノエート、２−アセトキシフェニル８−エチルデカノエート、２−（プロピオニロキシ）フェニル８−エチルデカノエート、２−（ブチリロキシ）フェニル８−エチルデカノエート、２−（ペンタノイロキシ）フェニル８−エチルデカノエート、２−（ヘキサノイロキシ）フェニル８−エチルデカノエート、２−（ヘプタノイロキシ）フェニル８−エチルデカノエート、２−（オクタノイロキシ）フェニル８−エチルデカノエート、２−（ノナノイロキシ）フェニル８−エチルデカノエート、２−（デカノイロキシ）フェニル８−エチルデカノエート、
２−（８−エチルデカノイロキシ）フェニルウンデカノエート、２−アセトキシフェニル９−エチルウンデカノエート、２−（プロピオニロキシ）フェニル９−エチルウンデカノエート、２−（ブチリロキシ）フェニル９−エチルウンデカノエート、２−（ペンタノイロキシ）フェニル９−エチルウンデカノエート、２−（ヘキサノイロキシ）フェニル９−エチルウンデカノエート、２−（ヘプタノイロキシ）フェニル９−エチルウンデカノエート、２−（オクタノイロキシ）フェニル９−エチルウンデカノエート、２−（ノナノイロキシ）フェニル９−エチルウンデカノエート、２−（デカノイロキシ）フェニル９−エチルウンデカノエート、２−アセトキシフェニル２−メチルブタノエート、２−（プロピオニロキシ）フェニル２−メチルブタノエート、２−（ブチリロキシ）フェニル２−メチルブタノエート、２−（２−メチルブタノイロキシ）フェニルペンタノエート、２−（２−メチルブタノイロキシ）フェニルヘキサノエート、２−（２−メチルブタノイロキシ）フェニルヘプタノエート、２−（２−メチルブタノイロキシ）フェニルオクタノエート、２−（２−メチルブタノイロキシ）フェニルノナノエート、２−（２−メチルブタノイロキシ）フェニルデカノエート、２−（２−メチルブタノイロキシ）フェニルウンデカノエート、２−アセトキシフェニル２−メチルペンタノエート、２−（プロピオニロキシ）フェニル２−メチルペンタノエート、２−（ブチリロキシ）フェニル２−メチルペンタノエート、２−（ペンタノイロキシ）フェニル２−メチルペンタノエート、２−（２−メチルペンタノイロキシ）フェニルヘキサノエート、２−（２−メチルペンタノイロキシ）フェニルヘプタノエート、２−（２−メチルペンタノイロキシ）フェニルオクタノエート、２−（２−メチルペンタノイロキシ）フェニルノナノエート、２−（２−メチルペンタノイロキシ）フェニルデカノエート、２−アセトキシフェニル２−メチルヘキサノエート、２−（プロピオニロキシ）フェニル２−メチルヘキサノエート、２−（ブチリロキシ）フェニル２−メチルヘキサノエート、２−（ペンタノイロキシ）フェニル２−メチルヘキサノエート、２−（ヘキサノイロキシ）フェニル２−メチルヘキサノエート、２−（２−メチルヘキサノイロキシ）フェニルヘプタノエート、２−（２−メチルヘキサノイロキシ）フェニルオクタノエート、２−（２−メチルヘキサノイロキシ）フェニルノナノエート、２−（２−メチルヘキサノイロキシ）フェニルデカノエート、２−（２−メチルヘキサノイロキシ）フェニルウンデカノエート、２−アセトキシフェニル２−メチルヘプタノエート、２−（プロピオニロキシ）フェニル２−メチルヘプタノエート、２−（ブチリロキシ）フェニル２−メチルヘプタノエート、２−（ペンタノイロキシ）フェニル２−メチルヘプタノエート、２−（ヘキサノイロキシ）フェニル２−メチルヘプタノエート、２−（ヘプタノイロキシ）フェニル２−メチルヘプタノエート、２−（２−メチルヘプタノイロキシ）フェニルオクタノエート、２−（２−メチルヘプタノイロキシ）フェニルノナノエート、２−（２−メチルヘプタノイロキシ）フェニルデカノエート、２−（２−メチルヘプタノイロキシ）フェニルウンデカノエート、２−アセトキシフェニル２−メチルオクタノエート、２−（プロピオニロキシ）フェニル２−メチルオクタノエート、２−（ブチリロキシ）フェニル２−メチルオクタノエート、２−（ペンタノイロキシ）フェニル２−メチルオクタノエート、２−（ヘキサノイロキシ）フェニル２−メチルオクタノエート、２−（ヘプタノイロキシ）フェニル２−メチルオクタノエート、２−（オクタノイロキシ）フェニル２−メチルオクタノエート、２−（２−メチルオクタノイロキシ）フェニルノナノエート、２−（２−メチルオクタノイロキシ）フェニルデカノエート、２−（２−メチルオクタノイロキシ）フェニルウンデカノエート、２−アセトキシフェニル２−メチルノナノエート、２−（プロピオニロキシ）フェニル２−メチルノナノエート、２−（ブチリロキシ）フェニル２−メチルノナノエート、２−（ペンタノイロキシ）フェニル２−メチルノナノエート、２−（ヘキサノイロキシ）フェニル２−メチルノナノエート、２−（ヘプタノイロキシ）フェニル２−メチルノナノエート、２−（オクタノイロキシ）フェニル２−メチルノナノエート、２−（ノナノイロキシ）フェニル２−メチルノナノエート、２−（２−メチルノナノイロキシ）フェニルデカノエート、２−（２−メチルノナノイロキシ）フェニルウンデカノエート、２−アセトキシフェニル２−メチルデカノエート、２−（プロピオニロキシ）フェニル２−メチルデカノエート、２−（ブチリロキシ）フェニル２−メチルデカノエート、２−（ペンタノイロキシ）フェニル２−メチルデカノエート、２−（ヘキサノイロキシ）フェニル２−メチルデカノエート、２−（ヘプタノイロキシ）フェニル２−メチルデカノエート、２−（オクタノイロキシ）フェニル２−メチルデカノエート、２−（ノナノイロキシ）フェニル２−メチルデカノエート、２−（デカノイロキシ）フェニル２−メチルデカノエート、２−（２−メチルデカノイロキシ）フェニルウンデカノエート、２−アセトキシフェニル２−プロピルペンタノエート、２−（プロピオニロキシ）フェニル２−プロピルペンタノエート、２−（ブチリロキシ）フェニル２−プロピルペンタノエート、２−（ペンタノイロキシ）フェニル２−プロピルペンタノエート、２−（２−プロピルペンタノエート）フェニルヘキサノエート、２−（２−プロピルペンタノエート）フェニルヘプタノエート、２−（２−プロピルペンタノエート）フェニルオクタノエート、２−（２−プロピルペンタノエート）フェニルノナノエート、２−（２−プロピルペンタノエート）フェニルデカノエート、２−（２−プロピルペンタノエート）フェニルウンデカノエート、２−アセトキシフェニル２−プロピルヘキサノエート、２−（プロピオニロキシ）フェニル２−プロピルヘキサノエート、２−（ブチリロキシ）フェニル２−プロピルヘキサノエート、２−（ペンタノイロキシ）フェニル２−プロピルヘキサノエート、２−（ヘキサノイロキシ）フェニル２−プロピルヘキサノエート、２−（２−プロピルヘキサノイロキシ）フェニルヘプタノエート、２−（２−プロピルヘキサノイロキシ）フェニルオクタノエート、２−（２−プロピルヘキサノイロキシ）フェニルノナノエート、２−（２−プロピルヘキサノイロキシ）フェニルデカノエート、２−（２−プロピルヘキサノイロキシ）フェニルウンデカノエート、２−アセトキシフェニル２−プロピルヘプタノエート、２−（プロピオニロキシ）フェニル２−プロピルヘプタノエート、２−（ブチリロキシ）フェニル２−プロピルヘプタノエート、２−（ペンタノイロキシ）フェニル２−プロピルヘプタノエート、２−（ヘキサノイロキシ）フェニル２−プロピルヘプタノエート、２−（ヘプタノイロキシ）フェニル２−プロピルヘプタノエート、２−（２−プロピルヘプタノイロキシ）フェニルオクタノエート、２−（２−プロピルヘプタノイロキシ）フェニルノナノエート、２−（２−プロピルヘプタノイロキシ）フェニルデカノエート、２−（２−プロピルヘプタノイロキシ）フェニルウンデカノエート、２−アセトキシフェニル２−プロピルオクタノエート、２−（プロピオニロキシ）フェニル２−プロピルオクタノエート、２−（ブチリロキシ）フェニル２−プロピルオクタノエート、２−（ペンタノイロキシ）フェニル２−プロピルオクタノエート、２−（ヘキサノイロキシ）フェニル２−プロピルオクタノエート、２−（ヘプタノイロキシ）フェニル２−プロピルオクタノエート、２−（オクタノイロキシ）フェニル２−プロピルオクタノエート、２−（２−プロピルオクタノイロキシ）フェニルノナノエート、２−（２−プロピルオクタノイロキシ）フェニルデカノエート及び２−（２−プロピルオクタノイロキシ）フェニルウンデカノエートを含む群から選択される、項目１０に記載の触媒組成物。
［項目１３］
１，２−フェニレンジオエートは、２−（イソブチリロキシ）フェニルアセテート、２−（イソブチリロキシ）フェニルプロパノエート、２−（イソブチリロキシ）フェニルブチレート及び２−（イソブチリロキシ）フェニルベンゾエートを含む群から選択される、項目１２に記載の触媒組成物。
［項目１４］
構造(Ａ)において、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群から選択される、項目１に記載の触媒組成物。
［項目１５］
構造(Ａ)において、Ｒ３−Ｒ５の少なくとも１つ、すなわちＲ５は、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びその組合せ、を含む群より選択され、
Ｒ１−Ｒ２の少なくとも１つは、場合によっては環に結合されたＣ１−Ｃ２０直鎖又は分枝アルキル基、Ｃ３−Ｃ１５シクロアルキル基、ヘテロ原子、アリールアルキル又はアルキルアリール、アルキルアルコキシ又はアルコキシアルキル、アリールアルコキシ又はアルコキシアリール、アルキルシクロアルキル又はシクロアルキルアルキル基及びその組合せ、を含む群より選択され、Ｒ１−Ｒ２は同一である、項目１４に記載の触媒組成物。
［項目１６］
１，２−フェニレンジオエートは、
４−クロロ−１，２−フェニレンジアセテート、４−ブロモ−１，２−フェニレンジアセテート、４−フルオロ−１，２−フェニレンジアセテート、４−ヨード−１，２−フェニレンジアセテート、４−メチル−１，２−フェニレンジアセテート、４−エチル−１，２−フェニレンジアセテート、４−ブチル−１，２−フェニレンジアセテート、４−イソブチル−１，２−フェニレンジアセテート、４−ｔｅｒｔ−ブチル−１，２−フェニレンジアセテート、４−イソプロピル−１，２−フェニレンジアセテート、４−ペンチル−１，２−フェニレンジアセテート、４−イソペンチル−１，２−フェニレンジアセテート、４−ヘキシル−１，２−フェニレンジアセテート、４−ヘプチル−１，２−フェニレンジアセテート、４−オクチル−１，２−フェニレンジアセテート、４−ノニル−１，２−フェニレンジアセテート、４−デシル−１，２−フェニレンジアセテート、４−ドデシル−１，２−フェニレンジアセテート、４−メトキシ−１，２−フェニレンジアセテート、４−エトキシ−１，２−フェニレンジアセテート、４−プロポキシ−１，２−フェニレンジアセテート、４−イソプロポキシ−１，２−フェニレンジアセテート、４−ブトキシ−１，２−フェニレンジアセテート、４−イソブトキシ−１，２−フェニレンジアセテート、４−ｔｅｒｔ−ブトキシ−１，２−フェニレンジアセテート、４−ペントキシ−１，２−フェニレンジアセテート、４−ヘキソキシ−１，２−フェニレンジアセテート、４−ヘプトキシ−１，２−フェニレンジアセテート、４−オクトキシ−１，２−フェニレンジアセテート、４−ノノキシ−１，２−フェニレンジアセテート、４−デコキシ−１，２−フェニレンジアセテート、４−フェノキシ−１，２−フェニレンジアセテート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート、４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート、４−エトキシ−１，２−フェニレンジイソプロパノエート、４−プロポキシ−１，２−フェニレンジイソプロパノエート、４−イソプロポキシ−１，２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１、２−フェニレンジイソプロパノエート、４−クロロ−１，２−フェニレンジイソプロパノエート、４−ブロモ−１，２−フェニレンジイソプロパノエート、４−フルオロ−１，２−フェニレンジイソプロパノエート、４−ヨード−１，２−フェニレンジイソプロパノエート、４−メチル−１，２−フェニレンジイソプロパノエート、４−エチル−１，２−フェニレンジイソプロパノエート、４−ブチル−１，２−フェニレンジイソプロパノエート、４−イソブチル−１，２−フェニレンジイソプロパノエート、４−ｔｅｒｔ−ブチル−１，２−フェニレンジイソプロパノエート、４−イソプロピル−１，２−フェニレンジイソプロパノエート、４−ペンチル−１，２−フェニレンジイソプロパノエート、４−イソペンチル−１，２−フェニレンジイソプロパノエート４−ヘキシル−１，２−フェニレンジイソプロパノエート、４−ヘプチル−１，２−フェニレンジイソプロパノエート、４−オクチル−１，２−フェニレンジイソプロパノエート、４−ノニル−１，２−フェニレンジイソプロパノエート、４−デシル−１，２−フェニレンジイソプロパノエート、４−ドデシル−１，２−フェニレンジイソプロパノエート、４−メトキシ−１，２−フェニレンジイソプロパノエート４−エトキシ−１，２−フェニレンジイソプロパノエート、４−プロポキシ−１，２−フェニレンジイソプロパノエート、４−イソプロポキシ−１、２−フェニレンジイソプロパノエート、４−ブトキシ−１，２−フェニレンジイソプロパノエート、４−イソブトキシ−１，２−フェニレンジイソプロパノエート、４−ｔｅｒｔ−ブトキシ−１，２−フェニレンジイソプロパノエート、４−ペントキシ−１，２−フェニレンジイソプロパノエート、４−ヘキソキシ−１，２−フェニレンジイソプロパノエート、４−ヘプトキシ−１，２−フェニレンジイソプロパノエート、４−オクトキシ−１，２−フェニレンジイソプロパノエート、４−ノノキシ−１，２−フェニレンジイソプロパノエート、４−デコキシ−１，２−フェニレンジイソプロパノエート、４−フェノキシ−１、２−フェニレンジイソプロパノエート、４−クロロ−１，２−フェニレンジブタノエート、４−ブロモ−１，２−フェニレンジブタノエート、４−フルオロ−１，２−フェニレンジブタノエート、４−ヨード−１，２−フェニレンジブタノエート、４−メチル−１，２−フェニレンジブタノエート、４−エチル−１，２−フェニレンジブタノエート、４−ブチル−１，２−フェニレンジブタノエート、４−イソブチル−１，２−フェニレンジブタノエート、４−ｔｅｒｔ−ブチル−１，２−フェニレンジブタノエート、４−イソプロピル−１，２−フェニレンジブタノエート、４−ペンチル−１，２−フェニレンジブタノエート、４−イソペンチル−１，２−フェニレンジブタノエート、４−ヘキシル−１，２−フェニレンジブタノエート、４−ヘプチル−１，２−フェニレンジブタノエート、４−オクチル−１，２−フェニレンジブタノエート、４−ノニル−１，２−フェニレンジブタノエート、４−デシル−１，２−フェニレンジブタノエート、４−ドデシル−１，２−フェニレンジブタノエート、４−メトキシ−１，２−フェニレンジブタノエート、４−エトキシ−１，２−フェニレンジブタノエート、４−プロポキシ−１，２−フェニレンジブタノエート、４−イソプロポキシ−１，２−フェニレンジブタノエート、４−ブトキシ−１，２−フェニレンジブタノエート、４−イソブトキシ−１，２−フェニレンジブタノエート、４−ｔｅｒｔ−ブトキシ−１，２−フェニレンジブタノエート、４−ペントキシ−１，２−フェニレンジブタノエート、４−ヘキソキシ−１，２−フェニレンジブタノエート、４−ヘプトキシ−１，２−フェニレンジブタノエート、４−オクトキシ−１，２−フェニレンジブタノエート、４−ノノキシ−１，２−フェニレンジブタノエート、４−デコキシ−１，２−フェニレンジブタノエート、４−フェノキシ−１，２−フェニレンジブタノエート、４−クロロ−１，２−フェニレンジイソブタノエート、４−ブロモ−１，２−フェニレンジイソブタノエート、４−フルオロ−１，２−フェニレンジイソブタノエート、４−ヨード−１，２−フェニレンジイソブタノエート、４−メチル−１，２−フェニレンジイソブタノエート、４−エチル−１，２−フェニレンジイソブタノエート、４−ブチル−１，２−フェニレンジイソブタノエート、４−イソブチル−１，２−フェニレンジイソブタノエート、４−ｔｅｒｔ−ブチル−１，２−フェニレンジイソブタノエート、４−イソプロピル−１，２−フェニレンジイソブタノエート、４−ペンチル−１，２−フェニレンジイソブタノエート、４−イソペンチル−１，２−フェニレンジイソブタノエート、４−ヘキシル−１，２−フェニレンジイソブタノエート、４−ヘプチル−１，２−フェニレンジイソブタノエート、４−オクチル−１，２−フェニレンジイソブタノエート、４−ノニル−１，２−フェニレンジイソブタノエート、４−デシル−１，２−フェニレンジイソブタノエート、４−ドデシル−１，２−フェニレンジイソブタノエート、４−メトキシ−１，２−フェニレンジイソブタノエート、４−エトキシ−１，２−フェニレンジイソブタノエート、４−プロポキシ−１，２−フェニレンジイソブタノエート、４−イソプロポキシ−１，２−フェニレンジイソブタノエート、４−ブトキシ−１，２−フェニレンジイソブタノエート、４−イソブトキシ−１，２−フェニレンジイソブタノエート、４−ｔｅｒｔ−ブトキシ−１，２−フェニレンジイソブタノエート、４−ペントキシ−１，２−フェニレンジイソブタノエート、４−ヘキソキシ−１，２−フェニレンジイソブタノエート、４−ヘプトキシ−１，２−フェニレンジイソブタノエート、４−オクトキシ−１，２−フェニレンジイソブタノエート、４−ノノキシ−１，２−フェニレンジイソブタノエート、４−デコキシ−１，２−フェニレンジイソブタノエート、４−フェノキシ−１，２−フェニレンジイソブタノエート、４−クロロ−１，２−フェニレンジ−ｔｅｒｔ−ブタノエート、４−ブロモ−１，２−フェニレンジ−ｔｅｒｔ−ブタノエート、４−フルオロ−１，２−フェニレンジ−ｔｅｒｔ−ブタノエート、４−ヨード−１，２−フェニレンジ−ｔｅｒｔ−ブタノエート、４−メチル−１，２−フェニレンジ−ｔｅｒｔ−ブタノエート、４−エチル−１，２−フェニレンジ−ｔｅｒｔ−ブタノエート、４−ブチル−１，２−フェニレンジ−ｔｅｒｔ−ブタノエート、４−イソブチル−１，２−フェニレンジ−ｔｅｒｔ−ブタノエート、４−ｔｅｒｔ−ブチル−１，２−フェニレンジ−ｔｅｒｔ−ブタノエート、４−イソプロピル−１，２−フェニレンジ−ｔｅｒｔ−ブタノエート、４−ペンチル−１，２−フェニレンジ−ｔｅｒｔ−ブタノエート、４−イソペンチル−１，２−フェニレンジ−ｔｅｒｔ−ブタノエート、４−ヘキシル−１，２−フェニレンジ−ｔｅｒｔ−ブタノエート、４−ヘプチル−１，２−フェニレンジ−ｔｅｒｔ−ブタノエート、４−オクチル−１，２−フェニレンジ−ｔｅｒｔ−ブタノエート、４−ノニル−１，２−フェニレンジ−ｔｅｒｔ−ブタノエート、４−デシル−１，２−フェニレンジ−ｔｅｒｔ−ブタノエート、４−ドデシル−１，２−フェニレンジ−ｔｅｒｔ−ブタノエート、４−メトキシ−１，２−フェニレンジ−ｔｅｒｔ−ブタノエート、４−エトキシ−１，２−フェニレンジ−ｔｅｒｔ−ブタノエート、４−プロポキシ−１，２−フェニレンジ−ｔｅｒｔ−ブタノエート、４−イソプロポキシ−１，２−フェニレンジ−ｔｅｒｔ−ブタノエート、４−ブトキシ−１，２−フェニレンジ−ｔｅｒｔ−ブタノエート、４−イソブトキシ−１，２−フェニレンジ−ｔｅｒｔ−ブタノエート、４−ｔｅｒｔ−ブトキシ−１，２−フェニレンジ−ｔｅｒｔ−ブタノエート、４−ペントキシ−１，２−フェニレンジ−ｔｅｒｔ−ブタノエート、４−ヘキソキシ−１，２−フェニレンジ−ｔｅｒｔ−ブタノエート、４−ヘプトキシ−１，２−フェニレンジ−ｔｅｒｔ−ブタノエート、４−オクトキシ−１，２−フェニレンジ−ｔｅｒｔ−ブタノエート、４−ノノキシ−１，２−フェニレンジ−ｔｅｒｔ−ブタノエート、４−デコキシ−１，２−フェニレンジ−ｔｅｒｔ−ブタノエート、４−フェノキシ−１，２−フェニレンジ−ｔｅｒｔ−ブタノエー
ト、４−クロロ−１，２−フェニレンジペンタノエート、４−ブロモ−１，２−フェニレンジペンタノエート、４−フルオロ−１，２−フェニレンジペンタノエート、４−ヨード−１，２−フェニレンジペンタノエート、４−メチル−１，２−フェニレンジペンタノエート、４−エチル−１，２−フェニレンジペンタノエート、４−ブチル−１，２−フェニレンジペンタノエート、４−イソブチル−１，２−フェニレンジペンタノエート、４−ｔｅｒｔ−ブチル−１，２−フェニレンジペンタノエート、４−イソプロピル−１，２−フェニレンジペンタノエート、４−ペンチル−１，２−フェニレンジペンタノエート、４−イソペンチル−１，２−フェニレンジペンタノエート、４−ヘキシル−１，２−フェニレンジペンタノエート、４−ヘプチル−１，２−フェニレンジペンタノエート、４−オクチル−１，２−フェニレンジペンタノエート、４−ノニル−１，２−フェニレンジペンタノエート、４−デシル−１，２−フェニレンジペンタノエート、４−ドデシル−１，２−フェニレンジペンタノエート、４−メトキシ−１，２−フェニレンジペンタノエート、４−エトキシ−１，２−フェニレンジペンタノエート、４−プロポキシ−１，２−フェニレンジペンタノエート、４−イソプロポキシ−１，２−フェニレンジペンタノエート、４−ブトキシ−１，２−フェニレンジペンタノエート、４−イソブトキシ−１，２−フェニレンジペンタノエート、４−ｔｅｒｔ−ブトキシ−１，２−フェニレンジペンタノエート、４−ペントキシ−１，２−フェニレンジペンタノエート、４−ヘキソキシ−１，２−フェニレンジペンタノエート、４−ヘプトキシ−１，２−フェニレンジペンタノエート、４−オクトキシ−１，２−フェニレンジペンタノエート、４−ノノキシ−１，２−フェニレンジペンタノエート、４−デコキシ−１，２−フェニレンジペンタノエート、４−フェノキシ−１，２−フェニレンジペンタノエート、４−クロロ−１，２−フェニレンジイソペンタノエート、４−ブロモ−１，２−フェニレンジイソペンタノエート、４−フルオロ−１，２−フェニレンジイソペンタノエート、４−ヨード−１，２−フェニレンジイソペンタノエート、４−メチル−１，２−フェニレンジイソペンタノエート、４−エチル−１，２−フェニレンジイソペンタノエート、４−ブチル−１，２−フェニレンジイソペンタノエート、４−イソブチル−１，２−フェニレンジイソペンタノエート、４−ｔｅｒｔ−ブチル−１，２−フェニレンジイソペンタノエート、４−イソプロピル−１，２−フェニレンジイソペンタノエート、４−ペンチル−１，２−フェニレンジイソペンタノエート、４−イソペンチル−１，２−フェニレンジイソペンタノエート、４−ヘキシル−１，２−フェニレンジイソペンタノエート、４−ヘプチル−１，２−フェニレンジイソペンタノエート、４−オクチル−１，２−フェニレンジイソペンタノエート、４−ノニル−１，２−フェニレンジイソペンタノエート、４−デシル−１，２−フェニレンジイソペンタノエート、４−ドデシル−１，２−フェニレンジイソペンタノエート、４−メトキシ−１，２−フェニレンジイソペンタノエート、４−エトキシ−１，２−フェニレンジイソペンタノエート、４−プロポキシ−１，２−フェニレンジイソペンタノエート、４−イソプロポキシ−１，２−フェニレンジイソペンタノエート、４−ブトキシ−１，２−フェニレンジイソペンタノエート、４−イソブトキシ−１，２−フェニレンジイソペンタノエート、４−ｔｅｒｔ−ブトキシ−１，２−フェニレンジイソペンタノエート、４−ペントキシ−１，２−フェニレンジイソペンタノエート、４−ヘキソキシ−１，２−フェニレンジイソペンタノエート、４−ヘプトキシ−１，２−フェニレンジイソペンタノエート、４−オクトキシ−１，２−フェニレンジイソペンタノエート、４−ノノキシ−１，２−フェニレンジイソペンタノエート、４−デコキシ−１，２−フェニレンジイソペンタノエート、４−フェノキシ−１，２−フェニレンジイソペンタノエート、４−クロロ−１，２−フェニレンジヘキサノエート、４−ブロモ−１，２−フェニレンジヘキサノエート、４−フルオロ−１，２−フェニレンジヘキサノエート、４−ヨード−１，２−フェニレンジヘキサノエート、４−メチル−１，２−フェニレンジヘキサノエート、４−エチル−１，２−フェニレンジヘキサノエート、４−ブチル−１，２−フェニレンジヘキサノエート、４−イソブチル−１，２−フェニレンジヘキサノエート、４−ｔｅｒｔ−ブチル−１，２−フェニレンジヘキサノエート、４−イソプロピル−１，２−フェニレンジヘキサノエート、４−ペンチル−１，２−フェニレンジヘキサノエート、４−イソペンチル−１，２−フェニレンジヘキサノエート、４−ヘキシル−１，２−フェニレンジヘキサノエート、４−ヘプチル−１，２−フェニレンジヘキサノエート、４−オクチル−１，２−フェニレンジヘキサノエート、４−ノニル−１，２−フェニレンジヘキサノエート、４−デシル−１，２−フェニレンジヘキサノエート、４−ドデシル−１，２−フェニレンジヘキサノエート、４−メトキシ−１，２−フェニレンジヘキサノエート、４−エトキシ−１，２−フェニレンジヘキサノエート、４−プロポキシ−１，２−フェニレンジヘキサノエート、４−イソプロポキシ−１，２−フェニレンジヘキサノエート、４−ブトキシ−１，２−フェニレンジヘキサノエート、４−イソブトキシ−１，２−フェニレンジヘキサノエート、４−ｔｅｒｔ−ブトキシ−１，２−フェニレンジヘキサノエート、４−ペントキシ−１，２−フェニレンジヘキサノエート、４−ヘキソキシ−１，２−フェニレンジヘキサノエート、４−ヘプトキシ−１，２−フェニレンジヘキサノエート、４−オクトキシ−１，２−フェニレンジヘキサノエート、４−ノノキシ−１，２−フェニレンジヘキサノエート、４−デコキシ−１，２−フェニレンジヘキサノエート、４−フェノキシ−１，２−フェニレンジヘキサノエート、４−クロロ−１，２−フェニレンジイソヘキサノエート、４−ブロモ−１，２−フェニレンジイソヘキサノエート、４−フルオロ−１，２−フェニレンジイソヘキサノエート、４−ヨード−１，２−フェニレンジイソヘキサノエート、４−メチル−１，２−フェニレンジイソヘキサノエート、４−エチル−１，２−フェニレンジイソヘキサノエート、４−ブチル−１，２−フェニレンジイソヘキサノエート、４−イソブチル−１，２−フェニレンジイソヘキサノエート、４−ｔｅｒｔ−ブチル−１，２−フェニレンジイソヘキサノエート、４−イソプロピル−１，２−フェニレンジイソヘキサノエート、４−ペンチル−１，２−フェニレンジイソヘキサノエート、４−イソペンチル−１，２−フェニレンジイソヘキサノエート、４−ヘキシル−１，２−フェニレンジイソヘキサノエート、４−ヘプチル−１，２−フェニレンジイソヘキサノエート、４−オクチル−１，２−フェニレンジイソヘキサノエート、４−ノニル−１，２−フェニレンジイソヘキサノエート、４−デシル−１，２−フェニレンジイソヘキサノエート、４−ドデシル−１，２−フェニレンジイソヘキサノエート、４−メトキシ−１，２−フェニレンジイソヘキサノエート、４−エトキシ−１，２−フェニレンジイソヘキサノエート、４−プロポキシ−１，２−フェニレンジイソヘキサノエート、４−イソプロポキシ−１，２−フェニレンジイソヘキサノエート、４−ブトキシ−１，２−フェニレンジイソヘキサノエート、４−イソブトキシ−１，２−フェニレンジイソヘキサノエート、４−ｔｅｒｔ−ブトキシ−１，２−フェニレンジイソヘキサノエート、４−ペントキシ−１，２−フェニレンジイソヘキサノエート、４−ヘキソキシ−１，２−フェニレンジイソヘキサノエート、４−ヘプトキシ−１，２−フェニレンジイソヘキサノエート、４−オクトキシ−１，２−フェニレンジイソヘキサノエート、４−ノノキシ−１，２−フェニレンジイソヘキサノエート、４−デコキシ−１，２−フェニレンジイソヘキサノエート、４−フェノキシ−１，２−フェニレンジイソヘキサノエート、４−クロロ−１，２−フェニレンジヘプタノエート、４−ブロモ−１，２−フェニレンジヘプタノエート、４−フルオロ−１，２−フェニレンジヘプタノエート、４−ヨード−１，２−フェニレンジヘプタノエート、４−メチル−１，２−フェニレンジヘプタノエート、４−エチル−１，２−フェニレンジヘプタノエート、４−ブチル−１，２−フェニレンジヘプタノエート、４−イソブチル−１，２−フェニレンジヘプタノエート、４−ｔｅｒｔ−ブチル−１，２−フェニレンジヘプタノエート、４−イソプロピル−１，２−フェニレンジヘプタノエート、４−ペンチル−１，２−フェニレンジヘプタノエート、４−イソペンチル−１，２−フェニレンジヘプタノエート、４−ヘキシル−１，２−フェニレンジヘプタノエート、４−ヘプチル−１，２−フェニレンジヘプタノエート、４−オクチル−１，２−フェニレンジヘプタノエート、４−ノニル−１，２−フェニレンジヘプタノエート、４−デシル−１，２−フェニレンジヘプタノエート、４−ドデシル−１，２−フェニレンジヘプタノエート、４−メトキシ−１，２−フェニレンジヘプタノエート、４−エトキシ−１，２−フェニレンジヘプタノエート、４−プロポキシ−１，２−フェニレンジヘプタノエート、４−イソプロポキシ−１，２−フェニレンジヘプタノエート、４−ブトキシ−１，２−フェニレンジヘプタノエート、４−イソブトキシ−１，２−フェニレンジヘプタノエート、４−ｔｅｒｔ−ブトキシ−１，２−フェニレンジヘプタノエート、４−ペントキシ−１，２−フェニレンジヘプタノエート、４−ヘキソキシ−１，２−フェニレンジヘプタノエート、４−ヘプトキシ−１，２−フェニレンジヘプタノエート、４−オクトキシ−１，２−フェニレンジヘプタノエート、４−ノノキシ−１，２−フェニレンジヘプタノエート、４−デコキシ−１，２−フェニレンジヘプタノエート、４−フェノキシ−１，２−フェニレンジヘプタノエート、４−クロロ−１，２−フェニレンジイソヘプタノエート、４−ブロモ−１，２−フェニレンジイソヘプタノエート、４−フルオロ−１，２−フェニレンジイソヘプタノエート、４−ヨード−１，２−フェニレンジイソヘプタノエート、４−メチル−１，２−フェニレンジイソヘプタノエート、４−エチル−１，２−フェニレンジイソヘプタノエート、４−ブチル−１，２−フェニレンジイソヘプタノエート、４−イソブチル−１，２−フェニレンジイソヘプタノエート、４−ｔｅｒｔ−ブチル−１，２−フェニレンジイソヘプタノエート、４−イソプロピル−１，２−フェニレンジイソヘプタノエート、４−ペンチル−１，２−フェニレンジイソヘプタノエート、４−イソペンチル−１，２−フェニレンジイソヘプタノエート、４−ヘキシル−１，２−フェニレンジイソヘプタノエート、４−ヘプチル−１，２−フェニレンジイソヘプタノエート、４−オクチル−１，２−フェニレンジイソヘプタノエート、４−ノニル−１，２−フェニレンジイソヘプタノエート、４−デシル−１，２−フェニレンジイソヘプタノエート、４−ドデシル−１，２−フェニレンジイソヘプタノエート、４−メトキシ−１，２−フェニレンジイソヘプタノエート、４−エトキシ−１，２−フェニレンジイソヘプタノエート、４−プロポキシ−１，２−フェニレンジイソヘプタノエート、４−イソプロポキシ−１，２−フェニレンジイソヘプタノエート、４−ブトキシ−１，２−フェニレンジイソヘプタノエート、４−イソブトキシ−１，２−フェニレンジイソヘプタノエート、４−ｔｅｒｔ−ブトキシ−１，２−フェニレンジイソヘプタノエート、４−ペントキシ−１，２−フェニレンジイソヘプタノエート、４−ヘキソキシ−１，２−フェニレンジイソヘプタノエート、４−ヘプトキシ−１，２−フェニレンジイソヘプタノエート、４−オクトキシ−１，２−フェニレンジイソヘプタノエート、４−ノノキシ−１，２−フェニレンジイソヘプタノエート、４−デコキシ−１，２−フェニレンジイソヘプタノエート、４−フェノキシ−１，２−フェニレンジイソヘプタノエート、４−クロロ−１，２−フェニレンジオクタノエート、４
−ブロモ−１，２−フェニレンジオクタノエート、４−フルオロ−１，２−フェニレンジオクタノエート、４−ヨード−１，２−フェニレンジオクタノエート、４−メチル−１，２−フェニレンジオクタノエート、４−エチル−１，２−フェニレンジオクタノエート、４−ブチル−１，２−フェニレンジオクタノエート、４−イソブチル−１，２−フェニレンジオクタノエート、４−ｔｅｒｔ−ブチル−１，２−フェニレンジオクタノエート、４−イソプロピル−１，２−フェニレンジオクタノエート、４−ペンチル−１，２−フェニレンジオクタノエート、４−イソペンチル−１，２−フェニレンジオクタノエート、４−ヘキシル−１，２−フェニレンジオクタノエート、４−ヘプチル−１，２−フェニレンジオクタノエート、４−オクチル−１，２−フェニレンジオクタノエート、４−ノニル−１，２−フェニレンジオクタノエート、４−デシル−１，２−フェニレンジオクタノエート、４−ドデシル−１，２−フェニレンジオクタノエート、４−メトキシ−１，２−フェニレンジオクタノエート、４−エトキシ−１，２−フェニレンジオクタノエート、４−プロポキシ−１，２−フェニレンジオクタノエート、４−イソプロポキシ−１，２−フェニレンジオクタノエート、４−ブトキシ−１，２−フェニレンジオクタノエート、４−イソブトキシ−１，２−フェニレンジオクタノエート、４−ｔｅｒｔ−ブトキシ−１，２−フェニレンジオクタノエート、４−ペントキシ−１，２−フェニレンジオクタノエート、４−ヘキソキシ−１，２−フェニレンジオクタノエート、４−ヘプトキシ−１，２−フェニレンジオクタノエート、４−オクトキシ−１，２−フェニレンジオクタノエート、４−ノノキシ−１，２−フェニレンジオクタノエート、４−デコキシ−１，２−フェニレンジオクタノエート、４−フェノキシ−１，２−フェニレンジオクタノエート、４−クロロ−１，２−フェニレンジイソオクタノエート、４−ブロモ−１，２−フェニレンジイソオクタノエート、４−フルオロ−１，２−フェニレンジイソオクタノエート、４−ヨード−１，２−フェニレンジイソオクタノエート、４−メチル−１，２−フェニレンジイソオクタノエート、４−エチル−１，２−フェニレンジイソオクタノエート、４−ブチル−１，２−フェニレンジイソオクタノエート、４−イソブチル−１，２−フェニレンジイソオクタノエート、４−ｔｅｒｔ−ブチル−１，２−フェニレンジイソオクタノエート、４−イソプロピル−１，２−フェニレンジイソオクタノエート、４−ペンチル−１，２−フェニレンジイソオクタノエート、４−イソペンチル−１，２−フェニレンジイソオクタノエート、４−ヘキシル−１，２−フェニレンジイソオクタノエート、４−ヘプチル−１，２−フェニレンジイソオクタノエート、４−オクチル−１，２−フェニレンジイソオクタノエート、４−ノニル−１，２−フェニレンジイソオクタノエート、４−デシル−１，２−フェニレンジイソオクタノエート、４−ドデシル−１，２−フェニレンジイソオクタノエート、４−メトキシ−１，２−フェニレンジイソオクタノエート、４−エトキシ−１，２−フェニレンジイソオクタノエート、４−プロポキシ−１，２−フェニレンジイソオクタノエート、４−イソプロポキシ−１，２−フェニレンジイソオクタノエート、４−ブトキシ−１，２−フェニレンジイソオクタノエート、４−イソブトキシ−１，２−フェニレンジイソオクタノエート、４−ｔｅｒｔ−ブトキシ−１，２−フェニレンジイソオクタノエート、４−ペントキシ−１，２−フェニレンジイソオクタノエート、４−ヘキソキシ−１，２−フェニレンジイソオクタノエート、４−ヘプトキシ−１，２−フェニレンジイソオクタノエート、４−オクトキシ−１，２−フェニレンジイソオクタノエート、４−ノノキシ−１，２−フェニレンジイソオクタノエート、４−デコキシ−１，２−フェニレンジイソオクタノエート、４−フェノキシ−１，２−フェニレンジイソオクタノエート、４−クロロ−１，２−フェニレンジノナノエート、４−ブロモ−１，２−フェニレンジノナノエート、４−フルオロ−１，２−フェニレンジノナノエート、４−ヨード−１，２−フェニレンジノナノエート、４−メチル−１，２−フェニレンジノナノエート、４−エチル−１，２−フェニレンジノナノエート、４−ブチル−１，２−フェニレンジノナノエート、４−イソブチル−１，２−フェニレンジノナノエート、４−ｔｅｒｔ−ブチル−１，２−フェニレンジノナノエート、４−イソプロピル−１，２−フェニレンジノナノエート、４−ペンチル−１，２−フェニレンジノナノエート、４−イソペンチル−１，２−フェニレンジノナノエート、４−ヘキシル−１，２−フェニレンジノナノエート、４−ヘプチル−１，２−フェニレンジノナノエート、４−オクチル−１，２−フェニレンジノナノエート、４−ノニル−１，２−フェニレンジノナノエート、４−デシル−１，２−フェニレンジノナノエート、４−ドデシル−１，２−フェニレンジノナノエート、４−メトキシ−１，２−フェニレンジノナノエート、４−エトキシ−１，２−フェニレンジノナノエート、４−プロポキシ−１，２−フェニレンジノナノエート、４−イソプロポキシ−１，２−フェニレンジノナノエート、４−ブトキシ−１，２−フェニレンジノナノエート、４−イソブトキシ−１，２−フェニレンジノナノエート、４−ｔｅｒｔ−ブトキシ−１，２−フェニレンジノナノエート、４−ペントキシ−１，２−フェニレンジノナノエート、４−ヘキソキシ−１，２−フェニレンジノナノエート、４−ヘプトキシ−１，２−フェニレンジノナノエート、４−オクトキシ−１，２−フェニレンジノナノエート、４−ノノキシ−１，２−フェニレンジノナノエート、４−デコキシ−１，２−フェニレンジノナノエート、４−フェノキシ−１，２−フェニレンジノナノエート、４−クロロ−１，２−フェニレンジデカノエート、４−ブロモ−１，２−フェニレンジデカノエート、４−フルオロ−１，２−フェニレンジデカノエート、４−ヨード−１，２−フェニレンジデカノエート、４−メチル−１，２−フェニレンジデカノエート、４−エチル−１，２−フェニレンジデカノエート、４−ブチル−１，２−フェニレンジデカノエート、４−イソブチル−１，２−フェニレンジデカノエート、４−ｔｅｒｔ−ブチル−１，２−フェニレンジデカノエート、４−イソプロピル−１，２−フェニレンジデカノエート、４−ペンチル−１，２−フェニレンジデカノエート、４−イソペンチル−１，２−フェニレンジデカノエート、４−ヘキシル−１，２−フェニレンジデカノエート、４−ヘプチル−１，２−フェニレンジデカノエート、４−オクチル−１，２−フェニレンジデカノエート、４−ノニル−１，２−フェニレンジデカノエート、４−デシル−１，２−フェニレンジデカノエート、４−ドデシル−１，２−フェニレンジデカノエート、４−メトキシ−１，２−フェニレンジデカノエート、４−エトキシ−１，２−フェニレンジデカノエート、４−プロポキシ−１，２−フェニレンジデカノエート、４−イソプロポキシ−１，２−フェニレンジデカノエート、４−ブトキシ−１，２−フェニレンジデカノエート、４−イソブトキシ−１，２−フェニレンジデカノエート、４−ｔｅｒｔ−ブトキシ−１，２−フェニレンジデカノエート、４−ペントキシ−１，２−フェニレンジデカノエート、４−ヘキソキシ−１，２−フェニレンジデカノエート、４−ヘプトキシ−１，２−フェニレンジデカノエート、４−オクトキシ−１，２−フェニレンジデカノエート、４−ノノキシ−１，２−フェニレンジデカノエート、４−デコキシ−１，２−フェニレンジデカノエート、４−フェノキシ−１，２−フェニレンジデカノエート、を含む群から選択される、項目１４に記載の触媒組成物。
［項目１７］
１，２−フェニレンジオエートは、４−クロロ−１，２−フェニレンのジアセテート、４−ｔｅｒｔ−ブチル−１，２−フェニレンジアセテート及び４−メチル−１，２−フェニレンジアセテートを含む群から選択される、項目１６に記載の触媒組成物。
［項目１８］
構造(Ａ)において、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む基から選択される、項目１に記載の触媒組成物。
［項目１９］
構造(Ａ)において、Ｒ３−Ｒ５の少なくとも１つ、すなわちＲ５は、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びその組合せ、を含む群より選択され、
Ｒ１−Ｒ２の少なくとも１つは、場合によっては環に結合されたＣ１−Ｃ２０直鎖又は分枝アルキル基、Ｃ３−Ｃ１５シクロアルキル基、ヘテロ原子、アリールアルキル又はアルキルアリール、アルキルアルコキシ又はアルコキシアルキル、アリールアルコキシ又はアルコキシアリール、アルキルシクロアルキル又はシクロアルキルアルキル基及びその組合せ、から選択され、Ｒ１−Ｒ２は同一である、項目１８に記載の触媒組成物。
［項目２０］
１，２−フェニレンジオエートは、
３−クロロ−１，２−フェニレンジアセテート、３−ブロモ−１，２−フェニレンジアセテート、３−フルオロ−１，２−フェニレンジアセテート、３−ヨード−１，２−フェニレンジアセテート、３−メチル−１，２−フェニレンジアセテート、３−エチル−１，２−フェニレンジアセテート、３−ブチル−１，２−フェニレンジアセテート、３−イソブチル−１，２−フェニレンジアセテート、３−ｔｅｒｔ−ブチル−１，２−フェニレンジアセテート、３−イソプロピル−１，２−フェニレンジアセテート、３−ペンチル−１，２−フェニレンジアセテート、３−イソペンチル−１，２−フェニレンジアセテート、３−ヘキシル−１，２−フェニレンジアセテート、３−ヘプチル−１，２−フェニレンジアセテート、３−オクチル−１，２−フェニレンジアセテート、３−ノニル−１，２−フェニレンジアセテート、３−デシル−１，２−フェニレンジアセテート、３−ドデシル−１，２−フェニレンジアセテート、３−メトキシ−１，２−フェニレンジアセテート、３−エトキシ−１，２−フェニレンジアセテート、３−プロポキシ−１，２−フェニレンジアセテート、３−イソプロポキシ−１，２−フェニレンジアセテート、３−ブトキシ−１，２−フェニレンジアセテート、３−イソブトキシ−１，２−フェニレンジアセテート、３−ｔｅｒｔ−ブトキシ−１，２−フェニレンジアセテート、３−ペントキシ−１，２−フェニレンジアセテート、３−ヘキソキシ−１，２−フェニレンジアセテート、３−ヘプトキシ−１，２−フェニレンジアセテート、３−オクトキシ−１，２−フェニレンジアセテート、３−ノノキシ−１，２−フェニレンジアセテート、３−デコキシ−１，２−フェニレンジアセテート、３−フェノキシ−１，２−フェニレンジアセテート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジイソプロパノエート、３−ブロモ−１，２−フェニレンジイソプロパノエート、３−フルオロ−１，２−フェニレンジイソプロパノエート、３−ヨード−１，２−フェニレンジイソプロパノエート、３−メチル−１，２−フェニレンジイソプロパノエート、３−エチル−１，２−フェニレンジイソプロパノエート、３−ブチル−１，２−フェニレンジイソプロパノエート、３−イソブチル−１，２−フェニレンジイソプロパノエート、３−ｔｅｒｔ−ブチル−１，２−フェニレンジイソプロパノエート、３−イソプロピル−１，２−フェニレンジイソプロパノエート、３−ペンチル−１，２−フェニレンジイソプロパノエート、３−イソペンチル−１，２−フェニレンジイソプロパノエート、３−ヘキシル−１，２−フェニレンジイソプロパノエート、３−ヘプチル−１，２−フェニレンジイソプロパノエート、３−オクチル−１，２−フェニレンジイソプロパノエート、３−ノニル−１，２−フェニレンジイソプロパノエート、３−デシル−１，２−フェニレンジイソプロパノエート、３−ドデシル−１，２−フェニレンジイソプロパノエート、３−メトキシ−１，２−フェニレンジイソプロパノエート、３−エトキシ−１，２−フェニレンジイソプロパノエート、３−プロポキシ−１，２−フェニレンジイソプロパノエート、３−イソプロポキシ−１，２−フェニレンジイソプロパノエート、３−ブトキシ−１，２−フェニレンジイソプロパノエート、３−イソブトキシ−１，２−フェニレンジイソプロパノエート、３−ｔｅｒｔ−ブトキシ−１，２−フェニレンジイソプロパノエート、３−ペントキシ−１，２−フェニレンジイソプロパノエート、３−ヘキソキシ−１，２−フェニレンジイソプロパノエート、３−ヘプトキシ−１，２−フェニレンジイソプロパノエート、３−オクトキシ−１，２−フェニレンジイソプロパノエート、３−ノノキシ−１，２−フェニレンジイソプロパノエート、３−デコキシ−１，２−フェニレンジイソプロパノエート、３−フェノキシ−１，２−フェニレンジイソプロパノエート、３−クロロ−１，２−フェニレンジブタノエート、３−ブロモ−１，２−フェニレンジブタノエート、３−フルオロ−１，２−フェニレンジブタノエート、３−ヨード−１，２−フェニレンジブタノエート、３−メチル−１，２−フェニレンジブタノエート、３−エチル−１，２−フェニレンジブタノエート、３−ブチル−１，２−フェニレンジブタノエート、３−イソブチル−１，２−フェニレンジブタノエート、３−ｔｅｒｔ−ブチル−１，２−フェニレンジブタノエート、３−イソプロピル−１，２−フェニレンジブタノエート、３−ペンチル−１，２−フェニレンジブタノエート、３−イソペンチル−１，２−フェニレンジブタノエート、３−ヘキシル−１，２−フェニレンジブタノエート、３−ヘプチル−１，２−フェニレンジブタノエート、３−オクチル−１，２−フェニレンジブタノエート、３−ノニル−１，２−フェニレンジブタノエート、３−デシル−１，２−フェニレンジブタノエート、３−ドデシル−１，２−フェニレンジブタノエート、３−メトキシ−１，２−フェニレンジブタノエート、３−エトキシ−１，２−フェニレンジブタノエート、３−プロポキシ−１，２−フェニレンジブタノエート、３−イソプロポキシ−１，２−フェニレンジブタノエート、３−ブトキシ−１，２−フェニレンジブタノエート、３−イソブトキシ−１，２−フェニレンジブタノエート、３−ｔｅｒｔ−ブトキシ−１，２−フェニレンジブタノエート、３−ペントキシ−１，２−フェニレンジブタノエート、３−ヘキソキシ−１，２−フェニレンジブタノエート、３−ヘプトキシ−１，２−フェニレンジブタノエート、３−オクトキシ−１，２−フェニレンジブタノエート、３−ノノキシ−１，２−フェニレンジブタノエート、３−デコキシ−１，２−フェニレンジブタノエート、３−フェノキシ−１，２−フェニレンジブタノエート、３−クロロ−１，２−フェニレンジイソブタノエート、３−ブロモ−１，２−フェニレンジイソブタノエート、３−フルオロ−１，２−フェニレンジイソブタノエート、３−ヨード−１，２−フェニレンジイソブタノエート、３−メチル−１，２−フェニレンジイソブタノエート、３−エチル−１，２−フェニレンジイソブタノエート、３−ブチル−１，２−フェニレンジイソブタノエート、３−イソブチル−１，２−フェニレンジイソブタノエート、３−ｔｅｒｔ−ブチル−１，２−フェニレンジイソブタノエート、３−イソプロピル−１，２−フェニレンジイソブタノエート、３−ペンチル−１，２−フェニレンジイソブタノエート、３−イソペンチル−１，２−フェニレンジイソブタノエート、３−ヘキシル−１，２−フェニレンジイソブタノエート、３−ヘプチル−１，２−フェニレンジイソブタノエート、３−オクチル−１，２−フェニレンジイソブタノエート、３−ノニル−１，２−フェニレンジイソブタノエート、３−デシル−１，２−フェニレンジイソブタノエート、３−ドデシル−１，２−フェニレンジイソブタノエート、３−メトキシ−１，２−フェニレンジイソブタノエート、３−エトキシ−１，２−フェニレンジイソブタノエート、３−プロポキシ−１，２−フェニレンジイソブタノエート、３−イソプロポキシ−１，２−フェニレンジイソブタノエート、３−ブトキシ−１，２−フェニレンジイソブタノエート、３−イソブトキシ−１，２−フェニレンジイソブタノエート、３−ｔｅｒｔ−ブトキシ−１，２−フェニレンジイソブタノエート、３−ペントキシ−１，２−フェニレンジイソブタノエート、３−ヘキソキシ−１，２−フェニレンジイソブタノエート、３−ヘプトキシ−１，２−フェニレンジイソブタノエート、３−オクトキシ−１，２−フェニレンジイソブタノエート、３−ノノキシ−１，２−フェニレンジイソブタノエート、３−デコキシ−１，２−フェニレンジイソブタノエート、３−フェノキシ−１，２−フェニレンジイソブタノエート、３−クロロ−１，２−フェニレンジ−ｔｅｒｔ−ブタノエート、３−ブロモ−１，２−フェニレンジ−ｔｅｒｔ−ブタノエート、３−フルオロ−１，２−フェニレンジ−ｔｅｒｔ−ブタノエート、３−ヨード−１，２−フェニレンジ−ｔｅｒｔ−ブタノエート、３−メチル−１，２−フェニレンジ−ｔｅｒｔ−ブタノエート、３−エチル−１，２−フェニレンジ−ｔｅｒｔ−ブタノエート、３−ブチル−１，２−フェニレンジ−ｔｅｒｔ−ブタノエート、３−イソブチル−１，２−フェニレンジ−ｔｅｒｔ−ブタノエート、３−ｔｅｒｔ−ブチル−１，２−フェニレンジ−ｔｅｒｔ−ブタノエート、３−イソプロピル−１，２−フェニレンジ−ｔｅｒｔ−ブタノエート、３−ペンチル−１，２−フェニレンジ−ｔｅｒｔ−ブタノエート、３−イソペンチル−１，２−フェニレンジ−ｔｅｒｔ−ブタノエート、３−ヘキシル−１，２−フェニレンジ−ｔｅｒｔ−ブタノエート、３−ヘプチル−１，２−フェニレンジ−ｔｅｒｔ−ブタノエート、３−オクチル−１，２−フェニレンジ−ｔｅｒｔ−ブタノエート、３−ノニル−１，２−フェニレンジ−ｔｅｒｔ−ブタノエート、３−デシル−１，２−フェニレンジ−ｔｅｒｔ−ブタノエート、３−ドデシル−１，２−フェニレンジ−ｔｅｒｔ−ブタノエート、３−メトキシ−１，２−フェニレンジ−ｔｅｒｔ−ブタノエート、３−エトキシ−１，２−フェニレンジ−ｔｅｒｔ−ブタノエート、３−プロポキシ−１，２−フェニレンジ−ｔｅｒｔ−ブタノエート、３−イソプロポキシ−１，２−フェニレンジ−ｔｅｒｔ−ブタノエート、３−ブトキシ−１，２−フェニレンジ−ｔｅｒｔ−ブタノエート、３−イソブトキシ−１，２−フェニレンジ−ｔｅｒｔ−ブタノエート、３−ｔｅｒｔ−ブトキシ−１，２−フェニレンジ−ｔｅｒｔ−ブタノエート、３−ペントキシ−１，２−フェニレンジ−ｔｅｒｔ−ブタノエート、３−ヘキソキシ−１，２−フェニレンジ−ｔｅｒｔ−ブタノエート、３−ヘプトキシ−１，２−フェニレンジ−ｔｅｒｔ−ブタノエート、３−オクトキシ−１，２−フェニレンジ−ｔｅｒｔ−ブタノエート、３−ノノキシ−１，２−フェニレンジ−ｔｅｒｔ−ブタノエート、３−デコキシ−１，２−フェニレンジ−ｔｅｒｔ−ブタノエート、３−フェノキシ−１，２−フェニレンジ−ｔｅｒｔ−ブタノエー
ト、３−クロロ−１，２−フェニレンジペンタノエート、３−ブロモ−１，２−フェニレンジペンタノエート、３−フルオロ−１，２−フェニレンジペンタノエート、３−ヨード−１，２−フェニレンジペンタノエート、３−メチル−１，２−フェニレンジペンタノエート、３−エチル−１，２−フェニレンジペンタノエート、３−ブチル−１，２−フェニレンジペンタノエート、３−イソブチル−１，２−フェニレンジペンタノエート、３−ｔｅｒｔ−ブチル−１，２−フェニレンジペンタノエート、３−イソプロピル−１，２−フェニレンジペンタノエート、３−ペンチル−１，２−フェニレンジペンタノエート、３−イソペンチル−１，２−フェニレンジペンタノエート、３−ヘキシル−１，２−フェニレンジペンタノエート、３−ヘプチル−１，２−フェニレンジペンタノエート、３−オクチル−１，２−フェニレンジペンタノエート、３−ノニル−１，２−フェニレンジペンタノエート、３−デシル−１，２−フェニレンジペンタノエート、３−ドデシル−１，２−フェニレンジペンタノエート、３−メトキシ−１，２−フェニレンジペンタノエート、３−エトキシ−１，２−フェニレンジペンタノエート、３−プロポキシ−１，２−フェニレンジペンタノエート、３−イソプロポキシ−１，２−フェニレンジペンタノエート、３−ブトキシ−１，２−フェニレンジペンタノエート、３−イソブトキシ−１，２−フェニレンジペンタノエート、３−ｔｅｒｔ−ブトキシ−１，２−フェニレンジペンタノエート、３−ペントキシ−１，２−フェニレンジペンタノエート、３−ヘキソキシ−１，２−フェニレンジペンタノエート、３−ヘプトキシ−１，２−フェニレンジペンタノエート、３−オクトキシ−１，２−フェニレンジペンタノエート、３−ノノキシ−１，２−フェニレンジペンタノエート、３−デコキシ−１，２−フェニレンジペンタノエート、３−フェノキシ−１，２−フェニレンジペンタノエート、３−クロロ−１，２−フェニレンジイソペンタノエート、３−ブロモ−１，２−フェニレンジイソペンタノエート、３−フルオロ−１，２−フェニレンジイソペンタノエート、３−ヨード−１，２−フェニレンジイソペンタノエート、３−メチル−１，２−フェニレンジイソペンタノエート、３−エチル−１，２−フェニレンジイソペンタノエート、３−ブチル−１，２−フェニレンジイソペンタノエート、３−イソブチル−１，２−フェニレンジイソペンタノエート、３−ｔｅｒｔ−ブチル−１，２−フェニレンジイソペンタノエート、３−イソプロピル−１，２−フェニレンジイソペンタノエート、３−ペンチル−１，２−フェニレンジイソペンタノエート、３−イソペンチル−１，２−フェニレンジイソペンタノエート、３−ヘキシル−１，２−フェニレンジイソペンタノエート、３−ヘプチル−１，２−フェニレンジイソペンタノエート、３−オクチル−１，２−フェニレンジイソペンタノエート、３−ノニル−１，２−フェニレンジイソペンタノエート、３−デシル−１，２−フェニレンジイソペンタノエート、３−ドデシル−１，２−フェニレンジイソペンタノエート、３−メトキシ−１，２−フェニレンジイソペンタノエート、３−エトキシ−１，２−フェニレンジイソペンタノエート、３−プロポキシ−１，２−フェニレンジイソペンタノエート、３−イソプロポキシ−１，２−フェニレンジイソペンタノエート、３−ブトキシ−１，２−フェニレンジイソペンタノエート、３−イソブトキシ−１，２−フェニレンジイソペンタノエート、３−ｔｅｒｔ−ブトキシ−１，２−フェニレンジイソペンタノエート、３−ペントキシ−１，２−フェニレンジイソペンタノエート、３−ヘキソキシ−１，２−フェニレンジイソペンタノエート、３−ヘプトキシ−１，２−フェニレンジイソペンタノエート、３−オクトキシ−１，２−フェニレンジイソペンタノエート、３−ノノキシ−１，２−フェニレンジイソペンタノエート、３−デコキシ−１，２−フェニレンジイソペンタノエート、３−フェノキシ−１，２−フェニレンジイソペンタノエート、３−クロロ−１，２−フェニレンジヘキサノエート、３−ブロモ−１，２−フェニレンジヘキサノエート、３−フルオロ−１，２−フェニレンジヘキサノエート、３−ヨード−１，２−フェニレンジヘキサノエート、３−メチル−１，２−フェニレンジヘキサノエート、３−エチル−１，２−フェニレンジヘキサノエート、３−ブチル−１，２−フェニレンジヘキサノエート、３−イソブチル−１，２−フェニレンジヘキサノエート、３−ｔｅｒｔ−ブチル−１，２−フェニレンジヘキサノエート、３−イソプロピル−１，２−フェニレンジヘキサノエート、３−ペンチル−１，２−フェニレンジヘキサノエート、３−イソペンチル−１，２−フェニレンジヘキサノエート、３−ヘキシル−１，２−フェニレンジヘキサノエート、３−ヘプチル−１，２−フェニレンジヘキサノエート、３−オクチル−１，２−フェニレンジヘキサノエート、３−ノニル−１，２−フェニレンジヘキサノエート、３−デシル−１，２−フェニレンジヘキサノエート、３−ドデシル−１，２−フェニレンジヘキサノエート、３−メトキシ−１，２−フェニレンジヘキサノエート、３−エトキシ−１，２−フェニレンジヘキサノエート、３−プロポキシ−１，２−フェニレンジヘキサノエート、３−イソプロポキシ−１，２−フェニレンジヘキサノエート、３−ブトキシ−１，２−フェニレンジヘキサノエート、３−イソブトキシ−１，２−フェニレンジヘキサノエート、３−ｔｅｒｔ−ブトキシ−１，２−フェニレンジヘキサノエート、３−ペントキシ−１，２−フェニレンジヘキサノエート、３−ヘキソキシ−１，２−フェニレンジヘキサノエート、３−ヘプトキシ−１，２−フェニレンジヘキサノエート、３−オクトキシ−１，２−フェニレンジヘキサノエート、３−ノノキシ−１，２−フェニレンジヘキサノエート、３−デコキシ−１，２−フェニレンジヘキサノエート、３−フェノキシ−１，２−フェニレンジヘキサノエート、３−クロロ−１，２−フェニレンジイソヘキサノエート、３−ブロモ−１，２−フェニレンジイソヘキサノエート、３−フルオロ−１，２−フェニレンジイソヘキサノエート、３−ヨード−１，２−フェニレンジイソヘキサノエート、３−メチル−１，２−フェニレンジイソヘキサノエート、３−エチル−１，２−フェニレンジイソヘキサノエート、３−ブチル−１，２−フェニレンジイソヘキサノエート、３−イソブチル−１，２−フェニレンジイソヘキサノエート、３−ｔｅｒｔ−ブチル−１，２−フェニレンジイソヘキサノエート、３−イソプロピル−１，２−フェニレンジイソヘキサノエート、３−ペンチル−１，２−フェニレンジイソヘキサノエート、３−イソペンチル−１，２−フェニレンジイソヘキサノエート、３−ヘキシル−１，２−フェニレンジイソヘキサノエート、３−ヘプチル−１，２−フェニレンジイソヘキサノエート、３−オクチル−１，２−フェニレンジイソヘキサノエート、３−ノニル−１，２−フェニレンジイソヘキサノエート、３−デシル−１，２−フェニレンジイソヘキサノエート、３−ドデシル−１，２−フェニレンジイソヘキサノエート、３−メトキシ−１，２−フェニレンジイソヘキサノエート、３−エトキシ−１，２−フェニレンジイソヘキサノエート、３−プロポキシ−１，２−フェニレンジイソヘキサノエート、３−イソプロポキシ−１，２−フェニレンジイソヘキサノエート、３−ブトキシ−１，２−フェニレンジイソヘキサノエート、３−イソブトキシ−１，２−フェニレンジイソヘキサノエート、３−ｔｅｒｔ−ブトキシ−１，２−フェニレンジイソヘキサノエート、３−ペントキシ−１，２−フェニレンジイソヘキサノエート、３−ヘキソキシ−１，２−フェニレンジイソヘキサノエート、３−ヘプトキシ−１，２−フェニレンジイソヘキサノエート、３−オクトキシ−１，２−フェニレンジイソヘキサノエート、３−ノノキシ−１，２−フェニレンジイソヘキサノエート、３−デコキシ−１，２−フェニレンジイソヘキサノエート、３−フェノキシ−１，２−フェニレンジイソヘキサノエート、３−クロロ−１，２−フェニレンジヘプタノエート、３−ブロモ−１，２−フェニレンジヘプタノエート、３−フルオロ−１，２−フェニレンジヘプタノエート、３−ヨード−１，２−フェニレンジヘプタノエート、３−メチル−１，２−フェニレンジヘプタノエート、３−エチル−１，２−フェニレンジヘプタノエート、３−ブチル−１，２−フェニレンジヘプタノエート、３−イソブチル−１，２−フェニレンジヘプタノエート、３−ｔｅｒｔ−ブチル−１，２−フェニレンジヘプタノエート、３−イソプロピル−１，２−フェニレンジヘプタノエート、３−ペンチル−１，２−フェニレンジヘプタノエート、３−イソペンチル−１，２−フェニレンジヘプタノエート（３−ヘキシル−１，２−フェニレンジヘプタノエート）３−ヘプチル−１，２−フェニレンジヘプタノエート、３−オクチル−１，２−フェニレンジヘプタノエート、３−ノニル−ｌ１,２−フェニレンジヘプタノエート、３−デシル−１，２−フェニレンジヘプタノエート、３−ドデシル−１，２−フェニレンジヘプタノエート、３−メトキシ−１，２−フェニレンジヘプタノエート、３−エトキシ−１，２−フェニレンジヘプタノエート（３−プロポキシ−１，２−フェニレンジヘプタノエート）３−イソプロポキシ−１，２−フェニレンジヘプタノエート、３−ブトキシ−１，２−フェニレンジヘプタノエート、３−イソブトキシ−１，２−フェニレンジヘプタノエート、３−ｔｅｒｔ−ブトキシ−１，２−フェニレンジヘプタノエート、３−ペントキシ−１，２−フェニレンジヘプタノエート、３−ヘキソキシ−１，２−フェニレンジヘプタノエート、３−ヘプトキシ��１，２−フェニレンジヘプタノエート、３−オクトキシ−１，２−フェニレンジヘプタノエート、３−ノノキシ−１，２−フェニレンジヘプタノエート、３−デコキシ−１，２−フェニレンジヘプタノエート、３−フェノキシ−１，２−フェニレンジヘプタノエート、３−クロロ−１，２−フェニレンジイソヘプタノエート、３臭化である−ｌ１,２−フェニレンジイソヘプタノエート、３−フルオロ−１，２−フェニレンジイソヘプタノエート、３−ヨード−１，２−フェニレンジイソヘプタノエート、３−メチル−１，２−フェニレンジイソヘプタノエート、３−エチル−１，２−フェニレンジイソヘプタノエート、３−ブチル−１，２−フェニレンジイソヘプタノエート、３−イソブチル−１，２−フェニレンジイソヘプタノエート、３−ｔｅｒｔ−ブチル−１，２−フェニレンジイソヘプタノエート、３−イソプロピル−１，２−フェニレンジイソヘプタノエート、３−ペンチル−１，２−フェニレンジイソヘプタノエート、３−イソペンチル−１，２−フェニレンジイソヘプタノエート、３−ヘキシル−１，２−フェニレンジイソヘプタノエート、３−ヘプチル−１，２−フェニレンジイソヘプタノエート、３−オクチル−１，２−フェニレンジイソヘプタノエート、３−ノニル−１，２−フェニレンジイソヘプタノエート、３−デシル−１，２−フェニレンジイソヘプタノエート、３−ドデシル−１，２−フェニレンジイソヘプタノエート、３−メトキシ−１，２−フェニレンジイソヘプタノエート、３−エトキシ−１，２−フェニレンジイソヘプタノエート、３−プロポキシ−１，２−フェニレンジイソヘプタノエート、３−イソプロポキシ−１，２−フェニレンジイソヘプタノエート、３−ブトキシ−１，２−フェニレンジイソヘプタノエート、３−イソブトキシ−１，２−フェニレンジイソヘプタノエート、３−ｔｅｒｔ−ブトキシ−１，２−フェニレンジイソヘプタノエート、３−ペントキシ−１，２−フェニレンジイソヘプタノエート、３−ヘキソキシ−１，２−フェニレンジイソヘプタノエート、３−ヘプトキシ−１，２−フェニレンジイソヘプタノエート、３−オクトキシ−１，２−フェニレンジイソヘプタノエート、３−ノノキシ−１，２−フェニレンジイソヘプタノエート、３−デコキシ−１，２−フェニレンジイソヘプタノエート、３−フェノキシ−１，２−フェニレンジイソヘプタノエート、３−クロロ−１，２−フェニレンジオクタノエート
、３−ブロモ−１，２−フェニレンジオクタノエート、３−フルオロ−１，２−フェニレンジオクタノエート、３−ヨード−１，２−フェニレンジオクタノエート、３−メチル−１，２−フェニレンジオクタノエート、３−エチル−１，２−フェニレンジオクタノエート、３−ブチル−１，２−フェニレンジオクタノエート、３−イソブチル−１，２−フェニレンジオクタノエート、３−ｔｅｒｔ−ブチル−１，２−フェニレンジオクタノエート、３−イソプロピル−１，２−フェニレンジオクタノエート、３−ペンチル−１，２−フェニレンジオクタノエート、３−イソペンチル−１，２−フェニレンジオクタノエート、３−ヘキシル−１，２−フェニレンジオクタノエート、３−ヘプチル−１，２−フェニレンジオクタノエート、３−オクチル−１，２−フェニレンジオクタノエート、３−ノニル−１，２−フェニレンジオクタノエート、３−デシル−１，２−フェニレンジオクタノエート、３−ドデシル−１，２−フェニレンジオクタノエート、３−メトキシ−１，２−フェニレンジオクタノエート、３−エトキシ−１，２−フェニレンジオクタノエート、３−プロポキシ−１，２−フェニレンジオクタノエート、３−イソプロポキシ−１，２−フェニレンジオクタノエート、３−ブトキシ−１，２−フェニレンジオクタノエート、３−イソブトキシ−１，２−フェニレンジオクタノエート、３−ｔｅｒｔ−ブトキシ−１，２−フェニレンジオクタノエート、３−ペントキシ−１，２−フェニレンジオクタノエート、３−ヘキソキシ−１，２−フェニレンジオクタノエート、３−ヘプトキシ−１，２−フェニレンジオクタノエート、３−オクトキシ−１，２−フェニレンジオクタノエート、３−ノノキシ−１，２−フェニレンジオクタノエート、３−デコキシ−１，２−フェニレンジオクタノエート、３−フェノキシ−１，２−フェニレンジオクタノエート、３−クロロ−１，２−フェニレンジイソオクタノエート、３−ブロモ−１，２−フェニレンジイソオクタノエート、３−フルオロ−１，２−フェニレンジイソオクタノエート、３−ヨード−１，２−フェニレンジイソオクタノエート、３−メチル−１，２−フェニレンジイソオクタノエート、３−エチル−１，２−フェニレンジイソオクタノエート、３−ブチル−１，２−フェニレンジイソオクタノエート、３−イソブチル−１，２−フェニレンジイソオクタノエート、３−ｔｅｒｔ−ブチル−１，２−フェニレンジイソオクタノエート、３−イソプロピル−１，２−フェニレンジイソオクタノエート、３−ペンチル−１，２−フェニレンジイソオクタノエート、３−イソペンチル−１，２−フェニレンジイソオクタノエート、３−ヘキシル−１，２−フェニレンジイソオクタノエート、３−ヘプチル−１，２−フェニレンジイソオクタノエート、３−オクチル−１，２−フェニレンジイソオクタノエート、３−ノニル−１，２−フェニレンジイソオクタノエート、３−デシル−１，２−フェニレンジイソオクタノエート、３−ドデシル−１，２−フェニレンジイソオクタノエート、３−メトキシ−１，２−フェニレンジイソオクタノエート、３−エトキシ−１，２−フェニレンジイソオクタノエート、３−プロポキシ−１，２−フェニレンジイソオクタノエート、３−イソプロポキシ−１，２−フェニレンジイソオクタノエート、３−ブトキシ−１，２−フェニレンジイソオクタノエート、３−イソブトキシ−１，２−フェニレンジイソオクタノエート、３−ｔｅｒｔ−ブトキシ−１，２−フェニレンジイソオクタノエート、３−ペントキシ−１，２−フェニレンジイソオクタノエート、３−ヘキソキシ−１，２−フェニレンジイソオクタノエート、３−ヘプトキシ−１，２−フェニレンジイソオクタノエート、３−オクトキシ−１，２−フェニレンジイソオクタノエート、３−ノノキシ−１，２−フェニレンジイソオクタノエート、３−デコキシ−１，２−フェニレンジイソオクタノエート、３−フェノキシ−１，２−フェニレンジイソオクタノエート、３−クロロ−１，２−フェニレンジノナノエート、３−ブロモ−１，２−フェニレンジノナノエート、３−フルオロ−１，２−フェニレンジノナノエート、３−ヨード−１，２−フェニレンジノナノエート、３−メチル−１，２−フェニレンジノナノエート、３−エチル−１，２−フェニレンジノナノエート、３−ブチル−１，２−フェニレンジノナノエート、３−イソブチル−１，２−フェニレンジノナノエート、３−ｔｅｒｔ−ブチル−１，２−フェニレンジノナノエート、３−イソプロピル−１，２−フェニレンジノナノエート、３−ペンチル−１，２−フェニレンジノナノエート、３−イソペンチル−１，２−フェニレンジノナノエート、３−ヘキシル−１，２−フェニレンジノナノエート、３−ヘプチル−１，２−フェニレンジノナノエート、３−オクチル−１，２−フェニレンジノナノエート、３−ノニル−１，２−フェニレンジノナノエート、３−デシル−１，２−フェニレンジノナノエート、３−ドデシル−１，２−フェニレンジノナノエート、３−メトキシ−１，２−フェニレンジノナノエート、３−エトキシ−１，２−フェニレンジノナノエート、３−プロポキシ−１，２−フェニレンジノナノエート、３−イソプロポキシ−１，２−フェニレンジノナノエート、３−ブトキシ−１，２−フェニレンジノナノエート、３−イソブトキシ−１，２−フェニレンジノナノエート、３−ｔｅｒｔ−ブトキシ−１，２−フェニレンジノナノエート、３−ペントキシ−１，２−フェニレンジノナノエート、３−ヘキソキシ−１，２−フェニレンジノナノエート、３−ヘプトキシ−１，２−フェニレンジノナノエート、３−オクトキシ−１，２−フェニレンジノナノエート、３−ノノキシ−１，２−フェニレンジノナノエート、３−デコキシ−１，２−フェニレンジノナノエート、３−フェノキシ−１，２−フェニレンジノナノエート、３−クロロ−１，２−フェニレンジデカノエート、３−ブロモ−１，２−フェニレンジデカノエート、３−フルオロ−１，２−フェニレンジデカノエート、３−ヨード−１，２−フェニレンジデカノエート、３−メチル−１，２−フェニレンジデカノエート、３−エチル−１，２−フェニレンジデカノエート、３−ブチル−１，２−フェニレンジデカノエート、３−イソブチル−１，２−フェニレンジデカノエート、３−ｔｅｒｔ−ブチル−１，２−フェニレンジデカノエート、３−イソプロピル−１，２−フェニレンジデカノエート、３−ペンチル−１，２−フェニレンジデカノエート、３−イソペンチル−１，２−フェニレンジデカノエート、３−ヘキシル−１，２−フェニレンジデカノエート、３−ヘプチル−１，２−フェニレンジデカノエート、３−オクチル−１，２−フェニレンジデカノエート、３−ノニル−１，２−フェニレンジデカノエート、３−デシル−１，２−フェニレンジデカノエート、３−ドデシル−１，２−フェニレンジデカノエート、３−メトキシ−１，２−フェニレンジデカノエート、３−エトキシ−１，２−フェニレンジデカノエート、３−プロポキシ−１，２−フェニレンジデカノエート、３−イソプロポキシ−１，２−フェニレンジデカノエート、３−ブトキシ−１，２−フェニレンジデカノエート、３−イソブトキシ−１，２−フェニレンジデカノエート、３−ｔｅｒｔ−ブトキシ−１，２−フェニレンジデカノエート、３−ペントキシ−１，２−フェニレンジデカノエート、３−ヘキソキシ−１，２−フェニレンジデカノエート、３−ヘプトキシ−１，２−フェニレンジデカノエート、３−オクトキシ−１，２−フェニレンジデカノエート、３−ノノキシ−１，２−フェニレンジデカノエート、３−デコキシ−１，２−フェニレンジデカノエート及び３−フェノキシ−１，２−フェニレンジデカノエート、を含む群から選択される、項目１８に記載の触媒組成物。
［項目２１］
１，２−フェニレンジオエートは、３−クロロ−１，２−フェニレンジアセテート、３−ｔｅｒｔ−ブチル−１，２−フェニレンジアセテート、３−メチル−１，２−フェニレンジアセテート、３−フルオロ−１，２−フェニレンジアセテートを含む群から選択される、項目２０に記載の触媒組成物。
［項目２２］
１，２−フェニレンジオエートは、１，２−フェニレンジアセテート、１，２−フェニレンジイソプロパノエート、１，２−フェニレンジイソブタノエート、１，２−フェニレンジ−ｔｅｒｔ−ブタノエート、２−アセトキシフェニルピバレート、２−（ピバロイルオキシ）フェニルベンゾエート、４−クロロ−１，２−フェニレンジアセテート、３−フルオロ−１，２−フェニレンジアセテート、４−ｔｅｒｔ−ブチル−１，２−フェニレンジアセテート、４−メチル−１，２−フェニレンジアセテート、２−（イソブチリロキシ）フェニルアセテート、２−（イソブチリロキシ）フェニルプロパノエート、２−（イソブチリロキシ）フェニルブチレート、２−（イソブチリロキシ）フェニルベンゾエート、３−クロロ−１，２−フェニレンジアセテート、３−ｔｅｒｔ−ブチル−１，２−フェニレンジアセテート及び３−メチル−１，２−フェニレンジアセテートを含む群から選択される、項目１に記載の触媒組成物。
［項目２３］
１，２−フェニレンジオエートは、１，２−フェニレンジアセテート、１，２−フェニレンジイソプロパノエート、１，２−フェニレンジイソブタノエート、１，２−フェニレンジ−ｔｅｒｔ−ブタノエート、２−アセトキシフェニルピバレート、２−（ピバロイルオキシ）フェニルベンゾエート、４−クロロ−１，２−フェニレンジアセテート、３−フルオロ−１，２−フェニレンジアセテート、４−ｔｅｒｔ−ブチル−１，２−フェニレンジアセテート、４−メチル−１，２−フェニレンジアセテートを含む群から選択される、項目１に記載の触媒組成物。
［項目２４］
少なくとも１種の１，２−フェニレンジオエート化合物を含む内部供与体と異なる、第２の内部電子供与体成分を、場合によっては含む、項目１に記載の触媒組成物。
［項目２５］
第２の内部電子供与体成分は、フタレート、ベンゾエート、ジエーテル、スクシネート、マロネート、カーボネート、シリルエステル、アミドエステル及びその組合せを含む、項目２４に記載の触媒組成物。
［項目２６］
第２の内部電子供与体成分が、ジ−ｎ−ブチルフタレート、ジ−ｉ−ブチルフタレート、ジ‐２‐エチルヘキシルフタレート、メチルベンゾエート、エチルベンゾエート、プロピルベンゾエート、フェニルベンゾエート、シクロヘキシルベンゾエート、メチルトルエート、エチルトルエート、ｐ−エトキシエチルベンゾエート、ｐ−イソプロポキシエチルベンゾエート、ジエチルスクシネート、ジプロピルスクシネート、ジイソプロピルスクシネート、ジブチルスクシネート、ジイソブチルスクシネート、ジエチルマロネート、ジエチルエチルマロネート、ジエチルプロピルマロネート、ジエチルイソプロピルマロネート、ジエチルブチルマロネート、ジエチル−１，２−シクロヘキサンジカルボキシレート、ジ２−エチルヘキシル−１，２−シクロヘキサンジカルボキシレート、ジ２−イソノニル−１，２−シクロヘキサンジカルボキシレート、メチルアニセート、エチルアニセート、及び、たとえば９，９−ビス（メトキシメチル）フルオリン、２−イソプロピル−２−イソペンチル−１，３−ジメトキシプロパン、２，２−ジイソブチル−１，３−ジメトキシプロパン、２，２−ジイソペンチル−１、３−ジメトキシプロパン及び２−イソプロピル−２−シクロヘキシル−１，３−ジメトキシプロパン等のジエーテル化合物を含む群から選択される、項目２４に記載の触媒組成物。
［項目２７］
５．０〜２０重量％の、少なくとも１種の１，２−フェニレンジオエート化合物を含む内部供与体と、１．０〜６．０重量％のチタン部分と、１５〜２０重量％のマグネシウム部分とを含む、項目１に記載の触媒組成物。
［項目２８］
チーグラー・ナッタ触媒系であって、前記触媒系は、少なくとも１つの有機アルミニウム化合物と、少なくとも１つの外部電子供与体と、マグネシウム部分、チタン部分及び構造(Ａ)の少なくとも１種の１，２−フェニレンジオエート化合物を含む内部供与体の組合せを含む触媒組成物と、の組合せを含み、
【化５】
0005909817.tif 000010
式中、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群から選択される、チーグラー・ナッタ触媒系。
［項目２９］
外部電子供与体及び内部供与体は、同一であるか又は異なる、項目２８に記載のチーグラー・ナッタ触媒系。
［項目３０］
チタン（触媒組成物からの）：アルミニウム（有機アルミニウム化合物からの）：外部供与体の間の比率が、１:５〜１０００：０〜２５０の範囲にあり、好ましくは、１：２５〜５００：２５〜１００の範囲にある、項目２８に記載のチーグラー・ナッタ触媒系。
［項目３１］
マグネシウム部分と、チタン部分と、構造(Ａ)の１，２−フェニレンジオエート化合物を少なくとも１つ含む内部供与体と、の組合せを含む触媒組成物を、調製するためのプロセスであって、
【化６】
0005909817.tif 000011
式中、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群より選択され、
前記プロセスは、マグネシウム部分を、少なくとも１種の１，２−フェニレンジオエート化合物を含む内部供与体のソースとともに、チタン部分に接触させるステップを含む、プロセス。
［項目３２］
マグネシウム部分と、チタン部分と、構造(Ａ)の１，２−フェニレンジオエート化合物を少なくとも１つ含む内部供与体と、の組合せを含む触媒組成物を、調製するためのプロセスであって、
【化７】
0005909817.tif 000012
式中、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群より選択され、
前記プロセスは、マグネシウム部分を、構造(Ａ)の少なくとも１種の１，２−フェニレンジオエート化合物を含む内部供与体のソースとともに、チタン部分に接触させるステップを含む、プロセス。
［項目３３］
前記接触させるステップは、マグネシウムベースの触媒担体を、場合によってはチタン化合物と共に、及び、場合によっては構造(Ａ)の少なくとも１種の１，２−フェニレンジオエート化合物を含む内部電子供与体化合物と共に、形成することと、マグネシウムベースの触媒担体を、チタン化合物及び内部電子供与体化合物に接触させることと、を含む、項目３２に記載のプロセス。
［項目３４］
得られる触媒組成物が、構造(Ａ)の少なくとも１種の１，２−フェニレンジオエート化合物を含む内部供与体を約５．０〜２０重量％、チタン部分を約１．０〜６．０重量％、及びマグネシウム部分を約１５〜２０重量％、それぞれ有するように、マグネシウム部分の量、チタン部分の量及び内部供与体のソースの量が与えられる、項目３２に記載のプロセス。
［項目３５］
前記接触させるステップが、
Ｍｇ（ＯＲ）ｎで表されるマグネシウム部分をＴｉＸ４で表されるチタン部分と、溶媒の存在下で８０〜１２０℃の範囲の温度で反応させることと、
同じものを、構造(Ａ)の少なくとも１種の１，２−フェニレンジオエート化合物を含む内部供与体を、５０〜９５℃の範囲の温度で更に反応させて、製品を得ることと、
このように得られた製品を過剰なＴ１ＣＩ４溶媒で少なくとも１回処理することと、
その後、炭化水素溶媒で洗浄することと、
を含み、Ｒは、２〜１２個の炭素原子を有する炭素部分であり、ｎ＝２であり、Ｘは、ハロゲンであり、溶媒は、塩素化芳香族化合物、非塩素化芳香族化合物、塩素化脂肪族化合物及び非塩素化脂肪族化合物を含む群から選択される、項目３２に記載のプロセス。
［項目３６］
炭化水素溶媒は、イソペンタン、イソオクタン、ヘキサン、ペンタン及びイソヘキサンを含む群から選択される脂肪族炭化水素である、項目３５に記載のプロセス。
［項目３７］
Ｒは、２個の炭素原子を有する炭素部分であり、エチル基である、項目３５に記載のプロセス。
［項目３８］
チタン部分は、ＴｉＣｌ４である、項目３５に記載のプロセス。
［項目３９］
溶媒は、ベンゼン、クロロベンゼン、ジクロロベンゼン、トルエン、ｏ−クロロトルエン、キシレン、ジクロロメタン及びクロロホルムを含む群から選択される、項目３５に記載のプロセス。
［項目４０］
前記接触させるステップは、
ａ．ＴｉＸ４で表されるチタン部分を、ＭｇＣｌ２.ｎＲＯＨで表されるマグネシウムクロライドアルコール付加体と反応させて、反応混合物を得ることと、
ｂ．反応混合物を９０〜１３０℃の範囲の温度まで加熱し、少なくとも０．５時間、これを維持した後、構造(Ａ)の少なくとも１種の１，２−フェニレンジオエート化合物を含む内部供与体を添加して、製品を得ることと、
ｃ．このように得た製品を、過剰なＴｉＣｌ４溶媒で少なくとも１回処理した後、炭化水素溶媒で洗浄することと、
を含み、上記式中、Ｘは、ハロゲンであってもよく、ｎ＝３であり、Ｒは、２〜１８個の炭素原子を有するアルキル部分である、項目３５に記載のプロセス。
［項目４１］
オレフィンを重合及び／又は共重合する方法であって、前記方法は、Ｃ２−Ｃ２０の炭素原子を有するオレフィンを、重合条件下でチーグラー・ナッタ触媒系に接触させるステップを含み、
前記触媒系は、少なくとも１つの有機アルミニウム化合物と、少なくとも１つの外部電子供与体と、マグネシウム部分、チタン部分及び構造(Ａ)の少なくとも１種の１，２−フェニレンジオエート化合物を含む内部供与体の組合せを含む触媒組成物との、組み合わせを含み、
【化８】
0005909817.tif 000013
式中、Ｒ１−Ｒ６基は、同一であるか又は互いに異なり、Ｒ１−Ｒ６のそれぞれは、水素、ハロゲン、場合によっては環に結合されたＣ１−Ｃ２０直鎖又は分枝アルキル基、Ｃ６−Ｃ１４アリール基、Ｃ３−Ｃ１５シクロアルキル基、Ｃ１−Ｃ２０アルコキシ基、ヘテロ原子、アリールアルキル又はアルキルアリール基及びこれらの組合せを含む群から選択される、方法。